(57)【特許請求の範囲】
【請求項１】
遊技機に対応して設けられる遊技用装置であって、
当該遊技用装置の一部を構成し、遊技媒体の貸与に使用可能な有価価値のうち、予め定められた単位貸与価値に相当する遊技媒体を貸与するための単位貸与処理を行う貸与処理手段と、前記対応する遊技機との間で該遊技機から遊技媒体を払い出して貸与するための通信を行う貸与通信手段とを有する貸与処理ユニットと、
当該遊技用装置の一部を構成し、前記貸与処理ユニットからの指令に基づいて遊技媒体を払い出して貸与する払出手段を有する払出ユニットと、を備え、
前記貸与処理手段は、前記単位貸与処理を行うときに、前記単位貸与価値に相当する遊技媒体のうち、前記遊技機が貸与において払い出す一単位の遊技媒体数に対応する部分を、該遊技機から払い出して貸与するための通信を前記貸与通信手段により行う第１貸与処理と、前記一単位の遊技媒体数に満たない端数遊技媒体数を前記払出手段から払い出して貸与するための指令を前記払出ユニットに対して行う第２貸与処理とを行い、
前記貸与処理ユニットは、前記遊技機が遊技媒体を払い出せる状態であるか否かを判定すると共に、前記払出手段が遊技媒体を払い出せる状態であるか否かを判定する払出判定手段をさらに有し、
前記貸与処理手段は、該払出判定手段により前記遊技機又は前記払出手段の少なくとも一方が遊技媒体を払い出せる状態でないと判定されたことを条件として、前記第１貸与処理及び前記第２貸与処理のいずれも行わないことを特徴とする遊技用装置。
【請求項２】
請求項１に記載した遊技用装置であって、
前記貸与通信手段は、前記第１貸与処理として、前記一単位の遊技媒体数を前記遊技機から払い出して貸与するための通信を繰り返して行い、
前記貸与処理ユニット又は前記払出ユニットは、該第１貸与処理により払い出されていない遊技媒体数に相当する前記有価価値である未払い価値を表示する未払い価値表示手段をさらに有することを特徴とする遊技用装置。
【請求項３】
請求項１又は２に記載した遊技用装置であって、
前記貸与処理ユニットは、前記遊技機との接続を確認すると共に、前記払出ユニットとの接続を確認する接続確認手段をさらに有し、
前記貸与処理手段は、該接続確認手段により前記遊技機又は前記払出ユニットの少なくとも一方との接続が確認されないことを条件として、前記第１貸与処理及び前記第２貸与処理のいずれも行わないことを特徴とする遊技用装置。
【請求項４】
請求項１〜３のいずれか１つに記載した遊技用装置であって、
前記貸与処理ユニットは、前記単位貸与処理に伴って、前記有価価値から前記単位貸与価値を減算するための減算処理を行う減算処理手段をさらに有し、
該減算処理手段は、前記第１貸与処理及び前記第２貸与処理の完了に拘わらず、前記減算処理を行うことを特徴とする遊技用装置。
【請求項５】
請求項１〜４のいずれか１つに記載した遊技用装置であって、
遊技者が所有する記録媒体を個々に識別可能な記録媒体識別情報に対応付けて当該遊技者が所有する前記有価価値の大きさを管理する管理装置と通信可能であり、
前記記録媒体を受け付ける記録媒体受付手段と、
該記録媒体受付手段により前記記録媒体を受け付けたことに基づいて、該受け付けた記録媒体の記録媒体識別情報に対応する有価価値の大きさを前記管理装置から取得する有価価値取得手段と、
該有価価値取得手段により取得した有価価値の大きさを記憶する有価価値記憶手段と、
前記管理装置と通信できる通信可能状態であるか通信できない通信不能状態であるかを検知する通信可否検知手段と、をさらに有し、
前記貸与処理手段は、
前記通信可否検知手段により通信可能状態を検知している場合には、前記管理装置で管理している有価価値の大きさを使用して前記単位貸与処理を行う一方、
前記通信可否検知手段により通信不可能状態を検知している場合には、前記記録媒体受付手段で記録媒体を受け付けており、かつ、前記有価価値記憶手段で有価価値の大きさを記憶していることを条件として、当該有価価値記憶手段で記憶している有価価値の大きさを使用して前記単位貸与処理を行うことを特徴とする遊技用装置。
【発明の詳細な説明】
【技術分野】
【０００１】
本発明は、遊技媒体の貸与に使用可能な有価価値を使用して、遊技媒体を払い出して貸与するための貸与処理を行う遊技用装置に係り、特に該遊技媒体の払出を、対応する遊技機と、貸与処理ユニットに併設された払出ユニットの払出手段から行うものに関する。
【背景技術】
【０００２】
従来より、特許文献１に示すように、遊技媒体の貸与に使用可能な有価価値の一例であるカード残額を使用して、パチンコ玉を払い出して貸与するための貸与処理を行うカードユニットであって、該パチンコ玉の払出を、対応するパチンコ機と、当該カードユニットに設けられた玉払出装置（玉切り払出ユニット）から行うものが知られている。このカードユニットでは、図８の実施例に示すように、カードを受け付けて、貸出操作が行われると、カード残額から貸出単位額（１００円）＋消費税額（５円）の消費単位額（１０５円）が減算されて、該消費単位額分のパチンコ玉がパチンコ機から払い出されると共に、減算後のカード残額が消費単位額未満の端数額になると、カード残額から該端数額が減算されて、該端数額分のパチンコ玉が玉払出装置から払い出される。またカードユニットでは、図１１の変形例に示すように、カードを受け付けると、カード残額に生じる端数額が特定され、カード残額から該端数額が減算されて、該端数額分のパチンコ玉が玉払出装置から払い出されると共に、その後に貸出操作が行われると、カード残額から消費単位額が減算されて、該消費単位額分のパチンコ玉がパチンコ機から払い出される。このカードユニットによれば、パチンコ玉の貸与に使用された額に対して消費税額を徴収する場合であっても、端数額分のパチンコ玉が貸与されるので、最終的にカード残額をすべて使い切ることができる。
【先行技術文献】
【特許文献】
【０００３】
【特許文献１】特開２００５−３４８９７２号公報（図８，図１１）
【発明の概要】
【発明が解決しようとする課題】
【０００４】
しかしながら、特許文献１に示すカードユニットにおいて、カード残額をすべて使い切ることなく途中で遊技をやめると、該カード残額に前記貸出単位額（即ちパチンコ機が貸与において払い出す一単位の遊技媒体数（２５個）に相当する最小単位価値）である１００円未満の端数額が生じる場合があるため、該端数額を精算して遊技者に返却するために、遊技場が大量の小銭（５０円硬貨，１０円硬貨，５円硬貨，１円硬貨）を準備して精算装置に補充する等の手間がかかる。
【０００５】
本発明は、このような背景のもとになされたものであり、その目的は、遊技媒体の貸与に使用可能な有価価値をすべて使い切ることなく途中で遊技をやめた場合であっても、残存する有価価値に最小単位価値未満の端数価値が生じることが無いような遊技用装置を提供することにある。
【課題を解決するための手段】
【０００６】
本発明は、前記課題を解決するために、次のような手段を採る。なお後述する発明を実施するための最良の説明及び図面で使用した符号を参考のために括弧書きで付記するが、本発明の構成要素は該付記したものには限定されない。
【０００７】
まず手段１に係る発明は、遊技機（パチンコ機１０）に対応して設けられる遊技用装置であって、当該遊技用装置の一部を構成し、遊技媒体（パチンコ玉）の貸与に使用可能な有価価値（管理残額，受付貨幣額，貯玉数，電子マネー額）のうち、予め定められた単位貸与価値（１００円の整数倍）に相当する遊技媒体を貸与するための単位貸与処理（玉貸処理）を行う貸与処理手段（制御部２１）と、前記対応する遊技機との間で該遊技機から遊技媒体を払い出して貸与するための通信を行う貸与通信手段（玉貸通信部２１ａ）とを有する貸与処理ユニット（玉貸ユニット２０）と、当該遊技用装置の一部を構成し、前記貸与処理ユニットからの指令に基づいて遊技媒体を払い出して貸与する払出手段（玉払出装置３１）を有する払出ユニット（３０）と、を備え、前記貸与処理手段は、前記単位貸与処理を行うときに、前記単位貸与価値に相当する遊技媒体のうち、前記遊技機が貸与において払い出す一単位の遊技媒体数（単位貸与玉数＝２５個）に対応する部分（単位貸与玉数の整数倍）を、該遊技機から払い出して貸与するための通信を前記貸与通信手段により行う第１貸与処理と、前記一単位の遊技媒体数に満たない端数遊技媒体数（端数玉数＝２５個未満）を前記払出手段から払い出して貸与するための指令を前記払出ユニットに対して行う第２貸与処理とを行い、前記貸与処理ユニットは、前記遊技機が遊技媒体を払い出せる状態であるか否かを判定すると共に、前記払出手段が遊技媒体を払い出せる状態であるか否かを判定する払出判定手段（制御部２１）をさらに有し、前記貸与処理手段は、該払出判定手段により前記遊技機又は前記払出手段の少なくとも一方が遊技媒体を払い出せる状態でないと判定されたことを条件として、前記第１貸与処理及び前記第２貸与処理のいずれも行わないことを特徴とする遊技用装置である。
これによれば、貸与処理ユニットが行う単位貸与処理において、単位貸与価値に相当する遊技媒体のうち、一単位の遊技媒体数に対応する部分を遊技機から払い出す第１貸与処理と、該一単位の遊技媒体数に満たない端数遊技媒体数を併設された払出ユニットの払出手段から払い出す第２貸与処理とが行われることにより、有価価値をすべて使い切ることなく途中で遊技をやめた場合であっても、残存する有価価値に、遊技機が貸与において払い出す一単位の遊技媒体数に相当する最小単位価値未満の端数価値が生じることが無い。従って、遊技媒体の貸与に使用された価値に対して消費税額等の間接税額を徴収する場合であっても、前記単位貸与価値を間接税額込み（いわゆる内税）としておけば、有価価値をすべて使い切ることなく途中で遊技をやめた場合であっても、残存する有価価値に最小単位価値未満の端数価値が生じることが無く、該端数価値を精算して遊技者に返却するために、遊技場が大量の小銭を準備して精算装置に補充する等の手間が無い。また貸与処理ユニットに払出手段を内蔵するスペースが無い場合であっても、端数遊技媒体数の払出が可能となる。
さらに故障，遊技媒体の詰まり，遊技媒体の不足の発生等により、遊技機又は払出手段の少なくとも一方が遊技媒体を払い出せる状態でなければ、第１貸与処理及び第２貸与処理のいずれも行われないので、残存する有価価値に最小単位価値未満の端数価値が生じることが無い。
【０００８】
また手段２に係る発明は、手段１に記載した遊技用装置（玉貸ユニット２０及び払出ユニット３０）であって、前記貸与通信手段（玉貸通信部２１ａ）は、前記第１貸与処理として、前記一単位の遊技媒体数（単位貸与玉数＝２５個）を前記遊技機（パチンコ機１０）から払い出して貸与するための通信を繰り返して行い、前記貸与処理ユニット（玉貸ユニット２０）又は前記払出ユニット（３０）は、該第１貸与処理により払い出されていない遊技媒体数に相当する前記有価価値である未払い価値を表示する未払い価値表示手段（未払い度数表示器２５ａ）をさらに有することを特徴とする遊技用装置である。
これによれば、遊技機における故障，遊技媒体の詰まり，遊技媒体の不足の発生等により、第１貸与処理が完了しなかった場合であっても、未払い価値が表示されることにより、遊技場の店員が該未払い価値を確認して遊技者に補償を行うことが可能となるため、遊技者が損をすることが無く、また残存する有価価値に最小単位価値未満の端数価値が生じることが無い。
【０００９】
また手段３に係る発明は、手段１又は２に記載した遊技用装置（玉貸ユニット２０及び払出ユニット３０）であって、前記貸与処理ユニット（玉貸ユニット２０）は、前記遊技機（パチンコ機１０）との接続を確認すると共に、前記払出ユニット（３０）との接続を確認する接続確認手段（制御部２１）をさらに有し、前記貸与処理手段（制御部２１）は、該接続確認手段により前記遊技機又は前記払出ユニットの少なくとも一方との接続が確認されないことを条件として、前記第１貸与処理及び前記第２貸与処理のいずれも行わないことを特徴とする遊技用装置である。
これによれば、貸与処理ユニットにおいて、遊技機又は払出ユニットの少なくとも一方との接続が確認されなければ、第１貸与処理及び第２貸与処理のいずれも行われないので、第１貸与処理及び第２貸与処理の一方が行えずに、残存する有価価値に最小単位価値未満の端数価値が生じることが無い。
【００１０】
また手段４に係る発明は、手段１〜３のいずれか１つに記載した遊技用装置（玉貸ユニット２０及び払出ユニット３０）であって、前記貸与処理ユニット（玉貸ユニット２０）は、前記単位貸与処理に伴って、前記有価価値（管理残額，受付貨幣額，貯玉数，電子マネー額）から前記単位貸与価値（１００円の整数倍）を減算するための減算処理を行う減算処理手段（制御部２１）をさらに有し、該減算処理手段は、前記第１貸与処理及び前記第２貸与処理の完了に拘わらず、前記減算処理を行うことを特徴とする遊技用装置である。
これによれば、第１貸与処理及び第２貸与処理の完了に拘わらず、減算処理が行われるので、故障，遊技媒体の詰まり，遊技媒体の不足の発生等により、第１貸与処理及び第２貸与処理の一方が行えなかった場合であっても、残存する有価価値に最小単位価値未満の端数価値が生じることが無い。
【００１１】
さらに手段５に係る発明は、手段１〜４のいずれか１つに記載した遊技用装置（玉貸ユニット２０及び払出ユニット３０）であって、
遊技者が所有する記録媒体（会員カード４，ビジタコイン５）を個々に識別可能な記録媒体識別情報（記録媒体ＩＤ）に対応付けて当該遊技者が所有する前記有価価値の大きさ（残額）を管理する管理装置（残額管理装置５０）と通信可能であり、
前記記録媒体を受け付ける記録媒体受付手段（通路ユニット１００）と、
該記録媒体受付手段により前記記録媒体を受け付けたことに基づいて、該受け付けた記録媒体の記録媒体識別情報に対応する有価価値の大きさを前記管理装置から取得する有価価値取得手段（制御部２１）と、
該有価価値取得手段により取得した有価価値の大きさを記憶する有価価値記憶手段（制御部２１のＲＡＭ）と、
前記管理装置と通信できる通信可能状態（オンライン状態）であるか通信できない通信不能状態（オフライン状態）であるかを検知する通信可否検知手段（制御部２１）と、をさらに有し、
前記貸与処理手段は、
前記通信可否検知手段により通信可能状態を検知している場合には、前記管理装置で管理している有価価値の大きさを使用して前記単位貸与処理を行う一方、
前記通信可否検知手段により通信不可能状態を検知している場合には、前記記録媒体受付手段で記録媒体を受け付けており、かつ、前記有価価値記憶手段で有価価値の大きさを記憶していることを条件として、当該有価価値記憶手段で記憶している有価価値の大きさを使用して前記単位貸与処理を行うことを特徴とする遊技用装置である。
これによれば、有価価値の大きさを管理する管理装置と通信不可能状態であっても、該管理装置から取得して記憶している有価価値の大きさを使用して単位貸与処理を行うことができるので、遊技機の稼働を確保できる。
【００１２】
なお前記貸与処理手段は、前記第１貸与処理と前記第２貸与処理とを行うものであれば、第１貸与処理に引き続いて第２貸与処理を行うものでも良く、また第２貸与処理に引き続いて第１貸与処理を行うものでも良く、さらに第１貸与処理を行っている途中に第２貸与処理を行うものでも良い。
【図面の簡単な説明】
【００１３】
【図１】図１は本発明に係る遊技用装置である玉貸ユニット及び払出ユニットを含む遊技用システムの一例を表す機能ブロック図である。
【図２】図２（ａ）は第１実施形態に係る玉貸ユニット，払出ユニット，及びパチンコ機の一例を表す正面図であり、図２（ｂ−１）は同玉貸ユニットの断面左側面図であり、図２（ｂ−２）は同玉払出ユニットの部分断面左側面図であり、図２（ｃ）はＸ−Ｘ線拡大断面平面図であり、図２（ｄ）は通路ユニットの機能ブロック図である。
【図３】図３は玉貸ユニットに備えられる通路ユニットを模式的に表す断面左側面図である。
【図４】図４は玉貸ユニットに備えられる通路ユニットを模式的に表す斜視図である。
【図５】図５（ａ）は精算装置の一例を表す斜視図であり、図５（ｂ）は精算装置に設けられたディスプレイの表示内容の一例を表す図である。
【図６】図６（ａ）は残額管理装置が記憶している残額管理ＤＢ及び設定値ＤＢの一例を表す図であり、図６（ｂ）は精算装置が記憶している精算ＤＢの一例を表す図であり、図６（ｃ）は会員カード又はビジタコインの記憶領域の一例を表す図であり、図６（ｄ）はセンタ管理装置が記憶している貸与度数・玉数ＤＢの一例を表す図である。
【図７】図７は残額管理装置とオンライン状態である玉貸ユニットにおいて貨幣を受け付けた場合の処理の一例を表す図である。
【図８】図８は残額管理装置とオンライン状態である玉貸ユニットにおいて玉貸操作を受け付けた場合の処理の一例を表す図である。
【図９】図９は玉貸ユニットが行う使用額決定処理の一例を表す図である。
【図１０】図１０は玉貸ユニットが行う玉貸処理の一例を表す図である。
【図１１】図１１は残額管理装置とオンライン状態である玉貸ユニットにおいて記録媒体を受け付けた場合の処理の一例を表す図である。
【図１２】図１２は図１１に続く図である。
【図１３】図１３は図１１に続く図であり、通番不一致時処理の一例を表す図である。
【図１４】図１４は残額管理装置とオンライン状態である玉貸ユニットにおいて返却操作を受け付けた場合の処理の一例を表す図である。
【図１５】図１５は図１４に続く図である。
【図１６】図１６は玉貸ユニットにおいてオフライン状態の発生を検知した場合の処理の一例を表す図である。
【図１７】図１７は残額管理装置とオフライン状態である玉貸ユニットにおいて貨幣を受け付けた場合の処理の一例を表す図である。
【図１８】図１８は残額管理装置とオフライン状態である玉貸ユニットにおいて玉貸操作を受け付けた場合の処理の一例を表す図である。
【図１９】図１９は残額管理装置とオフライン状態である玉貸ユニットにおいて返却操作を受け付けた場合の処理の一例を表す第１の図である。
【図２０】図２０は残額管理装置とオフライン状態である玉貸ユニットにおいて返却操作を受け付けた場合の処理の一例を表す第２の図である。
【図２１】図２１は残額管理装置とオフライン状態である玉貸ユニットにおいて返却操作を受け付けた場合の処理の一例を表す第３の図である。
【図２２】図２２は玉貸ユニットとのオンライン状態への復帰を検知した場合の処理の一例を表す図である。
【図２３】図２３は図２２に続く図である。
【図２４】図２４は精算装置において記録媒体を受け付けた場合の処理の一例を表す図である。
【図２５】図２５は図２４に続く図である。
【図２６】図２６は精算装置において精算操作を受け付けた場合及び返却操作を受け付けた場合の処理の一例を表す図である。
【図２７】図２７は精算装置においてオフライン状態の発生を検知した場合の処理の一例を表す図である。
【図２８】図２８は残額管理装置とオンライン状態である精算装置において記録媒体を受け付けた場合，精算操作を受け付けた場合，及び返却操作を受け付けた場合の処理の一例を表す図である。
【図２９】図２９は精算装置とのオンライン状態への復帰を検知した場合の処理の一例を表す図である。
【図３０】図３０は玉貸ユニットが行う玉貸処理の変形例１を表す図である。
【図３１】図３１は玉貸ユニットが行う玉貸処理の変形例２を表す図である。
【図３２】図３２は第２実施形態に係る遊技用装置である玉貸ユニット及び払出ユニットの一例を表す図であり、（ａ）は正面図，（ｂ）はブロック図である。
【図３３】図３３は第２実施形態に係る玉貸ユニットが行う貯玉再プレイ処理の一例を表す図である。
【図３４】図３４は第３実施形態に係る遊技用装置である玉貸ユニット及び払出ユニットの一例を表す図であり、（ａ）は正面図，（ｂ）はブロック図である。
【図３５】図３５は第３実施形態に係る玉貸ユニットが行う電子マネー玉貸処理の一例を表す図である。
【図３６】図３６はオフライン状態の玉貸ユニットで玉貸処理に使用されたオフライン消費額を残額管理装置で特定するための第１の方法を示す図である。
【図３７】図３７はオフライン状態の玉貸ユニットで玉貸処理に使用されたオフライン消費額を残額管理装置で特定するための第２の方法を示す図である。
【図３８】図３８はオフライン状態の玉貸ユニットで玉貸処理に使用されたオフライン消費額を残額管理装置で特定するための第３の方法を示す図である。
【図３９】図３９はオフライン状態の玉貸ユニットで玉貸処理に使用されたオフライン消費額を残額管理装置で特定するための第４の方法を示す図である。
【発明を実施するための形態】
【００１４】
以下、本発明の実施の形態を、図面を参照して説明する。本発明に係る遊技用装置である玉貸ユニット２０及び払出ユニット３０は、遊技媒体（パチンコ玉）の貸与に使用可能な有価価値（管理残額，受付貨幣額，貯玉数，電子マネー額）を使用して、遊技媒体を払い出して貸与するための貸与処理（玉貸処理）を行うものであり、特に玉貸ユニット２０は、予め定められた単位貸与価値（１００円の整数倍）に相当する遊技媒体を貸与するための単位貸与処理を行うときに、遊技機が貸与において払い出す一単位の遊技媒体数（単位貸与玉数＝２５個）に対応する部分を、対応する遊技機から払い出して貸与するための通信を行う第１貸与処理と、前記一単位の遊技媒体数に満たない部分である端数遊技媒体数（端数玉数＝２５個未満）を、併設された払出ユニット３０の払出手段（玉払出装置３１）から払い出して貸与するための第２貸与処理とを行うものである。
【００１５】
また該遊技用装置を含む遊技用システム１は、図１に示すように、遊技媒体（パチンコ玉）の貸与に使用される前記有価価値である残額を、記録媒体（会員カード４，ビジタコイン５）には記録せずに、該記録媒体を個々に識別可能な記録媒体識別情報（記録媒体ＩＤ）に対応付けて管理残額として管理する（いわゆる完全ＩＤ管理を行う）ものである。この遊技用システム１は、完全ＩＤ管理を採用したことにより、記録媒体には遊技媒体の貸与に使用される残額を記録しないので、残額が改ざんされるおそれはなく、セキュリティを担保できて、記録媒体のコストを下げることができる。即ち、例えば記録媒体がＩＣカードやＩＣコインである場合において、該記録媒体に残額を記録してセキュリティを担保しようとすれば、該記録媒体にＣＰＵを搭載して記録残額の管理を行う必要があるが、本発明の如く記録媒体に残額を記録しないのであれば、該記録媒体にＣＰＵを搭載しなくても良いので、記録媒体のコストを下げることができる。また記録媒体にＣＰＵを搭載すると、該ＣＰＵとの間で情報のやりとりを行うために、遊技用装置側の制御プログラムが複雑になるので、システムの設計コストが高くなるが、記録媒体にＣＰＵを搭載しないのであれば、該制御プログラムは複雑にならずに済むので、システムの設計コストを低くすることができる。
【００１６】
また遊技用システム１は、遊技用装置を構成する玉貸ユニット２０が、残額管理装置５０と通信できない通信不可能状態（オフライン状態）で貨幣を受け付けたときに、前記有価価値である受付貨幣額に相当する遊技媒体を貸与するための受付貨幣額分の貸与処理（オフライン一発貸し）を行うものである。
【００１７】
また遊技用システム１は、遊技用装置を構成する玉貸ユニット２０で行われる特定処理に伴って記録媒体に記録される通番を更新し、該特定処理に対応して残額管理装置５０で行われる連携処理に伴って前記記録媒体の記録媒体識別情報に対応付けられた通番を更新するので、残額管理装置５０と通信できないオフライン状態が発生した玉貸ユニット２０がオンライン状態に復帰するのを待つことなく、該玉貸ユニット２０から排出された記録媒体が他のオンライン状態の玉貸ユニット２０において受け付けられることで、該記録媒体に記録されている通番と該記録媒体の記録媒体識別情報に対応付けて残額管理装置５０で管理されている通番から、オフライン状態の発生により玉貸ユニット２０で特定処理が行われたにも拘わらず該特定処理に対応する連携処理が残額管理装置５０で行われていないことを特定して、対処することができることを特徴とするものである。ここで通番とは、任意の数字（例えば０）から始って１つずつ加算される通し番号である。
【００１８】
なお遊技用装置を構成する玉貸ユニット２０には、図３及び図４に示すように、コイン投入口１１１と、コイン排出口１１２と、第１保持部（投入コイン保持部１２０）と、連絡通路１６１及び第１誘導通路１６３を有する投入記録媒体排出通路（投入コイン排出通路１６０）と、収納通路１３１及び第２誘導通路１３３を有する収納排出通路１３０と、を備え、投入コイン排出通路１６０の一部又は全部を、収納排出通路１３０に対して円盤状記録媒体（ビジタコイン５）の厚み方向に相対的にずらすと共に、第１誘導通路１６３と第２誘導通路１３３とが重畳してコイン排出口１１２に臨むように形成されていることを特徴とする記録媒体処理機構が設けられている。
【００１９】
この記録媒体処理機構は、以下に示す実施形態では、予め定められた特別処理として玉貸処理を行う玉貸ユニット２０，及び該特別処理として精算処理を行う精算装置６０に備えられる。これら玉貸ユニット２０，及び精算装置６０は、残額管理装置５０と通信可能に接続され、全体として遊技用システム１を構成している。
【００２０】
以下においては、玉貸ユニット２０に対応する遊技機がパチンコ機１０であり、遊技媒体がパチンコ玉であり、貸与処理が玉貸処理であり、当該パチンコ機１０が貸与において払い出す一単位のパチンコ玉数である単位貸与玉数が２５個である例について説明すると共に、リーダ／ライタを「Ｒ／Ｗ」，データベースを「ＤＢ」，ステップＳを「Ｓ」と略記する。
【００２１】
また、以下においては、玉貸処理に使用された額に対応する間接税額が徴収され、該間接税が、既に導入されている消費税である例について説明するが、該間接税は、今後導入の可能性もあり得る遊技税等であっても良い。なお本例では、消費税率が５％である例について説明する。そして本発明では、玉貸処理に使用された額に対応する消費税額を徴収しても、残存する有価価値に、パチンコ機１０が貸与において払い出す一単位の遊技媒体数（２５個）に相当する最小単位価値である１００円未満の端数価値が生じないように、前記単位貸与価値を消費税額込み（いわゆる内税）で１００円の整数倍としている。つまり、消費税率が５％である本例では、１００円の単位貸与価値には、９５．２円の玉貸処理に使用される額と４．８円の消費税額とが含まれ、またパチンコ玉１個あたりの貸与額は、消費税額抜き（以下、単に「税抜き」という。）の税抜き玉単価が４．０円，消費税額込み（以下、単に「税込み」という。）の税込み玉単価が４．２円となる。
【００２２】
また玉貸ユニット２０及び遊技用システム１には、前記有価価値である管理残額又は受付貨幣額を使用した玉貸処理を行う第１実施形態と、該第１実施形態に加えて前記有価価値である貯玉数を使用した玉貸処理である貯玉再プレイ処理を行う第２実施形態と、前記第１実施形態に加えて前記有価価値である電子マネー額を使用した玉貸処理である電子マネー玉貸処理を行う第３実施形態とが含まれ、各実施形態には、玉貸処理の態様が異なる３つの例（図１０，図３０，図３１）が含まれる。以下においては、まず第１実施形態について説明し、次に第２実施形態について第１実施形態と異なる点についてのみ説明し、次に第３実施形態について第１実施形態と異なる点についてのみ説明し、最後に変形例について説明する。
【００２３】
［１．第１実施形態に係る玉貸ユニット２０を含む遊技用システム１］
まず、図１〜図６を参照して、第１実施形態に係る玉貸ユニット２０を含む遊技用システム１の構成について説明する。この遊技用システム１は、図１に示すように、パチンコ機１０に対応して設けられる玉貸ユニット２０と、該玉貸ユニット２０と図示しない台端末装置を介して通信可能な売上管理装置４０と、玉貸ユニット２０と通信可能な残額管理装置５０と、該残額管理装置５０と通信可能な精算装置６０を遊技場内に備えると共に、前記残額管理装置５０と通信可能なセンタ管理装置７０を遊技場外のカード会社に備える。なお図１に示す構成要素のうち、会員管理装置８０は、後述する第２実施形態に係る遊技用システム１のみが備え、電子マネー管理サーバ９０は、後述する第３実施形態に係る遊技用システム１のみが備えるものである。
【００２４】
ここでセンタ管理装置７０は、各遊技場に備えられる残額管理装置５０を統括するコンピュータであって、前記最小単位価値（ここでは１００円）の整数倍である各単位貸与価値（即ち税込み使用額である１００円，２００円，…１０００円）に対応付けて、当該税込み使用額に相当する税抜き貸与度数と、当該税込み使用額に相当する貸与玉数と、パチンコ機１０からの貸与に係る税抜き貸与度数及び貸与玉数と、玉払出装置３１からの貸与に係る税抜き貸与度数及び貸与玉数とを、図６（ｄ）に示す貸与度数・玉数ＤＢで管理している。
【００２５】
この図６（ｄ）に示す貸与度数・玉数ＤＢは、センタ管理装置７０においてオペレータの手入力により前記最小単位価値に相当する貸与玉数が設定されることに基づいて、以下のようにして作成される。具体的には、徴収する消費税率が５％である場合には、まず最小単位価値である１００円を前記税込み玉単価である４．２円で除した値の小数点以下を切り上げることにより、最小単位価値である税込み使用額１００円に相当する貸与玉数である２４個が、オペレータの手入力により設定される。ここで貸与玉数の小数点以下を切り上げるのは、遊技者が損をしないように、１個未満の玉数については遊技場の負担で貸与するためである。
【００２６】
次に、該税込み使用額１００円相当の貸与玉数である２４個に前記税抜き玉単価である４．０円を乗じて、該税込み使用額１００円に対応する税抜き使用額である９６円が算出され、該税抜き使用額である９６円を最小単位価値である１００円で除して、該税込み使用額１００円に対応する税抜き貸与度数である０．９６度数が算出される。次に、これら税込み使用額１００円相当の貸与玉数，税抜き使用額，及び税抜き貸与度数が整数倍されることにより、１００円〜１０００円まで１００円刻みで、各税込み使用額に対応する貸与玉数，税抜き使用額，及び税抜き貸与度数が算出されて設定される。これにより、図６（ｄ）に示す貸与度数・玉数ＤＢの左から２〜５列目が設定される。
【００２７】
そして各税込み使用額について、当該税込み使用額に相当する税抜き貸与度数の整数部分を、パチンコ機１０からの貸与に係る税抜き貸与度数（＊１欄）として設定し、当該パチンコ機１０からの貸与に係る税抜き貸与度数に前記単位貸与玉数である２５個を乗じて、パチンコ機１０からの貸与に係る貸与玉数を算出し、前記税込み使用額に相当する税抜き貸与度数の小数部分を、玉払出装置３１からの貸与に係る税抜き貸与度数として設定し、前記税込み使用額に相当する貸与玉数から前記パチンコ機１０からの貸与に係る貸与玉数を減じて、玉払出装置３１からの貸与に係る貸与玉数（＊２欄）を算出して設定する。これにより、図６（ｄ）に示す貸与度数・玉数ＤＢの右側４列が設定され、全体として同ＤＢが作成される。
【００２８】
この場合における実質的な税込み玉単価は、使用額の多少に依らず、１００円÷２４個の式で算出される４．１６…円で一定であり、従って、徴収する消費税率が５％の場合における理想的な税込み玉単価である４．２円との差額は、遊技場が負担していることになる。
【００２９】
なお徴収する消費税率が１０％である場合には、最小単位価値である１００円を前記税込み玉単価である４．４円で除した値の小数点以下を切り上げることにより、最小単位価値である税込み使用額１００円に相当する貸与玉数である２３個が設定された後に、上述したのと同様の手順で、貸与度数・玉数ＤＢが作成される。この場合における実質的な税込み玉単価も、１００円÷２３個の式で算出される４．３４…円で一定である。
【００３０】
このようにして設定された貸与度数・玉数ＤＢの内容は、遊技場の営業開始前に、センタ管理装置７０から各遊技場の残額管理装置５０に対して送信され、また該残額管理装置５０から売上管理装置４０及び各玉貸ユニット２０に対して送信されて、それら残額管理装置５０，売上管理装置４０，及び各玉貸ユニット２０で記憶される。
【００３１】
また売上管理装置４０は、いわゆるホールコンピュータであって、各パチンコ機１０での遊技データを、図示しない遊技ＤＢで管理していると共に、各パチンコ機１０に対応する玉貸ユニット２０での売上額等を、図１に示す売上ＤＢで管理している。この売上ＤＢでは、各玉貸ユニット２０を個々に識別可能な装置ＩＤに対応付けて、各玉貸ユニット２０における玉貸処理で使用された税抜き売上額の累計と、該税抜き売上額に対応する消費税額と、該玉貸処理で貸与された貸与玉数とが管理されている。
【００３２】
この売上管理装置４０は、後述する図８のＳ１２７，図１７のＳ５１４，又は図１８のＳ５２６に示すように、玉貸処理が行われた玉貸ユニット２０から出力されて台端末装置（図示外）に入力される、税込み使用額１００円毎に１パルスで示される売上パルスと、該台端末装置で付加される、当該玉貸ユニット２０の装置ＩＤとを含む売上情報を受信すると、該売上情報に含まれる売上パルス数に１００円を乗じて算出される税込み使用額と、センタ管理装置７０から受信して記憶している貸与度数・玉数ＤＢ（図６（ｄ））の内容とに基づいて、当該税込み使用額に相当する税抜き使用額である税抜き売上額と、当該税込み使用額から税抜き使用額を減じた消費税額と、当該税込み使用額に相当する貸与玉数とを特定し、該特定した税抜き売上額，消費税額，及び貸与玉数を、前記受信した売上情報に含まれる装置ＩＤに対応付けて売上ＤＢで管理している売上額，消費税額，及び貸与玉数に対して加算する。
【００３３】
この遊技用システム１では、紙幣２，会員カード４，及びビジタコイン５が使用される。紙幣２は貨幣の一例であって、図２（ｂ）に示すように、ここでは１０００円紙幣，２０００円紙幣，５０００円紙幣，及び１００００円紙幣の４種類が使用される。
【００３４】
会員カード４は記録媒体の一例であって、図６（ｃ）に示すように、該記録媒体を個々に識別可能な記録媒体識別情報である記録媒体ＩＤとして、カードＩＤが記録されている。また会員カード４はカード状記録媒体の一例でもあって、前記特別処理（玉貸処理，及び精算処理）を行うための情報が記録されるものであり、ここでは記録媒体ＩＤであるカードＩＤが該情報に相当する。ここで会員カード４の記録媒体ＩＤは、例えば図６（ａ）に示すように、会員遊技者（メンバー）を示すＭで始まる４桁の番号である。この遊技用システム１では完全ＩＤ管理が採用されているので、該会員カード４には、パチンコ玉の貸与に使用される残額は記録されない。
【００３５】
また会員カード４には、前記通番が記録されている。この通番は、後述する通番更新手段（玉貸ユニット２０の制御部２１）により、前記特定処理（後述する受付貨幣の取込や、オンライン状態における使用額分の玉貸処理や、オフライン消費情報又はオフライン精算情報の消去処理）に伴って、第１の通番更新処理で更新される。また通番は、精算装置６０の制御部６２により、後述する精算処理に伴って、第３の通番更新処理で更新される。
【００３６】
この会員カード４は、長方形状を呈するプラスチック製の薄板における所定の部位に、記録媒体ＩＤ，オフライン消費情報，オフライン精算情報，及び通番等が記録される記録領域（図示外）が形成されてなるものであり、ここでは該記録領域として不揮発性のＥＥＰＲＯＭを備える非接触式の集積回路を搭載したＩＣカードである。ここで記録媒体ＩＤ，オフライン消費情報，オフライン精算情報，及び通番は、各情報に対応する記憶領域に各々記録されている。この会員カード４は、会員登録を行った遊技者に対して発行されるものである。
【００３７】
このようにして発行された会員カード４を、遊技者がオンライン状態の玉貸ユニット２０に挿入することにより、該会員カード４の管理残額を遊技媒体の貸与に使用可能となり、遊技者が精算装置６０に挿入することにより、該会員カード４の管理残額を精算可能となる。なお会員カード４は、オフライン状態の玉貸ユニット２０に挿入することはできない。
【００３８】
なお、以下において、「ビジタ」とは、会員カード４を所持していない遊技者，あるいは会員カード４を所持していても使用しない遊技者を意味する。従って、会員カード４の発行を受けた会員遊技者であっても、会員カード４を所持していない（会員カード４を忘れてきた等）場合や、会員カード４を所持していても使用しない場合には、ビジタとなる。
【００３９】
ビジタコイン５は記録媒体の一例であって、図６（ｃ）に示すように、該記録媒体を個々に識別可能な記録媒体識別情報である記録媒体ＩＤとして、コインＩＤが記録されている。またビジタコイン５は円盤状記録媒体の一例でもあって、前記特別処理（玉貸処理，及び精算処理）を行うための情報が記録されるものであり、ここでは記録媒体ＩＤであるコインＩＤが該情報に相当する。ここでビジタコイン５の記録媒体ＩＤは、例えば図６（ａ）に示すように、ビジタを示すＶで始まる４桁の番号である。この遊技用システム１では完全ＩＤ管理が採用されているので、該ビジタコイン５にも、パチンコ玉の貸与に使用される残額は記録されない。
【００４０】
またビジタコイン５にも、前記通番が記録されている。この通番も、後述する通番更新手段（玉貸ユニット２０の制御部２１）により、前記特定処理（後述する受付貨幣の取込や、オンライン状態における使用額分の玉貸処理や、オフライン消費情報，又はオフライン精算情報の消去処理）に伴って、第１の通番更新処理で更新される。また通番は、精算装置６０の制御部６２により、後述する精算処理に伴って、第３の通番更新処理で更新される。
【００４１】
このビジタコイン５は、円盤状を呈するプラスチック製のコインにおける所定の部位に、記録媒体ＩＤ，オフライン消費情報，オフライン精算情報，及び通番等が記録される記録領域（図示外）が形成されてなるものであり、ここでは該記録領域として不揮発性のＥＥＰＲＯＭを備える非接触式の集積回路を搭載したＩＣコインである。ここで記録媒体ＩＤ，オフライン消費情報，オフライン精算情報，及び通番は、各情報に対応する記憶領域に各々記録されている。このビジタコイン５は、予め記録媒体ＩＤが記録されている一方、オフライン消費情報，オフライン精算情報，及び通番が記録されていない状態でカード会社から遊技場に納入されて、玉貸ユニット２０の後述する収納通路１３１に収納される。
【００４２】
そして図７に示すように、残額管理装置５０と通信可能状態（オンライン状態）である玉貸ユニット２０において、会員カード４又はビジタコイン５を受け付けていない状態で貨幣を受け付けた後、図１４に示すように、遊技者から排出操作（後述する返却ボタン１６の操作）を受け付けたことに基づいて、受付貨幣額のうちの玉貸処理に使用されていない残額（後述する記憶残額）が零でないことを条件として、ビジタコイン５が発行（排出）される。
【００４３】
このようにして発行されたビジタコイン５を、遊技者がオンライン状態の玉貸ユニット２０に投入することにより、該ビジタコイン５の管理残額を遊技媒体の貸与に使用可能となり、遊技者が精算装置６０に投入することにより、該ビジタコイン５の管理残額を精算可能となる。なおビジタコイン５は、オフライン状態の玉貸ユニット２０に挿入することはできない。
【００４４】
ここで会員カード４及びビジタコイン５に記録されるオフライン精算情報は、オフライン状態において精算装置６０で精算された精算額を特定可能な情報であって、本実施形態においては、後述するように、該オフライン精算情報として金額自体を記録しなくても、残額管理装置５０で精算額を特定できる。このため、オフライン精算情報としては、オフライン状態において精算が行われたか否かを示すフラグが記録される。具体的には、オフライン状態において精算が行われたときには、フラグとして１が記録され、オフライン状態において精算が行われていないときには、フラグとして０が記録される。
【００４５】
また、本実施形態の会員カード４及びビジタコイン５には、管理残額を特定可能な管理残額特定情報として、図６（ｃ）に示すように、基準データ，乗算データ，除算データ，加算データからなる元データと、演算方式フラグとを記録可能な領域が設けられており、会員カード４又はビジタコイン５が玉貸ユニット２０から返却されるときに、管理残額に対応した管理残額特定情報が各領域に記録されるが、その詳細については後述する。
【００４６】
玉貸ユニット２０に対応して設けられるパチンコ機１０は遊技機の一例であって、遊技媒体であるパチンコ玉を遊技領域に打ち込むことにより遊技を行うものであり、ここでは対応する玉貸ユニット２０との間でパチンコ玉の貸与に関する信号のやり取りが行われて玉貸処理が行われることにより該パチンコ機１０からパチンコ玉が払い出される、いわゆるＣＲ式のパチンコ機である。このパチンコ機１０は、遊技場に配置された遊技島（図示外）において該パチンコ機１０の機種等に従って設置されている。
【００４７】
このパチンコ機１０は、図２（ａ）に示すように、その前面に遊技領域，上皿，下皿，及び発射ハンドル等を備えると共に、残度数表示器１４，玉貸ボタン１５，及び返却ボタン１６を備え、図１に示すように、その内部に遊技制御基板１１，払出制御基板１２，及び玉払出装置１３等を備えており、これらの各構成要素は図１に示すように接続されている。
【００４８】
遊技制御基板１１は、パチンコ機１０における遊技状態を制御するものである。払出制御基板１２は、玉払出装置１３と接続され、該玉払出装置１３を制御するものである。また払出制御基板１２は、玉貸ユニット２０の後述する玉貸通信部２１ａと通信可能に接続され、後述する玉貸処理が行われる場合に、パチンコ機１０と玉貸ユニット２０との間でパチンコ玉の貸与に関する信号（後述する図１０に示す玉貸要求信号，要求了解信号，玉貸指令信号，及び玉貸完了信号）のやり取りを行うものであり、これにより、１回の信号のやり取り毎に、予め記憶している前記単位貸与玉数である２５個のパチンコ玉が、玉払出装置１３から貸与される。さらに払出制御基板１２は、残度数表示器１４，玉貸ボタン１５，及び返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。ここで残度数表示器１４，玉貸ボタン１５，及び返却ボタン１６は、パチンコ機１０の前面に配置されているものであるが、前記払出制御基板１２を介して玉貸ユニット２０と通信可能に接続されているため、玉貸ユニット２０に属するものである。
【００４９】
残度数表示器１４は、玉貸ユニット２０の制御部２１のＲＡＭに記憶されている管理残額（記憶残額）を、前記最小単位価値である１００円に消費税額（消費税率が５％の場合には５円）を加算した額で除した商の整数部分を、残度数として表示するための表示器であり、ここでは２桁の７セグメント表示器である。玉貸ボタン１５は、記録媒体（会員カード４，ビジタコイン５）の管理残額を使用した玉貸処理を行うための玉貸操作を遊技者から受け付けるボタンである。返却ボタン１６は、後述するカード保持部１９１で保持されている会員カード４，後述する投入コイン保持部１２０で保持されているビジタコイン５，又は後述する収納コイン保持部１４０で保持されているビジタコイン５を返却するための返却操作を遊技者から受け付けるボタンである。
【００５０】
次に本発明に係る遊技用装置である玉貸ユニット２０及び払出ユニット３０について説明する。まず払出ユニット３０は遊技用装置の一部を構成するものであって、縦長の箱型の形状を呈するものであり、図２（ａ）に示すように、その前面にノズル３１ａを備え、図１に示すように、その内部に玉払出装置３１，払出玉センサ３１ｂ，及び玉補給通路３１ｃを備えている。ここで玉払出装置３１，及び払出玉センサ３１ｂは、玉貸ユニット２０の制御部２１に接続されている。
【００５１】
玉払出装置３１は払出手段の一例であって、後述する貸与処理ユニット（玉貸ユニット２０）からの指令に基づいて遊技媒体（パチンコ玉）を払い出して貸与するものである。この玉払出装置３１は、遊技島に設けられる玉補給樋から玉補給通路３１ｃを介してパチンコ玉の供給を受けており、第２貸与処理を行う貸与処理手段（制御部２１）から貸与玉数を示す払出指令を受信すると、該指令された貸与玉数を一時的に記憶し、該玉払出装置３１に設けられている図示しないモータを駆動する制御を行って、パチンコ玉を１個払い出すと共に前記記憶している貸与玉数を１個減算更新する処理を繰り返し行い、該記憶している貸与玉数が零になると、モータを停止する制御を行うことにより、払い出した玉数が前記指令された貸与玉数に達するまでパチンコ玉の払出を行う。即ち玉払出装置３１は、前記指令された貸与玉数の払出が完了したか否かを監視している。
【００５２】
この玉払出装置３１から払い出されたパチンコ玉が、該玉払出装置３１とノズル３１ａとの間に設けられている払出玉センサ３１ｂにより検知されると、該払出玉センサ３１ｂから玉貸ユニット２０の制御部２１に対して、パチンコ玉が１個検知される毎に１パルスの払出玉パルスが送信され、該払出玉パルスを受信した玉貸ユニット２０において、後述する払出数計数手段（玉貸ユニット２０の制御部２１に設けられた払出玉数カウンタ）の値が加算更新される。また玉払出装置３１から払い出されたパチンコ玉は、ノズル３１ａを介してパチンコ機１０の上皿に供給される。
【００５３】
次に玉貸ユニット２０は貸与処理ユニットの一例であって、遊技用装置の一部を構成するものであり、記録媒体（会員カード４，ビジタコイン５）を受け付けて、該受け付けた記録媒体の記録媒体ＩＤに対応付けて残額管理装置５０にて管理されている残額である管理残額の範囲内で遊技媒体を貸与するための管理残額貸与処理を行う貸与処理手段を有し、該管理残額貸与処理を含む各種処理を残額管理装置６０と連携して行うものである。また貸与処理手段は、貨幣（紙幣２）を受け付けて、該受け付けた貨幣の金額である受付貨幣額の範囲内で遊技媒体を貸与するための受付貨幣額貸与処理（オフライン一発貸し）を行うものである。
【００５４】
即ち貸与処理手段は、パチンコ玉の貸与に使用可能な有価価値（管理残額，受付貨幣額）のうち、単位貸与価値に相当するパチンコ玉を貸与するための単位貸与処理を行うものであり、該単位貸与処理である玉貸処理として、図８のＳ１２８及び図１８のＳ５２７に示す使用額分の玉貸処理（管理残額貸与処理）と、図１７のＳ５１５に示す受付貨幣額分の玉貸処理であるオフライン一発貸し（受付貨幣額貸与処理）とを行うものである。ここで単位貸与価値とは、前記最小単位価値の整数倍であって、玉貸操作の受付に基づく玉貸処理においては、後述する玉貸設定金額（管理残額が玉貸設定金額以上である場合），又は管理残額（管理残額が玉貸設定金額未満である場合）であり、オフライン一発貸しにおいては、受付貨幣額（ここでは１０００円）である。
【００５５】
そして貸与処理手段は、単位貸与処理である玉貸処理を行うときに、前記単位貸与玉数に対応する部分（即ち２５個の整数倍）を、対応するパチンコ機１０から払い出して貸与するための通信を貸与通信手段（玉貸通信部２１ａ）により行う第１貸与処理と、前記端数玉数（即ち２５個未満）を、併設された払出ユニット３０の払出手段（玉払出装置３１）から払い出して貸与するための指令を該払出ユニット３０に対して行う第２貸与処理とを行うものであり、ここでは図１０に示すように、第１貸与処理に引き続いて第２貸与処理を行う。
【００５６】
また玉貸ユニット２０は取引装置の一例でもあって、受け付けた記録媒体の記録媒体ＩＤに対応付けて残額管理装置５０にて管理されている残額である管理残額を用いて遊技媒体を貸与するための管理残額貸与処理を取引処理として行うものである。
【００５７】
また玉貸ユニット２０は、前記ビジタコイン５を受け付けて、該受け付けたビジタコイン５の記録情報（ここでは記録媒体ＩＤ）から特定される特別処理用価値の大きさ（ここでは残額）を使用した特別処理（ここでは貸与処理）を行うと共に、貨幣を受け付けて、該受け付けた貨幣の金額のうちの特別処理に使用されなかった残額に相当する特別処理用価値の大きさを前記ビジタコイン５の記録情報から特定可能として（ここでは貨幣受付時に受付貨幣額を含む入金要求を残額管理装置５０に対して送信し、玉貸操作受付時に使用額を含む減算要求を残額管理装置５０に対して送信して）当該ビジタコイン５を排出するものである。
【００５８】
この玉貸ユニット２０は、縦長の箱型の形状を呈するものであり、図２（ａ）に示すように、その前面に多機能ランプ２２，紙幣挿入口２３ａ，残額表示器２６，未払い度数表示器２５ａ，未払い玉数表示器２５ｂ，コイン投入口１１１，コイン排出口１１２，及びカード挿入口１９０等を備え、図２（ｂ）に示すように、その内部に紙幣識別機２３，制御部２１，玉貸通信部２１ａ，外部通信部２１ｂ，及び通路ユニット１００等を備えており、これらの各構成要素は図１に示すように接続されている。この玉貸ユニット２０は、前記装置ＩＤにより、各玉貸ユニット２０を個々に識別可能とされている。
【００５９】
制御部２１は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、玉貸ユニット２０に備えられる各構成要素の動作を制御して各種の処理を行うものである。ここで不揮発性の記憶手段であるＥＥＰＲＯＭには、前記装置ＩＤが記憶されている。
【００６０】
また制御部２１のＥＥＰＲＯＭは、遊技場の営業開始前に残額管理装置５０から送信されてくる、当該玉貸ユニット２０について設定された玉貸設定金額及びオフライン時基準金額（図６（ａ）の設定値ＤＢ）を受信して、記憶する。
【００６１】
また制御部２１のＥＥＰＲＯＭは、遊技場の営業開始前にセンタ管理装置７０から残額管理装置５０を介して送信されてくる、図６（ｄ）に示す貸与度数・玉数ＤＢの内容を受信して、記憶するものである。ここで記憶された貸与度数・玉数ＤＢの内容に基づき、玉貸処理において、パチンコ機１０に対して払出を指令する貸与度数（＊１欄）と払出ユニット３０の玉払出装置３１に対して払出を指令する貸与玉数（＊２欄）とが決定される。
【００６２】
また制御部２１は払出数計数手段の一例であって、払出ユニット３０の玉払出装置３１から払い出されるパチンコ玉を計数するものであり、具体的には、玉払出装置３１から払い出されたパチンコ玉が払出玉センサ３１ｂにより計数される毎に該払出玉センサ３１ｂから送信されてくる払出玉パルスを受信したことに基づいて、該制御部２１に設けられた払出玉数カウンタの値を加算更新する。
【００６３】
また制御部２１は管理残額取得手段の一例であって、受け付けた記録媒体の記録媒体ＩＤを含む挿入通知を残額管理装置５０に送信することにより（図１１のＳ２０２）、当該記録媒体ＩＤに対応付けて管理されている管理残額を残額管理装置５０から取得し（図１２のＳ２２１，Ｓ２４１）、該取得した管理残額を残額記憶手段としてのＲＡＭに記憶するものである（同Ｓ２２２，Ｓ２４２）。以下、制御部２１のＲＡＭで記憶される残額を「記憶残額」と称する。また制御部２１は残額更新手段の一例であって、管理残額貸与処理に伴って（図８のＳ１２８，図１８のＳ５２７）、管理残額貸与処理に用いられる使用額を記憶残額から減算更新する（図８のＳ１２６，図１８のＳ５２４）。
【００６４】
さらに制御部２１のＲＡＭは、当該玉貸ユニット２０の処理状態を記憶する。具体的には、貨幣を受け付けたときには、処理状態が「貨幣受付」である旨を記憶し、玉貸操作を受け付けたときには、処理状態が「玉貸操作受付」である旨を記憶し、返却操作を受け付けたときには、処理状態が「返却操作受付」である旨を記憶し、記録媒体を受け付けたときには、処理状態が「記録媒体受付」である旨を記憶し、収納通路１３１に収納されている最下位のビジタコイン５を収納コイン保持部１４０に供給したときには、処理状態が「記録媒体供給」である旨を記憶する。この制御部２１の他の機能については後述する。
【００６５】
制御部２１には、玉貸通信部２１ａと外部通信部２１ｂが設けられている。玉貸通信部２１ａは、前述の如く、パチンコ機１０の払出制御基板１２と通信可能に接続されている。この玉貸通信部２１ａは貸与通信手段の一例であって、対応するパチンコ機１０との間で該パチンコ機１０からパチンコ玉を払い出して貸与するための通信を行うものであり、ここでは前記第１貸与処理として、前記単位貸与玉数をパチンコ機１０から払い出して貸与するための通信を繰り返して行うものであるが、これについては図１０を参照して後述する。
【００６６】
外部通信部２１ｂは、残額管理装置５０の後述する通信部５１と通信可能に接続されており、玉貸ユニット２０と残額管理装置５０との間における通信を司るものである。
【００６７】
この外部通信部２１ｂは入金要求送信手段の一例であって、後述する通信可否検知手段（制御部２１）によりオンライン状態を検知しているときに貨幣を受け付けたことに基づいて、該受け付けた貨幣の金額である受付貨幣額と前記記録媒体（会員カード４，ビジタコイン５）の記録媒体ＩＤとを特定可能な入金要求を残額管理装置５０に対して送信するものであり、ここでは受付貨幣額と記録媒体ＩＤとを含む入金要求を送信する（図７のＳ１０３）。
【００６８】
具体的には、記録媒体を受け付けていない状態で貨幣を受け付けたときには、収納コイン保持部１４０で保持しているビジタコイン５のコインＩＤと受付貨幣額とを含む入金要求を送信し、会員カード４の挿入を受け付けている状態で貨幣を受け付けたときには、カード保持部１９１で保持している該会員カード４のカードＩＤと受付貨幣額とを含む入金要求を送信し、ビジタコイン５の投入を受け付けている状態で貨幣を受け付けたときには、投入コイン保持部１２０で保持している該ビジタコイン５のコインＩＤと受付貨幣額とを含む入金要求を送信する。即ち入金要求には、収納コイン保持部１４０で保持しているビジタコイン５のコインＩＤ，カード保持部１９１で保持している会員カード４のカードＩＤ，又は投入コイン保持部１２０で保持しているビジタコイン５のコインＩＤのいずれかが、記録媒体ＩＤとして含まれる。
【００６９】
この入金要求を受信した残額管理装置５０は、該入金要求から特定される受付貨幣額（ここでは該入金要求に含まれる受付貨幣額）を該入金要求から特定される記録媒体ＩＤ（ここでは該入金要求に含まれる記録媒体ＩＤ）に対応付けて記憶する処理を行い（図７のＳ１０５）、該記録媒体ＩＤに対応付けて管理している管理残額と前記受付貨幣額との合算額を特定可能な残額通知（ここでは管理残額と受付貨幣額との合算額を含む予定残額通知）を玉貸ユニット２０に対して送信する（同Ｓ１０６）。
【００７０】
また外部通信部２１ｂは減算要求送信手段の一例であって、管理残額貸与処理（使用額分の玉貸処理）に使用される使用額を前記管理残額から減算するための第１の減算要求を残額管理装置５０に対して送信するものであり、ここでは記録媒体ＩＤと使用額とを含む減算要求を送信する（図８のＳ１２５）。ここで第１の減算要求に含まれる使用額は、後述する使用額決定処理（同Ｓ１２３）において、管理残額（即ち制御部２１のＲＡＭで記憶している記憶残額）と予め定められた基準貸与額である玉貸設定金額（例えば５００円）との比較で決定され、記憶残額≧玉貸設定金額であれば、該玉貸設定金額が前記使用額であり、記憶残額＜玉貸設定金額であれば、該記憶残額が前記使用額である。即ち第１の減算要求は、管理残額貸与処理に使用される基準貸与額（玉貸設定金額）を管理残額から減算するための要求，又は管理残額貸与処理に使用される記憶残額を管理残額から減算するための要求である。
【００７１】
また外部通信部２１ｂは受付通知送信手段の一例であって、後述する通信可否検知手段（制御部２１）によりオンライン状態を検知しているときに記録媒体（会員カード４，ビジタコイン５）を受け付けたことに基づいて、該受け付けた記録媒体に記録されている記録媒体ＩＤと通番とを含む記録媒体受付通知（ここでは挿入通知）を残額管理装置５０に対して送信するものである（図１１のＳ２０２）。ここで該受け付けた記録媒体にオフライン消費情報及び／又はオフライン精算情報が記録されている場合には、該オフライン消費情報及び／又はオフライン精算情報を含む挿入通知が送信される。
【００７２】
具体的には、会員カード４の挿入を受け付けたときには、カード保持部１９１で保持している該会員カード４のカードＩＤ，オフライン消費情報，オフライン精算情報，通番，及び装置ＩＤを含む挿入通知を送信し、ビジタコイン５の投入を受け付けたときには、投入コイン保持部１２０で保持している該ビジタコイン５のコインＩＤ，オフライン消費情報，オフライン精算情報，通番，及び装置ＩＤを含む挿入通知を送信する。即ち挿入通知には、カード保持部１９１で保持している会員カード４のカードＩＤ，又は投入コイン保持部１２０で保持しているビジタコイン５のコインＩＤのいずれかが、記録媒体ＩＤとして含まれる。
【００７３】
この挿入通知を受信した残額管理装置５０は、後述する通番判定手段（制御部５２）による判定を行う（図１１のＳ２０３）。そして通番が一致すると判定され、挿入通知に含まれるオフライン消費情報及びオフライン精算情報が無いことを条件として、該挿入通知に含まれる記録媒体ＩＤに対応付けて管理している管理残額を含む残額通知を玉貸ユニット２０に対して送信する（図１２のＳ２２１）。
【００７４】
一方、通番が一致すると判定され、かつ挿入通知に含まれるオフライン消費情報が有ることを条件として、該挿入通知に含まれる記録媒体ＩＤに対応付けて管理している管理残額に対して該挿入通知に含まれるオフライン消費情報で特定されるオフライン消費額を減算更新するためのオフライン消費額減算更新処理（ここでは該オフライン消費額を該記録媒体ＩＤに対応付けて記憶する処理）を行い（図１１のＳ２１１〜Ｓ２１４）、該オフライン消費情報の消去を指令するオフライン消費情報消去要求（ここでは該記録媒体ＩＤに対応付けて管理している管理残額から前記オフライン消費額を減算した補正額を含む予定残額通知）を玉貸ユニット２０に対して送信する（図１２のＳ２４１）。
【００７５】
また、通番が一致すると判定され、かつ挿入通知に含まれるオフライン精算情報が有ることを条件として、該挿入通知に含まれる記録媒体ＩＤに対応付けて管理している管理残額に対して該挿入通知に含まれるオフライン精算情報で特定されるオフライン精算額を減算更新するためのオフライン精算額減算更新処理（ここでは該オフライン精算額を該記録媒体ＩＤに対応付けて記憶する処理）を行い（図１１のＳ２１６，Ｓ２１８，Ｓ２１９）、該オフライン精算情報の消去を指令するオフライン精算情報消去要求（ここでは該記録媒体ＩＤに対応付けて管理している管理残額から前記オフライン精算額を減算した補正額を含む予定残額通知）を玉貸ユニット２０に対して送信する（図１２のＳ２４１）。
【００７６】
また外部通信部２１ｂは復帰通知送信手段の一例であって、後述する通信可否検知手段（制御部２１）によりオフライン状態を検知している状態からオンライン状態への復帰を検知したことに基づいて、オフライン消費情報とオフライン精算情報と記録媒体（会員カード４，ビジタコイン５）の記録媒体ＩＤとを含むオンライン復帰通知を残額管理装置５０に対して送信するものであり、ここではオンライン状態への復帰を検知（図２２のＳ６０１）した残額管理装置５０から開始要求が送信されてきて、該開始要求に応じた開始応答を残額管理装置５０に対して返信した後に（同Ｓ６０６）、記録媒体に記録されている記録媒体ＩＤ，オフライン消費情報，オフライン精算情報，及び通番を含むオンライン復帰通知を残額管理装置５０に対して送信する（同Ｓ６０７）。このオンライン復帰通知は、前記挿入通知と同等のものであり、該オンライン復帰通知を受信した残額管理装置５０は、挿入通知を受信した場合と同様の処理を行う。
【００７７】
また外部通信部２１ｂは連携処理要求送信手段の一例であって、特定処理に対応する連携処理を要求する連携処理要求を残額管理装置５０に対して送信するものである。
【００７８】
具体的には、予定残額通知（図７のＳ１０６）を受信した玉貸ユニット２０は、後述する貸与可能処理手段により貸与可能処理（ここでは受付貨幣の取込）を特定処理として行い（同Ｓ１０８）、該特定処理に伴って、後述する通番更新手段により記録媒体に記録されている通番を更新して（同Ｓ１０９）、該貸与可能処理を行った旨を示す貸与可能情報（ここでは貨幣取込通知）を連携処理要求として残額管理装置５０に対して送信する（同Ｓ１１０）。この貨幣取込通知を受信した残額管理装置５０は、当該記録媒体の記録媒体ＩＤに対応付けて記憶している受付貨幣額を当該記録媒体の管理残額に対して加算する受付貨幣額加算処理と、該受付貨幣額が加算済であることを特定可能な状態に更新する加算済更新処理（ここでは受付貨幣額の消去）とを連携処理として行い（同Ｓ１１３，Ｓ１１４）、該連携処理に伴って、当該記録媒体の記録媒体ＩＤに対応付けられた通番を更新する（同Ｓ１１５）。
【００７９】
また管理残額貸与処理（使用額分の玉貸処理）を特定処理として行う玉貸ユニット２０は（図８のＳ１２８）、該特定処理に伴って、後述する通番更新手段により記録媒体に記録されている通番を更新して（同Ｓ１２４）、前記第１の減算要求を連携処理要求として残額管理装置５０に対して送信する（同Ｓ１２５）。この減算要求を受信した残額管理装置５０は、使用額を管理残額から減算する第１の減算処理を連携処理として行い（同Ｓ１２９）、該連携処理に伴って、当該記録媒体の記録媒体ＩＤに対応付けられた通番を更新して（同Ｓ１３０）、該第１の減算処理が完了した旨を示す減算完了通知を玉貸ユニット２０に対して送信する（同Ｓ１３２）。玉貸ユニット２０は、該減算完了通知を受信したことを条件として、次の貸与処理が可能となる。
【００８０】
また予定残額通知（図１２のＳ２４１）を受信した玉貸ユニット２０は、オフライン消費情報を消去するオフライン消費情報消去処理やオフライン精算情報を消去するオフライン精算情報消去処理を特定処理として行い（同Ｓ２４３，Ｓ２４４）、該特定処理に伴って、後述する通番更新手段により記録媒体に記録されている通番を更新して（同Ｓ２４５）、オフライン消費情報消去処理やオフライン精算情報消去処理を行った旨を示すオフライン情報消去通知を連携処理要求として残額管理装置５０に対して送信する（同Ｓ２４６）。このオフライン情報消去通知を受信した残額管理装置５０は、当該記録媒体の記録媒体ＩＤに対応付けて記憶しているオフライン消費額を当該記録媒体の管理残額から減算するオフライン消費額減算処理と、該オフライン消費額が減算済であることを特定可能な状態に更新するオフライン消費額減算済更新処理（ここではオフライン消費額の消去）とを連携処理として行うと共に（同Ｓ２４７）、当該記録媒体の記録媒体ＩＤに対応付けて記憶しているオフライン精算額を当該記録媒体の管理残額から減算するオフライン精算額減算処理と、該オフライン精算額が減算済であることを特定可能な状態に更新するオフライン精算額減算済更新処理（ここではオフライン精算額の消去）とを連携処理として行い（同Ｓ２４８）、これらの連携処理に伴って当該記録媒体の記録媒体ＩＤに対応付けられた通番を更新する（同Ｓ２２７）。
【００８１】
なお残額通知（図１２のＳ２２１）を受信した玉貸ユニット２０は、後述する通番更新手段により記録媒体に記録されている通番を更新して（同Ｓ２２３）、残額受信通知を残額管理装置５０に対して送信する（同Ｓ２２４）。この残額受信通知を受信した残額管理装置５０は、当該記録媒体の記録媒体ＩＤに対応付けられた通番を更新する（同Ｓ２２７）。
【００８２】
また外部通信部２１ｂは返却通知送信手段の一例であって、後述する通信可否検知手段（制御部２１）によりオンライン状態を検知しているときに返却操作（返却ボタン１６の操作）を受け付けたことに基づいて、記録媒体ＩＤを含む返却通知を残額管理装置５０に対して送信するものである（図１４のＳ１８４）。具体的には、記録媒体（会員カード４，ビジタコイン５）を受け付けていない状態で返却操作を受け付けたときには、収納コイン保持部１４０で保持しているビジタコイン５のコインＩＤを含む返却通知を送信し、会員カード４の挿入を受け付けている状態で返却操作を受け付けたときには、カード保持部１９１で保持している該会員カード４のカードＩＤを含む返却通知を送信し、ビジタコイン５の投入を受け付けている状態で返却操作を受け付けたときには、投入コイン保持部１２０で保持している該ビジタコイン５のコインＩＤを含む返却通知を送信する。即ち返却通知には、収納コイン保持部１４０で保持しているビジタコイン５のコインＩＤ，カード保持部１９１で保持している会員カード４のカードＩＤ，又は投入コイン保持部１２０で保持しているビジタコイン５のコインＩＤのいずれかが、記録媒体ＩＤとして含まれる。この返却通知を受信した残額管理装置５０は、返却許諾通知を玉貸ユニット２０に対して送信する（同Ｓ１８５）。
【００８３】
なお外部通信部２１ｂから送信される情報（要求や通知）には前記装置ＩＤが含まれるので、残額管理装置５０では、該情報と共に受信した装置ＩＤに基づいて、該情報の送信元である玉貸ユニット２０を特定可能である。
【００８４】
多機能ランプ２２は、予め定められた複数の色のうちのいずれかの色で点灯又は点滅することによって玉貸ユニット２０の状態を報知するランプである。この多機能ランプ２２は、例えば会員カード４及びビジタコイン５を受け付けていないときには青色で点灯してその旨を報知し、会員カード４を受け付けているときには緑色で点灯してその旨を報知し、ビジタコイン５を受け付けているときには黄色で点灯してその旨を報知し、異常が発生しているときには赤色で点滅してその旨を報知する。
【００８５】
紙幣識別機２３は貨幣受付手段（貨幣受付識別手段）の一例であって、貨幣を受け付けるものであり、ここでは図２（ｂ）に示すように、紙幣挿入口２３ａから前記４種類の紙幣２の挿入を受け付けて、該受け付けた紙幣２の真贋及び金種を識別する識別機である。なお紙幣識別機２３により受け付けられた紙幣２は、受付貨幣の取込処理によって、紙幣通路２３ｂを通じて玉貸ユニット２０の背面から外部に排出され、遊技島に設けられた紙幣搬送機構（図示外）により搬送されて、金庫（図示外）に回収される。また、紙幣識別機２３により受け付けられた紙幣２は、受付貨幣の返却処理によって、紙幣挿入口２３ａから排出されて、遊技者に返却される。
【００８６】
この紙幣識別機２３においては、残額管理装置５０とオンライン状態では、すべての種類の貨幣を受付可能であり、貨幣を受け付けた場合には、受付貨幣額と記録媒体ＩＤとを含む入金要求（図７のＳ１０３）が残額管理装置５０に対して送信される。また残額管理装置５０とオフライン状態では、１０００円以下の貨幣のみを受付可能であり、該貨幣を受け付けた場合に、後述するオフライン一発貸し（図１７のＳ５１５）が行われる。
【００８７】
未払い度数表示器２５ａは未払い価値表示手段の一例であって、第１貸与処理により払い出されていないパチンコ玉数に相当する有価価値である未払い価値（未払い度数）を表示するものであり、ここでは第１貸与処理が完了しなかったことを条件として（図１０のＳ１２又はＳ１４でＮＯ）、貸与度数から既に貸与に使用された度数をカウントする払出度数カウンタの値を減じた未払い度数を表示するものである（同Ｓ１８）。
【００８８】
未払い玉数表示器２５ｂは未払い遊技媒体数表示手段の一例であって、第２貸与処理により払い出される端数遊技媒体数（端数玉数）から払出数計数手段（制御部２１の払出玉数カウンタ）により計数された計数遊技媒体数（計数玉数）を減じた未払い遊技媒体数（未払い玉数）を表示するものであり、ここでは払出玉数カウンタの値が所定時間以内に端数玉数である貸与玉数に達しなかったことを条件として（同Ｓ２４でＹＥＳ）、未払い玉数を表示するものである（同Ｓ２７）。
【００８９】
残額表示器２６は、制御部２１のＲＡＭに記憶されている記憶残額（即ち管理残額）を表示するための表示器であって、ここでは５桁の７セグメント表示器である。
【００９０】
通路ユニット１００は前記記録媒体処理機構の一部を構成するものであって、投入コイン保持部１２０，投入コイン排出通路１６０，及び収納排出通路１３０が一体に構成されたものである。具体的には、通路ユニット１００は、図２（ｄ）及び図３に示すように、縦長の箱型の形状を呈するユニット本体１００ａの内部に、制御部１０１，記録媒体Ｒ／Ｗ１０２，上部アンテナ１０３，下部アンテナ１０４，投入コイン誘導通路１１３，供給通路１１４，投入コイン保持部１２０，第１の投入コインストッパ１２１，第２の投入コインストッパ１２２，収納通路１３１と第２誘導通路１３３とを有する収納排出通路１３０，収納コイン保持部１４０，第１の収納コインストッパ１４１，第２の収納コインストッパ１４２，連絡通路１６１と第１誘導通路１６３とを有する投入コイン排出通路１６０，及びカード保持部１９１等を備えている。そして図３及び図４に示すように、投入コイン排出通路１６０の一部である連絡通路１６１に傾斜部１６２を設けて、該投入コイン排出通路１６０を収納排出通路１３０に対してビジタコイン５の厚み方向にずらすことにより、第１誘導通路１６３と第２誘導通路１３３とが重畳して（左右に並行して重なり合って別個に）コイン排出口１１２に臨むように形成されている。ここで各通路は、ビジタコイン５が起立した状態で、該ビジタコイン５の自重により転動又は落下する通路である。
【００９１】
制御部１０１は、前記制御部２１と通信可能に接続されており、該制御部２１の指令に基づいて、図２（ｄ）に示すようにして接続されている記録媒体Ｒ／Ｗ１０２，第１の投入コインストッパ１２１，第２の投入コインストッパ１２２，第１の収納コインストッパ１４１，及び第２の収納コインストッパ１４２の動作を制御するものである。ここでの制御部１０１には、当該通路ユニット１００が玉貸ユニット２０に備えられている旨が記憶されており、該記憶に基づいた制御を行う。具体的には、投入コイン保持部１２０でビジタコイン５を保持している状態で返却操作を受け付けると、通常は閉鎖されている第１の投入コインストッパ１２１を開放して当該ビジタコイン５を連絡通路１６１に落下させた後、該第１の投入コインストッパ１２１を閉鎖する制御を行う。また投入コイン保持部１２０で保持しているビジタコイン５の残額が零になると、通常は閉鎖されている第２の投入コインストッパ１２２を開放して当該ビジタコイン５を収納通路１３１に収納させた後、該第２の投入コインストッパ１２２を閉鎖する制御を行う。さらに収納コイン保持部１４０でビジタコイン５を保持している状態で返却操作を受け付けると、通常は閉鎖されている第１の収納コインストッパ１４１を開放して当該ビジタコイン５をコイン排出口１１２から排出して返却した後、該第１の収納コインストッパ１４１を閉鎖すると共に、通常は閉鎖されている第２の収納コインストッパ１４２を開放して当該ビジタコイン５を収納コイン保持部１４０に供給した後、該第２の収納コインストッパ１４２を閉鎖する制御を行う。
【００９２】
記録媒体Ｒ／Ｗ１０２は、記録媒体（会員カード４，ビジタコイン５）の記録情報を読み取ると共に記録媒体に対して情報を書き込むものである。この記録媒体Ｒ／Ｗ１０２は、前記ＩＣカードである会員カード４及び前記ＩＣコインであるビジタコイン５に対応したＩＣリーダ／ライタであり、投入コイン保持部１２０に対応し、ビジタコイン５の記録情報を読み取る第１読取部である上部アンテナ１０３と、収納コイン保持部１４０及びカード保持部１９１に対応し、ビジタコイン５及び会員カード４の両方の記録情報を読み取る第２読取部である下部アンテナ１０４とを備えている。これにより、コイン投入口１１１から投入されて投入コイン保持部１２０で保持しているビジタコイン５に対しては、上部アンテナ１０３を介して情報の読み取り及び書き込みを行う。また、収納通路１３１から排出されて収納コイン保持部１４０で保持しているビジタコイン５に対しては、下部アンテナ１０４を介して情報の読み取り及び書き込みを行う。さらに、カード挿入口１９０から挿入されてカード保持部１９１で保持している会員カード４に対しても、下部アンテナ１０４を介して情報の読み取り及び書き込みを行う。
【００９３】
コイン投入口１１１は、ビジタコイン５が投入される部位であり、ここでは図２（ａ）（ｂ）に示すように、玉貸ユニット２０の前面に形成され、ビジタコイン５を起立させた状態で投入可能な縦長の孔である。このコイン投入口１１１には、制御部１０１の制御によって開閉する図示しないシャッタが設けられており、後述する記録媒体受付を待機する状態（例えば図１４のＳ１９３）以外では、該シャッタによりコイン投入口１１１が遮蔽されていて、ビジタコイン５が投入できないようになっている。
【００９４】
そして通路ユニット１００は、図３に示すように、該コイン投入口１１１に投入されたビジタコイン５を投入コイン保持部１２０に導くための投入コイン誘導通路１１３を備えており、ここでの投入コイン誘導通路１１３は、コイン投入口１１１から後方に向けて傾斜して配置された通路である。また通路ユニット１００は、投入コイン保持部１２０に連通してビジタコイン５を該投入コイン保持部１２０に供給するための供給通路１１４を備えており、ここでの供給通路１１４は、通路ユニット１００の上面から下方に向けて鉛直に形成された通路である。なお玉貸ユニット２０に備えられる通路ユニット１００では、該供給通路１１４は使用されない。
【００９５】
コイン排出口１１２は、コイン投入口１１１の下方に設けられ、ビジタコイン５が排出される部位であり、ここでは図２（ａ）（ｂ）（ｃ）に示すように、玉貸ユニット２０の前面に突出して形成され、投入コイン排出通路１６０の終端側に形成された第１誘導通路１６３と収納排出通路１３０の終端側に形成された第２誘導通路１３３とが重畳して臨み、両誘導通路から排出されたビジタコイン５を受け止める容器状の部位である。
【００９６】
カード挿入口１９０は、コイン排出口１１２の側方に設けられ、会員カード４が挿入される部位であり、ここでは図２（ａ）（ｂ）（ｃ）に示すように、玉貸ユニット２０の前面に形成され、会員カード４を起立させた状態で挿入可能な縦長の孔である。カード保持部１９１は、該カード挿入口１９０から挿入された会員カード４を保持する部位であり、図２（ｃ）に示すように、カード挿入口１９０の後方に位置する。
【００９７】
ここで前記下部アンテナ１０４は、図２（ｃ）に示すように、収納コイン保持部１４０とカード保持部１９１との間に配設されることにより、ビジタコイン５及び会員カード４の両方の記録情報を読み取るように構成されている。これによれば、カード保持部１９１に対応する読取部を下部アンテナ１０４とは別個に設ける場合と比べて、省スペース化を図ることができると共に、製造コストが削減される。
【００９８】
投入コイン保持部１２０は第１保持部の一例であって、ビジタコイン５の記録情報を読み取る第１読取部（上部アンテナ１０３）が対応して設けられ、コイン投入口１１１から投入されたビジタコイン５（以下「投入コイン」ともいう。）を保持する部位であり、ここでは前記投入コイン誘導通路１１３の終端部分が第１の投入コインストッパ１２１及び第２の投入コインストッパ１２２により区画された部位である。この投入コイン保持部１２０では、コイン投入口１１１から投入されて投入コイン誘導通路１１３を自重により転動してきたビジタコイン５が、閉鎖状態にある第１の投入コインストッパ１２１及び第２の投入コインストッパ１２２に堰き止められて保持される。
【００９９】
第１の投入コインストッパ１２１は、投入コイン保持部１２０と投入コイン排出通路１６０との間に形成されるストッパである。
【０１００】
第２の投入コインストッパ１２２は、投入コイン保持部１２０と収納通路１３１との間に形成されるストッパである。
【０１０１】
収納排出通路１３０は、図３及び図４に示すように、投入コイン保持部１２０に保持されるビジタコイン５のうち、回収したビジタコイン５（ここでは残額が無いビジタコイン５）を収納すると共に、該収納しているビジタコイン５を前記コイン排出口１１２に排出するための通路であって、収納通路１３１と第２誘導通路１３３とを有する。
【０１０２】
収納通路１３１は、投入コイン保持部１２０に連設されビジタコイン５を収納する通路であり、ここでは投入コイン保持部１２０から後方に向けて傾斜し、途中で下方に向けて鉛直に屈曲し、さらに途中で後方に向けて半円弧状に屈曲して形成されており、終端には第１の収納コインストッパ１４１が設けられている。この収納通路１３１では、遊技場の営業開始前に予めコイン投入口１１１から投入されたビジタコイン５，及び遊技場の営業中に第２の投入コインストッパ１２２が開放状態となって投入コイン保持部１２０における保持が解除されたビジタコイン５が、閉鎖状態にある第１の収納コインストッパ１４１に堰き止められて、一列に並べて収納される。ここで「一列に並べて」とは、ビジタコイン５の面同士ではなく円周同士が接するように並べての意味である。ここでの収納通路１３１は、７枚のビジタコイン５を収納可能である。
【０１０３】
第１の収納コインストッパ１４１は、収納通路１３１と第２誘導通路１３３との間に形成されるストッパである。
【０１０４】
ここで通路ユニット１００は、図３に示すように、収納通路１３１の途中から連設されビジタコイン５を該収納通路１３１から排出するための排出通路１３２を備えており、ここでの排出通路１３２は、収納通路１３１の半円弧状部分における下半分に形成された開口から下方に向けて鉛直に形成され、通路ユニット１００の下面に開口している通路である。なお玉貸ユニット２０に備えられる通路ユニット１００では、後述する第１カバー部材１５０が装着されることにより、収納通路１３１と排出通路１３２との分岐部における排出通路１３２側が排出通路遮蔽板１５３で遮蔽されるので、該排出通路１３２は使用されない。
【０１０５】
第２誘導通路１３３は、収納コイン保持部１４０が形成されると共に、コイン排出口１１２に連通する通路であり、ここでは収納通路１３１の終端から前方に向けて傾斜してコイン排出口１１２に連通し、その終端近傍に第２の収納コインストッパ１４２が設けられて収納コイン保持部１４０が形成されている。
【０１０６】
収納コイン保持部１４０は第２保持部の一例であって、ビジタコイン５の記録情報を読み取る第２読取部（下部アンテナ１０４）が対応して設けられ、収納通路１３１の終端から供給されたビジタコイン５（以下「収納コイン」ともいう。）を保持する部位であり、ここでは図３に示すように、第２誘導通路１３３の終端近傍が第２の収納コインストッパ１４２により区画された部位である。この収納コイン保持部１４０では、第１の収納コインストッパ１４１が開放状態となって収納通路１３１の終端から供給されたビジタコイン５が、閉鎖状態にある第２の収納コインストッパ１４２に堰き止められて常に保持されている。
【０１０７】
ここで第２の収納コインストッパ１４２は、制御部１０１の制御によって開閉するシャッタであり、通常は閉鎖状態にあって、収納通路１３１の終端から供給されたビジタコイン５を保持している。そして第２の収納コインストッパ１４２は、投入コイン保持部１２０でビジタコイン５を保持しておらず、かつカード保持部１９１で会員カード４を保持していない状態で返却操作を受け付けると、制御部１０１の制御によって開放状態になり、前記保持していたビジタコイン５が第２誘導通路１３３を自重により転動してコイン排出口１１２に排出される。そして第２の収納コインストッパ１４２は、その後に所定のタイミングで制御部１０１の制御によって再び閉鎖状態になり、収納通路１３１の終端から供給されたビジタコイン５を再び保持する。
【０１０８】
投入記録媒体排出通路である投入コイン排出通路１６０は、図３及び図４に示すように、返却すべきビジタコイン５をコイン排出口１１２に排出するための通路であって、連絡通路１６１と第１誘導通路１６３とを有する。連絡通路１６１は、投入コイン保持部１２０に連設される通路であり、ここでは投入コイン保持部１２０から下方に向けて鉛直に形成されている。第１誘導通路１６３は、該連絡通路１６１に連設されてコイン排出口１１２に連通する通路であり、ここでは連絡通路１６１の下端から前方に向けて傾斜してコイン排出口１１２に連通するように形成されている。
【０１０９】
ここで投入コイン排出通路１６０の一部である連絡通路１６１の途中には、図４に示すように、正面視で左側に傾斜する傾斜部１６２が設けられていて、連絡通路１６１の下端が該連絡通路１６１の上端に対してビジタコイン５の厚み方向にずらされている。これにより、該連絡通路１６１の下端に連設されている第１誘導通路１６３が第２誘導通路１３３に対してビジタコイン５の厚み方向にずらされて、該第１誘導通路１６３と第２誘導通路１３３とが重畳してコイン排出口１１２に臨むように形成されている。
【０１１０】
ここで前記制御部２１の機能について説明する。まず制御部２１は（遊技用装置）通信可否検知手段の一例であって、残額管理装置５０と通信できる通信可能状態（オンライン状態）であるか通信できない通信不可能状態（オフライン状態）であるかを検知するものである。具体的には、残額管理装置５０の後述する通信部５１から定期的（例えば１０秒毎）に送信されてくる通信確認要求に基づいて、該通信確認要求の受信を定期的に検知している間はオンライン状態（即ち残額管理装置５０と通信できる通信可能状態）であると判定し、該通信確認要求の受信を一定期間（例えば１分間）検知しなくなるとオフライン状態（即ち残額管理装置５０と通信できない通信不可能状態）であると判定する。
【０１１１】
また制御部２１は接続確認手段の一例であって、パチンコ機１０との接続を確認すると共に、払出ユニット３０との接続を確認するものである。
【０１１２】
具体的には、接続確認手段として機能する制御部２１は、パチンコ機１０との間に設けられている接続確認信号線を介して該パチンコ機１０から継続的に送信されてくる接続確認信号の受信を監視しており、該接続確認信号を継続的に受信している間は、パチンコ機１０と接続されていると判定し、該接続確認信号を受信しなくなると、パチンコ機１０と接続されていないと判定する。
【０１１３】
また接続確認手段として機能する制御部２１は、払出ユニット３０の玉払出装置３１に対して接続確認信号を定期的に送信し、該接続確認信号に応じて玉払出装置３１から送信されてくる接続応答信号の受信を監視しており、該接続応答信号を継続的に受信している間は、払出ユニット３０と接続されていると判定し、前記接続確認信号を送信してから所定時間以内に接続応答信号を受信しなかった場合に、払出ユニット３０と接続されていないと判定する。
【０１１４】
この接続確認手段として機能する制御部２１は、パチンコ機１０又は払出ユニット３０の少なくとも一方との接続が確認されないと判定されると、未接続フラグをＲＡＭに記憶し、パチンコ機１０及び払出ユニット３０の両方との接続が確認されたと判定されると、未接続フラグの記憶を消去する。そして後述する貸与処理手段として機能する制御部２１は、未接続フラグが記憶されていること、即ち接続確認手段によりパチンコ機１０又は払出ユニット３０の少なくとも一方との接続が確認されないことを条件として、第１貸与処理及び第２貸与処理のいずれも行わない。
【０１１５】
また制御部２１は払出判定手段の一例であって、パチンコ機１０がパチンコ玉を払い出せる状態であるか否かを判定すると共に、払出ユニット３０の玉払出装置３１がパチンコ玉を払い出せる状態であるか否かを判定するものである。
【０１１６】
具体的には、払出判定手段として機能する制御部２１は、パチンコ機１０との間に設けられている接続確認信号線を介して該パチンコ機１０から継続的に送信されてくる接続確認信号の受信を監視していると共に、該パチンコ機１０から継続的に送信されてくる、該パチンコ機１０と玉貸ユニット２０との間における通信が可能な状態（スタンバイ状態）である旨を示す払出可能信号の受信を監視しており、これら接続確認信号及び払出可能信号を継続的に受信している間は、パチンコ機１０がパチンコ玉を払い出せる状態であると判定し、該接続確認信号又は払出可能信号の少なくとも一方を継続的に受信しなくなると、パチンコ機１０がパチンコ玉を払い出せる状態でないと判定する。
【０１１７】
また払出ユニット３０の玉払出装置３１は、該玉払出装置３１からパチンコ玉を払い出せる状態である（即ち玉払出装置３１が故障しておらず、かつ玉払出装置３１がパチンコ玉を所定数以上保持している）場合に、制御部２１に対して払出可能信号を定期的に送信し、払出判定手段として機能する制御部２１は、該払出可能信号の受信を定期的に検知している間は、玉払出装置３１がパチンコ玉を払い出せる状態であると判定し、該払出可能信号の受信を一定期間検知しなくなると、玉払出装置３１がパチンコ玉を払い出せる状態でないと判定する。
【０１１８】
この払出判定手段として機能する制御部２１は、パチンコ機１０又は玉払出装置３１の少なくとも一方がパチンコ玉を払い出せる状態でないと判定されると、玉貸不可フラグをＲＡＭに記憶し、パチンコ機１０及び玉払出装置３１の両方がパチンコ玉を払い出せる状態であると判定されると、玉貸不可フラグの記憶を消去する。そして後述する貸与処理手段として機能する制御部２１は、玉貸不可フラグが記憶されていること、即ち払出判定手段によりパチンコ機１０又は玉払出装置３１の少なくとも一方がパチンコ玉を払い出せる状態でないと判定されたことを条件として、第１貸与処理及び第２貸与処理のいずれも行わない。
【０１１９】
また制御部２１は、後述する図７に示すように、残額管理装置５０とオンライン状態で貨幣を受け付けたときに入金処理を行うために、貸与可能処理手段，及び通番更新手段として機能する。即ち玉貸ユニット２０は、残額管理装置５０とオンライン状態で貨幣を受け付けると（図７のＳ１０１）、前述の如く、記録媒体ＩＤと受付貨幣額とを含む入金要求を残額管理装置５０に対して送信し（同Ｓ１０３）、該入金要求に応じて残額管理装置５０から予定残額通知を受信する（同Ｓ１０６）。
【０１２０】
ここで貸与可能処理手段として機能する制御部２１は、予定残額通知の受信に応じて、該予定残額通知から特定される合算額の範囲内でパチンコ玉の貸与を可能とするための貸与可能処理を特定処理として行うものであり、ここでは該貸与可能処理として、受付貨幣を取り込む処理を行う（図７のＳ１０８）。また通番更新手段として機能する制御部２１は、該特定処理である貸与可能処理に伴って、記録媒体（会員カード４，ビジタコイン５）の通番を更新する第１の通番更新処理を行う（同Ｓ１０９）。ここで第１の通番更新処理とは、収納コイン保持部１４０で保持しているビジタコイン５，投入コイン保持部１２０で保持しているビジタコイン５，又はカード保持部１９１で保持している会員カード４に記録されている通番に１を加算して更新する旨を、制御部１０１を介して記録媒体Ｒ／Ｗ１０２に対して指令する処理である。なお連携処理要求送信手段として機能する外部通信部２１ｂは、前述の如く、該特定処理である貸与可能処理に伴って、該貸与可能処理を行った旨を示す貸与可能情報（ここでは記録媒体ＩＤを含む貨幣取込通知）を前記連携処理要求として残額管理装置５０に対して送信する（同Ｓ１１０）。なお、特定処理手段は、通番更新手段及び連携処理要求送信手段を合わせたものである。
【０１２１】
また制御部２１は、後述する図８に示すように、残額管理装置５０とオンライン状態で玉貸操作を受け付けたときに使用額分の玉貸処理を行うために、使用額決定処理手段，貸与処理手段，通番更新手段，減算処理手段，及び残額更新手段として機能する。
【０１２２】
ここで使用額決定処理手段として機能する制御部２１は、玉貸操作（玉貸ボタン１５の操作）を受け付けたことに基づいて（図８のＳ１２１）、図９に示す使用額決定処理を行う。具体的には、ＲＡＭで記憶している記憶残額（即ち管理残額）が零であるか否かを判定し（Ｓ０１）、零である（ＹＥＳ）と判定された場合には、玉貸操作を無効にして（Ｓ０２）、処理を終了し、零でない（ＮＯ）と判定された場合には、記憶残額と基準貸与額である玉貸設定金額（例えば５００円）とを比較して、記憶残額が玉貸設定金額以上であるか否かを判定する（Ｓ０３）。ここで玉貸設定金額は、残額管理装置５０においてオペレータの手入力により、１００円〜１０００円の範囲内における１００円刻みで、各玉貸ユニット２０毎に設定されて、後述する図６（ａ）に示す設定値ＤＢで管理され、該残額管理装置５０から各玉貸ユニット２０に対して配信されて制御部２１のＥＥＰＲＯＭに記憶されている。このＳ０３で記憶残額が玉貸設定金額以上である（ＹＥＳ）と判定された場合には、該玉貸設定金額を使用額として決定してセットし、またＳ０３で記憶残額が玉貸設定金額未満である（ＮＯ）と判定された場合には、該記憶残額を使用額として決定してセットして、後述する図８に示すメインルーチンに戻る。
【０１２３】
また貸与処理手段として機能する制御部２１は、特定処理である前記管理残額貸与処理として、使用額決定処理手段により決定された使用額分の玉貸処理を行う（図８のＳ１２８）。この玉貸処理については、図１０を参照して後述する。また通番更新手段として機能する制御部２１は、該特定処理である管理残額貸与処理に伴って、記録媒体（会員カード４，ビジタコイン５）の通番を更新する第１の通番更新処理を行う（同Ｓ１２４）。また減算処理手段として機能する制御部２１は、単位貸与処理である玉貸処理（ここでは特定処理である管理残額貸与処理）に伴って、有価価値（管理残額）から単位貸与価値（使用額）を減算するための減算処理として、前述の如く、連携処理要求送信手段として機能する外部通信部２１ｂにより、前記第１の減算要求を前記連携処理要求として残額管理装置５０に対して送信する（同Ｓ１２５）。即ち減算処理手段として機能する制御部２１は、第１貸与処理及び第２貸与処理の完了に拘わらず、減算処理を行う。さらに残額更新手段として機能する制御部２１は、管理残額貸与処理に伴って、使用額を記憶残額から減算更新する（同Ｓ１２６）。
【０１２４】
また制御部２１は、記録媒体の通番が上限値（例えば２５５）に達しているときに、該記録媒体の通番を初期値に更新するものであり、収納コイン保持部１４０のビジタコイン５，若しくはカード保持部１９１で保持されている会員カード４又は投入コイン保持部１２０で保持されているビジタコイン５に記録されている通番を更新するにあたり、当該通番が上限値に達しているか否かを判定して、達していると判定したときには、該通番を初期値（例えば０）に更新する。これにより、通番の記憶領域を極力小さくして、通番が上限値に達した後でも記録媒体を継続して使用することができ、記録媒体のコストを低減させることができる。また制御部２１で実行されるプログラムにおいて定義されている通番の記憶領域（例えば記憶領域が８ビットであれば０〜２５５）内で通番を繰り返し更新することで、通番が上限値に達したことによるプログラムの停止やエラー発生を防止している。
【０１２５】
また制御部２１は、後述する図１７に示すように、残額管理装置５０とオフライン状態で貨幣を受け付けたときにオフライン一発貸しを行うために、貸与処理手段，及び減算処理手段として機能する。
【０１２６】
ここで貸与処理手段として機能する制御部２１は、前記通信可否検知手段によりオフライン状態を検知しているときに貨幣を受け付けたことに基づいて、当該受付貨幣額の範囲内でパチンコ玉を貸与するための受付貨幣額貸与処理を行うものであり、ここでは遊技者の操作によることなく、受付貨幣額分の玉貸処理（オフライン一発貸し）を行う（図１７のＳ５１５）。この玉貸処理については、図１０を参照して後述する。また減算処理手段として機能する制御部２１は、単位貸与処理である玉貸処理（ここでは受付貨幣額貸与処理）に伴って、有価価値（受付貨幣額）から単位貸与価値（受付貨幣額）を減算するための減算処理として、ここでは受付貨幣額を記憶すると共に、受け付けた貨幣を取り込んで入金確定として扱う処理を行う（同Ｓ５１３）。即ち減算処理手段として機能する制御部２１は、第１貸与処理及び第２貸与処理の完了に拘わらず、減算処理を行う。
【０１２７】
また制御部２１は、後述する図１８に示すように、残額管理装置５０とオフライン状態で玉貸操作を受け付けたときに使用額分の玉貸処理を行うために、使用額決定処理手段，貸与処理手段，減算処理手段，及び残額更新手段として機能する。
【０１２８】
ここで使用額決定処理手段として機能する制御部２１は、玉貸操作（玉貸ボタン１５の操作）を受け付けたことに基づいて（図１８のＳ５２１）、前記図９に示す使用額決定処理を行う（同Ｓ５２３）。また貸与処理手段として機能する制御部２１は、後述する図１０に示す使用額分の玉貸処理を行う（同Ｓ５２７）。つまり本例の玉貸ユニット２０は、オフライン状態の発生を検知したときに、既に記録媒体（会員カード４又はビジタコイン５）を受け付けており、対応する管理残額を残額管理装置５０から取得して制御部２１のＲＡＭに記憶済みであり、かつ当該記憶残額が零でないことを条件として、当該記憶残額を使用して貸与処理を行う。また減算処理手段として機能する制御部２１は、前記減算処理として、該貸与処理に使用された使用額を残額管理装置５０で管理されている管理残額から減算するためのオフライン消費額として加算することにより集計する処理を行う（同Ｓ５２５）。即ち減算処理手段として機能する制御部２１は、第１貸与処理及び第２貸与処理の完了に拘わらず、減算処理を行う。さらに残額更新手段として機能する制御部２１は、貸与処理に伴って、使用額を記憶残額から減算更新する（同Ｓ５２４）。
【０１２９】
そして制御部２１は、消費情報特定手段，消費情報記録手段，及び記録媒体排出手段の一例であって、オフライン状態において、記憶残額を使用して貸与処理を行った後に、記録媒体を返却するときには、前記記憶残額から貸与処理に使用された額であるオフライン消費額を特定可能なオフライン消費情報を特定し、該特定したオフライン消費情報を記録媒体に記録して、当該記録媒体を返却（排出）する。
【０１３０】
具体的には、制御部２１は、記憶残額を使用して貸与処理を行う毎に、該貸与処理に使用された使用額をオフライン消費額として加算することにより集計する（図１８のＳ５２５）。また制御部２１のＥＥＰＲＯＭは、残額管理装置５０から配信される当該玉貸ユニット２０に固有の基準値（オフライン消費額に関する基準値）を記憶しており、消費情報特定手段として機能する制御部２１は、当該基準値から前記集計したオフライン消費額を減算更新した値をオフライン消費情報として特定し、消費情報記録手段として機能する制御部２１は、該特定されたオフライン消費情報を記録媒体に記録するための指令を記録媒体Ｒ／Ｗ１０２に対して行う。
【０１３１】
このオフライン消費情報が記録された記録媒体が、オンライン状態の玉貸ユニット２０において受け付けられると、（オフライン）消費情報送信手段の一例である外部通信部２１ｂを介して、該記録媒体の記録媒体ＩＤとオフライン消費情報とを含む挿入通知が残額管理装置５０に送信され、管理残額の補正が行われる。
【０１３２】
また後述する精算装置６０においてオフライン精算情報が記録された記録媒体が、オンライン状態の玉貸ユニット２０において受け付けられると、オフライン精算情報送信手段の一例である外部通信部２１ｂを介して、該記録媒体の記録媒体ＩＤとオフライン精算情報とを含む挿入通知が残額管理装置５０に送信され、管理残額の補正が行われる。
【０１３３】
また制御部２１及び記録媒体Ｒ／Ｗ１０２は、管理残額特定情報記録手段，及び取引装置記録媒体排出手段の一例であって、（オンライン状態又はオフライン状態を問わず）記録媒体を返却（排出）するときに、当該記録媒体の管理残額（制御部２１のＲＡＭに記憶された記憶残額）を特定可能な管理残額特定情報を記録媒体に記録して返却（排出）する。具体的には、演算方式を特定可能な演算方式フラグと当該演算方式の演算により管理残額を算出するための元データ（基準データ，乗算データ，除算データ，加算データ）を記録する。ここで、この管理残額特定情報の特定手法について、具体例に基づいて説明する。
【０１３４】
具体的には、記憶残額をａ，基準データをｘ，加算データをｙ，乗算データをｚ，除算データをｗとして、所定の数式ａ＝ｙ＋ｘ×ｚ÷ｗにより記憶残額を算出するのであるが、その際に、本例の玉貸ユニット２０は、加算を優先した場合の加算優先演算方式と、乗除算を優先した場合の乗除算優先方式とを選択する。つまり、加算優先演算方式の数式は、ａ＝（ｙ＋ｘ）×ｚ÷ｗであり、乗除算優先演算方式の数式は、ａ＝ｙ＋（ｘ×ｚ÷ｗ）である。
【０１３５】
ここで乗算データ，除算データ，及び加算データについては、残額管理装置５０から玉貸ユニット２０に対して配信され、記憶されている。この場合、各玉貸ユニット２０毎に異なる乗算データ，除算データ，及び加算データを配信しても良いし、同一の各データを配信するようにしても良い。そして玉貸ユニット２０は、この予め記憶している乗算データ，除算データ，及び加算データと、制御部２１のＲＡＭに記憶している記憶残額（管理残額）とに基づいて、基準データを算出し、該算出した基準データ，乗算データ，除算データ，及び加算データを元データとして記録媒体に記録する。
【０１３６】
ここで乗算データｚ＝１００，除算データｗ＝２，加算データｙ＝９０が玉貸ユニット２０に予め設定されているとする。そして演算方式が加算優先演算方式であり、ａ＝５０００円であれば、５０００＝（９０＋ｘ）×１００÷２より、基準データｘ＝１０と算出される。
【０１３７】
また乗算データｚ＝９０，除算データｗ＝１，加算データｙ＝５００が玉貸ユニット２０に予め設定されているとする。そして、演算方式が乗除算優先演算方式であり、ａ＝５０００円であれば、５０００＝５００＋（ｘ×９０÷１）より、基準データｘ＝５０と算出される。
【０１３８】
そして図６（ｃ）の例１及び例２に示すように、記録媒体に、基準データ，乗算データ，除算データ，及び加算データからなる元データと、演算方式フラグとが記録される。演算方式フラグは、例えば加算優先演算方式であれば「０」、乗除算優先方式であれば「１」として記録される。このように、残額を直接、記録媒体に記録するのではなくて、残額を算出するための演算方式や元データを記録するので、記録媒体から残額を読み取ったり改ざんしたりする不正行為を防止することができる。
【０１３９】
次に残額管理装置５０について説明する。残額管理装置５０は、会員カード４又はビジタコイン５を個々に識別可能な記録媒体ＩＤに対応付けて通番及びパチンコ玉の貸与に使用される残額を管理するものである。この残額管理装置５０は、遊技場内の所定箇所（例えば管理事務所等）に設けられるものであり、図１に示すように接続される通信部５１，制御部５２，ディスプレイ５３，入力装置５４，ハードディスク５５，及び場外通信部５６等を備えている。
【０１４０】
記憶手段であるハードディスク５５には、図６（ａ）に示す残額管理ＤＢ，設定値ＤＢを記憶する領域が設けられている。この残額管理ＤＢでは、記録媒体（会員カード４，ビジタコイン５）の記録媒体ＩＤに対応付けて、残額が記憶されており、制御部５２の制御により該残額が更新されて管理される。また残額管理ＤＢでは、記録媒体ＩＤに対応付けて、後述する第２の通番更新処理により更新される通番が管理される。
【０１４１】
また残額管理ＤＢは遊技用装置特定情報記憶手段の一例であって、各記録媒体ＩＤに対応付けて、該記録媒体ＩＤの記録媒体を少なくとも前回受け付けていた玉貸ユニット２０であって、残額管理装置５０と通信できるオンライン状態で該記録媒体を受け付けた後に残額管理装置５０と通信できないオフライン状態になった当該玉貸ユニット２０を特定可能な装置ＩＤを記憶するものである。ここでは当該記録媒体ＩＤの記録媒体を前回オンライン状態で受け付けていた玉貸ユニット２０の装置ＩＤが記憶されている。
【０１４２】
この装置ＩＤの記憶方法について説明する。まず残額管理装置５０とオンライン状態にある玉貸ユニット２０が、貨幣を受け付けると、受付貨幣額を含む入金要求が残額管理装置５０に対して送信される（図７のＳ１０３）。このとき送信される情報には、記録媒体ＩＤと当該玉貸ユニット２０の装置ＩＤも含まれるので、該情報を受信した残額管理装置５０では、残額管理ＤＢにおいて、受信した記録媒体ＩＤに対応付けて、受信した装置ＩＤを記憶する。
【０１４３】
また残額管理装置５０とオンライン状態にある玉貸ユニット２０が、記録媒体を受け付けると、挿入通知が残額管理装置５０に対して送信される（図１１のＳ２０２）。このとき送信される情報にも、記録媒体ＩＤと当該玉貸ユニット２０の装置ＩＤが含まれるので、該情報を受信した残額管理装置５０では、残額管理ＤＢにおいて、予定残額通知又は残額通知の送信時に、受信した記録媒体ＩＤに対応付けて、受信した装置ＩＤを記憶する（図１２のＳ２２０，Ｓ２４０）。
【０１４４】
ここで予定残額通知又は残額通知の送信時に装置ＩＤを記憶をするのは、以下の理由による。即ち後述する通番不一致時処理において、玉貸設定金額を減算するにあたり（図１３のＳ２７２）、前回記録媒体を受け付けていた玉貸ユニット２０の装置ＩＤを特定する処理を要するが（同Ｓ２６９）、挿入通知を受信した際に、該挿入通知に含まれる装置ＩＤを記憶するようにすると、前回記録媒体を受け付けていた玉貸ユニット２０の装置ＩＤに、今回受信した装置ＩＤが上書きされてしまい、前回記録媒体を受け付けていた玉貸ユニット２０の装置ＩＤが特定不能となってしまう問題があるので、そのような事態を回避すべく、挿入通知に含まれる装置ＩＤを記憶するタイミングを、予定残額通知又は残額通知の送信時（換言すれば図１３に示す通番不一致時処理の終了後）としているのである。
【０１４５】
ここで残額管理装置５０は、返却操作に伴う返却通知（図１４のＳ１８４）を受信したときにも、該返却通知に含まれる記録媒体ＩＤに対応付けて管理されている装置ＩＤを消去せずに記憶したままにしておく。そのため、残額管理ＤＢには、当該記録媒体ＩＤの記録媒体を前回オンライン状態で受け付けていた玉貸ユニット２０の装置ＩＤが記憶される。即ち、該記録媒体ＩＤの記録媒体を少なくとも前回受け付けていた玉貸ユニット２０であって、オンライン状態で該記録媒体を受け付けた後にオフライン状態になった玉貸ユニット２０の装置ＩＤも管理される。なお、残額管理ＤＢに装置ＩＤを記憶する際に、既に装置ＩＤが記憶済みである場合には、該記憶済みの装置ＩＤを消去して、新たに装置ＩＤを記憶する、いわゆる上書き処理を行う。
【０１４６】
ここでオフライン状態にある玉貸ユニット２０が記録媒体を受け付けて、その後、該記録媒体を受け付けている状態でオンライン状態に復帰した場合にも、オンライン状態で記録媒体を受け付けたときと同様に、前記挿入通知に相当するオンライン復帰通知が残額管理装置５０に対して送信され（図２２のＳ６０７）、記録媒体ＩＤと装置ＩＤが対応付けられて残額管理ＤＢに記憶される。
【０１４７】
また本例では、残額管理装置５０とオンライン状態にある精算装置６０が、記録媒体を受け付けたときに、精算要求が残額管理装置５０に対して送信される（図２４のＳ７０２）。このとき送信される情報には、受け付けた記録媒体の記録媒体ＩＤと当該精算装置６０の装置ＩＤが含まれるので、該情報を受信した残額管理装置５０では、残額管理ＤＢにおいて、前述したのと同様の理由により、後述する精算許諾情報の送信時に、受信した記録媒体ＩＤに対応付けて、受信した装置ＩＤを記憶する（図２５のＳ２２０，Ｓ２４０）。
【０１４８】
また残額管理ＤＢでは、前記記録媒体ＩＤに対応付けて、当該記録媒体に関する処理状態であるステータスが記憶されている。このステータスの記憶方法について説明する。まず残額管理装置５０は、玉貸ユニット２０から入金要求を受信すると（図７のＳ１０３）、該入金要求に含まれる記録媒体ＩＤに対応するステータスとして入金処理中と記憶し（同Ｓ１０４）、玉貸ユニット２０から貨幣取込通知を受信したことを条件として（同Ｓ１１０）、該貨幣取込通知に含まれる記録媒体ＩＤに対応するステータスを入金処理済に更新する（同Ｓ１１６）。ここで入金処理中とは、受付貨幣額が未加算の状態で記憶されている旨を示すステータスであり、入金処理済とは、受付貨幣額について後述する加算済更新処理が行われている旨を示すステータスである。
【０１４９】
また残額管理装置５０は、玉貸ユニット２０から減算要求を受信すると（図８のＳ１２５）、該減算要求に含まれる記録媒体ＩＤに対応するステータスとして減算処理済と記憶する（同Ｓ１３１）。
【０１５０】
また残額管理装置５０は、玉貸ユニット２０から挿入通知，オンライン復帰通知，又は供給通知を受信すると（図１１のＳ２０２，図２２のＳ６０７，図１４のＳ１９３）、該挿入通知，オンライン復帰通知，又は供給通知に含まれる記録媒体ＩＤに対応するステータスとして挿入処理中と記憶し（図１１のＳ２０９，図１３のＳ２７４）、玉貸ユニット２０から残額受信通知又はオフライン情報消去通知を受信したことを条件として（図１２のＳ２２４，Ｓ２４６、図１５のＳ２４６，図２３のＳ２４６）、該残額受信通知又はオフライン情報消去通知に含まれる記録媒体ＩＤに対応するステータスを挿入処理済に更新する（図１２のＳ２２８，図１５のＳ２２８，図２３のＳ２２８）。
【０１５１】
さらに残額管理装置５０は、精算装置６０から精算要求を受信すると（図２４のＳ７０２）、前記挿入通知を受信した場合と同様に、該精算要求に含まれる記録媒体ＩＤに対応するステータスとして挿入処理中と記憶し（図１１のＳ２０９，図１３のＳ２７４）、精算装置６０から精算許諾情報受信通知又はオフライン情報消去通知を受信したことを条件として（図２５のＳ２２４ｂ，Ｓ２４６）、該精算許諾情報受信通知又はオフライン情報消去通知に含まれる記録媒体ＩＤに対応するステータスを挿入処理済に更新する（同Ｓ２２８）。ここでステータスとして挿入処理済のステータスを管理しており、使用装置ＩＤとして精算装置６０の装置ＩＤを管理していることが、精算要求に含まれる記録媒体ＩＤに対応付けて該精算要求を受信した旨を示す精算要求受信情報を管理していることに相当する。また挿入処理済のステータスを精算処理済のステータスに更新することが、該記録媒体ＩＤに対応付けて管理している精算要求受信情報を消去する精算要求消去処理に相当する。
【０１５２】
さらに残額管理ＤＢでは、前記記録媒体ＩＤに対応付けて、前記入金要求に含まれる受付貨幣額と、前記挿入通知，オンライン復帰通知、又は供給通知から特定されるオフライン消費額及びオフライン精算額が記憶されている。即ち残額管理装置５０は、前記入金要求の受信に応じて、該入金要求から特定される受付貨幣額（ここでは該入金要求に含まれる受付貨幣額）を該入金要求から特定される記録媒体ＩＤ（ここでは該入金要求に含まれる記録媒体ＩＤ）に対応付けて記憶する処理を行う。そして通信部５１は、該記録媒体ＩＤに対応付けて管理している管理残額と該受付貨幣額との合算額を特定可能な残額通知を玉貸ユニット２０に対して送信し、ここでは該合算額を含む予定残額通知を玉貸ユニット２０に対して送信する（図７のＳ１０６）。
【０１５３】
また残額管理装置５０は、前記挿入通知の受信に応じて、該挿入通知から特定されるオフライン消費額及びオフライン精算額を該挿入通知から特定される記録媒体ＩＤ（ここでは該挿入通知に含まれる記録媒体ＩＤ）に対応付けて記憶する処理を行う。そして通信部５１は、該記録媒体ＩＤに対応付けて管理している管理残額からオフライン消費額とオフライン精算額とを減算した補正額を特定可能な残額通知を玉貸ユニット２０に対して送信し、ここでは該補正額を含む予定残額通知を玉貸ユニット２０に対して送信する（図１２のＳ２４１）。
【０１５４】
さらに残額管理装置５０は、前記オンライン復帰通知の受信に応じて、該オンライン復帰通知から特定されるオフライン消費額及びオフライン精算額を該オンライン復帰通知に含まれる記録媒体ＩＤに対応付けて記憶する処理を行う。そして通信部５１は、該記録媒体ＩＤに対応付けて管理している管理残額からオフライン消費額とオフライン精算額とを減算した補正額を特定可能な補正額特定情報を玉貸ユニット２０に対して送信し、ここでは該補正額を含む予定残額通知を玉貸ユニット２０に対して送信する（図１２のＳ２４１）。
【０１５５】
前記設定値ＤＢは、基準貸与額を管理するものであり、ここでは各玉貸ユニット２０を個々に識別可能な装置ＩＤに対応付けて、当該玉貸ユニット２０に対して設定されている貸与基準額である玉貸設定金額が各玉貸ユニット２０毎に管理されている。本例における玉貸設定金額は消費税額を含む額であり、消費税額を含む単位貸与玉数である１００円の整数倍、例えば１０度数分の１０００円や、５度数分の５００円とされる。
【０１５６】
また設定値ＤＢは、オフライン消費情報に関する基準値を管理するものであり、ここでは各玉貸ユニット２０を個々に識別可能な装置ＩＤに対応付けて、当該玉貸ユニット２０に対して設定されている基準値であるオフライン時基準金額が各玉貸ユニット２０毎に管理されている。本例においては、オフライン時基準金額からオフライン消費額を減算することによって、オフライン消費情報が算出される。
【０１５７】
この設定値ＤＢで記憶されている玉貸設定金額及びオフライン時基準金額は、遊技場の営業開始前に、残額管理装置５０から各玉貸ユニット２０に配信されて、各玉貸ユニット２０の制御部２１のＥＥＰＲＯＭで記憶される。
【０１５８】
なお図示しないが、ハードディスク５５では、各玉貸ユニット２０での売上額等を、図１に示す売上管理装置４０と同様の売上ＤＢで管理している。この残額管理装置５０では、玉貸処理が行われた玉貸ユニット２０から、後述する図８のＳ１２５に示す減算要求を受信すると、該減算要求に含まれる使用額と、センタ管理装置７０から受信して記憶している貸与度数・玉数ＤＢ（図６（ｄ））の内容とに基づいて、当該使用額に相当する税抜き使用額である税抜き売上額と、当該使用額から税抜き使用額を減じた消費税額と、当該使用額に相当する貸与玉数とを特定し、該特定した税抜き売上額，消費税額，及び貸与玉数を、前記受信した減算要求に含まれる装置ＩＤに対応付けて売上ＤＢで管理している売上額，消費税額，及び貸与玉数に対して加算する。
【０１５９】
また残額管理装置５０では、オフライン状態からオンライン状態に復帰した玉貸ユニット２０から、図２２のＳ１２５に示すオンライン復帰通知を受信すると、該オフライン復帰通知に含まれるオフライン消費額（即ちオフライン状態の玉貸処理における使用額）と、センタ管理装置７０から受信して記憶している貸与度数・玉数ＤＢ（図６（ｄ））の内容とに基づいて、当該オフライン消費額に相当する税抜き使用額である税抜き売上額と、当該オフライン消費額から税抜き使用額を減じた消費税額と、当該オフライン消費額に相当する貸与玉数とを特定し、該特定した税抜き売上額，消費税額，及び貸与玉数を、前記受信したオフライン復帰通知に含まれる装置ＩＤに対応付けて売上ＤＢで管理している売上額，消費税額，及び貸与玉数に対して加算する。
【０１６０】
さらに残額管理装置５０では、オフライン状態からオンライン状態に復帰した玉貸ユニット２０から、オフライン一発貸しに使用された受付貨幣額の累計値であるオフライン一発貸し消費額を含むオフライン一発貸し消費額通知を受信すると、該オフライン一発貸し消費額通知に含まれるオフライン一発貸し消費額（即ちオフライン一発貸しにおける使用額）と、センタ管理装置７０から受信して記憶している貸与度数・玉数ＤＢ（図６（ｄ））の内容とに基づいて、当該オフライン一発貸し消費額に相当する税抜き使用額である税抜き売上額と、当該オフライン一発貸し消費額から税抜き使用額を減じた消費税額と、当該オフライン一発貸し消費額に相当する貸与玉数とを特定し、該特定した税抜き売上額，消費税額，及び貸与玉数を、前記受信したオフライン一発貸し消費額通知に含まれる装置ＩＤに対応付けて売上ＤＢで管理している売上額，消費税額，及び貸与玉数に対して加算する。
【０１６１】
ディスプレイ５３は、各種の情報を表示するための表示デバイスであり、入力装置５４は、各種の入力を受け付けるための入力デバイスである。制御部５２は、ＣＰＵ，ＲＡＭ，ＲＯＭ等を備えており、ハードディスク５５に記憶されている処理プログラムがＲＡＭを作業領域としてＣＰＵで実行されることにより、残額管理装置５０に備えられる各構成要素の動作を制御して各種の処理を行うものである。
【０１６２】
ここで制御部５２の機能について説明する。この制御部５２は（残額管理装置）通信可否検知手段の一例であって、玉貸ユニット２０，及び精算装置６０と通信できる通信可能状態（オンライン状態）であるか通信できない通信不可能状態（オフライン状態）であるかを検知するものである。具体的には、通信部５１から各玉貸ユニット２０，及び精算装置６０に対して定期的（例えば１０秒毎）に通信確認要求を送信し、該通信確認要求に応じて玉貸ユニット２０，及び精算装置６０から通信部５１に対して返信されてくる通信確認通知に基づいて、該通信確認通知の返信を定期的に検知している間はオンライン状態（即ち玉貸ユニット２０，及び精算装置６０と通信できる通信可能状態）であると判定し、該通信確認通知の返信を一定期間（例えば１分間）検知しなくなるとオフライン状態（即ち玉貸ユニット２０，及び精算装置６０と通信できない通信不可能状態）であると判定する。そして該オフライン状態が発生した旨をハードディスク５５で記憶する。
【０１６３】
また制御部５２は減算処理手段の一例であって、前記第１の減算要求の受信に基づいて（図８のＳ１２５）、前記使用額を前記管理残額から減算する第１の減算処理を行う（同Ｓ１２９）。
【０１６４】
また制御部５２は連携処理手段の一例であって、前記連携処理要求の受信に応じて前記連携処理を行い、該連携処理に伴って前記記録媒体（会員カード４，ビジタコイン５）の記録媒体ＩＤに対応付けられた通番を更新する第２の通番更新処理を行うものである。ここで第２の通番更新処理とは、残額管理ＤＢにおいて該記録媒体ＩＤに対応付けて管理されている通番に１を加算して更新する処理である。
【０１６５】
この連携処理手段として機能する制御部５２は、玉貸ユニット２０から送信されてくる連携処理要求である貸与可能情報（ここでは貨幣取込通知）の受信に応じて（図７のＳ１１０）、当該記録媒体の記録媒体ＩＤに対応付けて記憶している受付貨幣額を当該記録媒体の管理残額に対して加算する受付貨幣額加算処理と、該受付貨幣額が加算済であることを特定可能な状態に更新する加算済更新処理とを連携処理として行うと共に（同Ｓ１１３，Ｓ１１４）、前記第２の通番更新処理を行う（同Ｓ１１５）。ここでの加算済更新処理は、該受付貨幣額を消去する処理である。
【０１６６】
また連携処理手段として機能する制御部５２は、玉貸ユニット２０から送信されてくる連携処理要求である第１の減算要求の受信に応じて（図８のＳ１２５）、前記基準貸与額を管理残額から減算する前記第１の減算処理を連携処理として行うと共に（同Ｓ１２９）、前記第２の通番更新処理を行う（同Ｓ１３０）。ここでの第１の減算処理は、減算要求に含まれる使用額を管理残額から減算する処理である。そして通信部５１により、該減算処理を行った旨を示す減算完了通知が玉貸ユニット２０に対して送信される（同Ｓ１３２）。
【０１６７】
また制御部５２は、玉貸ユニット２０から送信されてくる残額受信通知（図１２のＳ２２４），又は精算装置６０から送信されてくる精算許諾情報受信通知（図２５のＳ２２４ｂ）の受信に応じて、前記第２の通番更新処理を行う（図１２のＳ２２７，図２５のＳ２２７）。
【０１６８】
また制御部５２は、後述する精算実行通知である精算完了通知（図２６のＳ７８３）の受信に応じて、前記記録媒体（会員カード４，ビジタコイン５）の記録媒体ＩＤに対応付けられた通番を更新する第４の通番更新処理を行うと共に（同Ｓ７８５）、該記録媒体ＩＤに対応付けて管理している管理残額を零に更新する管理残額更新処理（同Ｓ７８４）と、該記録媒体ＩＤに対応付けて管理している精算要求受信情報を消去する精算要求消去処理（同Ｓ７８６）とを行う。ここでの第４の通番更新処理は、残額管理ＤＢにおいて該記録媒体ＩＤに対応付けて管理されている通番に１を加算して更新する処理である。また管理残額更新処理は、管理残額を消去する処理である。さらに精算要求消去処理は、ステータスを挿入処理済から精算処理済に更新する処理である。そして通信部５１により、これらの処理を行った旨を示す残額消去完了通知が精算装置６０に対して送信される（同Ｓ７８７）。
【０１６９】
また制御部５２は、前記記録媒体ＩＤに対応付けて管理している通番が上限値（例えば２５５）に達しているときに、該記録媒体ＩＤに対応付けて管理している通番を初期値に更新するものであり、ここでは受信した情報に含まれる記録媒体ＩＤに対応付けられた通番を更新するにあたり、当該通番が上限値に達しているか否かを判定して、達していると判定したときには、該通番を初期値（例えば０）に更新する。これにより、通番の記憶領域を極力小さくして、通番が上限値に達した後でも記録媒体を継続して使用することができ、記録媒体のコストを低減させることができる。また制御部５２で実行されるプログラムにおいて定義されている通番の記憶領域（例えば記憶領域が８ビットであれば０〜２５５）内で通番を繰り返し更新することで、通番が上限値に達したことによるプログラムの停止やエラー発生を防止している。
【０１７０】
また制御部５２は通番判定手段の一例であって、玉貸ユニット２０から記録媒体の記録媒体ＩＤと通番とを受信し、該受信した通番が該受信した記録媒体ＩＤに対応付けられた通番と一致するか否かを判定するものであり、具体的には、玉貸ユニット２０の受付通知送信手段から送信されてきた記録媒体受付通知（ここでは挿入通知），精算装置６０から送信されてきた精算要求，玉貸ユニット２０の復帰通知送信手段から送信されてきたオンライン復帰通知，又は玉貸ユニット２０から送信されてきた供給通知の受信に応じて、該挿入通知，精算要求，オンライン復帰通知，又は供給通知に含まれる通番が、それらに含まれる記録媒体ＩＤに対応付けられた通番と一致するか否かを判定する（図１１のＳ２０３，図２４のＳ２０３）。そして通番不一致時処理手段として機能する制御部５２は、該通番判定手段により通番が一致しないと判定されたことを条件として、予め定められた通番不一致時処理を行う。また、通番一致時処理手段として機能する制御部５２は、該通番判定手段により通番が一致すると判定されたことを条件として、予め定められた通番一致時処理を行う。
【０１７１】
具体的には、通番判定手段により通番が一致しないと判定され、かつ前記受付貨幣額が未加算の状態で記憶されていること（即ち入金処理中であること）を条件として、通番不一致時処理として、前記受付貨幣額加算処理と前記加算済更新処理を行う（図１３のＳ２６２）。即ち通番が一致せず、かつ受付貨幣額が未加算の状態で記憶されている場合とは、玉貸ユニット２０が予定残額通知（図７のＳ１０６）を受信してから残額管理装置５０が貨幣取込通知（同Ｓ１１０）を受信する前にオフライン状態が発生した場合であり、この場合には玉貸ユニット２０において受付貨幣の取込が行われているため、残額管理装置５０において受付貨幣額を管理残額に対して加算して該受付貨幣額を消去する処理を行うものである。
【０１７２】
一方、通番判定手段により通番が一致すると判定され、かつ前記受付貨幣額が未加算の状態で記憶されていること（即ち入金処理中であること）を条件として、通番一致時処理として、前記受付貨幣額加算処理を行うことなく、前記加算済更新処理を行う（図１１のＳ２０５）。即ち通番が一致し、かつ受付貨幣額が未加算の状態で記憶されている場合とは、残額管理装置５０が入金要求（図７のＳ１０３）を受信してから玉貸ユニット２０が予定残額通知（同Ｓ１１０）を受信する前にオフライン状態が発生した場合であり、この場合には玉貸ユニット２０において受付貨幣の返却が行われているため、残額管理装置５０においても受付貨幣額を管理残額に対して加算せず、該受付貨幣額を消去する処理を行うものである。
【０１７３】
なお通番判定手段により通番が一致しないと判定され、かつ前記記録媒体（会員カード４，ビジタコイン５）の記録媒体ＩＤに対応付けて精算要求受信情報を管理していること（即ちステータスが入金処理中又は挿入処理中でなく、使用装置ＩＤが精算装置６０の装置ＩＤであること）を条件として、通番不一致時処理として、前記管理残額更新処理と、前記精算要求消去処理とを行う（図１３のＳ２６７）。即ち通番が一致せず、ステータスが入金処理中又は挿入処理中でなく、使用装置ＩＤが精算装置６０の装置ＩＤである場合とは、残額管理装置５０が精算完了通知（図２６の同Ｓ７８３）を受信する前にオフライン状態が発生した場合であり、この場合には精算装置６０において貨幣の払い出しが行われているため、残額管理装置５０において管理残額を消去しステータスを精算処理済に更新する処理を行うものである。
【０１７４】
また通番判定手段により通番が一致しないと判定され、かつ受付貨幣額について加算済更新処理が行われていること（即ちステータスが入金処理中又は挿入処理中でなく、使用装置ＩＤが玉貸ユニット２０の装置ＩＤであること）を条件として、通番不一致時処理として、前記第１の減算処理を行う。即ち通番が一致せず、ステータスが入金処理中又は挿入処理中でなく、使用装置ＩＤが玉貸ユニット２０の装置ＩＤである場合とは、残額管理装置５０が減算要求（図８のＳ１２５）を受信する前にオフライン状態が発生した場合であり、この場合には玉貸ユニット２０において使用額分の玉貸処理が行われているため、残額管理装置５０において第１の減算処理を行うものである。
【０１７５】
具体的には、管理残額≧玉貸設定金額であれば、該玉貸設定金額が使用額なので、該玉貸設定金額を、挿入通知又は精算要求に含まれる記録媒体ＩＤに対応付けて管理されている管理残額から減算する処理を行い（図１３のＳ２７２）、管理残額＜玉貸設定金額であれば、該管理残額が使用額なので、該管理残額を消去する処理を行う（同Ｓ２７３）。
【０１７６】
ここで本例において、図１３のＳ２７２で減算されるべき玉貸設定金額は、各玉貸ユニット２０毎に設定されており、必ずしも一定額とは限らない。そこで該玉貸設定金額を特定して、残額を正確に補正すべく、本発明は以下の機能を備えている。
【０１７７】
まず制御部５２は遊技用装置特定手段の一例であって、前記通番判定手段により通番が一致しないと判定され、かつ前記受付貨幣額について加算済更新処理が行われている（即ち該受付貨幣額が消去されている＝ステータスが入金処理中又は挿入処理中でなく、使用装置ＩＤが玉貸ユニット２０の装置ＩＤである）ときに、前記記録媒体の記録媒体ＩＤに対応付けて前記遊技用装置識別情報記憶手段（残額管理ＤＢ）で記憶している情報から当該記録媒体ＩＤの記録媒体が前回受け付けられていた遊技用装置を特定するものであり、ここでは前記挿入通知又は精算要求に含まれる記録媒体ＩＤに対応付けて管理されている装置ＩＤを、当該記録媒体を前回オンライン状態で受け付けていた遊技用装置の装置ＩＤとして特定する（図１３のＳ２６９）。
【０１７８】
また制御部５２は基準貸与額判定手段の一例であって、前記通番判定手段により通番が一致しないと判定され、かつ前記受付貨幣額について加算済更新処理が行われている（即ち該受付貨幣額が消去されている＝ステータスが入金処理中又は挿入処理中でなく、使用装置ＩＤが玉貸ユニット２０の装置ＩＤである）ときに、前記記録媒体の記録媒体ＩＤに対応付けて管理している管理残額が前記基準貸与額未満であるか否かを判定するものであり、ここでは前記挿入通知又は精算要求に含まれる記録媒体ＩＤに対応付けて管理されている残額が、前記遊技用装置特定手段により特定された装置ＩＤに対応付けて図６（ａ）の設定値ＤＢで管理されている玉貸設定金額以上であるか否かを判定している（図１３のＳ２７１）。そして制御部５２は、上述したように、玉貸設定金額以上であると判定されたときには、挿入通知又は精算要求に含まれる記録媒体ＩＤに対応付けて管理されている管理残額から、玉貸設定金額を減算する一方（同Ｓ２７２）、玉貸設定金額未満であると判定されたときには、挿入通知又は精算要求に含まれる記録媒体ＩＤに対応付けて管理されている管理残額を消去する（同Ｓ２７３）。
【０１７９】
つまり使用額分の玉貸処理が行われて、玉貸ユニット２０から送信された減算要求を残額管理装置５０が受信する前にオフライン状態となった玉貸ユニット２０から排出された記録媒体であるため、前記使用額が管理残額から減算されていない状態となっている。従って、使用額（前記玉貸設定金額，又は管理残額）を特定して、該特定した使用額を減算する補正を行っている。
【０１８０】
通信部５１は、前述の如く玉貸ユニット２０の外部通信部２１ｂと通信可能に接続されており、残額管理装置５０と玉貸ユニット２０との間における通信を司るものである。また通信部５１は、精算装置６０の後述する通信部６１と通信可能に接続されており、残額管理装置５０と精算装置６０との間における通信を司るものである。さらに通信部５１は、売上管理装置４０とも通信可能に接続されている。
【０１８１】
この通信部５１は、通信可否検知手段（制御部５２）によりオフライン状態を検知している状態からオンライン状態への復帰を検知したときに、当該玉貸ユニット２０に対して、動作の開始を要求する開始要求を送信する（図２２のＳ６０２）。また通信部５１は、該開始要求に応じて玉貸ユニット２０から送信されてくる開始応答を受信する（同Ｓ６０５）。
【０１８２】
また通信部５１は精算許諾情報送信手段の一例であって、後述する精算要求送信手段（精算装置６０の通信部６１）から送信されてきた精算要求の受信に応じて、該精算要求に含まれる記録媒体ＩＤに対応付けて管理されている管理残額を含む精算許諾情報を精算装置６０に対して送信するものである。即ち、精算要求にオフライン消費情報及びオフライン精算情報が含まれない場合には、管理残額を含む精算許諾情報を精算装置６０に対して送信する（図２５のＳ２２１ａ）。一方、精算要求にオフライン消費情報及び／又はオフライン精算情報が含まれる場合には、該精算要求に含まれる記録媒体ＩＤに対応付けて管理されている管理残額からオフライン消費額及びオフライン精算額を減算した補正額を含む精算許諾情報を精算装置６０に対して送信する（同Ｓ２４１ａ）。また通信部５１は、該精算許諾情報に応じて精算装置６０から送信されてくる精算許諾情報受信通知（同Ｓ２２４ｂ），又はオフライン情報消去通知（同Ｓ２４６）を受信する。
【０１８３】
場外通信部５６は、図１に示すように、インターネットを介して、センタ管理装置７０の後述する通信部７１と通信可能に接続されており、残額管理装置５０とセンタ管理装置７０との間における通信を司るものである。
【０１８４】
次に精算装置６０について説明する。精算装置６０は、記録媒体（会員カード４，ビジタコイン５）を受け付けて、該受け付けた記録媒体の記録媒体ＩＤに対応付けて前記残額管理装置にて管理されている管理残額に相当する貨幣を払い出す精算処理を行うものである。この精算装置６０は、遊技場内の所定箇所（例えば遊技島の端部や景品交換カウンタの近傍等）に設けられ、図５（ａ）に示すように、キオスク端末型の形状を呈するものであり、その前面にディスプレイ６３，紙幣払出口６４ａ，硬貨払出口６５ａ，前記コイン投入口１１１，前記コイン排出口１１２，及び前記カード挿入口１９０等を備え、図１に示すように、その内部に通信部６１，制御部６２，紙幣払出機６４，硬貨払出機６５，コイン回収部６６，及び前記通路ユニット１００等を備えており、これらの各構成要素は図１に示すように接続されている。なお、この精算装置６０は、装置ＩＤによって個々に識別可能となっており、該装置ＩＤは制御部６２のＥＥＰＲＯＭに記憶されている。
【０１８５】
通信部６１は、残額管理装置５０の通信部５１と通信可能に接続されており、精算装置６０と残額管理装置５０との間における通信を司るものである。この通信部６１から情報が送信されるときには、制御部６２のＥＥＰＲＯＭに記憶されている装置ＩＤが該情報と共に送信される。この通信部６１は精算要求送信手段の一例であって、記録媒体（会員カード４，ビジタコイン５）を受け付けたことに基づいて、該受け付けた記録媒体に記録されている記録媒体ＩＤを少なくとも含む精算要求を残額管理装置５０に対して送信するものであり、ここでは前記挿入通知と同様に記録媒体ＩＤ，オフライン消費情報，オフライン精算情報，通番，及び当該精算装置の装置ＩＤを含む精算要求を残額管理装置５０に対して送信する（図２４のＳ７０２）。
【０１８６】
また通信部６１は精算実行通知送信手段の一例であって、前記精算処理が行われる旨を示す精算実行通知を残額管理装置５０に対して送信するものであり、ここでは精算実行通知として、精算完了通知を送信する（図２６のＳ７８３）。なお「精算処理が行われる旨を示す」とは、精算処理の前後を問わず、精算処理に伴う送信処理であるという意であり、本例ではＳ７８１の貨幣の払い出し（即ち精算処理）の後に、精算完了に伴う精算完了通知を送信している。また通信部６１は、該精算完了通知に応じて残額管理装置５０から送信されてくる残額消去完了通知（同Ｓ７８７）を受信する。
【０１８７】
制御部６２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、精算装置６０に備えられる各構成要素の動作を制御して各種の処理を行うものである。この制御部６２の機能については後述する。
【０１８８】
制御部６２のＲＡＭには、図６（ｂ）に示す精算ＤＢを記憶する領域が設けられている。この精算ＤＢでは、精算装置６０がオフライン状態において精算が行われる毎に、精算された管理残額（即ち記録媒体に記録されている管理残額特定情報から特定された管理残額）が、精算管理残額として、記録媒体（会員カード４，ビジタコイン５）の記録媒体ＩＤに対応付けて記憶される。また、制御部６２のＲＡＭには、精算装置６０でオフライン精算処理が可能な時間としてセンタ管理装置７０から残額管理装置５０を経由して配信された精算可能時間が記憶される。
【０１８９】
タッチパネル式のディスプレイ６３は、図５（ｂ）に示すように、各種の情報を表示するための表示デバイスであると共に、各種の入力を受け付けるための入力デバイスである。このディスプレイ６３では、会員カード４又はビジタコイン５を受付可能なときに、Ｄ１に示すように、会員カード４又はビジタコイン５の挿入を促す旨が表示される。ここで会員カード４又はビジタコイン５が挿入され、前記精算要求に応じた精算許諾情報が残額管理装置５０から送信されてくると、Ｄ２に示すように、該精算許諾情報に含まれる管理残額又は補正額が残額として表示されると共に、精算操作を受け付ける「精算」ボタン，及び精算処理をキャンセルする「キャンセル」ボタンが表示される。このＤ２で「精算」ボタンが操作されると、残額に相当する貨幣が払い出され、Ｄ３に示すように、該残額を返却する旨，及び会員カード４の抜き取りを指示する旨又はビジタコイン５を回収する旨が表示される。またＤ２で「キャンセル」ボタンが操作されると、Ｄ４に示すように、会員カード４又はビジタコイン５が返却され、その旨が表示される。なおＤ１で受け付けた会員カード４又はビジタコイン５に異常があるときには、Ｄ５に示すように、その旨が表示される。
【０１９０】
紙幣払出機６４及び硬貨払出機６５は、貨幣を払い出すものであり、具体的には、紙幣払出機６４の背後に設けられる紙幣収納部６４ｂから、所定の種類及び所定数の紙幣２を取り出して、紙幣払出口６４ａから払い出すと共に、硬貨払出機６５の上部に設けられる硬貨収納部６５ｂから、所定の種類（１００円硬貨，５００円硬貨）及び所定数の硬貨を取り出して、硬貨払出口６５ａから払い出す。本例では、前述の如く、管理残額が１００円単位であり、該管理残額に１００円未満の端数額が生じることが無いため、この精算装置６０からは、１００円単位で貨幣を払い出せば良く、従って１００円未満の端数額を精算して遊技者に返却するために、遊技場が大量の小銭（５０円硬貨，１０円硬貨，５円硬貨，１円硬貨）を準備して精算装置６０に補充する等の手間が無い。コイン回収部６６は、次に述べる通路ユニット１００の排出通路１３２から排出されたビジタコイン５を回収する部位であり、該排出通路１３２の下方に設けられている。
【０１９１】
精算装置６０に備えられる通路ユニット１００は、玉貸ユニット２０に備えられる通路ユニット１００と比較して、第１カバー部材１５０に代えて第２カバー部材１５０’が装着され、第２誘導通路１３３が使用されずに排出通路１３２が使用される点と、制御部１０１による各ストッパの制御のみが異なり、その他の点は同様であるため、以下においては、該異なる点についてのみ説明し、同様の点については説明を省略する。
【０１９２】
まず精算装置６０に備えられる通路ユニット１００では、第１カバー部材１５０に代えて第２カバー部材１５０’が装着される。即ち通路ユニット１００の収納通路１３１には、排出通路１３２を遮蔽する第１カバー部材１５０及び排出通路１３２を開放する第２カバー部材１５０’のいずれをも装着可能である。この第２カバー部材１５０’は、前記収納溝被覆部１５１と、前記第２誘導溝１３３ａの部分を被覆する第２誘導溝被覆部１５２と、収納溝１３１ａと排出溝１３２ａとの分岐部における収納溝１３１ａ側を遮蔽する収納通路遮蔽板１５３’と、排出溝１３２ａを被覆する排出溝被覆部１５４’と、からなる。なお第２カバー部材１５０’は、前記第１カバー部材１５０の如き排出通路遮蔽板１５３を備えていないので、該第２カバー部材１５０’が装着されても排出通路１３２は遮蔽されずに開放される。この第２カバー部材１５０’は、透明な部材で形成されると共に、適宜の箇所に複数の長孔１５０ａが形成されており、ユニット本体１００ａに対して嵌め込まれて装着される。なお第２誘導溝被覆部１５２には、ビジタコイン５が起立した状態で通過可能な第１誘導溝が形成されている。この第２カバー部材１５０’が装着されたユニット本体１００ａには、前記図５に示すのと同様にして下部カバー部材１７０が装着され、上部カバー部材１８０が装着される。
【０１９３】
このように、第２カバー部材１５０’，下部カバー部材１７０，及び上部カバー部材１８０（以下「各カバー部材」という。）がユニット本体１００ａに装着されることにより、精算装置６０に備えられる通路ユニット１００が構成され、各カバー部材が被覆する各溝との間にビジタコイン５が通過可能な空間が形成されて、該空間が各通路を構成する。具体的には、収納溝１３１ａと上部カバー部材１８０及び第２カバー部材１５０’との間で収納通路１３１が構成され、第２誘導溝１３３ａと第２カバー部材１５０’との間で第２誘導通路１３３が構成され、これら収納通路１３１と第２誘導通路１３３とで収納排出通路１３０が構成される。
【０１９４】
ただし精算装置６０に備えられる通路ユニット１００では、第２カバー部材１５０’が装着されることにより、収納通路１３１と排出通路１３２との分岐部における収納通路１３１側が収納通路遮蔽板１５３’で遮蔽されるので、該収納通路１３１に連設されている第２誘導通路１３３は使用されない。一方、排出溝１３２ａと第２カバー部材１５０’との間で排出通路１３２が構成されて使用される。即ち収納通路１３１には、排出通路１３２を遮蔽する第１カバー部材１５０及び排出通路１３２を開放する第２カバー部材１５０’のいずれをも装着可能とされ、第１カバー部材１５０を装着することによりビジタコイン５を収納コイン保持部１４０に供給し、第２カバー部材１５０’を装着することによりビジタコイン５を排出通路１３２に供給する。これによれば、第２カバー部材１５０’を装着することにより、投入されたビジタコイン５を排出通路１３２を通じて回収可能となるため、例えば多量のビジタコイン５を回収する必要のある精算装置６０にも当該通路ユニット１００を使用可能となるため、製造コストが削減される。
【０１９５】
また連絡溝１６１ａと上部カバー部材１８０及び下部カバー部材１７０との間で傾斜通路１６２が設けられた連絡通路１６１が構成され、第１誘導溝（第２誘導溝被覆部１５２）と下部カバー部材１７０との間で第１誘導通路１６３が構成され、これら連絡通路１６１と第１誘導通路１６３とで投入コイン排出通路１６０が構成される点は、玉貸ユニット２０に備えられる通路ユニット１００と同様である。
【０１９６】
制御部１０１には、当該通路ユニット１００が精算装置６０に備えられている旨が記憶されており、該記憶に基づいた制御を行う。具体的には、投入コイン保持部１２０でビジタコイン５を保持している状態で返却操作を受け付けると、通常は閉鎖されている第１の投入コインストッパ１２１を開放して当該ビジタコイン５を連絡通路１６１に落下させた後、該第１の投入コインストッパ１２１を閉鎖する制御を行う。また投入コイン保持部１２０で保持しているビジタコイン５についての精算処理が終了すると、通常は閉鎖されている第２の投入コインストッパ１２２を開放して当該ビジタコイン５を収納通路１３１に供給した後、該第２の投入コインストッパ１２２を閉鎖する制御を行う。ここで収納通路１３１に供給されたビジタコイン５は、排出通路１３２を通ってコイン回収部６６に回収される。なお収納通路遮蔽板１５３’の前方に位置する収納通路１３１は使用されないので、該収納通路１３１に設けられている第１の収納コインストッパ１４１の制御は行われず、また第２誘導通路１３３は使用されないので、該第２誘導通路１３３に設けられている第２の収納コインストッパ１４２の制御は行われない。
【０１９７】
ここで前記制御部６２の機能について説明する。この制御部６２は（精算装置）通信可否検知手段の一例であって、残額管理装置５０と通信できる通信可能状態（オンライン状態）であるか通信できない通信不可能状態（オフライン状態）であるかを検知するものである。具体的には、残額管理装置５０の通信部５１から精算装置６０に対して定期的（例えば１０秒毎）に送信されてくる通信確認要求に基づいて、該通信確認要求の受信を定期的に検知している間はオンライン状態（即ち残額管理装置５０と通信できる通信可能状態）であると判定し、該通信確認要求の受信を一定期間（例えば１分間）検知しなくなるとオフライン状態（即ち残額管理装置５０と通信できない通信不可能状態）であると判定する。
【０１９８】
また、制御部６２は精算手段（精算処理手段）の一例であって、オンライン状態が検知されているときには、受け付けた記録媒体の記録媒体ＩＤに対応付けて残額管理装置５０にて管理されている管理残額に基づいて、精算を行うオンライン精算処理を行い、オフライン状態が検知されているときには、受け付けた記録媒体に記録されている管理残額特定情報から管理残額を特定し、特定した管理残額の精算を行うオフライン精算処理を行う。オフライン精算処理においては、受け付けた記録媒体に記録された演算方式フラグから演算方式を特定し、該特定した演算方式により記録媒体に記録された基準データ，乗算データ，除算データ，及び加算データを演算することにより管理残額を算出して特定する。ここで精算処理とは、貨幣の払い出しを紙幣払出機６４及び／又は硬貨払出機６５に対して指令する処理である。そして該指令に応じた貨幣が、紙幣払出機６４及び／又は硬貨払出機６５から払い出される。
【０１９９】
また制御部６２は、特定処理手段の一例であって、残額管理装置５０と連携して行う各種処理のうちの予め定められた特定処理に伴って、前記記録媒体の通番を更新する第１の通番更新処理（第３の通番更新処理）を行うと共に、該特定処理に対応する連携処理を要求する連携処理要求を残額管理装置５０に送信する。ここで第１の通番更新処理とは、受け付けている記録媒体（会員カード４，ビジタコイン５）に記録されている通番に１を加算して更新する旨を、制御部１０１を介して記録媒体Ｒ／Ｗ１０２に対して指令する処理である。
【０２００】
具体的には、記録媒体を受け付けたことに基づいて（図２４のＳ７０１）、精算要求を残額管理装置５０に送信し（同Ｓ７０２）、残額管理装置５０から精算許諾情報を受信したことに基づいて（図２５のＳ２４１ｂ）、記録媒体に記録されたオフライン消費情報及びオフライン精算情報を消去する処理を特定処理として行うと共に（同Ｓ２４３，Ｓ２４４）、第１の通番更新処理を行い（同Ｓ２４５）、連携処理要求としてオフライン情報消去通知を残額管理装置５０に送信する（同Ｓ２４６）。かかるオフライン情報消去通知を受信した残額管理装置５０においては、記憶オフライン消費額や記憶オフライン精算額を管理残額から減算して消去する処理が連携処理として行われると共に（同Ｓ２４７，Ｓ２４８）、第２の通番更新処理（第４の通番更新処理）が行われる（同Ｓ２２７）。
【０２０１】
また、遊技者から精算操作を受け付けたことに基づいて（図２６のＳ７８０）、許諾額分の貨幣を払い出す処理を特定処理として行うと共に（同Ｓ７８１）、第１の通番更新処理を行い（同Ｓ７８２）、連携処理要求として精算完了通知を残額管理装置５０に送信する（同Ｓ７８３）。かかる精算完了通知を受信した残額管理装置５０においては、管理残額を消去（零に更新）する処理が連携処理として行われると共に（同Ｓ７８４）、第２の通番更新処理（第４の通番更新処理）が行われる（同Ｓ７８５）。
【０２０２】
さらに制御部６２のＲＡＭは、当該精算装置６０の処理状態を記憶する。具体的には、記録媒体を受け付けたときには、処理状態が「記録媒体受付」である旨を記憶し、精算操作を受け付けたときには、処理状態が「精算操作受付」である旨を記憶し、返却操作を受け付けたときには、処理状態が「返却操作受付」である旨を記憶する。
【０２０３】
次に、図７〜図２９を参照して、遊技用システム１の作用について説明する。なお各図中においては、会員カード４を「カード」，ビジタコイン５を「コイン」，残額管理装置５０で管理されている残額を「管理残額」，玉貸ユニット２０の制御部２１のＲＡＭで記憶されている残額を「記憶残額」と表記する。また、以下では、玉貸ユニット２０の収納コイン保持部１４０のビジタコイン５に記録されている通番，若しくは、カード保持部１９１で保持されている会員カード４又は投入コイン保持部１２０で保持されているビジタコイン５に記録されている通番を「記録通番」とも呼ぶ。そして、残額管理装置５０で記録媒体ＩＤに対応付けて管理している通番を「管理通番」とも呼ぶ。
【０２０４】
まず図７は、残額管理装置５０とオンライン状態である玉貸ユニット２０において貨幣を受け付けた場合の処理の一例を表す図である。玉貸ユニット２０は、貨幣受付を待機している状態で、貨幣を受け付けると（Ｓ１０１）、記録媒体ＩＤと受付貨幣額とを含む入金要求を残額管理装置５０に対して送信する（Ｓ１０３）。
【０２０５】
Ｓ１０３の入金要求を受信した残額管理装置５０は、前記残額管理ＤＢにおいて、該入金要求に含まれる記録媒体ＩＤに対応するステータスとして入金処理中と記憶し（Ｓ１０４）、該入金要求に含まれる受付貨幣額を該記録媒体ＩＤに対応付けて記憶して（Ｓ１０５）、該記録媒体ＩＤに対応付けて管理している管理残額と前記受付貨幣額との合算額を含む予定残額通知を玉貸ユニット２０に対して送信する（Ｓ１０６）。
【０２０６】
Ｓ１０６の予定残額通知を受信した玉貸ユニット２０は、該予定残額通知に含まれる合算額を残額として制御部２１のＲＡＭで記憶し（Ｓ１０７）、前記Ｓ１０１で受け付けた受付貨幣を取り込み（Ｓ１０８）、記録媒体（即ち会員カード４を受け付けている場合にはカード保持部１９１で保持している会員カード４，ビジタコイン５を受け付けている場合には投入コイン保持部１２０で保持しているビジタコイン５，会員カード４もビジタコイン５も受け付けていない場合には収納コイン保持部１４０で保持しているビジタコイン５）の通番に１を加算して更新し（Ｓ１０９）、前記記録媒体ＩＤを含む貨幣取込通知を残額管理装置５０に対して送信し（Ｓ１１０）、記憶残額を残額表示器２６に表示すると共に、該記憶残額に基づく残度数を残度数表示器１４に表示して（Ｓ１１１）、玉貸操作，貨幣受付，又は返却操作を待機する状態となる（Ｓ１１２）。
【０２０７】
Ｓ１１０の貨幣取込通知を受信した残額管理装置５０は、前記残額管理ＤＢにおいて、該貨幣取込通知に含まれる記録媒体ＩＤに対応付けて記憶している受付貨幣額を当該記録媒体の管理残額に対して加算し（Ｓ１１３）、該受付貨幣額を消去し（Ｓ１１４）、該記録媒体ＩＤに対応付けられた通番に１を加算して更新し（Ｓ１１５）、該記録媒体ＩＤに対応するステータスを入金処理済に更新する（Ｓ１１６）。
【０２０８】
次に図８は、残額管理装置５０とオンライン状態である玉貸ユニット２０において玉貸操作を受け付けた場合の処理の一例を表す図である。玉貸ユニット２０は、玉貸操作を待機している状態で、玉貸ボタン１５が押下されて玉貸操作を受け付けると（Ｓ１２１）、制御部２１のＲＡＭで未接続フラグを記憶しているか否か、即ち前記接続確認手段によりパチンコ機１０又は払出ユニット３０の少なくとも一方との接続が確認されていないと判定されているか否かを判定する（Ｓ１２２ａ）。
【０２０９】
このＳ１２２ａで未接続フラグを記憶している（ＹＥＳ）、即ちパチンコ機１０又は払出ユニット３０の少なくとも一方との接続が確認されていないと判定された場合には、使用額分の玉貸処理（Ｓ１２８）である第１貸与処理及び第２貸与処理（図１０）のいずれも行わずに、玉貸操作を無効とする。これによれば、玉貸ユニット２０において、パチンコ機１０及び払出ユニット３０の少なくとも一方との接続が確認されなければ、第１貸与処理及び第２貸与処理のいずれも行われないので、第１貸与処理及び第２貸与処理の一方が行えずに、残存する管理残額に１００円未満の端数額が生じることが無い。
【０２１０】
一方、Ｓ１２２ａで未接続フラグを記憶していない（ＮＯ）、即ちパチンコ機１０及び払出ユニット３０との接続が確認されていると判定された場合には、制御部２１のＲＡＭで玉貸不可フラグを記憶しているか否か、即ち前記払出判定手段によりパチンコ機１０又は玉払出装置３１の少なくとも一方がパチンコ玉を払い出せる状態でないと判定されているか否かを判定する（Ｓ１２２ｂ）。
【０２１１】
このＳ１２２ｂで玉貸不可フラグを記憶している（ＹＥＳ）、即ちパチンコ機１０又は玉払出装置３１の少なくとも一方がパチンコ玉を払い出せる状態でないと判定された場合には、使用額分の玉貸処理（Ｓ１２８）である第１貸与処理及び第２貸与処理（図１０）のいずれも行わずに、玉貸操作を無効とする。これによれば、故障，パチンコ玉の詰まり，パチンコ玉の不足の発生等により、パチンコ機１０又は玉払出装置３１の少なくとも一方がパチンコ玉を払い出せる状態でなければ、第１貸与処理及び第２貸与処理のいずれも行われないので、残存する管理残額に１００円未満の端数額が生じることが無い。
【０２１２】
ここで仮に、パチンコ機１０がパチンコ玉を払い出せる状態であるが、玉払出装置３１がパチンコ玉を払い出せない状態で、使用額５００円分の玉貸処理を行うこととすると、第１貸与処理が行われて、４度数分の１００個のパチンコ玉がパチンコ機１０から払い出されるが（図６（ｄ）を参照）、消費税率が５％の場合における該１００個のパチンコ玉に相当する税込み使用額は４２０円であるため、該４２０円を管理残額から減算すると、管理残額に１００円未満の端数額が生じてしまう。つまり本発明では、第１貸与処理又は第２貸与処理のいずれか一方のみを行うと、管理残額に端数額が生じてしまうことになるため、パチンコ機１０又は玉払出装置３１の少なくとも一方がパチンコ玉を払い出せる状態でない場合には、第１貸与処理及び第２貸与処理のいずれも行わないこととしているのである。
【０２１３】
また本発明では、第１貸与処理と第２貸与処理とを一体として税込み玉単価を４．１６…円としていることにより、仮に第１貸与処理のみが行われて、４度数分の１００個のパチンコ玉がパチンコ機１０から払い出され、消費税率が５％の場合における該１００個のパチンコ玉に相当する税込み使用額として４２０円を管理残額から減算すると、この場合における税込み玉単価が４．２円となって、本来の税込み玉単価である４．１６…円と合わなくなるため、パチンコ機１０又は玉払出装置３１の少なくとも一方がパチンコ玉を払い出せる状態でない場合には、第１貸与処理及び第２貸与処理のいずれも行わないこととしているのである。
【０２１４】
前記Ｓ１２２ｂで玉貸不可フラグを記憶していない（ＮＯ）、即ちパチンコ機１０及び玉払出装置３１の両方がパチンコ玉を払い出せる状態であると判定された場合には、前記図９に示す使用額決定処理を行って（Ｓ１２３）、記録媒体（即ち会員カード４を受け付けている場合にはカード保持部１９１で保持している会員カード４，ビジタコイン５を受け付けている場合には投入コイン保持部１２０で保持しているビジタコイン５，会員カード４もビジタコイン５も受け付けていない場合には収納コイン保持部１４０で保持しているビジタコイン５）の通番に１を加算して更新し（Ｓ１２４）、前記記録媒体ＩＤと使用額決定処理で決定された使用額とを含む減算要求を残額管理装置５０に対して送信する（Ｓ１２５）。
【０２１５】
次に玉貸ユニット２０は、使用額を記憶残額から減算し（Ｓ１２６）、当該玉貸ユニット２０の装置ＩＤと、使用額１００円毎に１パルスの売上パルスを台端末装置（図示外）に対して出力して（Ｓ１２７）、使用額分の玉貸処理を行う（Ｓ１２８）。なおＳ１２７の売上パルスが入力された台端末装置は、当該玉貸ユニット２０の装置ＩＤを付加した売上情報を、売上管理装置４０に対して送信する。
【０２１６】
ここで図１０を参照して、玉貸ユニット２０が行う、Ｓ１２８における使用額分の玉貸処理について説明する。まず玉貸ユニット２０の制御部２１は、ＥＥＰＲＯＭで記憶している貸与度数・玉数ＤＢの内容（図６（ｄ））に基づいて、前記Ｓ１２３の使用額決定処理で決定された使用額に対応する、パチンコ機１０に対して払出を指令する貸与度数（＊１欄）と、払出ユニット３０の玉払出装置３１に対して払出を指令する貸与玉数（＊２欄）とを決定する（Ｓ１０）。具体的には、使用額が５００円である場合には、パチンコ機１０に対して払出を指令する貸与度数として４度数を決定し、玉払出装置３１に対して払出を指令する貸与玉数として２０個を決定する。そして玉貸ユニット２０の制御部２１は、まず第１貸与処理を行い、該第１貸与処理が完了すると、引き続いて第２貸与処理を行う。なおＳ１０で決定された貸与度数が零である場合（例えば使用額が１００円である場合）には、第１貸与処理を行わずに、第２貸与処理を行う。
【０２１７】
この第１貸与処理では、まずパチンコ機１０に対して、単位貸与玉数（２５個）の貸与を要求する玉貸要求信号を送信し（Ｓ１１）、該玉貸要求信号を受信してパチンコ玉を払い出す準備が整っている（即ち玉切れが無く、エラーが無い）旨を確認したパチンコ機１０から送信されてくる、前記貸与の要求を了解した旨を示す要求了解信号を、所定時間（例えば５秒）以内に受信したか否かを判定する（Ｓ１２）。このＳ１２で所定時間以内に要求了解信号を受信した（ＹＥＳ）と判定された場合には、パチンコ機１０に対して、単位貸与玉数（２５個）の貸与を指令する玉貸指令信号を送信し（Ｓ１３）、該玉貸指令信号を受信してパチンコ玉を払い出し、単位貸与玉数のパチンコ玉の貸与を完了したパチンコ機１０から送信されてくる、該貸与を完了した旨を示す玉貸完了信号を、所定時間（例えば５秒）以内に受信したか否かを判定する（Ｓ１４）。このＳ１４で所定時間以内に玉貸完了信号を受信した（ＹＥＳ）と判定された場合には、制御部２１に設けられ、既に貸与に使用された度数をカウントする払出度数カウンタの値を加算して（Ｓ１５）、該払出度数カウンタの値が前記Ｓ１０で決定された貸与度数に達したか否かを判定する（Ｓ１６）。
【０２１８】
このＳ１６で払出度数カウンタの値が貸与度数に達していない（ＮＯ）と判定された場合には、Ｓ１１に戻って、払出度数カウンタの値が貸与度数に達するまで、Ｓ１１〜Ｓ１６の処理を繰り返して行う。即ち貸与処理手段として機能する制御部２１は、第１貸与処理として、単位貸与玉数をパチンコ機１０から払い出して貸与するための通信（Ｓ１１〜Ｓ１４）を繰り返して行う。一方、Ｓ１６で払出度数カウンタの値が貸与度数に達した（ＹＥＳ）と判定された場合には、払出度数カウンタの値をリセットして（Ｓ１７）、第１貸与処理を完了し、引き続いて第２貸与処理を行う。
【０２１９】
この第１貸与処理において、Ｓ１２で所定時間以内に要求了解信号を受信しなかった（ＮＯ）と判定された場合，及びＳ１４で所定時間以内に玉貸完了信号を受信しなかった（ＹＥＳ）と判定された場合には、第１貸与処理が完了しなかったものとして、前記Ｓ１０で決定された貸与度数から払出度数カウンタの値を減じた未払い度数を未払い度数表示器２５ａに表示して（Ｓ１８）、Ｓ１７に進む。これによれば、パチンコ機１０における故障，パチンコ玉の詰まり，パチンコ玉の不足の発生等により、第１貸与処理が完了しなかった場合であっても、未払い度数が表示されることにより、遊技場の店員が該未払い度数を確認して遊技者に補償を行う（即ち未払い度数×２５個のパチンコ玉を遊技者に手渡す）ことが可能となるため、遊技者が損をすることが無く、また減算処理（Ｓ１２５の減算要求の送信）は行われているので、残存する管理残額に１００円未満の端数額が生じることが無い。
【０２２０】
また第２貸与処理では、払出ユニット３０の玉払出装置３１に対して、前記Ｓ１０で決定された貸与玉数を示す払出指令を送信することにより、該貸与玉数の払出を指令し（Ｓ２１）、制御部２１に設けられたタイマＴによる計時を開始して（Ｓ２２）、該タイマＴが所定時間（玉払出装置３１が最大で２４個のパチンコ玉を払い出すために十分な時間であり、例えば１５秒）を計時してタイムアウトするまでに、前記払出玉数カウンタの値が前記Ｓ１０で決定された貸与玉数に達したか否かを判定する（Ｓ２３，Ｓ２４）。このＳ２３，Ｓ２４でタイマＴがタイムアウトするまでに払出玉数カウンタの値が貸与玉数に達した（Ｓ２３でＹＥＳ）と判定された場合には、タイマＴをリセットすると共に（Ｓ２５）、払出玉数カウンタの値をリセットして（Ｓ２６）、第２貸与処理を完了し、Ｓ３１に進む。
【０２２１】
一方、Ｓ２３，Ｓ２４でタイマＴがタイムアウトするまでに払出玉数カウンタの値が貸与玉数に達しなかった（Ｓ２４でＹＥＳ）と判定された場合には、前記Ｓ１０で決定された貸与玉数から払出玉数カウンタの値を減じた未払い玉数を未払い玉数表示器２５ｂに表示して（Ｓ２７）、Ｓ２６に進む。これによれば、払出ユニット３０の玉払出装置３１における故障，パチンコ玉の詰まり，パチンコ玉の不足の発生等により、第２貸与処理が完了しなかった場合であっても、未払い玉数が表示されることにより、遊技場の店員が該未払い玉数を確認して遊技者に補償を行った後（即ち未払い玉数のパチンコ玉を遊技者に手渡した後）に、遊技用装置（玉貸ユニット２０及び／又は払出ユニット３０）を交換する等の対処（つまり遊技用装置が故障しているのでなければ、後述するリセット操作を受け付けた後にそのまま継続して使用する処置であり、遊技用装置が故障しているのであれば、該遊技用装置を交換する処置）が可能となるため、遊技者が損をすることが無く、また減算処理（Ｓ１２５の減算要求の送信）は行われているので、残存する管理残額に１００円未満の端数額が生じることが無い。
【０２２２】
以上に説明した遊技用装置（玉貸ユニット２０及び払出ユニット３０）によれば、玉貸ユニット２０が行う単位貸与処理である玉貸処理において、単位貸与価値（１００円の整数倍）に相当するパチンコ玉のうち、単位貸与玉数（２５個）に対応する部分（２５個の整数倍）をパチンコ機１０から払い出す第１貸与処理と、端数玉数を併設された払出ユニット３０の玉払出装置３１から払い出す第２貸与処理とが行われることにより、管理残額をすべて使い切ることなく途中で遊技をやめた場合であっても、残存する管理残額に１００円未満の端数額が生じることが無い。従って、パチンコ玉の貸与に使用された価値に対して消費税額を徴収する場合であっても、前記単位貸与価値を消費税額込み（いわゆる内税）としておけば、管理残額をすべて使い切ることなく途中で遊技をやめた場合であっても、残存する管理残額に１００円未満の端数額が生じることが無く、該端数額を精算して遊技者に返却するために、遊技場が大量の小銭を準備して精算装置６０に補充する等の手間が無い。また玉貸ユニット２０に払出手段を内蔵するスペースが無い場合であっても、端数玉数の払出が可能となる。
【０２２３】
第１貸与処理に引き続いて第２貸与処理を完了した玉貸ユニット２０は、未払い表示中であるか否か、即ち未払い度数表示器２５ａ又は未払い玉数表示器２５ｂの少なくとも一方が表示中であるか否かを判定する（Ｓ３１）。このＳ３１で未払い表示中でない（ＮＯ）と判定された場合には、玉貸処理を終了して、図８に示すメインルーチンに戻る。一方、Ｓ３１で未払い表示中である（ＹＥＳ）と判定された場合には、Ｓ３２〜Ｓ４０の処理を行う。
【０２２４】
まずＳ３２では、制御部２１のＲＡＭで記憶している記憶残額が零であるか否かを判定する。このＳ３２で記憶残額が零でない（ＮＯ）と判定された場合には、残額管理装置５０とオフライン状態にある精算装置６０において後述するオフライン精算処理を可能とするために、制御部２１のＲＡＭで記憶している記憶残額（即ち管理残額）を特定可能な管理残額特定情報（元データと演算方式フラグ）を記録した記録媒体を返却するための処理を行う。
【０２２５】
具体的には、まず演算方式を決定し（Ｓ３３）、該決定した演算方式で記憶残額が演算されるような元データを前述した方法で算出する（Ｓ３４）。ここで演算方式は、例えば記録媒体の排出（返却）毎に、前述した加算優先演算方式又は乗除算優先演算方式を交互に選択することによって決定する。そして記録媒体（即ち会員カード４を受け付けている場合にはカード保持部１９１で保持している会員カード４，ビジタコイン５を受け付けている場合には投入コイン保持部１２０で保持しているビジタコイン５，会員カード４もビジタコイン５も受け付けていない場合には収納コイン保持部１４０で保持しているビジタコイン５）に、算出した基準データ，乗算データ，除算データ，及び加算データからなる元データと、演算方式フラグとを記録し（Ｓ３５）、制御部２１のＲＡＭで記憶している記憶残額を消去して（Ｓ３６）、Ｓ３７に進む。
【０２２６】
Ｓ３７では、遊技場の店員によるリセット操作、即ちリセットボタンの操作又は玉貸ユニット２０の電源ＯＦＦを待機し、このＳ３７でリセット操作が有る（ＹＥＳ）と判定された場合には、記録媒体（即ち会員カード４を受け付けている場合にはカード保持部１９１で保持している会員カード４，ビジタコイン５を受け付けている場合には投入コイン保持部１２０で保持しているビジタコイン５，会員カード４もビジタコイン５も受け付けていない場合には収納コイン保持部１４０で保持しているビジタコイン５）を返却して（Ｓ３８）、玉貸処理を終了する。
【０２２７】
そして未払い表示中である未払い度数表示器２５ａ及び／又は未払い玉数表示器２５ｂの表示を消去して、貨幣受付，又は記録媒体受付を待機する状態に復帰し、当該遊技用装置（玉貸ユニット２０及び／又は払出ユニット３０）が故障していないようであれば、当該遊技用装置をそのまま継続して使用する。一方、当該遊技用装置が故障しているようであれば、当該遊技用装置を交換する。これらの場合であっても、未払い度数及び／又は未払い玉数の補償は行われているので、遊技者が損をすることはない。
【０２２８】
前記Ｓ３２で記憶残額が零である（ＹＥＳ）と判定された場合には、会員カード４を受付中であるか否かを判定する（Ｓ３９）。このＳ３９で会員カード４を受付中である（ＹＥＳ）と判定された場合には、該会員カード４を返却する必要があるため、前記Ｓ３７に進む。一方、Ｓ３９で会員カード４を受付中でない（ＮＯ）と判定された場合には、ビジタコイン５を返却するする必要がないため、前記Ｓ３７と同様に、遊技場の店員によるリセット操作を待機し（Ｓ４０）、このＳ４０でリセット操作が有る（ＹＥＳ）と判定された場合には、玉貸処理を終了し、未払い表示中である未払い度数表示器２５ａ及び／又は未払い玉数表示器２５ｂの表示を消去して、貨幣受付，又は記録媒体受付を待機する状態に復帰し、前述の如く、当該遊技用装置を継続して使用するか、又は交換する。
【０２２９】
図８に戻り、Ｓ１２５の減算要求を受信した残額管理装置５０は、前記残額管理ＤＢにおいて、該減算要求に含まれる使用額を該減算要求に含まれる記録媒体ＩＤに対応付けて管理している管理残額から減算し（Ｓ１２９）、該記録媒体ＩＤに対応付けられた通番に１を加算して更新し（Ｓ１３０）、該記録媒体ＩＤに対応するステータスとして減算処理済と記憶して（Ｓ１３１）、減算完了通知を玉貸ユニット２０に対して送信する（Ｓ１３２）。なお図示しないが、前記減算要求を受信した残額管理装置５０は、前述の如く、売上ＤＢの更新も行う。
【０２３０】
Ｓ１３２の減算完了通知を受信した玉貸ユニット２０は、制御部２１のＲＡＭで記憶している記憶残額が零であるか否かを判定する（Ｓ１３３）。このＳ１３３で記憶残額が零でない（ＮＯ）と判定された場合には、前記Ｓ１１１に戻る。
【０２３１】
一方、Ｓ１３３で記憶残額が零である（ＹＥＳ）と判定された場合には、記録媒体（会員カード４又はビジタコイン５）を受付中であるか否かを判定する（Ｓ１３４）。このＳ１３４で記録媒体を受付中でない（ＮＯ）と判定された場合には、貨幣受付，又は記録媒体受付を待機する状態となる（Ｓ１３５）。一方、Ｓ１３４で記録媒体を受付中である（ＹＥＳ）と判定された場合には、ビジタコイン５を受付中であるか否かを判定する（Ｓ１３６）。このＳ１３６でビジタコイン５を受付中である（ＹＥＳ）と判定された場合には、第２の投入コインストッパ１２２を開放状態とすることにより、投入コイン保持部１２０で保持しているビジタコイン５を収納通路１３１に収納して（Ｓ１３７）、貨幣受付，又は記録媒体受付を待機する状態となる（Ｓ１３５）。一方、Ｓ１３６でビジタコイン５を受付中でない（ＮＯ），即ち会員カード４を受付中であると判定された場合には、貨幣受付，又は返却操作を待機する状態となる（Ｓ１３８）。つまり、玉貸ユニット２０の制御部２１は、記録媒体回収手段の一例であって、オンライン状態が検知されているときに、管理残額が零の記録媒体を回収する。具体的には、ＲＡＭの記憶残額が零となったときに、ビジタコイン５を受け付けていることに基づいて、当該ビジタコイン５を収納通路１３１に回収して収納する。
【０２３２】
次に図１１は、残額管理装置５０とオンライン状態である玉貸ユニット２０において記録媒体を受け付けた場合の処理の一例を表す図である。玉貸ユニット２０は、記録媒体受付を待機している状態で、記録媒体（会員カード４又はビジタコイン５）を受け付けると（Ｓ２０１）、該受け付けた記録媒体の記録情報を読み取り、該読み取った記録媒体ＩＤ，オフライン消費情報，オフライン精算情報，通番，及び当該玉貸ユニット２０の装置ＩＤを含む挿入通知を残額管理装置５０に対して送信する（Ｓ２０２）。
【０２３３】
Ｓ２０２の挿入通知を受信した残額管理装置５０は、該挿入通知に含まれる通番が該挿入通知に含まれる記録媒体ＩＤと対応付けられた通番と一致するか否かを判定する（Ｓ２０３）。このＳ２０３で通番が一致しない（ＮＯ）と判定された場合には、後述するＳ２６０以下の通番不一致時処理に進む。一方、Ｓ２０３で通番が一致する（ＹＥＳ）と判定された場合には、前記挿入通知に含まれる記録媒体ＩＤに対応するステータスが入金処理中であるか否かを判定する（Ｓ２０４）。このＳ２０４で入金処理中である（ＹＥＳ）と判定された場合には、前記残額管理ＤＢにおいて、前記記録媒体ＩＤに対応付けて記憶されている受付貨幣額を該記録媒体ＩＤに対応付けて管理されている管理残額に対して加算することなく消去し（Ｓ２０５）、Ｓ２０９に進む。
【０２３４】
即ち通番が一致しており、ステータスが入金処理中である（受付貨幣額が未加算の状態で記憶されている）場合とは、残額管理装置５０が入金要求（図７のＳ１０３）を受信してから玉貸ユニット２０が予定残額通知（同Ｓ１０６）を受信する前にオフライン状態が発生した場合であり、この場合には玉貸ユニット２０において受付貨幣の返却が行われているにも拘わらず、受付貨幣額が未加算状態のままとなり、該未加算状態で放置されると、該受付貨幣額が管理残額に加算されてしまった場合に遊技場が損害を被ることになるため、残額管理装置５０において受付貨幣額を管理残額に対して加算することなく該受付貨幣額を消去する処理を行うものである。
【０２３５】
このように、通番が一致すると判定され、かつ受付貨幣額が未加算の状態で記憶されていることを条件として、受付貨幣額加算処理が行われることなく、加算済更新処理が行われるので、残額管理装置５０が入金要求を受信してから玉貸ユニット２０が残額通知（予定残額通知）を受信する前にオフライン状態となった場合にも、正確な残額を確定することができる。また当該記録媒体をオンライン状態にある別の玉貸ユニット２０に挿入することで、当該記録媒体の管理残額を使用して遊技を行うことが可能であり、遊技者に極力迷惑をかけないようにすることができる。
【０２３６】
前記Ｓ２０４で入金処理中でない（ＮＯ）と判定された場合には、前記記録媒体ＩＤに対応するステータスが挿入処理中であるか否かを判定する（Ｓ２０６）。このＳ２０６で挿入処理中である（ＹＥＳ）と判定された場合には、前記残額管理ＤＢにおいて、前記記録媒体ＩＤに対応付けて記憶されているオフライン消費額を該記録媒体ＩＤに対応付けて管理されている管理残額から減算することなく消去し（Ｓ２０７）、前記記録媒体ＩＤに対応付けて記憶されているオフライン精算額を該記録媒体ＩＤに対応付けて管理されている管理残額に対して減算することなく消去して（Ｓ２０８）、Ｓ２０９に進む。
【０２３７】
即ち通番が一致しており、ステータスが挿入処理中であり、かつオフライン消費額及び／又はオフライン精算額が未減算の状態で記憶されている場合とは、残額管理装置５０が挿入通知，オンライン復帰通知，又は供給通知（図１１のＳ２０２，図２２のＳ６０７，図１４のＳ１９３）を受信してから玉貸ユニット２０が予定残額通知（図１２のＳ２４１）を受信する前，又は残額管理装置５０が精算要求（図２４のＳ７０２）を受信してから精算装置６０が精算許諾情報（図２５のＳ２４１ｂ）を受信する前にオフライン状態が発生した場合であり、この場合には残額管理装置５０で記憶されているオフライン消費額及び／又はオフライン精算額が消去されずに残存状態のままとなり、該残存状態のオフライン消費額及び／又はオフライン精算額が管理残額から減算されると、遊技者（オフライン消費額及び／又はオフライン精算額が記憶されている場合）が損害を被ることになるため、残額管理装置５０においてオフライン消費額及び／又はオフライン精算額を管理残額から減算せずに該オフライン消費額及び／又はオフライン精算額を消去する処理を行うものである。
【０２３８】
このように、通番が一致すると判定され、かつオフライン消費額及び／又はオフライン精算額が未減算の状態で記憶されていることを条件として、オフライン消費額及び／又はオフライン精算額の減算を行わずに消去が行われるので、残額管理装置５０が記録媒体受付通知（挿入通知）を受信してから玉貸ユニット２０が残額通知（予定残額通知）を受信する前，又は残額管理装置５０が精算要求を受信してから精算装置６０が精算許諾情報を受信する前にオフライン状態となった場合にも、正確な残額を確定することができる。また当該記録媒体をオンライン状態にある別の玉貸ユニット２０に挿入することで、当該記録媒体の管理残額を使用して遊技を行うことが可能であり、遊技者に極力迷惑をかけないようにすることができる。
【０２３９】
前記Ｓ２０６で挿入処理中でない（ＮＯ）と判定された場合，又はＳ２０５若しくはＳ２０８の処理が行われた場合には、残額管理装置５０は、前記残額管理ＤＢにおいて、前記記録媒体ＩＤに対応するステータスとして挿入処理中と記憶し（Ｓ２０９）、前記挿入通知に含まれるオフライン消費情報が無いか否かを判定する（Ｓ２１０）。このＳ２１０でオフライン消費情報が無い（ＹＥＳ）と判定された場合には、前記挿入通知に含まれるオフライン精算情報が無いか否かを判定する（Ｓ２１７）。このＳ２１７でオフライン精算情報が無い（ＹＥＳ）と判定された場合には、Ｓ２２０に進む。
【０２４０】
即ち通番が一致しており、記録媒体のオフライン消費額及びオフライン精算額が無い場合とは、第１にオフライン状態が発生していない場合，第２にオフライン消費額及びオフライン精算額が記録されていない記録媒体を受け付けた玉貸ユニット２０からの挿入通知を残額管理装置５０が受信してから玉貸ユニット２０が残額通知（図１２のＳ２２１）を受信する前にオフライン状態が発生した場合，又は第３にオフライン消費額及びオフライン精算額が記録されていない記録媒体を受け付けた精算装置６０からの精算要求を残額管理装置５０が受信してから精算装置６０が精算許諾情報（図２５のＳ２２１ａ）を受信する前にオフライン状態が発生した場合のいずれかであり、いずれの場合にも消去すべきオフライン消費額及びオフライン精算額が記録媒体に記録されていないので、後述するＳ２２０に進む。
【０２４１】
前記Ｓ２１０でオフライン消費情報が有る（ＮＯ）と判定された場合には、挿入通知に含まれる記録媒体ＩＤに対応して図６（ａ）の残額管理ＤＢに記憶されている使用装置ＩＤを特定し（Ｓ２１１）、特定した装置ＩＤに対応して図６（ａ）の設定値ＤＢに記憶されているオフライン時基準金額を特定し（Ｓ２１２）、特定したオフライン時基準金額から前記挿入通知に含まれるオフライン消費情報を減算してオフライン消費額を算出し（Ｓ２１３）、前記残額管理ＤＢにおいて、算出したオフライン消費額を前記記録媒体ＩＤに対応付けて記憶し（Ｓ２１４）、前記挿入通知に含まれるオフライン精算情報が無いか否かを判定する（Ｓ２１５）。このＳ２１５でオフライン精算情報が無い（ＹＥＳ）と判定された場合には、Ｓ２４０に進む。
【０２４２】
ここで、残額管理ＤＢに記憶されている使用装置ＩＤは、前記記録媒体を前回受け付けていた玉貸ユニット２０（又は精算装置６０）の装置ＩＤである。従って、前回受け付けていた玉貸ユニット２０がオフライン状態となり、当該記録媒体にオフライン消費情報を記録して排出している場合、当該玉貸ユニット２０の装置ＩＤが記憶されていることになる。つまり、Ｓ２１１において、（オフライン消費情報を含む）挿入通知に含まれる記録媒体ＩＤの記録媒体を排出した玉貸ユニット２０の装置ＩＤを特定している。
【０２４３】
前記Ｓ２１５でオフライン精算情報が有る（ＮＯ）と判定された場合には、管理残額からＳ２１４で記憶されたオフライン消費額を減算してオフライン精算額を算出して（Ｓ２１６）、Ｓ２１９に進む。また前記Ｓ２１７でオフライン精算情報が有る（ＮＯ）と判定された場合には、管理残額をオフライン精算額として（Ｓ２１８）、Ｓ２１９に進む。そして、前記残額管理ＤＢにおいて、算出したオフライン精算額を前記記録媒体ＩＤに対応付けて記憶し（Ｓ２１９）、Ｓ２４０に進む。ここで、本実施形態においては、オフライン精算情報としてオフライン精算処理が行われたか否かを示すフラグが送信されてくるが、本実施形態の精算装置６０は管理残額（記録媒体の管理残額特定情報から特定される管理残額）の一部精算は行わず、全額を精算するので、Ｓ２１６やＳ２１９の演算によりオフライン精算額を特定可能となる。
【０２４４】
次に図１２は、図１１に続く図である。残額管理装置５０は、前記Ｓ２１０でオフライン消費情報が無い（ＹＥＳ）と判定され、前記Ｓ２１７でオフライン精算情報が無い（ＹＥＳ）と判定された場合には、該記録媒体ＩＤに対応付けて前記挿入通知に含まれる装置ＩＤを記憶し（Ｓ２２０）、該記録媒体ＩＤに対応付けて管理されている管理残額を含む残額通知を玉貸ユニット２０に対して送信する（Ｓ２２１）。
【０２４５】
Ｓ２２１の残額通知を受信した玉貸ユニット２０は、該残額通知に含まれる管理残額を制御部２１のＲＡＭで記憶し（Ｓ２２２）、記録媒体（即ち会員カード４を受け付けている場合にはカード保持部１９１で保持している会員カード４，ビジタコイン５を受け付けている場合には投入コイン保持部１２０で保持しているビジタコイン５）の通番に１を加算して更新し（Ｓ２２３）、前記記録媒体ＩＤを含む残額受信通知を残額管理装置５０に対して送信し（Ｓ２２４）、記憶残額を残額表示器２６に表示すると共に、該記憶残額に基づく残度数を残度数表示器１４に表示して（Ｓ２２５）、玉貸操作，貨幣受付，又は返却操作を待機する状態となる（Ｓ２２６）。Ｓ２２４の残額受信通知を受信した残額管理装置５０は、前記残額管理ＤＢにおいて、該残額受信通知に含まれる記録媒体ＩＤに対応付けられた通番に１を加算して更新し（Ｓ２２７）、該記録媒体ＩＤに対応するステータスを挿入処理済に更新する（Ｓ２２８）。
【０２４６】
また残額管理装置５０は、前記Ｓ２１０でオフライン消費情報が有る（ＮＯ）と判定された場合と、前記Ｓ２１０でオフライン消費情報が無い（ＹＥＳ）と判定され、前記Ｓ２１７でオフライン精算情報が有る（ＮＯ）と判定された場合には、前記記録媒体ＩＤに対応付けて前記挿入通知に含まれる装置ＩＤを記憶し（Ｓ２４０）、該記録媒体ＩＤに対応付けて管理されている管理残額からオフライン消費額とオフライン精算額とを減算した補正額を含む予定残額通知を玉貸ユニット２０に対して送信する（Ｓ２４１）。なお、オフライン精算額がある場合には、本実施形態においては、一部精算ではなく全額精算であるので、オフライン精算時には管理残額からオフライン消費額を減算した額が精算される結果、管理残額からオフライン消費額及びオフライン精算額を減算した額が零となるので、Ｓ２４１の補正額は零となる。
【０２４７】
Ｓ２４１の予定残額通知を受信した玉貸ユニット２０は、該予定残額通知に含まれる補正額を残額として制御部２１のＲＡＭで記憶し（Ｓ２４２）、記録媒体（即ち会員カード４を受け付けている場合にはカード保持部１９１で保持している会員カード４，ビジタコイン５を受け付けている場合には投入コイン保持部１２０で保持しているビジタコイン５）に記録されているオフライン消費情報を消去すると共に（Ｓ２４３）、該記録媒体に記録されているオフライン精算情報を消去し（Ｓ２４４）、該記録媒体の通番に１を加算して更新し（Ｓ２４５）、前記記録媒体ＩＤを含むオフライン情報消去通知を残額管理装置５０に対して送信して（Ｓ２４６）、前記Ｓ２２５に進む。
【０２４８】
Ｓ２４６のオフライン情報消去通知を受信した残額管理装置５０は、前記残額管理ＤＢにおいて、前記記録媒体ＩＤに対応付けて記憶されているオフライン消費額を該記録媒体ＩＤに対応付けて管理されている管理残額から減算して、該オフライン消費額を消去すると共に（Ｓ２４７）、前記記録媒体ＩＤに対応付けて記憶されているオフライン精算額を該記録媒体ＩＤに対応付けて管理されている管理残額から減算して、該オフライン精算額を消去する（Ｓ２４８）。そして前記記録媒体ＩＤに対応付けられた通番に１を加算して更新して（Ｓ２２７）、該記録媒体ＩＤに対応するステータスを挿入処理済に更新する（Ｓ２２８）。
【０２４９】
また、オンライン状態にある玉貸ユニット２０において、オフライン状態にあった他の玉貸ユニット２０で記憶残額を使用した貸与処理が行われて排出された記録媒体が受け付けられると、記録媒体ＩＤとオフライン消費情報とを含む挿入通知が残額管理装置５０に対して送信され、残額管理装置５０において、当該記録媒体を排出した玉貸ユニット２０に対応するオフライン時基準金額とオフライン消費情報とに基づいて、オフライン消費額が特定され、管理残額からオフライン消費額を減算した残額が玉貸ユニット２０に通知されることで、オフライン消費額分が減算補正された管理残額で貸与処理を可能とすると共に、残額管理装置５０で管理されている管理残額も当該減算補正された値に更新される。
【０２５０】
また、オンライン状態にある玉貸ユニット２０において、オフライン精算処理に供された記録媒体が受け付けられると、記録媒体ＩＤとオフライン精算情報とを含む挿入通知が残額管理装置５０に対して送信され、残額管理装置５０において、オフライン精算情報からオフライン精算額が特定され、管理残額からオフライン精算額を減算した残額が玉貸ユニット２０に通知されると共に、残額管理装置５０で管理されている管理残額もオフライン精算額分減算補正された値に更新される。
【０２５１】
次に図１３は、図１１に続く図であり、通番不一致時処理の一例を表す図である。残額管理装置５０は、前記Ｓ２０３で通番が一致しない（ＮＯ）と判定された場合には、前記残額管理ＤＢにおいて、前記挿入通知に含まれる記録媒体ＩＤに対応付けられた通番に１を加算して更新する（Ｓ２６０）。即ち、記録通番＝管理通番とする。そして該挿入通知に含まれる記録媒体ＩＤに対応するステータスが入金処理中であるか否かを判定する（Ｓ２６１）。このＳ２６１で入金処理中である（ＹＥＳ）と判定された場合には、前記残額管理ＤＢにおいて、前記記録媒体ＩＤに対応付けて記憶されている受付貨幣額を該記録媒体ＩＤに対応付けて管理されている管理残額に対して加算し、該受付貨幣額を消去して（Ｓ２６２）、Ｓ２７４に進む。
【０２５２】
即ち通番が一致せず、ステータスが入金処理中である（受付貨幣額が未加算の状態で記憶されている）場合とは、玉貸ユニット２０が予定残額通知（図７のＳ１０６）を受信してから残額管理装置５０が貨幣取込通知（同Ｓ１１０）を受信する前にオフライン状態が発生した場合であり、この場合には玉貸ユニット２０において受付貨幣の取込が行われているにも拘わらず、受付貨幣額が未加算状態のままとなり、該未加算状態で放置されると遊技者が損害を被ることになるため、残額管理装置５０において受付貨幣額を管理残額に対して加算して該受付貨幣額を消去する処理を行うものである。
【０２５３】
このように、通番が一致しないと判定され、かつ受付貨幣額が未加算の状態で記憶されていることを条件として、受付貨幣額加算処理と加算済更新処理とが行われるので、玉貸ユニット２０が残額通知（予定残額通知）を受信してから残額管理装置５０が通番更新通知（貨幣取込通知）を受信する前にオフライン状態となった場合にも、正確な残額を確定することができる。また当該記録媒体をオンライン状態にある別の玉貸ユニット２０に挿入することで、当該記録媒体の管理残額を使用して遊技を行うことが可能であり、遊技者に極力迷惑をかけないようにすることができる。
【０２５４】
ここで本発明のように、記録媒体に通番を記録している場合に生じる効果について、例を挙げて説明する。本例のように、入金要求を受信した残額管理装置５０で、受付貨幣額を一旦記憶して、予定残額通知を玉貸ユニット２０に対して返信し、該予定残額通知を受信した玉貸ユニット２０で、受付貨幣の取込を行った後に、貨幣取込通知を残額管理装置５０に対して送信し、該貨幣取込通知を受信した残額管理装置５０で、受付貨幣額を管理残額に加算するように構成すると共に、玉貸ユニット２０が予定残額通知を受信する前にオフライン状態が発生した場合には受付貨幣を返却するように構成した場合、予定残額通知の送信後にオフライン状態が発生すると、従来技術（特開２０００−１４８６８３号公報）を使用しても、当該オフライン状態が発生した玉貸ユニット２０がオンライン状態に復帰するまでは、玉貸ユニット２０が予定残額通知を受信したか否か，即ち受付貨幣の取込が行われたか否かを、残額管理装置５０側では特定不可能である。
【０２５５】
そのため、当該オフライン状態の玉貸ユニット２０から排出された記録媒体が他のオンライン状態の玉貸ユニット２０で受け付けられ、挿入通知が送信されてきたときに、受付貨幣の取込が行われたか否かを、残額管理装置５０側において特定できない。このときに、一律に受付貨幣額を管理残額に加算すると、玉貸ユニット２０が予定残額通知を受信しておらず、受付貨幣が返却されていた場合には、遊技場が損害を被る。一方、一律に入金予定額を消去すると、玉貸ユニット２０が予定残額通知を受信しており、受付貨幣の取込が行われていた場合に、遊技者が損害を被る。また前記オフライン状態の玉貸ユニット２０がオンライン状態に復帰するまで一律に記録媒体の残額の使用を許可しない（例えば記録媒体の返却禁止，又は返却は可能であるがオフライン状態の玉貸ユニット２０から排出された事を特定可能な情報（例えばオフライン時排出フラグ）を記録して、他の玉貸ユニット２０や精算装置６０で使用不可能とする処理を行う）ようにすると、遊技者に迷惑がかかる。
【０２５６】
そこで本発明のように、記録媒体に通番を記録すると共に、残額管理装置５０で記録媒体ＩＤに対応付けられた通番を管理するようにしておき、玉貸ユニット２０で受付貨幣の取込を行ったときに記録通番を更新し、残額管理装置５０で受付貨幣額の加算・消去を行ったときに管理通番を更新することで、通番が一致するときには、受付貨幣の取込が行われていないことを特定して、受付貨幣額を加算することなく消去し、通番が一致しないときには、受付貨幣の取込が行われていることを特定して、受付貨幣額を加算して消去することで、残額を確定することができる。そのため、遊技者又は遊技場が損害を被ることがなく、またオフライン状態となった玉貸ユニット２０がオンライン状態に復帰するのを待つことなく、他の玉貸ユニット２０での使用や精算装置６０での精算を行うことができ、遊技者に迷惑がかからない。
【０２５７】
前記Ｓ２６１で入金処理中でない（ＮＯ）と判定された場合には、前記記録媒体ＩＤに対応するステータスが挿入処理中であるか否かを判定する（Ｓ２６３）。このＳ２６３で挿入処理中である（ＹＥＳ）と判定された場合には、前記残額管理ＤＢにおいて、前記記録媒体ＩＤに対応付けて記憶されているオフライン消費額を該記録媒体ＩＤに対応付けて管理されている管理残額から減算し、該オフライン消費額を消去すると共に（Ｓ２６４）、前記記録媒体ＩＤに対応付けて記憶されているオフライン精算額を該記録媒体ＩＤに対応付けて管理されている管理残額から減算し、該オフライン精算額を消去して（Ｓ２６５）、Ｓ２７４に進む。
【０２５８】
即ち通番が一致せず、ステータスが挿入処理中であり、オフライン消費額及び／又はオフライン精算額が未減算の状態で記憶されている場合とは、玉貸ユニット２０が予定残額通知（図１２のＳ２４１）を受信してから残額管理装置５０がオフライン情報消去通知（同Ｓ２４６）を受信する前，又は精算装置６０が精算許諾情報（図２５のＳ２４１ｂ）を受信してから残額管理装置５０がオフライン情報消去通知（同Ｓ２４６）を受信する前にオフライン状態が発生した場合であり、この場合には記録媒体に記録されているオフライン消費情報及び／又はオフライン精算情報の消去が行われているにも拘わらず、オフライン消費額及び／又はオフライン精算額が未減算状態のままとなり、該未減算状態で放置されると遊技場が損害を被ることになるため、残額管理装置５０において管理残額からオフライン消費額及び／又はオフライン精算額を減算して消去する処理を行うものである。
【０２５９】
このように、通番が一致しないと判定され、かつオフライン消費額及び／又はオフライン精算額が未減算であることを条件として、管理残額からオフライン消費額及び／又はオフライン精算額を減算し、オフライン消費額及び／又はオフライン精算額を消去する処理が行われるので、玉貸ユニット２０が残額通知（予定残額通知）を受信してから残額管理装置５０が通番更新通知（オフライン情報消去通知）を受信する前にオフライン状態となった場合にも、正確な残額を確定することができる。また当該記録媒体をオンライン状態にある別の玉貸ユニット２０に挿入することで、当該記録媒体の管理残額を使用して遊技を行うことが可能であり、遊技者に極力迷惑をかけないようにすることができる。
【０２６０】
前記Ｓ２６３で挿入処理中でない（ＮＯ）と判定された場合には、前記記録媒体ＩＤに対応付けて残額管理ＤＢに記憶されている使用装置ＩＤが、玉貸ユニット２０の装置ＩＤであるか否かを判定する（Ｓ２６６）。このＳ２６６で玉貸ユニット２０の装置ＩＤでない（ＮＯ）と判定された場合、即ち精算装置６０の装置ＩＤであると判定された場合には、前記残額管理ＤＢにおいて、前記記録媒体ＩＤに対応付けて記憶されている管理残額を消去してステータスを精算処理済に更新し（Ｓ２６７）、Ｓ２７４に進む。
【０２６１】
即ち通番が一致せず、ステータスが入金処理中及び挿入処理中でなく、使用装置ＩＤが精算装置６０の装置ＩＤである場合とは、精算装置６０が精算許諾情報（図２５のＳ２２１ｂ又はＳ２４１ｂ）を受信してから、精算操作を受け付け（図２６のＳ７８０）、残額管理装置５０が精算完了通知（同Ｓ７８３）を受信する前にオフライン状態が発生した場合であり、この場合には精算装置６０において許諾額分の貨幣の払い出しが行われているにも拘わらず、管理残額が消去されずに残存状態のままとなり、該残存状態の管理残額に基づいて貨幣の払い出しが行われると遊技場が損害を被ることになるため、残額管理装置５０において管理残額を消去する処理を行うものである。
【０２６２】
このように、通番が一致しないと判定され、かつ精算要求受信情報が管理されている（即ちステータスが入金処理中及び挿入処理中でなく、使用装置ＩＤが精算装置６０の装置ＩＤである）ことを条件として、管理残額更新処理と精算要求消去処理とが行われるので、精算装置６０が精算許諾情報を受信してから、精算操作を受け付け、残額管理装置５０が精算完了通知を受信する前にオフライン状態となった場合、即ち遊技者に貨幣が払い出されているにも拘わらず管理残額が零に更新されていない状況となっても、その後、記録媒体の通番の受信によって管理残額を零に更新することができ、遊技場の損害を防止することができる。
【０２６３】
前記Ｓ２６６で玉貸ユニット２０の装置ＩＤである（ＹＥＳ）と判定された場合には、図６（ａ）に示す残額管理ＤＢを参照して、前記挿入通知に含まれる記録媒体ＩＤに対応付けて記憶されている使用装置ＩＤを、当該記録媒体がオンライン状態で最後に使用された玉貸ユニット２０の装置ＩＤとして特定し（Ｓ２６９）、さらに図６（ａ）に示す設定値ＤＢを参照して、該特定した装置ＩＤに対応する玉貸設定金額を特定し（Ｓ２７０）、前記挿入通知に含まれる記録媒体ＩＤに対応付けて管理されている管理残額が該特定した玉貸設定金額以上であるか否かを判定する（Ｓ２７１）。
【０２６４】
このＳ２７１で管理残額が玉貸設定金額以上である（ＹＥＳ）と判定された場合には、前記残額管理ＤＢにおいて、該玉貸設定金額を使用額として管理残額から減算して（Ｓ２７２）、Ｓ２７４に進む。一方、Ｓ２７１で管理残額が玉貸設定金額未満である（ＮＯ）と判定された場合には、該管理残額を使用額として管理残額から減算、即ち該管理残額を消去して（Ｓ２７３）、Ｓ２７４に進む。
【０２６５】
即ち通番が一致せず、ステータスが入金処理中及び挿入処理中でなく、使用装置ＩＤが玉貸ユニット２０の装置ＩＤである場合とは、残額管理装置５０が減算要求（図８のＳ１２５）を受信する前にオフライン状態が発生した場合であり、この場合には玉貸ユニット２０において使用額分の玉貸処理が行われているにも拘わらず、残額管理装置５０において管理残額から使用額の減算処理が行われていない状態となり、該状態で放置されると遊技場が損害を被ることになるため、当該記録媒体がオンライン状態で最後に使用されていた玉貸ユニット２０を特定すると共に、その玉貸設定金額を特定し、管理残額が玉貸設定金額以上であれば該玉貸設定金額，管理残額が玉貸設定金額未満であれば該管理残額を、使用額として特定し、残額管理装置５０において減算処理を行うものである。
【０２６６】
このように、玉貸ユニット２０で管理残額貸与処理（使用額分の玉貸処理）が行われたにも拘わらず、オフライン状態の発生により残額管理装置５０で管理残額の減算処理が行われなかった場合に、当該記録媒体が他のオンライン状態の玉貸ユニット２０において受け付けられることで、残額管理装置５０において、該記録媒体に記録されている通番と該記録媒体の記録媒体ＩＤに対応付けて残額管理装置５０で管理されている通番とが一致しないと判定され、かつ受付貨幣額について加算済更新処理が行われていることを条件として、減算処理が行われなかったことが特定され、該減算処理が行われて残額が確定するので、オフライン状態が発生した玉貸ユニット２０がオンライン状態に復帰するのを待つことなく、管理残額を他の玉貸ユニット２０において使用することが可能となり、遊技者に迷惑がかかることがなく、また遊技場が損をすることもない。また減算処理が行われない事態を回避して、遊技場の損害を防止することができる。
【０２６７】
ここで各玉貸ユニット２０について異なる玉貸設定金額が設定される場合にも、挿入通知に含まれる記録媒体ＩＤの記録媒体が前回受け付けられていた玉貸ユニット２０を特定して、対応する玉貸設定金額を、管理残額から減算するので、正確な残額を確定することができる。また管理残額が玉貸設定金額未満である場合にも、管理残額を消去するので、正確な残額（即ち零）を確定することができる。
【０２６８】
以上に説明した遊技用システム１によれば、玉貸ユニット２０での特定処理に伴って更新される通番が記録媒体に記録されるので、オフライン状態が発生した玉貸ユニット２０がオンライン状態に復帰するのを待つことなく、該玉貸ユニット２０から排出された記録媒体が他のオンライン状態の玉貸ユニット２０において受け付けられることで、該記録媒体に記録されている通番と該記録媒体の記録媒体ＩＤに対応付けて残額管理装置５０で管理されている通番から、オフライン状態の発生により玉貸ユニット２０で特定処理が行われたにも拘わらず該特定処理に対応する連携処理が残額管理装置５０で行われていないことを特定して、対処することができる。
【０２６９】
ここで本発明のように、記録媒体に通番を記録している場合に生じる効果について、例を挙げて説明する。本例のように、玉貸ユニット２０で使用額分の玉貸処理が行われたときに、使用額を含む減算要求を残額管理装置５０に対して送信し、該減算要求を受信した残額管理装置５０で、該減算要求に含まれる使用額を管理残額から減算するように構成した場合、残額管理装置５０が減算要求を受信する前にオフライン状態が発生すると、従来の技術（特開２０００−１４８６８３）を使用しても、当該オフライン状態が発生した玉貸ユニット２０がオンライン状態に復帰するまでは、残額管理装置５０側で使用額の減算が行われたか否かを特定できない。
【０２７０】
そのため、当該オフライン状態の玉貸ユニット２０から排出された記録媒体が他のオンライン状態の玉貸ユニット２０に受け付けられ、挿入通知が送信されてきたときに、使用額の減算が行われたか否かを、残額管理装置５０側において特定できない。このときに、一律に記録媒体の管理残額を使用可能とすると、使用額が管理残額から減算されていない場合には、オンライン状態の玉貸ユニット２０で該減算前の管理残額が使用され、管理残額が使い切られてしまったときに、前記オフライン状態となった玉貸ユニット２０がオンライン状態に復帰しても使用額の減算処理が行えないので、遊技場が損害を被る。一方、使用額分の玉貸処理が行われた玉貸ユニット２０がオフライン状態となった場合に、前記オフライン状態の玉貸ユニット２０がオンライン状態に復帰するまで一律に記録媒体の残額の使用を許可しない（例えば記録媒体の返却禁止，又は返却は可能であるがオフライン状態の玉貸ユニット２０から排出された事を特定可能な情報（例えばオフライン時排出フラグ）を記録して、他の玉貸ユニット２０や精算装置６０で使用不可能とする処理を行う）ようにすると、遊技者に迷惑がかかる。
【０２７１】
そこで本発明のように、記録媒体に通番を記録すると共に、残額管理装置５０で記録媒体ＩＤに対応付けられた通番を管理するようにしておき、玉貸ユニット２０で玉貸処理を行ったときに記録通番を更新し、残額管理装置５０で使用額の減算を行ったときに管理通番を更新することで、通番が一致しないときには、減算が行われていないことを特定して、使用額を管理残額から減算し、通番が一致するときには、減算が完了していることを特定して、管理残額をそのままにしておくことで、残額を確定することができる。そのため、遊技者又は遊技場が損害を被ることがなく、またオフライン状態となった玉貸ユニット２０がオンライン状態に復帰するのを待つことなく、他の玉貸ユニット２０での使用や精算装置６０での精算を行うことができ、遊技者に迷惑がかからない。
【０２７２】
前記Ｓ２６２の処理後，前記Ｓ２６５の処理後，前記Ｓ２６７の処理後，前記Ｓ２７２の処理後，及び前記Ｓ２７３の処理後は、前記残額管理ＤＢにおいて、前記記録媒体ＩＤに対応するステータスとして挿入処理中と記憶し（Ｓ２７４）、前記挿入通知に含まれるオフライン消費情報が無いか否かを判定する（Ｓ２７５）。このＳ２７５でオフライン消費情報が無い（ＹＥＳ）と判定された場合には、前記挿入通知に含まれるオフライン精算情報が無いか否かを判定する（Ｓ２８２）。このＳ２８２でオフライン精算情報が無い（ＹＥＳ）と判定された場合には、前記Ｓ２２０に進む。
【０２７３】
即ち通番が一致せず、記録媒体のオフライン消費情報及びオフライン精算情報が無い場合とは、第１に入金処理中において玉貸ユニット２０が予定残額通知（図７のＳ１０６）を受信してから残額管理装置５０が貨幣取込通知（同Ｓ１１０）を受信する前にオフライン状態が発生した場合，第２に使用額分の玉貸処理が行われて残額管理装置５０が減算要求（図８のＳ１２５）を受信する前にオフライン状態が発生した場合，第３に挿入処理中において玉貸ユニット２０が残額通知（図１２のＳ２２１）又は予定残額通知（同Ｓ２４１）を受信してから残額管理装置５０が残額受信通知（同Ｓ２２４）又はオフライン情報消去通知（同Ｓ２４６）を受信する前にオフライン状態が発生した場合，第４に挿入処理中において精算装置６０が精算許諾情報（図２５のＳ２２１ｂ又はＳ２４１ｂ）を受信してから残額管理装置５０が精算許諾情報受信通知（同Ｓ２２４ｂ）又はオフライン情報消去通知（同Ｓ２４６）を受信する前にオフライン状態が発生した場合，第５に精算処理が行われて残額管理装置５０が精算完了通知（図２６のＳ７８３）を受信する前にオフライン状態が発生した場合のいずれかであり、いずれの場合にも消去すべきオフライン消費情報及びオフライン精算情報が記録媒体に記録されていないので、前記Ｓ２２０に進む。
【０２７４】
前記Ｓ２７５でオフライン消費情報が有る（ＮＯ）と判定された場合には、挿入通知に含まれる記録媒体ＩＤに対応して図６（ａ）の残額管理ＤＢに記憶されている使用装置ＩＤを特定し（Ｓ２７６）、特定した装置ＩＤに対応して図６（ａ）の設定値ＤＢに記憶されているオフライン時基準金額を特定し（Ｓ２７７）、特定したオフライン時基準金額から前記挿入通知に含まれるオフライン消費情報を減算してオフライン消費額を算出し（Ｓ２７８）、前記残額管理ＤＢにおいて、算出したオフライン消費額を前記記録媒体ＩＤに対応付けて記憶し（Ｓ２７９）、前記挿入通知に含まれるオフライン精算情報が無いか否かを判定する（Ｓ２８０）。このＳ２８０でオフライン精算情報が無い（ＹＥＳ）と判定された場合には、前記Ｓ２４０に進む。
【０２７５】
前記Ｓ２８０でオフライン精算情報が有る（ＮＯ）と判定された場合には、管理残額からオフライン消費額を減算してオフライン精算額を算出して（Ｓ２８１）、Ｓ２８４に進む。また前記Ｓ２８２でオフライン精算情報が有る（ＮＯ）と判定された場合には、管理残額をオフライン精算額として（Ｓ２８３）、Ｓ２８４に進む。そして、前記残額管理ＤＢにおいて、算出したオフライン精算額を前記記録媒体ＩＤに対応付けて記憶し（Ｓ２８４）、Ｓ２４０に進む。Ｓ２２０及びＳ２４０以降の処理については、図１２で説明した通番一致時の処理と同様の処理を行う。
【０２７６】
なお、挿入通知に関連する図１１〜図１３の説明（供給通知に関連する図１４及び図１５、オンライン復帰通知に関連する図２２及び図２３、精算要求に関連する図２４及び図２５についても同様）においては、挿入通知にオフライン消費情報及びオフライン精算情報が含まれる旨が説明されたが、これはオフライン消費情報及びオフライン精算情報のうち、玉貸ユニット２０にて受け付けられた記録媒体に記録されているものが含まれるという意味であり、常に３つすべての情報が含まれることを意味するものではない。また同様に、残額管理装置５０側におけるＳ２０７，Ｓ２０８，Ｓ２４７，Ｓ２４８，Ｓ２６４，及びＳ２６５についても、すべての処理が必ず行われる訳ではなく、オフライン消費額及びオフライン精算額のうち、残額管理装置の残額管理ＤＢに記憶されているものがあれば、その記憶されている情報に対して処理が行われるという意味である。また、玉貸ユニット２０側におけるＳ２４３，及びＳ２４４についても、すべての処理が必ず行われる訳ではなく、オフライン消費情報及びオフライン精算情報のうち、記録媒体に記録されているものについて、消去処理が行われるという意味である。
【０２７７】
次に図１４は、残額管理装置５０とオンライン状態にある玉貸ユニット２０において返却操作を受け付けた場合の処理の一例を表す図である。玉貸ユニット２０は、返却操作を待機している状態で、返却ボタン１６が押下されて返却操作を受け付けると（Ｓ１８１）、記録媒体（会員カード４又はビジタコイン５）を受付中であるか否かを判定する（Ｓ１８２）。
【０２７８】
このＳ１８２で記録媒体を受付中である（ＹＥＳ）と判定された場合には、カード保持部１９１で保持している会員カード４の記録媒体ＩＤ，又は投入コイン保持部１２０で保持しているビジタコイン５の記録媒体ＩＤを含む返却通知を残額管理装置５０に対して送信する（Ｓ１８４）。Ｓ１８４の返却通知を受信した残額管理装置５０は、返却許諾通知を玉貸ユニット２０に対して送信する（Ｓ１８５）。
【０２７９】
Ｓ１８５の返却許諾通知を受信した玉貸ユニット２０は、ビジタコイン５を受付中であるか否かを判定する（Ｓ１９４）。このＳ１９４でビジタコイン５を受付中である（ＹＥＳ）と判定された場合には、演算方式を決定し（Ｓ１９５）、決定した演算方式で記憶残額（即ち管理残額）が演算されるような元データを前述した方法で算出する（Ｓ１９５ａ）。そして投入コイン保持部１２０で保持しているビジタコイン５に、算出された基準データ，乗算データ，除算データ，及び加算データからなる元データと、演算方式フラグとを記録して（Ｓ１９５ｂ）、制御部２１のＲＡＭで記憶している記憶残額を消去し（Ｓ１９５ｃ）、第１の投入コインストッパ１２１を開放状態とすることにより、投入コイン保持部１２０で保持しているビジタコイン５を投入コイン排出通路１６０を介してコイン排出口１１２に排出して返却して（Ｓ１９６）、貨幣受付，又は記録媒体受付を待機する状態となる（Ｓ１９２）。
【０２８０】
一方、Ｓ１９４でビジタコイン５を受付中でない（ＮＯ），即ち会員カード４を受付中であると判定された場合には、演算方式を決定し（Ｓ１９７）、決定した演算方式で記憶残額が演算されるような元データを前述した方法で算出する（Ｓ１９７ａ）。そしてカード保持部１９１で保持している会員カード４に、算出した基準データ，乗算データ，除算データ，及び加算データからなる元データと、演算方式フラグとを記録して（Ｓ１９７ｂ）、制御部２１のＲＡＭで記憶している記憶残額を消去し（Ｓ１９７ｃ）、該会員カード４を返却して（Ｓ１９８）、貨幣受付，又は記録媒体受付を待機する状態となる（Ｓ１９２）。
【０２８１】
前記Ｓ１８２で記録媒体を受付中でない（ＮＯ）と判定された場合には、記憶残額が零であるか否かを判定する（Ｓ１８３）。このＳ１８３で記憶残額が零である（ＹＥＳ）と判定された場合には、返却操作が無効とされ、貨幣受付，又は記録媒体受付を待機する状態となる。一方、Ｓ１８３で記憶残額が零でない（ＮＯ）と判定された場合には、収納コイン保持部１４０で保持しているビジタコイン５の記録媒体ＩＤを含む返却通知を残額管理装置５０に対して送信する（Ｓ１８４）。Ｓ１８４の返却通知を受信した残額管理装置５０は、返却許諾通知を玉貸ユニット２０に対して送信する（Ｓ１８５）。
【０２８２】
Ｓ１８５の返却許諾通知を受信した玉貸ユニット２０は、演算方式を決定し（Ｓ１８６）、決定した演算方式で記憶残額が演算されるような元データを前述した方法で算出する（Ｓ１８６ａ）。そして収納コイン保持部１４０で保持しているビジタコイン５に、算出した基準データ，乗算データ，除算データ，及び加算データからなる元データと、演算方式フラグとを記録して（Ｓ１８６ｂ）、制御部２１のＲＡＭで記憶している記憶残額を消去し（Ｓ１８６ｃ）、第２の収納コインストッパ１４２を開放状態とすることにより、収納コイン保持部１４０で保持しているビジタコイン５をコイン排出口１１２から排出して（Ｓ１８７）、第２の収納コインストッパ１４２を閉鎖状態とし、第１の収納コインストッパ１４１を開放状態とすることにより、収納通路１３１で保持している最下位のビジタコイン５を該収納通路１３１から排出して収納コイン保持部１４０に供給する（Ｓ１８８）。
【０２８３】
そして収納コイン保持部１４０に供給したビジタコイン５の記録情報を読み取り（Ｓ１８９）、記録情報にオフライン消費情報が無いか否かを判定する（Ｓ１９０）。このＳ１９０でオフライン消費情報が無い（ＹＥＳ）と判定された場合には、記録情報にオフライン精算情報が無いか否かを判定する（Ｓ１９１）。このＳ１９１でオフライン精算情報が無い（ＹＥＳ）と判定された場合には、貨幣受付，又は記録媒体受付を待機する状態となる（Ｓ１９２）。
【０２８４】
一方、Ｓ１９０でオフライン消費情報が有る（ＮＯ）と判定された場合，又はＳ１９１でオフライン精算情報が有る（ＮＯ）と判定された場合には、Ｓ１８９で収納コイン保持部１４０に供給したビジタコイン５の記録媒体ＩＤ，オフライン消費情報，オフライン精算情報，通番，及び当該玉貸ユニット２０の装置ＩＤを含む供給通知を残額管理装置５０に対して送信する（Ｓ１９３）。
【０２８５】
以上のように、玉貸ユニット２０は、精算装置６０にて回収された後に当該玉貸ユニット２０に補充されて収納通路１３１に収納されたビジタコイン５（記録媒体）や、当該玉貸ユニット２０において受け付けられて管理残額（記憶残額）が零となったことにより収納通路１３１に回収されて収納されたビジタコイン５を発行する発行手段を構成するものである。具体的には、記録媒体を受け付けることなく入金が行われた場合に、収納コイン保持部１４０のビジタコイン５のコインＩＤに対応付けて入金額が管理残額として残額管理装置５０で記憶され、当該管理残額（記憶残額）が零となる前に返却操作がなされることにより、当該ビジタコイン５が発行（排出）されるものである。
【０２８６】
また玉貸ユニット２０は、ビジタコイン５の発行（排出）に応じて、次のビジタコイン５（収納通路１３１で保持している最下位のビジタコイン５）を収納コイン保持部１４０に供給して、記録情報の読み出しを行い、読み出したビジタコインＩＤとオフライン消費情報とオフライン精算情報と通番と装置ＩＤとを含む供給通知を、オフライン消費情報送信手段及びオフライン精算情報送信手段を構成する外部通信部２１ｂを介して、残額管理装置５０に送信する。その際、玉貸ユニット２０は、ビジタコイン５にオフライン消費情報が記録されているか否かをオフライン消費情報判定手段を構成する制御部２１により判定し、オフライン消費情報が記録されていると判定されたことを条件として、供給通知を送信する。より具体的には、オフライン精算情報が記録されているか否かも判定し、オフライン消費情報及びオフライン精算情報の少なくとも一方が記録されていると判定されたことを条件として、供給通知を送信する。
【０２８７】
Ｓ１９３の供給通知を受信した残額管理装置５０は、当該供給通知を挿入通知と同様に扱い、図１１〜図１３で説明したＳ２０３以下と同様の処理を実施する。ただし、図１２に示したＳ２４０以下の処理は、図１５に示すＳ２４０以下の処理に置き換わるものとする。以下、図１５について説明する。
【０２８８】
Ｓ２４０では、供給通知に含まれる記録媒体ＩＤに対応付けて該供給通知に含まれる装置ＩＤ、即ち玉貸ユニット２０の装置ＩＤを記憶し、該記録媒体ＩＤに対応付けて管理されている管理残額からオフライン消費額とオフライン精算額とを減算した額（この場合には必ず零となる）を含む供給残額通知を玉貸ユニット２０に対して送信する（Ｓ２４１ａ）。
【０２８９】
Ｓ２４１ａの供給残額通知を受信した玉貸ユニット２０は、収納コイン保持部１４０に供給したビジタコイン５に記録されているオフライン消費情報を消去すると共に（Ｓ２４３）、該ビジタコイン５に記録されているオフライン精算情報を消去し（Ｓ２４４）、該ビジタコイン５の通番に１を加算して更新し（Ｓ２４５）、該ビジタコイン５の記録媒体ＩＤを含むオフライン情報消去通知を残額管理装置５０に対して送信する（Ｓ２４６）。
【０２９０】
このように、玉貸ユニット２０は、オフライン消費情報あるいはオフライン精算情報を含む供給通知の送信を条件として、具体的には、供給通知に応じて残額管理装置５０から送信されてくる供給残額通知の受信に基づいて、オフライン消費情報消去手段及びオフライン精算情報消去手段を構成する制御部２１により、ビジタコイン５に記録されたオフライン消費情報及びオフライン精算情報を消去する。そして、その後に入金及び返却操作がなされることにより、オフライン消費情報やオフライン精算情報の消去されたビジタコイン５は発行（排出）されることとなる。
【０２９１】
Ｓ２４６のオフライン情報消去通知を受信した残額管理装置５０は、前記残額管理ＤＢにおいて、前記記録媒体ＩＤに対応付けて記憶されているオフライン消費額を該記録媒体ＩＤに対応付けて管理されている管理残額から減算して、該オフライン消費額を消去すると共に（Ｓ２４７）、前記記録媒体ＩＤに対応付けて記憶されているオフライン精算額を該記録媒体ＩＤに対応付けて管理されている管理残額から減算して、該オフライン精算額を消去する（Ｓ２４８）。そして前記記録媒体ＩＤに対応付けられた通番に１を加算して更新して（Ｓ２２７）、該記録媒体ＩＤに対応するステータスを挿入処理済に更新する（Ｓ２２８）。
【０２９２】
このように、残額管理装置５０は、玉貸ユニット２０から受信した供給通知に含まれる記録媒体ＩＤに対応する管理残額を、供給通知に含まれるオフライン消費情報から特定されるオフライン消費額分減算された額、あるいはオフライン精算情報から特定されるオフライン精算額分減算された額に更新する処理を行うが、供給通知に応じて行う本処理においては、いずれの場合にも管理残額は０に更新されることとなる。この供給通知の対象となるビジタコイン５は、オフライン状態の玉貸ユニット２０におけるオフライン玉貸処理で管理残額が全額使用されて回収されたものか、あるいはオフライン状態の精算装置６０におけるオフライン精算処理で管理残額が全額精算されて回収された後に当該玉貸ユニット２０にセットされたものであるため、該供給通知に含まれるオフライン消費情報から特定されるオフライン消費額は管理残額と等しく、また該供給通知に含まれるオフライン精算情報から特定されるオフライン精算額も管理残額と等しいからである。
【０２９３】
次に図１６は、玉貸ユニット２０においてオフライン状態の発生を検知した場合の処理の一例を表す図である。玉貸ユニット２０は、前記通信可否検知手段によりオフライン状態の発生を検知すると（Ｓ３００）、該オフライン状態の発生を検知したのが前記Ｓ１０１の貨幣受付後であるか否か、具体的には制御部２１のＲＡＭで記憶している処理状態が「貨幣受付」であるか否かを判定する（Ｓ３０１）。
【０２９４】
このＳ３０１で貨幣受付後である（ＹＥＳ）と判定された場合には、前記Ｓ１０６の予定残額通知を受信済であるか否かを判定する（Ｓ３０３）。このＳ３０３で予定残額通知を受信済でない（ＮＯ）と判定された場合には、前記Ｓ１０１で受け付けた貨幣を返却して（Ｓ３０６）、記憶残額が零であるか否かを判定する（Ｓ３０７）。
【０２９５】
このＳ３０７で記憶残額が零である（ＹＥＳ）と判定された場合には、多機能ランプ２２によりオフライン状態を検知した旨を報知して（Ｓ３８３）、オフライン状態において貨幣受付を待機する状態となる（Ｓ３８４）。
【０２９６】
一方、Ｓ３０７で記憶残額が零でない（ＮＯ）と判定された場合には、多機能ランプ２２によりオフライン状態を検知した旨を報知し（Ｓ３７３）、記憶残額を残額表示器２６に表示して（Ｓ３７４）、オフライン状態において玉貸操作，貨幣受付，又は返却操作を待機する状態となる（Ｓ３７５）。
【０２９７】
なお、前記予定残額通知を受信済でない場合には、残額管理装置５０が入金要求を受信する前にオフライン状態が発生した場合と、該入金要求を受信した後にオフライン状態が発生した場合とが含まれる。ここで後者の、入金要求を受信した後にオフライン状態が発生した場合には、通番が一致し、残額管理装置５０において受付貨幣額が未加算の状態で記憶されており（即ち入金処理中であり）、玉貸ユニット２０において受付貨幣の取込が行われていない状態となる。従って、オンライン状態にある玉貸ユニット２０で当該記録媒体が受け付けられると、Ｓ２０３でＹＥＳ，Ｓ２０４でＹＥＳと判定されて、Ｓ２０５以下の処理が行われる。
【０２９８】
前記Ｓ３０３で予定残額通知を受信済である（ＹＥＳ）と判定された場合には、前記Ｓ１０７〜Ｓ１０９の各処理を実行済であるか否かを判定する（Ｓ３０４）。このＳ３０４でいずれかの処理を実行済でない（ＮＯ）と判定された場合には、該未実行の処理を実行して（Ｓ３０５）、Ｓ３７３に進む。一方、Ｓ３０４ですべての処理を実行済である（ＹＥＳ）と判定された場合にも、Ｓ３７３に進む。
【０２９９】
この予定残額通知を受信済である場合には、残額管理装置５０が貨幣取込通知（図７のＳ１１０）を受信する前にオフライン状態が発生した場合と、該貨幣取込通知を受信した後にオフライン状態が発生した場合とが含まれる。ここで前者の、貨幣取込通知を受信する前にオフライン状態が発生した場合には、通番が一致せず、残額管理装置５０において受付貨幣額が未加算の状態で記憶されており（即ち入金処理中であり）、玉貸ユニット２０において受付貨幣の取込が行われている状態となる。従って、オンライン状態にある玉貸ユニット２０で当該記録媒体が受け付けられると、Ｓ２０３でＮＯ，Ｓ２６１でＹＥＳと判定されて、Ｓ２６２以下の処理が行われる。
【０３００】
前記Ｓ３０１で貨幣受付後でない（ＮＯ）と判定された場合には、前記オフライン状態の発生を検知したのが前記Ｓ１２１の玉貸操作受付後であるか否か、具体的には制御部２１のＲＡＭで記憶している処理状態が「玉貸操作受付」であるか否かを判定する（Ｓ３２１）。
【０３０１】
このＳ３２１で玉貸操作受付後である（ＹＥＳ）と判定された場合には、前記Ｓ１３２の減算完了通知を受信済であるか否かを判定する（Ｓ３２２）。このＳ３２２で減算完了通知を受信済である（ＹＥＳ）と判定された場合には、記憶残額が零であるか否かを判定する（Ｓ３２５）。
【０３０２】
このＳ３２５で記憶残額が零でない（ＮＯ）と判定された場合には、前記Ｓ３７３に進む。一方、Ｓ３２５で記憶残額が零である（ＹＥＳ）と判定された場合には、記録媒体を受付中であるか否かを判定する（Ｓ３２６）。このＳ３２６で記録媒体を受付中でない（ＮＯ）と判定された場合には、前記Ｓ３８３に進む。一方、Ｓ３２６で記録媒体を受付中である（ＹＥＳ）と判定された場合には、ビジタコイン５を受付中であるか否か、即ち該受付中の記録媒体がビジタコイン５であるか否かを判定する（Ｓ３２７）。このＳ３２７でビジタコイン５を受付中でない（ＮＯ）と判定された場合には、前記Ｓ３９５に進む。一方、Ｓ３２７でビジタコイン５を受付中である（ＹＥＳ）と判定された場合には、第２の投入コインストッパ１２２を開放状態とすることにより、投入コイン保持部１２０で保持しているビジタコイン５を収納通路１３１に収納して、前記Ｓ３８３に進む。
【０３０３】
前記Ｓ３２２で減算完了通知を受信済でない（ＮＯ）と判定された場合には、前記Ｓ１２２（Ｓ１２２ａ及びＳ１２２ｂ）〜Ｓ１２８の各処理を実行済であるか否かを判定する（Ｓ３２３）。このＳ３２３でいずれかの処理を実行済でない（ＮＯ）と判定された場合には、該未実行の処理（ただしオフライン状態なので、Ｓ１２５の処理は除く）を実行して（Ｓ３２３）、Ｓ３２５に進む。一方、Ｓ３２３ですべての処理を実行済である（ＹＥＳ）と判定された場合にも、Ｓ３２５に進む。
【０３０４】
この減算完了通知を受信済でない場合には、残額管理装置５０が減算要求を受信する前にオフライン状態が発生した場合と、該減算要求を受信した後にオフライン状態が発生した場合とが含まれる。ここで前者の、減算要求を受信する前にオフライン状態が発生した場合には、通番が一致せず、入金処理中，又は挿入処理中のいずれでもなく、玉貸ユニット２０の装置ＩＤが記憶されている状態となる。従って、オンライン状態にある玉貸ユニット２０で当該記録媒体が受け付けられると、Ｓ２０３でＮＯ，Ｓ２６１でＮＯ，Ｓ２６３でＮＯ，Ｓ２６６でＹＥＳと判定されて、Ｓ２６９以下の処理が行われる。また後者の、減算要求を受信した後にオフライン状態が発生した場合には、通番が一致し、減算処理済の状態となる。従って、オンライン状態にある玉貸ユニット２０で当該記録媒体が受け付けられると、Ｓ２０３でＹＥＳ，Ｓ２０４でＮＯ，Ｓ２０６でＮＯと判定されて、Ｓ２２０以下の処理が行われる。
【０３０５】
前記Ｓ３２１で玉貸操作受付後でない（ＮＯ）と判定された場合には、前記オフライン状態の発生を検知したのが前記Ｓ２０１の記録媒体受付後，又はＳ１８８の記録媒体供給後であるか否か、具体的には制御部２１のＲＡＭで記憶している処理状態が「記録媒体受付」，又は「記録媒体供給」であるか否かを判定する（Ｓ３４１）。このＳ３４１で記録媒体受付又は供給後である（ＹＥＳ）と判定された場合には、前記Ｓ２２１の残額通知，Ｓ２４１の予定残額通知，又はＳ２４１ａの供給残額通知を受信済であるか否かを判定する（Ｓ３４２）。
【０３０６】
このＳ３４２で残額通知を受信済でない（ＮＯ）と判定された場合には、前記Ｓ３８３に進む。一方、Ｓ３４２で残額通知を受信済である（ＹＥＳ）と判定された場合には、前記図１２のＳ２２２〜Ｓ２２３の各処理を実行済であるか否かを判定する（Ｓ３４３）。このＳ３４３でいずれかの処理を実行済でない（ＮＯ）と判定された場合には、該未実行の処理を実行して（Ｓ３４４）、Ｓ３４５に進む。一方、Ｓ３４３ですべての処理を実行済みである（ＹＥＳ）と判定された場合にも、Ｓ３４５に進む。
【０３０７】
Ｓ３４５では、Ｓ１８８の記録媒体供給後であるか否か、具体的には制御部２１のＲＡＭで記憶している処理状態が「記録媒体供給」であるか否かを判定する。このＳ３４５で記録媒体供給後である（ＹＥＳ）と判定された場合には、前記Ｓ３８３に進む。一方、Ｓ３４５で記録媒体供給後でない（ＮＯ）と判定された場合には、前記Ｓ３７３に進む。
【０３０８】
また前記Ｓ３４２で予定残額通知を受信済みでない（ＮＯ）と判定された場合には、前記Ｓ３８３に進む。この予定残額通知を受信済でない場合には、残額管理装置５０が挿入通知を受信する前にオフライン状態が発生した場合と、該挿入通知を受信した後にオフライン状態が発生した場合とが含まれる。ここで後者の、挿入通知を受信した後にオフライン状態が発生した場合には、通番が一致し、残額管理装置５０においてオフライン消費額及び／又はオフライン精算額が未減算の状態で記憶されており（即ち挿入処理中であり）、記録媒体にオフライン消費情報及び／又はオフライン精算情報が記録されている状態になる。従って、オンライン状態にある玉貸ユニット２０で当該記録媒体が受け付けられると、Ｓ２０３でＹＥＳ，Ｓ２０４でＮＯ，Ｓ２０６でＹＥＳと判定されて、Ｓ２０７以下の処理が行われる。
【０３０９】
一方、Ｓ３４２で予定残額通知を受信済である（ＹＥＳ）と判定された場合には、前記図１２のＳ２４２〜Ｓ２４５の各処理を実行済であるか否かを判定する（Ｓ３４３）。このＳ３４３でいずれかの処理を実行済でない（ＮＯ）と判定された場合には、該未実行の処理を実行して（Ｓ３４４）、Ｓ３４５に進む。一方、Ｓ３４３ですべての処理を実行済みである（ＹＥＳ）と判定された場合にも、Ｓ３４５に進む。
【０３１０】
この予定残額通知を受信済である場合には、残額管理装置５０がオフライン情報消去通知を受信する前にオフライン状態が発生した場合と、該オフライン情報消去通知を受信した後にオフライン状態が発生した場合とが含まれる。ここで前者の、オフライン情報消去通知を受信する前にオフライン状態が発生した場合には、通番が一致せず、残額管理装置５０においてオフライン消費額及び／又はオフライン精算額が未減算の状態で記憶されており（即ち挿入処理中であり）、記録媒体にオフライン消費情報及び／又はオフライン精算情報が記録されている状態になる。従って、オンライン状態にある玉貸ユニット２０で当該記録媒体が受け付けられると、Ｓ２０３でＮＯ，Ｓ２６１でＮＯ，Ｓ２６３でＹＥＳと判定されて、Ｓ２６４以下の処理が行われる。
【０３１１】
また前記Ｓ３４２で供給残額通知を受信済みでない（ＮＯ）と判定された場合には、前記Ｓ３８３に進む。一方、Ｓ３４２で供給残額通知を受信済である（ＹＥＳ）と判定された場合には、前記図１５のＳ２４３〜Ｓ２４５の各処理を実行済であるか否かを判定する（Ｓ３４３）。このＳ３４３でいずれかの処理を実行済でない（ＮＯ）と判定された場合には、該未実行の処理を実行して（Ｓ３４４）、Ｓ３４５に進む。一方、Ｓ３４３ですべての処理を実行済みである（ＹＥＳ）と判定された場合にも、Ｓ３４５に進む。
【０３１２】
前記Ｓ３４１で記録媒体受付後又は記録媒体供給後でない（ＮＯ）と判定された場合には、前記Ｓ３８３に進む。
【０３１３】
次に図１７は、残額管理装置５０とオフライン状態である玉貸ユニット２０において貨幣を受け付けた場合の処理の一例を表す図である。玉貸ユニット２０は、オフライン状態において貨幣受付を待機している状態で、貨幣を受け付けると（Ｓ５１０）、受付貨幣額がオフライン一発貸しで使用可能な１０００円であるか否かを判定する（Ｓ５１１）。このＳ５１１で受付貨幣額が１０００円でない（ＮＯ）と判定された場合には、受付貨幣を返却する。
【０３１４】
一方、Ｓ５１１で受付貨幣額が１０００円である（ＹＥＳ）と判定された場合には、前記図８のＳ１２２ａと同様に、制御部２１のＲＡＭで未接続フラグを記憶しているか否か、即ち前記接続確認手段によりパチンコ機１０又は払出ユニット３０の少なくとも一方との接続が確認されていないと判定されているか否かを判定する（Ｓ５１２ａ）。
【０３１５】
このＳ５１２ａで未接続フラグを記憶している（ＹＥＳ）、即ちパチンコ機１０又は払出ユニット３０の少なくとも一方との接続が確認されていないと判定された場合には、受付貨幣額分の玉貸処理（Ｓ５１５）である第１貸与処理及び第２貸与処理（図１０）のいずれも行わずに、受付貨幣を返却する。
【０３１６】
一方、Ｓ５１２ａで未接続フラグを記憶していない（ＮＯ）、即ちパチンコ機１０及び払出ユニット３０との接続が確認されていると判定された場合には、前記図８のＳ１２２ｂと同様に、制御部２１のＲＡＭで玉貸不可フラグを記憶しているか否か、即ち前記払出判定手段によりパチンコ機１０又は玉払出装置３１の少なくとも一方がパチンコ玉を払い出せる状態でないと判定されているか否かを判定する（Ｓ５１２）。
【０３１７】
このＳ５１２で玉貸不可フラグを記憶している（ＹＥＳ）、即ちパチンコ機１０又は玉払出装置３１の少なくとも一方がパチンコ玉を払い出せる状態でないと判定された場合には、受付貨幣額分の玉貸処理（Ｓ５１５）である第１貸与処理及び第２貸与処理（図１０）のいずれも行わずに、受付貨幣を返却する。
【０３１８】
一方、Ｓ５１２で玉貸不可フラグを記憶していない（ＮＯ）、即ちパチンコ機１０及び玉払出装置３１の両方がパチンコ玉を払い出せる状態であると判定された場合には、受付貨幣額を制御部２１のＲＡＭで記憶すると共に、受け付けた貨幣を取り込んで入金確定として扱い（Ｓ５１３）、受付貨幣額１０００円を示す１０パルスの売上パルスを台端末装置（図示外）に対して出力して（Ｓ５１４）、遊技者の操作によることなく、受付貨幣額分の玉貸処理であるオフライン一発貸しを行い（Ｓ５１５）、該受付貨幣額分の玉貸処理が終了すると、原待機状態となる（Ｓ５１６）。なおＳ５１４の売上パルスが入力された台端末装置は、当該玉貸ユニット２０の装置ＩＤを付加した売上情報を、売上管理装置４０に対して送信する。
【０３１９】
このＳ５１５における受付貨幣額分の玉貸処理では、前記図１０で説明した玉貸処理において、Ｓ１０で、ＥＥＰＲＯＭで記憶している貸与度数・玉数ＤＢの内容（図６（ｄ））に基づいて、受付貨幣額（１０００円）に対応する、パチンコ機１０に対して払出を指令する貸与度数（９度数）と、払出ユニット３０の玉払出装置３１に対して払出を指令する貸与玉数（１４個）とを決定する点のみが異なり、その他の点は同様である。
【０３２０】
なお図示しないが、このオフライン一発貸しに伴って、ＲＡＭで記憶している前記オフライン一発貸し消費額（即ちオフライン一発貸しに使用された受付貨幣額の累計値）を受付貨幣額分加算する。
【０３２１】
次に図１８は、残額管理装置５０とオフライン状態である玉貸ユニット２０において玉貸操作を受け付けた場合の処理の一例を表す図である。このオフライン状態である玉貸ユニット２０では、新たな記録媒体は受け付けないが、既に受け付けている記録媒体又は収納コイン保持部１４０で保持しているビジタコイン５の管理残額を使用した玉貸処理が行われる。即ち玉貸ユニット２０は、オフライン状態において玉貸操作を待機している前記Ｓ３７５の状態（即ち制御部２１のＲＡＭで記憶している管理残額である記憶残額が零でない状態で、オフライン状態を検出した場合）で、玉貸ボタン１５が押下されて玉貸操作を受け付けると（Ｓ５２１）、前記図８のＳ１２２ａと同様に、制御部２１のＲＡＭで未接続フラグを記憶しているか否か、即ち前記接続確認手段によりパチンコ機１０又は払出ユニット３０の少なくとも一方との接続が確認されていないと判定されているか否かを判定する（Ｓ５２２ａ）。
【０３２２】
このＳ５２２ａで未接続フラグを記憶している（ＹＥＳ）、即ちパチンコ機１０又は払出ユニット３０の少なくとも一方との接続が確認されていないと判定された場合には、使用額分の玉貸処理（Ｓ５２７）である第１貸与処理及び第２貸与処理（図１０）のいずれも行わずに、玉貸操作を無効とする。
【０３２３】
一方、Ｓ５２２ａで未接続フラグを記憶していない（ＮＯ）、即ちパチンコ機１０及び払出ユニット３０との接続が確認されていると判定された場合には、前記図８のＳ１２２ｂと同様に、制御部２１のＲＡＭで玉貸不可フラグを記憶しているか否か、即ち前記払出判定手段によりパチンコ機１０又は玉払出装置３１の少なくとも一方がパチンコ玉を払い出せる状態でないと判定されているか否かを判定する（Ｓ５２２）。
【０３２４】
このＳ５２２で玉貸不可フラグを記憶している（ＹＥＳ）、即ちパチンコ機１０又は玉払出装置３１の少なくとも一方がパチンコ玉を払い出せる状態でないと判定された場合には、使用額分の玉貸処理（Ｓ５２７）である第１貸与処理及び第２貸与処理（図１０）のいずれも行わずに、玉貸操作を無効とする。
【０３２５】
一方、Ｓ５２２で玉貸不可フラグを記憶していない（ＮＯ）、即ちパチンコ機１０及び玉払出装置３１の両方がパチンコ玉を払い出せる状態であると判定された場合には、前記図９に示す使用額決定処理を行って（Ｓ５２３）、使用額を記憶残額から減算すると共に（Ｓ５２４）、ＲＡＭで記憶しているオフライン消費額を使用額分加算し（Ｓ５２５）、使用額１００円毎に１パルスの売上パルスを台端末装置（図示外）に対して出力して（Ｓ５２６）、使用額分の玉貸処理を行う（Ｓ５２７）。なおＳ５２４の売上パルスが入力された台端末装置は、当該玉貸ユニット２０の装置ＩＤを付加した売上情報を、売上管理装置４０に対して送信する。
【０３２６】
このＳ５２７における使用額分の玉貸処理では、前記図１０で説明した玉貸処理において、Ｓ３６の処理の後に、記録媒体がオンライン状態の玉貸ユニット２０又は精算装置６０に挿入されたときに該玉貸処理に使用されたオフライン消費額を管理残額から減算して補正をするために、Ｓ４１〜Ｓ４３の処理を行って、Ｓ３７の処理に進む点のみが異なり、その他の点は同様である。具体的には、Ｓ３６の処理の後に、オフライン時基準金額からオフライン消費額を減算してオフライン消費情報を算出し（Ｓ４１）、記録媒体（即ち会員カード４を受け付けている場合にはカード保持部１９１で保持している会員カード４，ビジタコイン５を受け付けている場合には投入コイン保持部１２０で保持しているビジタコイン５，会員カード４もビジタコイン５も受け付けていない場合には収納コイン保持部１４０で保持しているビジタコイン５）に、算出したオフライン消費情報を記録し（Ｓ４２）、制御部２１のＲＡＭで記憶しているオフライン消費額を消去して（Ｓ４３）、Ｓ３７の処理に進む。
【０３２７】
図１８に戻り、Ｓ５２７の使用額分の玉貸処理が終了すると、記憶残額が零であるか否かを判定する（Ｓ５２８）。このＳ５２８で記憶残額が零でない（ＮＯ）と判定された場合には、Ｓ５３４に進む。一方、Ｓ５２８で記憶残額が零である（ＹＥＳ）と判定された場合には、ビジタコイン５を受付中であるか否かを判定する（Ｓ５２９）。このＳ５２９でビジタコイン５を受付中でない（ＮＯ）と判定された場合には、Ｓ５３４に進む。
【０３２８】
一方、Ｓ５２９でビジタコイン５を受付中である（ＹＥＳ）と判定された場合には、オフライン時基準金額からオフライン消費額を減算してオフライン消費情報を算出し（Ｓ５３０）、投入コイン保持部１２０で保持しているビジタコイン５に、算出したオフライン消費情報を記録し（Ｓ５３１）、制御部２１のＲＡＭで記憶しているオフライン消費額を消去し（Ｓ５３２）、第２の投入コインストッパ１２２を開放状態とすることにより、投入コイン保持部１２０で保持しているビジタコイン５を収納通路１３１に収納して（Ｓ５３３）、Ｓ５３４に進む。
【０３２９】
Ｓ５３４では、記憶残額を残額表示器２６に表示すると共に、該記憶残額に基づく残度数を残度数表示器１４に表示して、記憶残額が零であるか否かを判定する（Ｓ５３５）。このＳ５３５で記憶残額が零でない（ＮＯ）と判定された場合には、オフライン状態において玉貸操作，貨幣受付，又は返却操作を待機する状態となる（Ｓ５３８）。一方、Ｓ５３５で記憶残額が零である（ＹＥＳ）と判定された場合には、会員カード４を受付中であるか否かを判定する（Ｓ５３６）。このＳ５３６で会員カード４を受付中でない（ＮＯ）と判定された場合には、オフライン状態において貨幣受付を待機する状態となる（Ｓ５３９）。一方、Ｓ５３６で会員カード４を受付中である（ＹＥＳ）と判定された場合には、オフライン状態において貨幣受付，又は返却操作を待機する状態となる（Ｓ５３７）。
【０３３０】
次に図１９，図２０，及び図２１は、図１７に続く図である。玉貸ユニット２０は、オフライン状態において返却操作を待機している状態で、返却ボタン１６が押下されて返却操作を受け付けると（Ｓ５４１）、記録媒体（会員カード４又はビジタコイン５）を受付中であるか否かを判定する（Ｓ５４２）。このＳ５４２で記録媒体を受け付けていない（ＮＯ）と判定された場合には、記憶残額が零であるか否かを判定する（Ｓ５４３）。このＳ５４３で記憶残額が零でない（ＮＯ）と判定された場合には、演算方式を決定し（Ｓ５４４）、決定した演算方式で記憶残額が演算されるような元データを前述した方法で算出する（Ｓ５４５）。そして収納コイン保持部１４０で保持しているビジタコイン５に、算出した基準データ，乗算データ，除算データ，及び加算データからなる元データと、演算方式フラグとを記録し（Ｓ５４６）、制御部２１のＲＡＭで記憶している記憶残額を消去して（Ｓ５４７）、Ｓ５４８に進む。
【０３３１】
Ｓ５４８では、制御部２１のＲＡＭに記憶されているオフライン消費額が零であるか否かを判定する。このＳ５４８でオフライン消費額が零である（ＹＥＳ）と判定された場合には、第２の収納コインストッパ１４２を開放状態とすることにより、収納コイン保持部１４０で保持しているビジタコイン５を排出して返却し（Ｓ５５２）、第２の収納コインストッパ１４２を閉鎖状態とし、第１の収納コインストッパ１４１を開放状態とすることにより、収納通路１３１で保持している最下位のビジタコイン５を該収納通路１３１から排出して収納コイン保持部１４０に供給して（Ｓ５５３）、オフライン状態において貨幣受付を待機する状態となる（Ｓ５５４）。
【０３３２】
一方、Ｓ５４８でオフライン消費額が零でない（ＮＯ）と判定された場合には、オフライン時基準金額からオフライン消費額を減算してオフライン消費情報を算出し（Ｓ５４９）、収納コイン保持部１４０で保持しているビジタコイン５に、算出したオフライン消費情報を記録し（Ｓ５５０）、制御部２１のＲＡＭで記憶しているオフライン消費額を消去して（Ｓ５５１）、Ｓ５５２に進む。
【０３３３】
前記Ｓ５４３で記憶残額が零である（ＹＥＳ）と判定された場合には、制御部２１のＲＡＭに記憶されているオフライン消費額が零であるか否かを判定する（Ｓ５５５）。このＳ５５５でオフライン消費額が零である（ＹＥＳ）と判定された場合には、返却操作を無効にして（Ｓ５５６）、オフライン状態において貨幣受付を待機する状態となる（Ｓ５５４）。一方、Ｓ５５５でオフライン消費額が零でない（ＮＯ）と判定された場合には、前記Ｓ５４９〜Ｓ５５１の処理を行い（Ｓ５５７）、返却操作を無効にして（Ｓ５５６）、オフライン状態において貨幣受付を待機する状態となる（Ｓ５５４）。
【０３３４】
前記Ｓ５４２で記録媒体を受付中である（ＹＥＳ）と判定された場合には、ビジタコイン５を受付中であるか否かを判定する（Ｓ５６０）。このＳ５６０でビジタコイン５を受付中である（ＹＥＳ）と判定された場合には、図２０に進み、記憶残額が零であるか否かを判定する（Ｓ５６１）。前述の如く、オフライン状態においてビジタコイン５を受付中に使用額分の玉貸処理（Ｓ５２７）が行われて記憶残額が零になると（Ｓ５２８でＹＥＳ）、該受付中のビジタコイン５が収納通路１３１に収納されるので（Ｓ５３３）、Ｓ５６０からＳ５６１に進んだ場合、即ちオフライン状態においてビジタコイン５を受付中である場合には、該Ｓ５６１で必ず記憶残額が零でない（ＮＯ）と判定されて、Ｓ５６２に進む。
【０３３５】
Ｓ５６２では、演算方式を決定し、決定した演算方式で記憶残額が演算されるような元データを前述した方法で算出する（Ｓ５６３）。そして投入コイン保持部１２０で保持しているビジタコイン５に、算出した基準データ，乗算データ，除算データ，及び加算データからなる元データと、演算方式フラグとを記録し（Ｓ５６４）、制御部２１のＲＡＭで記憶している記憶残額を消去して（Ｓ５６５）、Ｓ５６６に進む。
【０３３６】
Ｓ５６６では、制御部２１のＲＡＭに記憶されているオフライン消費額が零であるか否かを判定する。このＳ５６６でオフライン消費額が零である（ＹＥＳ）と判定された場合には、第１の投入コインストッパ１２１を開放状態とすることにより、投入コイン保持部１２０で保持しているビジタコイン５を排出して返却して（Ｓ５７０）、オフライン状態において貨幣受付を待機する状態となる（Ｓ５５４）。
【０３３７】
一方、Ｓ５６６でオフライン消費額が零でない（ＮＯ）と判定された場合には、オフライン時基準金額からオフライン消費額を減算してオフライン消費情報を算出し（Ｓ５６７）、投入コイン保持部１２０で保持しているビジタコイン５に、算出したオフライン消費情報を記録し（Ｓ５６８）、制御部２１のＲＡＭで記憶しているオフライン消費額を消去して（Ｓ５６９）、Ｓ５７０に進む。
【０３３８】
以上のように、玉貸ユニット２０は、返却操作を受け付けたときに、記憶残額が零でない場合（図１９のＳ５４３でＮＯ，又は図２０のＳ５６１でＮＯ）には、収納コイン保持部１４０又は投入コイン保持部１２０で保持されている、オフライン消費情報が記録されたビジタコイン５を、記録媒体排出手段を構成する制御部２１により排出する。
【０３３９】
図１９に戻り、前記Ｓ５６０でビジタコイン５を受付中でない（ＮＯ）、即ち会員カード４を受付中であると判定された場合には、図２１に進み、記憶残額が零であるか否かを判定する（Ｓ５８１）。このＳ５８１で記憶残額が零でない（ＮＯ）と判定された場合には、演算方式を決定し（Ｓ５８２）、決定した演算方式で記憶残額が演算されるような元データを前述した方法で算出する（Ｓ５８３）。そしてカード保持部１９１で保持している会員カード４に、算出した基準データ，乗算データ，除算データ，及び加算データからなる元データと、演算方式フラグとを記録し（Ｓ５８４）、制御部２１のＲＡＭで記憶している記憶残額を消去して（Ｓ５８５）、Ｓ５８６に進む。一方、Ｓ５８１で記憶残額が零である（ＹＥＳ）と判定された場合にも、Ｓ５８６に進む。
【０３４０】
Ｓ５８６では、制御部２１のＲＡＭに記憶されているオフライン消費額が零であるか否かを判定する。このＳ５８６でオフライン消費額が零である（ＹＥＳ）と判定された場合には、会員カード４を返却して（Ｓ５９０）、オフライン状態において貨幣受付を待機する状態となる（Ｓ５５４）。
【０３４１】
一方、Ｓ５８６でオフライン消費額が零でない（ＮＯ）と判定された場合には、オフライン時基準金額からオフライン消費額を減算してオフライン消費情報を算出し（Ｓ５８７）、カード保持部１９１で保持している会員カード４に、算出したオフライン消費情報を記録し（Ｓ５８８）、制御部２１のＲＡＭで記憶しているオフライン消費額を消去して（Ｓ５８９）、Ｓ５９０に進む。即ち会員カード４は、返却操作を受け付けると、常に返却される。
【０３４２】
次に図２２は、玉貸ユニット２０とのオンライン状態への復帰を検知した場合の処理の一例を表す図である。残額管理装置５０は、前記通信可否検知手段によりオンライン状態への復帰を検知すると（Ｓ６０１）、開始要求を玉貸ユニット２０に対して送信する（Ｓ６０２）。該開始要求を受信した玉貸ユニット２０は、オフライン時基準金額からオフライン消費額を減算してオフライン消費情報を算出し（Ｓ６０３）、記録媒体（即ち会員カード４を受け付けている場合にはカード保持部１９１で保持している会員カード４，ビジタコイン５を受け付けている場合には投入コイン保持部１２０で保持しているビジタコイン５，会員カード４もビジタコイン５も受け付けていない場合には収納コイン保持部１４０で保持しているビジタコイン５）に、算出したオフライン消費情報を記録し（Ｓ６０４）、制御部２１のＲＡＭで記憶しているオフライン消費額を消去して（Ｓ６０５）、開始応答を残額管理装置５０に対して返信し（Ｓ６０６）、該記録媒体の記録媒体ＩＤ，オフライン消費情報，オフライン精算情報，通番，及び装置ＩＤを含むオンライン復帰通知を残額管理装置５０に対して送信する（Ｓ６０７）。
【０３４３】
なお図示しないが、前記開始要求を受信した玉貸ユニット２０は、制御部２１のＲＡＭで記憶している前記オフライン一発貸し消費額（即ちオフライン一発貸しに使用された受付貨幣額の累計値）を含むオフライン一発貸し消費額通知を残額管理装置５０に対して送信し、このオフライン一発貸し消費額通知を受信した残額管理装置５０は、前述の如く、売上ＤＢの更新を行う。
【０３４４】
Ｓ６０７のオンライン復帰通知は、前記挿入通知と同等のものであるため、該オンライン復帰通知を受信した残額管理装置５０は、図１１〜図１３で説明したＳ２０３以下で前記挿入通知を受信した場合と同様の処理を行う。ただし図１２に示したＳ２４０以下の処理は、図２３に示すＳ２４０以下の処理に置き換わるものとする。また当該オンライン復帰通知を挿入通知と同様に扱い、図１１〜図１３の説明において、挿入通知をオンライン復帰通知と読み替えるものとする。以下、図２３について説明する。
【０３４５】
Ｓ２４０では、オンライン復帰通知に含まれる記録媒体ＩＤに対応付けて該オンライン復帰通知に含まれる装置ＩＤ（即ち玉貸ユニット２０の装置ＩＤ）を記憶し、該記録媒体ＩＤに対応付けて管理されている管理残額からオフライン消費額とオフライン精算額とを減算した補正額を含む予定残額通知を玉貸ユニット２０に対して送信する（Ｓ２４１）。
【０３４６】
Ｓ２４１の予定残額通知を受信した玉貸ユニット２０は、該予定残額通知に含まれる補正額を残額として制御部２１のＲＡＭで記憶し（Ｓ２４２）、記録媒体（即ち会員カード４を受け付けている場合にはカード保持部１９１で保持している会員カード４，ビジタコイン５を受け付けている場合には投入コイン保持部１２０で保持しているビジタコイン５、会員カード４もビジタコイン５も受け付けていない場合には収納コイン保持部１４０で保持しているビジタコイン５）に記録されているオフライン消費情報を消去すると共に（Ｓ２４３）、該記録媒体に記録されているオフライン精算情報を消去し（Ｓ２４４）、該記録媒体の通番に１を加算して更新し（Ｓ２４５）、前記記録媒体ＩＤを含むオフライン情報消去通知を残額管理装置５０に対して送信して（Ｓ２４６）、Ｓ２４９に進む。
【０３４７】
Ｓ２４６のオフライン情報消去通知を受信した残額管理装置５０は、前記残額管理ＤＢにおいて、前記記録媒体ＩＤに対応付けて記憶されているオフライン消費額を該記録媒体ＩＤに対応付けて管理されている管理残額から減算し、該オフライン消費額を消去すると共に（Ｓ２４７）、前記記録媒体ＩＤに対応付けて記憶されているオフライン精算額を該記録媒体ＩＤに対応付けて管理されている管理残額から減算し、該オフライン精算額を消去する（Ｓ２４８）。
【０３４８】
そして前記残額管理ＤＢにおいて、該オフライン情報消去通知に含まれる記録媒体ＩＤに対応付けられた通番に１を加算して更新し（Ｓ２２７）、該記録媒体ＩＤに対応するステータスを挿入処理済に更新する（Ｓ２２８）。これにより、オフライン状態であった玉貸ユニット２０がオンライン状態になると、受け付けられている記録媒体に記録されている記録媒体ＩＤとオフライン状態中のオフライン消費情報及びオフライン精算情報（収納コイン保持部１４０のビジタコイン５の場合）とを含む挿入通知が残額管理装置５０に対して送信され、管理残額からオフライン消費額とオフライン精算額とを減算した補正額を特定可能な予定残額通知が残額管理装置５０から送信されてきて、該補正額が玉貸処理に使用可能となるので、遊技者の利便性が向上する。
【０３４９】
またＳ２４６でオフライン情報消去通知を送信した玉貸ユニット２０は、玉貸処理中であるか否かを判定し（Ｓ２４９）、玉貸処理中である（ＹＥＳ）と判定された場合には、該玉貸処理の終了を待機する（Ｓ２４９ａ）。Ｓ２４９で玉貸処理中でない（ＮＯ）と判定された場合、又はＳ２４９ａで玉貸処理が終了した（ＹＥＳ）と判定された場合には、記憶残額を残額表示器２６に表示すると共に、該記憶残額に基づく残度数を残度数表示器１４に表示して（Ｓ２２５）、玉貸操作，貨幣受付，又は返却操作を待機する状態となる（Ｓ２２６）。つまり、オンライン復帰時に玉貸処理中であっても、オンライン復帰通知の送信等の処理は行い、玉貸処理終了後に、記憶残額及び残度数を表示し、玉貸操作等を受付可能な状態とされる。
【０３５０】
これによれば、残額管理装置５０と通信できないオフライン状態における玉貸ユニット２０が、貨幣を受け付けてオフライン一発貸し又は記憶残額で玉貸を行った後にオンライン状態に復帰すると、遊技者の操作によらずに、記録媒体ＩＤとオフライン消費情報とオフライン精算情報とを含むオンライン復帰通知が残額管理装置５０に対して送信され、管理残額からオフライン消費額とオフライン精算額とを減算した補正額を特定可能な予定残額通知（図２３のＳ２４１）が残額管理装置５０から送信されてきて、該補正額が玉貸処理に使用可能となるので（同Ｓ２２６）、遊技者に手間をかけることなく、管理残額が使用可能となる。しかも、オフライン玉貸処理中（同Ｓ２４９）にもオフライン情報消去通知等を行うので、オフライン玉貸終了後（同Ｓ２４９ａ）、すぐに管理残額を使用可能となり、遊技者を待たせることがない。
【０３５１】
また残額管理装置５０におけるオンライン復帰通知の受信に基づいて、該オンライン復帰通知に含まれるオフライン消費額及びオフライン精算額が記憶され（図１１のＳ２１４，Ｓ２１９、図１３のＳ２７９，Ｓ２８４）、玉貸ユニット２０における予定残額通知の受信に基づいて（図２３のＳ２４１）、記録媒体に記録されている通番が更新されると共に（同Ｓ２４５）、残額管理装置５０におけるオフライン情報消去通知の受信に基づいて（同Ｓ２４６）、記録媒体ＩＤに対応付けられた通番が更新され（同Ｓ２２７）、オンライン復帰通知に含まれる記録媒体の通番と前記記録媒体ＩＤに対応付けられた通番とが一致していなければ、管理残額からオフライン消費額が減算され（図１３のＳ２６４）、管理残額からオフライン精算額が減算されるので（図１３のＳ２６５）、オンライン状態への復帰に伴う処理の途中にオフライン状態が再び発生した場合にも、正確な残額を確定することができる。
【０３５２】
なお図示しないが、前記オフライン復帰通知を受信した残額管理装置５０は、前述の如く、売上ＤＢの更新を行う。
【０３５３】
次に図２４は、オンライン状態において精算装置６０において記録媒体を受け付けた場合の処理の一例を表す図である。精算装置６０は、記録媒体（会員カード４又はビジタコイン５）を受け付けると（Ｓ７０１）、該受け付けた記録媒体の記録情報を読み取り、該読み取った記録媒体ＩＤ，オフライン消費情報，オフライン精算情報，通番，及び当該精算装置６０の装置ＩＤを含む精算要求を残額管理装置５０に対して送信する（Ｓ７０２）。
【０３５４】
Ｓ７０２の精算要求を受信した残額管理装置５０は、当該精算要求を挿入通知と同様に扱い、図１１〜図１３で説明したＳ２０３以下と同様の処理を実施する。ただし図１２に示したＳ２２０以下の処理，及びＳ２４０以下の処理は、図２５に示すＳ２２０以下の処理，及びＳ２４０以下の処理に、それぞれ置き換わるものとする。また図１１〜図１３の説明において、玉貸ユニット２０を精算装置６０，挿入通知を精算要求と、それぞれ読み替えるものとする。以下、図２５について説明する。
【０３５５】
Ｓ２２０では、精算要求に含まれる記録媒体ＩＤに対応付けて該精算要求に含まれる装置ＩＤ（即ち精算装置６０の装置ＩＤ）を記憶し、該記録媒体ＩＤに対応付けて管理されている管理残額を含む精算許諾情報を精算装置６０に対して送信する（Ｓ２２１ｂ）。
【０３５６】
Ｓ２２１ｂの精算許諾情報を受信した精算装置６０は、受け付けている記録媒体の通番に１を加算して更新し（Ｓ２２３）、該記録媒体の記録媒体ＩＤを含む精算許諾情報受信通知を残額管理装置５０に対して送信し（Ｓ２２４ｂ）、図５（ｂ）のＤ２に示す画面で前記受信した精算許諾情報に含まれる管理残額を表示して（Ｓ２２５ａ）、精算操作，又は返却操作を待機する状態となる（Ｓ２２６ａ）。
【０３５７】
Ｓ２２４ｂの精算許諾情報受信通知を受信した残額管理装置５０は、前記残額管理ＤＢにおいて、該精算許諾情報受信通知に含まれる記録媒体ＩＤに対応付けられた通番に１を加算して更新して（Ｓ２２７）、該記録媒体ＩＤに対応するステータスを挿入処理済に更新する（Ｓ２２８）。
【０３５８】
またＳ２４０では、精算要求に含まれる記録媒体ＩＤに対応付けて該精算要求に含まれる装置ＩＤ（即ち精算装置６０の装置ＩＤ）を記憶し、該記録媒体ＩＤに対応付けて管理されている管理残額からオフライン消費額とオフライン精算額とを減算した補正額を含む精算許諾情報を精算装置６０に対して送信する（Ｓ２４１ｂ）。
【０３５９】
Ｓ２４１ｂの精算許諾情報を受信した精算装置６０は、受け付けている記録媒体に記録されているオフライン消費情報を消去すると共に（Ｓ２４３）、該記録媒体に記録されているオフライン精算情報を消去し（Ｓ２４４）、該記録媒体の通番に１を加算して更新して（Ｓ２４５）、該記録媒体の記録媒体ＩＤを含むオフライン情報消去通知を残額管理装置５０に対して送信し（Ｓ２４６）、図５（ｂ）のＤ２に示す画面で前記受信した精算許諾情報に含まれる補正額を表示して（Ｓ２２５ｂ）、精算操作，又は返却操作を待機する状態となる（Ｓ２２６ａ）。
【０３６０】
Ｓ２４６のオフライン情報消去通知を受信した残額管理装置５０は、前記残額管理ＤＢにおいて、前記記録媒体ＩＤに対応付けて記憶されているオフライン消費額を該記録媒体ＩＤに対応付けて管理されている管理残額から減算し、該オフライン消費額を消去すると共に（Ｓ２４７）、前記記録媒体ＩＤに対応付けて記憶されているオフライン精算額を該記録媒体ＩＤに対応付けて管理されている管理残額から減算し、該オフライン精算額を消去して（Ｓ２４８）、Ｓ２２７に進む。
【０３６１】
次に図２６は、精算操作又は返却操作の待機状態（図２５のＳ２２６ａであり、図５（ｂ）のＤ２に示す画面が表示されている状態）にある精算装置６０において精算操作（「精算」ボタンの操作）又は返却操作（「キャンセル」ボタンの操作）を受け付けた場合の処理の一例を表す図である。
【０３６２】
この精算装置６０が精算操作を受け付けると（Ｓ７８０）、受信した精算許諾情報に含まれる金額（管理残額又は補正額）である許諾額分の貨幣を払い出し（Ｓ７８１）、記録媒体の通番に１を加算して更新して（Ｓ７８２）、受け付けている記録媒体の記録媒体ＩＤを含む精算完了通知を残額管理装置５０に対して送信する（Ｓ７８３）。
【０３６３】
Ｓ７８３の精算完了通知を受信した残額管理装置５０は、前記残額管理ＤＢにおいて、該精算完了通知に含まれる記録媒体ＩＤに対応付けて管理されている管理残額を消去し（Ｓ７８４）、該記録媒体ＩＤに対応付けられた通番に１を加算して更新し（Ｓ７８５）、該記録媒体ＩＤに対応するステータスを精算処理済に更新して（Ｓ７８６）、残額消去完了通知を精算装置６０に対して送信する（Ｓ７８７）。
【０３６４】
Ｓ７８７の残額消去完了通知を受信した精算装置６０は、ビジタコイン５を受付中であるか否かを判定する（Ｓ７８８）。このＳ７８８でビジタコイン５を受付中である（ＹＥＳ）と判定された場合には、第２の投入コインストッパ１２２を開放状態とすることにより、投入コイン保持部１２０で保持しているビジタコイン５を収納通路１３１及び排出通路１３２を介してコイン回収部６６に回収して（Ｓ７８９）、記録媒体の受付を待機する状態となる（Ｓ７９０）。一方、Ｓ７８８でビジタコイン５を受付中でない（ＮＯ）、即ち会員カード４を受付中であると判定された場合には、カード保持部１９１で保持している該会員カード４を返却して（Ｓ７９１）、記録媒体の受付を待機する状態となる（Ｓ７９０）。
【０３６５】
また精算装置６０が返却操作を受け付けると（Ｓ７９５）、会員カード４を受け付けている場合には、カード保持部１９１で保持している該会員カード４を返却して（Ｓ７９６）、記録媒体の受付を待機し（Ｓ７９０）、ビジタコイン５を受け付けている場合には、第１の投入コインストッパ１２１を開放状態とすることにより、投入コイン保持部１２０で保持している該ビジタコイン５を投入コイン排出通路１６０を介してコイン排出口１１２に排出して返却し（Ｓ７９６）、記録媒体の受付を待機する状態となる（Ｓ７９０）。
【０３６６】
次に図２７は、精算装置６０においてオフライン状態の発生を検知した場合の処理の一例を表す図である。精算装置６０は、前記通信可否検知手段によりオフライン状態の発生を検知すると（Ｓ８００）、該オフライン状態の発生を検知したのが前記Ｓ７０１の記録媒体受付後であるか否か、具体的には制御部６２のＲＡＭで記憶している処理状態が「記録媒体受付」であるか否かを判定する（Ｓ８４１）。このＳ８４１で記録媒体受付後である（ＹＥＳ）と判定された場合には、前記Ｓ２２１ｂ又はＳ２４１ｂの精算許諾情報を受信済であるか否かを判定する（Ｓ８４２）。
【０３６７】
このＳ８４２でＳ２２１ｂ又はＳ２４１ｂの精算許諾情報を受信済でない（ＮＯ）と判定された場合には、受け付けている記録媒体を返却し（Ｓ８７１）、多機能ランプ２２を赤色で点滅させる等によりオフライン検知を遊技場の店員に報知し（Ｓ８７２）、店員によるオフライン移行操作を待機する（Ｓ８７３）。つまり精算装置６０の制御部６２は、オフライン状態における精算処理を許容するためのオフライン移行操作（オフライン精算許容操作）を係員から受け付ける許容操作受付手段として機能する。このＳ８７３でオフライン移行操作が行われた（ＹＥＳ）と判定された場合には、オフライン状態において記録媒体の受付を待機する状態となる（Ｓ８７４）。
【０３６８】
なお、オフライン移行操作は、例えば、精算装置６０の前面扉を鍵で開放し、その扉の裏側にある操作パネルで暗証番号を入力する操作であり、入力された暗証番号を照合して一致した場合に、オフライン状態で精算ができる（オフライン精算処理を許容する）オフラインモードに移行する。
【０３６９】
一方、Ｓ８４２でＳ２２１ｂの精算許諾情報を受信済である（ＹＥＳ）と判定された場合には、前記Ｓ２２３〜Ｓ２２６ａの各処理を実行済であるか否かを判定し（Ｓ８４３）、いずれかの処理を実行済でなければ（ＮＯ）、該未実行の処理（ただしオフライン状態なので、Ｓ２２４ｂの処理は除く）を実行して（Ｓ８４４）、Ｓ８７１に進み、すべての処理を実行済であれば（ＹＥＳ）、Ｓ８７１に進む。
【０３７０】
またＳ８４２でＳ２４１ｂの精算許諾情報を受信済である（ＹＥＳ）と判定された場合には、前記Ｓ２４３〜Ｓ２２６ａの各処理を実行済であるか否かを判定し（Ｓ８４３）、いずれかの処理を実行済でなければ（ＮＯ）、該未実行の処理（ただしオフライン状態なので、Ｓ２４６の処理は除く）を実行して（Ｓ８４４）、Ｓ８７１に進み、すべての処理を実行済であれば（ＹＥＳ）、Ｓ８７１に進む。
【０３７１】
なおＳ２４１ｂの精算許諾情報を受信済である場合には、管理装置５０がオフライン情報消去通知を受信する前にオフライン状態が発生した場合と、該オフライン情報消去通知を受信した後にオフライン状態が発生した場合とが含まれる。ここで前者の、オフライン情報消去通知を受信する前にオフライン状態が発生した場合には、通番が一致せず、残額管理装置５０においてオフライン消費額及びオフライン精算額が未減算の状態で記憶されており（即ち挿入処理中であり）、記録媒体のオフライン消費情報及びオフライン精算情報が消去されている状態になる。従って、オンライン状態にある玉貸ユニット２０又は精算装置６０で当該記録媒体が受け付けられると、Ｓ２０３でＮＯ，Ｓ２６１でＮＯ，Ｓ２６３でＹＥＳと判定されて、Ｓ２６４以下の処理が行われる。
【０３７２】
前記Ｓ８４１で記録媒体受付後でない（ＮＯ）と判定された場合には、前記オフライン状態の発生を検知したのが前記Ｓ７８０の精算操作受付後であるか否か、具体的には制御部６２のＲＡＭで記憶している処理状態が「精算操作受付」であるか否かを判定する（Ｓ８５１）。このＳ８５１で精算操作受付後である（ＹＥＳ）と判定された場合には、前記Ｓ７８７の残額消去完了通知を受信済であるか否かを判定する（Ｓ８５２）。
【０３７３】
このＳ８５２で残額消去完了通知を受信済である（ＹＥＳ）と判定された場合には、前記Ｓ７８８〜Ｓ７９１の各処理を実行済であるか否かを判定し（Ｓ８５６）、いずれかの処理を実行済でなければ（ＮＯ）、該未実行の処理を実行して（Ｓ８５７）、Ｓ８７２に進み、すべての処理を実行済であれば（ＹＥＳ）、Ｓ８７２に進む。
【０３７４】
一方、Ｓ８５２で残額消去完了通知を受信済でない（ＮＯ）と判定された場合には、前記Ｓ７８１〜Ｓ７８２の各処理を実行済であるか否かを判定し（Ｓ８５３）、いずれかの処理を実行済でなければ（ＮＯ）、該未実行の処理を実行して（Ｓ８５４）、Ｓ８７１に進み、すべての処理を実行済であれば（ＹＥＳ）、Ｓ８７１に進む。
【０３７５】
この残額消去完了通知を受信済でない場合には、残額管理装置５０が精算完了通知を受信する前にオフライン状態が発生した場合と、該精算完了通知を受信した後にオフライン状態が発生した場合とが含まれる。ここで前者の、精算完了通知を受信する前にオフライン状態が発生した場合には、通番が一致せず、入金処理中，又は挿入処理中のいずれでもなく、精算装置６０の装置ＩＤが記憶されている状態となる。従って、オンライン状態にある玉貸ユニット２０又は精算装置６０で当該記録媒体が受け付けられると、Ｓ２０３でＮＯ，Ｓ２６１でＮＯ，Ｓ２６３でＮＯ，Ｓ２６６でＮＯと判定されて、Ｓ２６７以下の処理が行われる。また後者の、残額消去完了通知を受信した後にオフライン状態が発生した場合には、通番が一致し、精算処理済の状態となる。従って、オンライン状態にある玉貸ユニット２０又は精算装置６０で当該記録媒体が受け付けられると、Ｓ２０３でＹＥＳ，Ｓ２０４でＮＯ，Ｓ２０６でＮＯと判定されて、Ｓ２２０以下の処理が行われる。
【０３７６】
前記Ｓ８５１で精算操作受付後でない（ＮＯ）と判定された場合には、前記オフライン状態の発生を検知したのが前記Ｓ７９５の返却操作受付後であるか否か、具体的には制御部６２のＲＡＭで記憶している処理状態が「返却操作受付」であるか否かを判定し（Ｓ８６１）、返却操作受付後である（ＹＥＳ）と判定された場合には、Ｓ８７１に進み、返却操作受付後でない（ＮＯ）と判定された場合には、Ｓ８７２に進む。
【０３７７】
次に図２８は、残額管理装置５０とオフライン状態である精算装置６０において記録媒体を受け付けた場合，精算操作を受け付けた場合，及び返却操作を受け付けた場合の処理の一例を表す図である。
【０３７８】
この精算装置６０は、オフライン状態において記録媒体受付を待機している状態で、記録媒体（会員カード４又はビジタコイン５）を受け付けると（Ｓ９０１）、該受け付けた記録媒体の記録情報を読み取り、該読み取った記録媒体ＩＤが、図６（ｂ）の精算ＤＢに記録されているか否か、即ち受け付けた記録媒体がオフライン精算済の記録媒体であるか否かを判定する（Ｓ９０２）。
【０３７９】
このＳ９０２でオフライン精算済の記録媒体である（ＹＥＳ）と判定された場合には、エラー処理を行う。一方、Ｓ９０２でオフライン精算済の記録媒体でない（ＮＯ）と判定された場合には、現在の時刻が精算可能時間帯に含まれるか否かを判定する（Ｓ９０３）。なお精算可能時間は、センタ管理装置７０において設定されて（例えば遊技場の営業時間が含まれる９：００〜２４：００という時間帯に設定されて）、残額管理装置５０を介して精算装置６０に配信され、精算装置６０の制御部６２は、配信された精算可能時間帯の設定の入力を受け付けて、精算可能時間帯をＲＡＭに記憶する。つまり精算装置６０の制御部６２及び通信部６１は、オフライン状態における精算処理を許容する時間帯である精算可能時間（オフライン精算許容時間帯）の設定入力を受け付ける精算許容時間帯受付手段として機能する。
【０３８０】
このＳ９０３で現在の時刻が精算可能時間帯に含まれない（ＮＯ）と判定された場合には、エラー処理を行う。一方、Ｓ９０３で現在の時刻が精算可能時間帯に含まれる（ＹＥＳ）と判定された場合には、受け付けられた記録媒体（会員カード４，ビジタコイン５）に記録された演算方式フラグから演算方式を特定し（Ｓ９０４）、特定した演算方式に従って、前記記録媒体に記録された基準データ，乗算データ，除算データ，加算データから管理残額を算出する（Ｓ９０５）。
【０３８１】
具体的には、基準データ，乗算データ，除算データ，及び加算データとしてそれぞれｘ，ｙ，ｚ，ｗが記録されており、演算方式フラグとして「０」が記録されていれば、演算方式は加算優先演算方式であるので、管理残額ａは、ａ＝（ｙ＋ｘ）×ｚ÷ｗで算出され、演算方式フラグとして「１」が記録されていれば、演算方式は乗除算優先演算方式であるので、管理残額ａは、ａ＝ｙ＋（ｘ×ｚ÷ｗ）で算出される。
【０３８２】
例えばｘ＝１０，ｙ＝９０，ｚ＝１００，ｗ＝２が記録されていて、演算方式が加算優先演算方式であれば、管理残額ａ＝（９０＋１０）×１００÷２＝５０００円と算出される。またｘ＝５０，ｙ＝５００，ｚ＝９０，ｗ＝１が記録されていて、演算方式が乗除算優先演算方式であれば、管理残額ａ＝５００＋（５０×９０÷１）＝５０００円と算出される。
【０３８３】
そして図５（ｂ）のＤ２に示す画面で該算出された管理残額を表示して（Ｓ９０６）、オフライン状態において精算操作，又は返却操作を待機する状態となる（Ｓ９０７）。
【０３８４】
また精算装置６０は、オフライン状態において精算操作受付を待機している状態で、精算操作を受け付けると（Ｓ９１１）、算出された管理残額分の貨幣を払い出し（Ｓ９１２）、オフライン状態において精算が終了した記録媒体であるオフライン精算済記録媒体として、記録媒体ＩＤと、精算した管理残額ととを対応付けて、図６（ｂ）に示す精算ＤＢに記憶して（Ｓ９１３）、前記記録媒体にオフライン精算情報を記録する（Ｓ９１４）。具体的には、オフライン精算情報は、オフライン精算が行われたか否かを示すフラグであり、オフライン精算が行われた場合は「１」とされ、行われていない場合は「０」とされる。このオフライン精算情報が記録された記録媒体がオンライン状態の玉貸ユニット２０において受け付けられると、該記録媒体の記録媒体ＩＤとオフライン精算情報とを含む挿入通知が残額管理装置５０に送信され、管理残額の補正が行われる。
【０３８５】
次に精算装置６０は、ビジタコイン５を受付中であるか否かを判定する（Ｓ９１５）。このＳ９１５でビジタコイン５を受付中でない（ＮＯ）、即ち会員カード４を受付中であると判定された場合には、カード保持部１９１で保持している該会員カード４を返却して（Ｓ９１７）、オフライン状態において記録媒体の受付を待機する状態となる（Ｓ９１８）。一方、Ｓ９１５でビジタコイン５を受付中である（ＹＥＳ）と判定された場合には、第２の投入コインストッパ１２２を開放状態とすることにより、投入コイン保持部１２０で保持しているビジタコイン５を収納通路１３１及び排出通路１３２を介してコイン回収部６６に回収して（Ｓ９１６）、オフライン状態において記録媒体の受付を待機する状態となる（Ｓ９１８）。
【０３８６】
さらに精算装置６０は、オフライン状態において返却操作受付を待機している状態で、返却操作を受け付けると（Ｓ９２１）、会員カード４を受け付けている場合には、カード保持部１９１で保持している該会員カード４を返却して（Ｓ９２２）、オフライン状態において記録媒体の受付を待機する状態となり（Ｓ９１８）、ビジタコイン５を受け付けている場合には、第１の投入コインストッパ１２１を開放状態とすることにより、投入コイン保持部１２０で保持している該ビジタコイン５を投入コイン排出通路１６０を介してコイン排出口１１２に排出して返却し（Ｓ９２２）、オフライン状態において記録媒体の受付を待機する状態となる（Ｓ９１８）。
【０３８７】
以上のように、本例の精算装置６０は、オフライン精算処理を許容するためのオフライン許容操作として、オフライン移行操作を係員から受け付けたことを条件として、オフライン精算処理を行う。また、オフライン精算処理に供された記録媒体の記録媒体ＩＤを精算済記録媒体ＩＤとして精算済情報記憶手段を構成する精算ＤＢに記憶し、受け付けた記録媒体の記録媒体ＩＤが前記精算済み記録媒体ＩＤと一致するか否かを記録媒体判定手段を構成する制御部６２により判定し、一致しないと判定したことを条件として、オフライン精算処理を行う。さらに、オフライン精算処理を許容する精算可能時間帯の設定入力を精算許容時間帯受付手段を構成する通信部６１により受け付け、現在の時刻が精算可能時間帯に属することを条件として、オフライン精算処理を行う。
【０３８８】
また精算装置６０は、オフライン精算処理で精算されたオフライン精算額（具体的には、オフラインで精算された、管理残額特定情報から特定された管理残額）を特定可能なオフライン精算情報として、オフライン精算処理を行った旨を示すフラグを、オフライン精算情報記録手段を構成する制御部６２及び記録媒体Ｒ／Ｗ１０２により、オフライン精算処理に供された会員カード４又はビジタコイン５に記録する。
【０３８９】
ここで本例の精算装置６０は、オフライン精算処理において、受け付けた記録媒体の管理残額特定情報から特定される管理残額の全額を精算するようにされているため、オフライン精算情報として上記フラグを記録している。つまり残額管理装置５０は、玉貸ユニット２０からの挿入通知，供給通知，オンライン復帰通知や、精算装置６０からの精算要求を受信したときに、図１１のＳ２１６，Ｓ２１８や、図１３のＳ２８１，Ｓ２８３において、残額管理ＤＢで管理している残額と、受信したオフライン消費情報から特定されるオフライン消費額とに基づいて、オフライン精算額を特定することができる。具体的には、前記各通知や要求にオフライン精算情報とオフライン消費情報が含まれていれば、管理残額−オフライン消費額でオフライン精算額が特定され、オフライン精算情報のみが含まれていれば、管理残額がオフライン精算額として特定される。
【０３９０】
また、本例においては、オフライン消費情報の記録された記録媒体のオフライン精算処理を行った場合に、記録媒体のオフライン消費情報を消去することなく、記録媒体の回収や排出を行っているが、これに限らず、オフライン消費情報を消去するようにしても良い。この場合には、記録媒体にオフライン精算情報が記録されている場合には、オフライン消費情報は記録されていないこととなるので、残額管理装置において挿入通知，供給通知，オンライン復帰通知や精算要求を受信したときには、管理残額＝オフライン精算額として特定することとなる。つまり、オフライン状態の玉貸ユニット２０において玉貸に使用された管理残額（記憶残額）とオフライン精算処理に供された管理残額が共にオフライン精算処理に供されたものとして扱われ、管理残額から減算更新される（その結果、管理残額は零になる）。
【０３９１】
さらにオフライン精算情報としては、オフライン精算処理に供されたオフライン精算額自体を記録するようにしても良く、この場合、残額管理装置５０は、挿入通知，供給通知，オンライン復帰通知や精算要求に含まれるオフライン精算情報自体をオフライン精算額として特定する。またオフライン消費情報の場合と同様に、基準値からオフライン精算額を減算した額をオフライン精算情報として、残額管理装置５０において基準値からオフライン精算情報を減算してオフライン精算額を特定するようにしても良い。特に精算装置６０において、管理残額特定情報から特定された管理残額の一部を精算させるような場合には、このようにオフライン精算額に基づいたオフライン精算情報を記録する必要がある。また、この場合にも、オフライン消費情報に対応するオフライン消費額を含めてオフライン精算額とし、記録媒体のオフライン消費情報を消去するようにしても良い。
【０３９２】
また精算装置６０は、オフライン精算情報が記録された会員カード４を、精算装置記録媒体排出手段を構成する制御部６２により排出すると共に、オフライン精算情報が記録されたビジタコイン５を、記録媒体回収手段を構成する制御部６２により回収して収納する。
【０３９３】
次に図２９は、精算装置６０とのオンライン状態への復帰を検知した場合の処理の一例を表す図である。残額管理装置５０は、精算装置６０とのオンライン状態への復帰を検知すると（Ｓ９３１）、開始要求を精算装置６０に対して送信する（Ｓ９３２）。該開始要求を受信した精算装置６０は、開始応答を残額管理装置５０に対して返信し（Ｓ９３３）、図６（ｂ）の精算ＤＢに記憶しているオフライン状態中に精算した記録媒体の記録媒体ＩＤ，及び精算管理残額を含むオフライン中精算通知を残額管理装置５０に対して送信する（Ｓ９３４）。
【０３９４】
Ｓ９３４のオフライン中精算通知を受信した残額管理装置５０は、オフライン中精算通知に含まれる精算管理残額と、該精算管理残額と対応してオフライン中精算通知に含まれる記録媒体ＩＤに対応付けて残額管理ＤＢに記憶されている管理残額とが等しいか否かを判定する（Ｓ９３５）。このＳ９３５で精算管理残額と管理残額とが等しくない（ＮＯ）と判定された場合には、不一致の旨と該記録媒体ＩＤとをセンタ管理装置７０に対して送信し（Ｓ９３６）、該不一致の記録媒体ＩＤを、使用できない記録媒体ＩＤとして使用不可登録する（Ｓ９３７）。
【０３９５】
つまり残額管理装置５０は、精算管理残額と管理残額とが一致しない旨をセンタ管理装置７０に送信することにより報知する。なおセンタ管理装置７０に送信することなく、又は送信することに加えて、残額管理装置５０の表示画面等において、両者が一致しない旨を表示して報知を行っても良い。
【０３９６】
また精算装置６０は、オフライン中精算通知を送信した後、記録媒体（会員カード４，ビジタコイン５）を受付中であるか否かを判定する（Ｓ９３８）。このＳ９３８で記録媒体を受付中でない（ＮＯ）と判定された場合には、記録媒体の受付を待機する状態となる（Ｓ９４０）。一方、Ｓ９３８で記録媒体を受付中である（ＹＥＳ）と判定された場合には、該記録媒体に記録されている記録媒体ＩＤ，オフライン消費情報，オフライン精算情報，及び通番を含むオンライン復帰通知を残額管理装置５０に対して送信する（Ｓ９３９）。このオンライン復帰通知は、前記精算要求と同様のものであるため、該オンライン復帰通知を受信した残額管理装置５０は、Ｓ２０３以下で前記精算要求を受信した場合と同様の処理を行う。
【０３９７】
次に、以上に説明した第１実施形態に係る発明により得られる主な効果を説明する。
【０３９８】
（１−１）  図１で説明したように、遊技用システム１は、残額管理装置５０と玉貸ユニット２０とを含む。図６（ａ）の残額管理ＤＢ，図７のＳ１１３、図８のＳ１２９、図１２のＳ２４７，Ｓ２４８、図１３のＳ２６２，Ｓ２６４，ＳＳ２６５，Ｓ２７３、図１５のＳ２４７，Ｓ２４８、図２３のＳ２４７，Ｓ２４８、図２５のＳ２４７，Ｓ２４８、及び図２６のＳ７８４で説明したように、残額管理装置５０によって、記録媒体（会員カード４，ビジタコイン５）の記録媒体ＩＤに対応付けて玉貸に使用される残額が管理される。
【０３９９】
図１で説明したように、玉貸ユニット２０は、パチンコ機１０に対応して設けられる。図８のＳ１２１〜Ｓ１２８で説明したように、玉貸ユニット２０の制御部２１によって、受け付けた記録媒体の記録媒体ＩＤに対応付けて残額管理装置５０にて管理されている管理残額を用いた玉貸処理が行われる。
【０４００】
図７のＳ１０１や図１７のＳ５１０で説明したように、紙幣識別機２３及び制御部２１によって、貨幣が受け付けられて該貨幣の金額が識別される。図１１のＳ２０１，Ｓ２０２、及び図１２のＳ２２１，Ｓ２４１で説明したように、玉貸ユニット２０の制御部２１及び外部通信部２１ｂによって、受け付けた記録媒体の記録媒体ＩＤに対応する管理残額が残額管理装置５０から取得される。図１２のＳ２２２，Ｓ２４２で説明したように、玉貸ユニット２０の制御部２１によって、取得された管理残額が記憶残額として記憶される。図８のＳ１２６で説明したように、玉貸ユニット２０の制御部２１によって、記憶された記憶残額が、玉貸処理に用いられる使用額分減算された記憶残額に更新される。
【０４０１】
図１６のＳ３００で説明したように、玉貸ユニット２０の制御部２１によって、残額管理装置５０と通信できるオンライン状態であるか、通信できないオフライン状態であるかが検知される。
【０４０２】
図１７のＳ５１０〜Ｓ５１５で説明したように、玉貸ユニット２０の制御部２１によって、オフライン状態が検知され、かつ貨幣が受け付けられたときに、受付貨幣額分の玉貸処理が行われる。
【０４０３】
図１８のＳ５２１〜Ｓ５２７で説明したように、玉貸ユニット２０の制御部２１によって、オフライン状態が検知されたときに、記憶残額が零でないこと（図９に示す使用額決定処理のＳ０１でＮＯでＹＥＳであること）を条件として、記憶残額を使用して玉貸処理が行われる。
【０４０４】
（１−２）  図１８のＳ５２５、図１９のＳ５４９、図２０のＳ５６７、及び図２１のＳ５８７で説明したように、玉貸ユニット２０の制御部２１によって、オフライン状態において記憶残額から玉貸処理に使用された額であるオフライン消費額を特定可能なオフライン消費情報が特定される。図１９のＳ５５０、図２０のＳ５６８、及び図２１のＳ５８８で説明したように、玉貸ユニット２０の制御部２１によって、特定されたオフライン消費情報が記録媒体（会員カード４，ビジタコイン５）に記録される。図１９のＳ５５２、図２０のＳ５７０、及び図２１のＳ５９０で説明したように、玉貸ユニット２０の制御部２１によって、オフライン消費情報が記録された記録媒体が排出される。
【０４０５】
図１１のＳ２０２、及び図２２のＳ６０７で説明したように、玉貸ユニット２０の制御部２１によって、オンライン状態が検知されているときにオフライン消費情報が記録された記録媒体が受け付けられたことに基づいて、記録媒体の記録媒体ＩＤとオフライン消費情報とが残額管理装置５０に送信される。
【０４０６】
図１１のＳ２０２，Ｓ２１１〜Ｓ２１４、及び図１２のＳ２４７で説明したように、残額管理装置５０の制御部５２及び通信部５１によって、受信した記録媒体ＩＤに対応付けて管理している管理残額が、受信したオフライン消費情報から特定されるオフライン消費額分減算された管理残額に更新される。
【０４０７】
このため、記録媒体がオンライン状態の玉貸ユニット２０に受け付けられることで、オフライン状態で玉貸処理に使用されたオフライン消費額を管理残額から減算し更新することができる。
【０４０８】
（１−３）  図１１のＳ２１２、及び図６（ａ）で説明したように、残額管理装置５０は、オフライン消費額に関する基準値であるオフライン時基準金額を設定値ＤＢに記憶する。また玉貸ユニット２０は、残額管理装置５０から送信された該玉貸ユニット２０の装置ＩＤに対応するオフライン時基準金額を記憶する。
【０４０９】
図１９のＳ５４９，Ｓ５５０、図２０のＳ５６７，Ｓ５６８、及び図２１のＳ５８７，Ｓ５８８で説明したように、玉貸ユニット２０の制御部２１によって、オフライン時基準金額からオフライン消費額を減算したオフライン消費情報が記録媒体に記録される。
【０４１０】
図１１のＳ２１１〜Ｓ２１４、及び図１２のＳ２４７で説明したように、残額管理装置５０の制御部５２によって、玉貸ユニット２０から受信したオフライン消費情報をオフライン時基準金額から減算した減算値に基づいて、オフライン消費額が特定され、管理残額が更新される。
【０４１１】
このため、オフライン消費額を直接、記録媒体に記録するのではなくて，オフライン時基準金額を用いて算出したオフライン消費情報が記録媒体に記録されるので、オフライン時基準金額を用いて算出したオフライン消費情報を零に書き替えたとしても、オフライン消費額を零とすることができない。その結果、オフライン状態において記憶残額を使用しているにも拘わらず、オフライン消費額が零となるようにオフライン消費情報を書き替えるような不正を行い難くすることができる。
【０４１２】
（１−４）  図６（ａ）の設定値ＤＢで示すように、オフライン時基準金額は、玉貸ユニット２０毎に異なる値とされる。図１１のＳ２１２、及び図６（ａ）で説明したように、残額管理装置５０は、玉貸ユニット２０の装置ＩＤに対応付けてオフライン時基準金額を設定値ＤＢに記憶する。
【０４１３】
図１１のＳ２１１〜Ｓ２１４で説明したように、残額管理装置５０の制御部５２によって、受信した記録媒体ＩＤの記録媒体を排出した玉貸ユニット２０の装置ＩＤに対応付けて記憶されたオフライン時基準金額に基づいてオフライン消費額が特定される。
【０４１４】
このため、オフライン消費額を直接、記録媒体に記録するのではなくて，オフライン時基準金額を用いて算出したオフライン消費情報が記録媒体に記録されるので、オフライン時基準金額を用いて算出したオフライン消費情報を零に書き替えたとしても、オフライン消費額を零とすることができない。また、オフライン時基準金額は、玉貸ユニット２０毎に異なるので、容易に知ることができない。その結果、オフライン状態において記憶残額を使用しているにも拘わらず、オフライン消費額が零となるようにオフライン消費情報を書き替えるような不正をさらに行い難くすることができる。
【０４１５】
（２−１）  図１で説明したように、遊技用システム１は、（１−１）で説明した構成に加えて、記録媒体であるビジタコイン５を発行する発行手段として玉貸ユニット２０を備える。図２０のＳ５７０で説明したように、玉貸ユニット２０の制御部２１によって、記憶残額が零でないことを条件として、オフライン消費情報が記録された記録媒体であるビジタコイン５が排出される。図１８のＳ５２８，Ｓ５３３で説明したように、玉貸ユニット２０の制御部２１によって、記憶残額が零であることを条件として、オフライン消費情報が記録された記録媒体であるビジタコイン５が回収される。
【０４１６】
図１４のＳ１９３で説明したように、玉貸ユニット２０の制御部２１によって、回収された記録媒体であるビジタコイン５に記録された記録媒体ＩＤ及びオフライン消費情報が残額管理装置５０に送信される。図１５のＳ２４３で説明したように、玉貸ユニット２０の制御部２１によって、オフライン消費情報の送信を条件として、記録媒体であるビジタコイン５に記録されたオフライン消費情報が消去される。図１４のＳ１８７、及び図１９のＳ５５２で説明したように、玉貸ユニット２０の制御部２１によって、オフライン消費情報が消去された記録媒体であるビジタコイン５が発行される。図１２，図１５，図２３，図２５のＳ２４７で説明したように、残額管理装置５０の制御部５２によって、玉貸ユニット２０から受信した記録媒体ＩＤに対応付けて管理している管理残額が、オフライン消費情報から特定されるオフライン消費額分減算された額に更新される。
【０４１７】
このため、オフライン状態が発生しても、管理残額が玉貸ユニット２０に記憶残額として記憶済であれば、当該記憶残額がパチンコ玉の貸与に使用される。その結果、遊技者の利便性を向上させると共に、遊技場の売上低下を防止することができる。また、記録媒体がオンライン状態の玉貸ユニット２０に受け付けられることで、オフライン状態でパチンコ玉の貸与に使用された額を管理残額から減算更新し、管理残額を補正することができる。さらに、記憶残額が零になったときに、店員や遊技者の手間を要することなく、当該記録媒体の次回発行までに管理残額を確実に補正することができる。
【０４１８】
このように、ビジタコイン５にオフライン消費情報を記録して管理残額を補正するのではなく、玉貸ユニット２０でオフライン状態中の消費ログ（例えば、記録媒体ＩＤ及びオフライン消費額）を記憶しておき、当該玉貸ユニット２０がオンライン状態に復帰したときに消費ログを残額管理装置５０に送信して管理残額を補正するようにすると、該玉貸ユニット２０の故障等により消費ログを残額管理装置５０に送信できなくなると、該玉貸ユニット２０に収納されているビジタコイン５の扱いに不都合が生じてしまう。例えば、消費ログが送信されないままビジタコイン５が玉貸ユニット２０から発行されて遊技者の手に渡ってしまうと、本来補正されるべき管理残額が補正されていない状態になっているので、遊技場が損害を被ってしまう。
【０４１９】
これに対して、本発明によれば、玉貸ユニット２０がオンライン状態に復帰することなく故障等した場合であっても、該玉貸ユニット２０に収納されているビジタコイン５が、遊技者の手に渡る前（他のオンライン状態の玉貸ユニット２０にビジタコイン５が収納され発行されるような場合）、あるいは、遊技者の手に渡った後（遊技者が当該ビジタコイン５をオンライン状態の玉貸ユニット２０に投入したような場合）に、ビジタコイン５に記録されているオフライン消費情報に基づいて管理残額が補正するようにするので、上述したような不都合が生じないようにすることができる。
【０４２０】
（２−２）  前述したようにオフライン状態においてだけではなく、図８のＳ１３３，Ｓ１３４，Ｓ１３６，Ｓ１３７で説明したように、玉貸ユニット２０の制御部２１によって、オンライン状態が検知されているときに、管理残額が零の記録媒体が回収される。図１４のＳ１９０で説明したように、玉貸ユニット２０の制御部２１によって、回収された記録媒体にオフライン消費情報が記録されているか否かが判定される。図１４のＳ１９３で説明したように、玉貸ユニット２０の制御部２１によって、オフライン消費情報が記録されていると判定されたことを条件として、記録媒体ＩＤ及びオフライン消費情報が残額管理装置５０に送信される。
【０４２１】
このため、玉貸ユニット２０と残額管理装置５０との間における無駄な通信処理を防止することができる。
【０４２２】
（２−３）  図１４のＳ１８８で説明したように、玉貸ユニット２０の通路ユニット１００及び制御部２１によって、記録媒体であるビジタコイン５の発行に応じて、ビジタコイン５の記録情報を読み出す通路ユニット１００の収納コイン保持部１４０の下部アンテナ１０４に次のビジタコイン５が供給される。図１４のＳ１９３で説明したように、玉貸ユニット２０の制御部２１によって、次のビジタコイン５が下部アンテナ１０４に供給されたときに、供給されたビジタコイン５に記録された記録媒体ＩＤ及びオフライン消費情報が読み出され残額管理装置５０に送信される。
【０４２３】
このため、ビジタコイン５の発行時にオフライン消費情報を送信し管理残額を更新する場合と比較して、迅速にビジタコイン５を発行することができる。
【０４２４】
（３−１）  図１で説明したように、遊技用システム１は、残額管理装置５０と玉貸ユニット２０と精算装置６０とを含む。残額管理装置５０及び玉貸ユニット２０については、（１−１）で記載したとおりである。図２６のＳ７８０〜Ｓ７８７で説明したように、精算装置の制御部６２によって、記録媒体の記録媒体ＩＤに対応する管理残額の精算が行われる。
【０４２５】
図１９のＳ５４４〜Ｓ５４６、図２０のＳ５６２〜Ｓ５６４、及び図２１のＳ５８２〜Ｓ５８４で説明したように、玉貸ユニット２０の制御部２１によって、受け付けられた記録媒体の記録媒体ＩＤに対応する管理残額を特定可能な元データと演算方式フラグとが記録媒体に記録される。図１９のＳ５５２、図２０のＳ５７０、及び図２１のＳ５９０で説明したように、玉貸ユニット２０の制御部２１によって、元データと演算方式フラグとが記録された記録媒体が排出される。
【０４２６】
図２７のＳ８００で説明したように、精算装置６０の制御部６２によって、残額管理装置５０と通信できるオンライン状態であるか通信できないオフライン状態であるかが検知される。図２５のＳ２２１ｂ，Ｓ２４１ｂ、及び図２６のＳ７８１で説明したように、精算装置６０の制御部６２によって、オンライン状態が検知されているときは、受け付けられた記録媒体の記録媒体ＩＤに対応付けて残額管理装置５０にて管理されている管理残額に基づいて、精算が行われる。図２８のＳ９０４，Ｓ９０５，Ｓ９１２で説明したように、精算装置６０の制御部６２によって、オフライン状態が検知されているときは、受け付けられた記録媒体に記録されている元データと演算方式フラグから管理残額が特定され、特定した管理残額の精算が行われる。
【０４２７】
図２８のＳ９１４で説明したように、精算装置６０の制御部６２によって、Ｓ９１２で精算されたオフライン精算額を特定可能なオフライン精算情報が、受け付けられている記録媒体に記録される。図２８のＳ９１７で説明したように、精算装置６０の制御部６２によって、オフライン精算情報が記録された記録媒体である会員カード４が排出される。
【０４２８】
図１１のＳ２０２で説明したように、玉貸ユニット２０の制御部２１によって、受け付けられた記録媒体に記録された記録媒体ＩＤ及びオフライン精算情報が残額管理装置５０に送信される。図１２のＳ２４８で説明したように、残額管理装置５０の制御部５２によって、玉貸ユニット２０から受信した記録媒体ＩＤに対応付けて管理している管理残額が、玉貸ユニット２０から受信したオフライン精算情報で特定されるオフライン精算額分減算された額に更新される。
【０４２９】
このため、オフライン状態においても、管理残額を精算することができるため、遊技者の利便性を向上させることができる。さらに、例えば会員カード４のように精算後に記録媒体を排出する必要がある場合にも、当該排出された会員カード４がオンライン状態にある玉貸ユニット２０で受け付けられることにより、管理残額がオフライン精算額分減算された額に更新されるので、精算装置６０がオンライン状態に復帰するのを待つことなく当該会員カード４を使用可能とすることができる。
【０４３０】
（３−２）  図１で説明したように、遊技用システム１は、（３−１）で説明した構成に加えて、記録媒体であるビジタコイン５を発行する発行手段として玉貸ユニット２０を備える。図２８のＳ９１６で説明したように、精算装置６０の通路ユニット１００及び制御部６２によって、オフライン精算情報が記録された記録媒体であるビジタコイン５が回収される。
【０４３１】
図１４のＳ１９３で説明したように、玉貸ユニット２０の制御部２１によって、精算装置６０で回収された後に当該玉貸ユニット２０にセット（即ち収納通路１３１に収納）された記録媒体であるビジタコイン５に記録された記録媒体ＩＤ及びオフライン精算情報が残額管理装置５０に送信される。図１５のＳ２４４で説明したように、玉貸ユニット２０の制御部２１によって、オフライン精算情報の送信を条件として、記録媒体に記録されたオフライン精算情報が消去される。図１４のＳ１８７、及び図１９のＳ５５２で説明したように、玉貸ユニット２０の制御部２１によって、オフライン精算情報が消去された記録媒体であるビジタコイン５が発行される。図１２のＳ２４８で説明したように、残額管理装置５０の制御部５２によって、玉貸ユニット２０から受信した記録媒体ＩＤに対応付けて管理している管理残額が、玉貸ユニット２０から受信したオフライン精算情報で特定されるオフライン精算額分減算された額に更新される。
【０４３２】
このため、オフライン状態においても、管理残額を精算することができるため、遊技者の利便性を向上させることができる。さらに、例えばビジタコイン５のように精算後に記録媒体が回収される場合にも、当該回収されたビジタコイン５が発行される前に、管理残額がオフライン精算額分減算された額に更新されるので、精算装置６０がオンライン状態に復帰するのを待つことなく当該ビジタコイン５を使用可能とすることができる。
【０４３３】
（３−３）  図２７のＳ８７３で説明したように、精算装置６０の制御部６２によって、オフライン状態における精算を許容するためのオフライン移行操作が遊技場の店員から受け付けられ、オフライン状態が検知されているときは、オフライン移行操作が受け付けられたことを条件として、オフライン状態における精算が行われる。
【０４３４】
このため、遊技場の店員が状況を確認した上でオフライン状態における精算を許容することができるので、故意にオフライン状態を発生させて不正な記録媒体による精算が行われるおそれを低減させることができる。
【０４３５】
（３−４）  図６（ａ）の精算ＤＢで説明したように、精算装置６０の制御部６２によって、オフライン状態における精算に供された精算済の記録媒体の記録媒体ＩＤが記憶される。図２８のＳ９０２で説明したように、精算装置６０の制御部６２によって、オフライン状態が検知されているときに、受け付けた記録媒体の記録媒体ＩＤが、精算済の記録媒体の識別情報ＩＤと一致するか否かが判定される。図２８のＳ９０２で説明したように、精算装置６０の制御部６２によって、一致しないと判定されたことを条件としてオフライン状態における精算が行われる。
【０４３６】
このため、受け付けられた記録媒体がオフライン状態において精算済の記録媒体でない場合は、オフライン状態における精算を行うようにすることができる。その結果、不正のおそれのある記録媒体によるオフライン状態における精算を防止することができる。つまりビジタコイン５は、精算後には、精算装置６０によって回収されるにも拘わらず、精算後に再度、精算装置６０によって受け付けられた場合には、不正の疑いがあり、また会員カード４は、精算後には、精算装置６０から返却されるが、通常は遊技終了時に精算されるにも拘わらず、精算後に再び残額がある場合には、不正の疑いがあるので、このような不正の疑いがあるビジタコイン５又は会員カード４による精算を防止することができる。
【０４３７】
（３−５）  図２８のＳ９０４で説明したように、精算装置６０の制御部６２によって、オフライン状態における精算を許容する時間帯である精算可能時間の設定入力が受け付けられる。図２８のＳ９０３で説明したように、精算装置６０の制御部６２によって、現在の時刻が精算可能時間に含まれることを条件としてオフライン状態における精算が行われる。
【０４３８】
このため、オフライン状態における精算が行われる時間帯を本来精算が行われるべき時間帯（例えば、営業時間中）に限定することができる。その結果、不正の行われる可能性を低減させることができる。
【０４３９】
（３−６）  図２８のＳ９１３で説明したように、精算装置６０の制御部６２によって、オフライン状態における精算に供された記録媒体の記録媒体ＩＤと精算された管理残額とが対応付けられて記憶される。図２９のＳ９３４で説明したように、精算装置６０の制御部６２及び通信部６１によって、オフライン状態が検知されている状態からオンライン状態への復帰が検知されたことに基づいて、記憶されている記録媒体ＩＤと精算管理残額とが残額管理装置５０に送信される。
【０４４０】
図２９のＳ９３５で説明したように、残額管理装置５０の制御部５２によって、受信された記録媒体ＩＤに対応して残額管理装置５０にて管理されている管理残額と、精算装置６０から受信された精算管理残額とが一致するか否かが判定される。図２９のＳ９３６で説明したように、残額管理装置５０の制御部５２によって、一致しないと判定されたことを条件として、管理残額と精算管理残額とが一致しない旨が報知される。
【０４４１】
このため、オフライン状態における精算において不正が行われた場合に、オンライン状態への復帰後迅速にその事実を把握して対処することができる。
【０４４２】
（３−７）  図１９のＳ５４４〜Ｓ５４６、図２０のＳ５６２〜Ｓ５６４、及び図２１のＳ５８２〜Ｓ５８４で説明したように、玉貸ユニット２０の制御部２１によって、演算方式を特定可能な演算方式フラグと当該演算方式による演算により管理残額を算出するための元データとが、管理残額を特定するための情報として記録媒体に記録される。図２８のＳ９０４，Ｓ９０５で説明したように、精算装置６０の制御部６２によって、受け付けられた記録媒体に記録されている演算方式フラグから演算方式が特定され、特定された該演算方式により、受け付けられた記録媒体に記録されている元データが演算されて、管理残額が特定される。
【０４４３】
このため、管理残額がそのまま記録媒体に記録される場合と比較して、記録媒体を改ざんするような不正を行い難くすることができる。
【０４４４】
［１−１．第１実施形態の変形例１に係る玉貸ユニット２０］
次に、第１実施形態の変形例１に係る玉貸ユニット２０について説明する。この変形例１に係る玉貸ユニット２０は、以上に説明した第１実施形態に係る玉貸ユニット２０と比較して、玉貸処理の態様のみが異なり、その他の構成，作用，及び効果は同様である。つまり第１実施形態に係る玉貸ユニット２０では、図１０に示すように、貸与処理手段として機能する制御部２１が、単位貸与処理である玉貸処理を行うときに、第１貸与処理に引き続いて第２貸与処理を行う例について説明したが、この変形例１に係る玉貸ユニット２０では、図３０に示すように、前記貸与処理手段として機能する制御部２１が、単位貸与処理である玉貸処理を行うときに、第２貸与処理に引き続いて第１貸与処理を行う。
【０４４５】
具体的には、貸与処理手段として機能する制御部２１は、図８のＳ１２８，図１７のＳ５１５，及び図１８のＳ５２７で玉貸処理を行うときに、図３０に示すように、前記Ｓ１０の処理を行った後に、前記Ｓ２１〜Ｓ２７の第２貸与処理を行い、該第２貸与処理が完了すると、引き続いて、前記Ｓ１１〜Ｓ１８の第１貸与処理を行い、該第１貸与処理が完了すると、前記Ｓ３１以下の処理に進む。
【０４４６】
この変形例１に係る遊技用装置（玉貸ユニット２０及び払出ユニット３０）によれば、玉貸ユニット２０が行う単位貸与処理である玉貸処理において、単位貸与価値（１００円の整数倍）に相当するパチンコ玉のうち、単位貸与玉数（２５個）に対応する部分（２５個の整数倍）をパチンコ機１０から払い出す第１貸与処理と、端数玉数を併設された払出ユニット３０の玉払出装置３１から払い出す第２貸与処理とが行われることにより、管理残額をすべて使い切ることなく途中で遊技をやめた場合であっても、残存する管理残額に１００円未満の端数額が生じることが無い。従って、パチンコ玉の貸与に使用された価値に対して消費税額を徴収する場合であっても、前記単位貸与価値を消費税額込み（いわゆる内税）としておけば、管理残額をすべて使い切ることなく途中で遊技をやめた場合であっても、残存する管理残額に１００円未満の端数額が生じることが無く、該端数額を精算して遊技者に返却するために、遊技場が大量の小銭を準備して精算装置６０に補充する等の手間が無い。また貸与処理ユニットに払出手段を内蔵するスペースが無い場合であっても、端数遊技媒体数の払出が可能となる。
【０４４７】
［１−２．第１実施形態の変形例２に係る玉貸ユニット２０］
次に、第１実施形態の変形例２に係る玉貸ユニット２０について説明する。この変形例２に係る玉貸ユニット２０も、以上に説明した第１実施形態に係る玉貸ユニット２０と比較して、玉貸処理の態様のみが異なり、その他の構成，作用，及び効果は同様である。つまり第１実施形態に係る玉貸ユニット２０では、図１０に示すように、貸与処理手段として機能する制御部２１が、単位貸与処理である玉貸処理を行うときに、第１貸与処理に引き続いて第２貸与処理を行う例について説明したが、この変形例２に係る玉貸ユニット２０では、図３１に示すように、前記貸与処理手段として機能する制御部２１が、単位貸与処理である玉貸処理を行うときに、第１貸与処理を行っている途中に第２貸与処理を行う。
【０４４８】
具体的には、貸与処理手段として機能する制御部２１は、図８のＳ１２８，図１７のＳ５１５，及び図１８のＳ５２７で玉貸処理を行うときに、図３１に示すように、前記Ｓ１０の処理を行った後に、まず払出ユニット３０の玉払出装置３１に対して、該Ｓ１０で決定された貸与玉数の払出を指令することにより、第２貸与処理を行うと共に（Ｓ２１）、該第２貸与処理の完了を待つことなく、パチンコ機１０に対して、単位貸与玉数（２５個）の貸与を要求する玉貸要求信号を送信して（Ｓ１１）、前記Ｓ１２〜Ｓ１８の処理を行うことにより、第１貸与処理を行う。これにより、第１貸与処理（即ちパチンコ機１０からの払出）を行っている途中に、第２貸与処理（即ち玉払出装置３１からの払出）が行われる。そして、これらの処理が完了すると、前記払出玉数カウンタの値が前記Ｓ１０で決定された貸与玉数に達しているか否かを判定する（Ｓ２３）。
【０４４９】
ここで前記図１０に示す玉貸処理では、タイマＴが所定時間を計時してタイムアウトするまでに、払出玉数カウンタの値が貸与玉数に達したか否かを判定するのに対し（Ｓ２３，Ｓ２４）、この図３１に示す玉貸処理では、タイマＴによる計時をすることなく、払出玉数カウンタの値が貸与玉数に達したか否かを判定するが（Ｓ２３）、これは、第１貸与処理を行っている途中に第２貸与処理を行う本例では、前記第１貸与処理によるパチンコ玉の払出が完了したとき（Ｓ１６でＹＥＳ）において、第２貸与処理が正常に行われていれば、該第２貸与処理によるパチンコ玉の払出が完了しているからである。
【０４５０】
このＳ２３で払出玉数カウンタの値が貸与玉数に達している（ＹＥＳ）と判定された場合には、払出玉数カウンタの値をリセットして（Ｓ２６）、第１貸与処理及び第２貸与処理を完了し、前記Ｓ３１以下の処理に進む。一方、Ｓ２３で払出玉数カウンタの値が貸与玉数に達していない（ＮＯ）と判定された場合には、前記Ｓ１０で決定された貸与玉数から払出玉数カウンタの値を減じた未払い玉数を未払い玉数表示器２５ｂに表示して（Ｓ２７）、Ｓ２６に進む。
【０４５１】
この変形例２に係る遊技用装置（玉貸ユニット２０及び払出ユニット３０）によれば、玉貸ユニット２０が行う単位貸与処理である玉貸処理において、単位貸与価値（１００円の整数倍）に相当するパチンコ玉のうち、単位貸与玉数（２５個）に対応する部分（２５個の整数倍）をパチンコ機１０から払い出す第１貸与処理と、端数玉数を併設された払出ユニット３０の玉払出装置３１から払い出す第２貸与処理とが行われることにより、管理残額をすべて使い切ることなく途中で遊技をやめた場合であっても、残存する管理残額に１００円未満の端数額が生じることが無い。従って、パチンコ玉の貸与に使用された価値に対して消費税額を徴収する場合であっても、前記単位貸与価値を消費税額込み（いわゆる内税）としておけば、管理残額をすべて使い切ることなく途中で遊技をやめた場合であっても、残存する管理残額に１００円未満の端数額が生じることが無く、該端数額を精算して遊技者に返却するために、遊技場が大量の小銭を準備して精算装置６０に補充する等の手間が無い。また貸与処理ユニットに払出手段を内蔵するスペースが無い場合であっても、端数遊技媒体数の払出が可能となる。
【０４５２】
なお変形例２における玉貸処理は、「第１貸与処理を行っている途中に第２貸与処理を行う」ものであれば、図３１に示す態様には限定されない。例えば前記Ｓ１１のパチンコ機１０に対する玉貸要求信号の送信を行ってから、前記Ｓ２１の玉払出装置３１に対する払出の指令を行うものであっても良い。また第１貸与処理において貸与度数内の所定度数（例えば１度数）の玉貸が終了した後に、第２貸与処理を行い、該第２貸与処理の完了を待つことなく、残余の度数の第１貸与処理を行うものであっても良い。さらに第１貸与処理において貸与度数内の所定度数の玉貸が終了した後に、第２貸与処理を行い、該第２貸与処理の完了を待って、残余の度数の第１貸与処理を行うものであっても良い。
【０４５３】
［２．第２実施形態に係る玉貸ユニット２０を含む遊技用システム１］
次に、第２実施形態に係る玉貸ユニット２０を含む遊技用システム１について説明する。この第２実施形態に係る遊技用システム１は、第１実施形態と比較して、図１に示すように、玉貸ユニット２０と通信可能な会員管理装置８０を遊技場内に備えている点が異なる。ここで会員管理装置８０は、貯玉ＤＢを記憶している。この貯玉ＤＢでは、各会員カード４のカードＩＤに対応付けて、前記有価価値である貯玉数を管理している。この貯玉数は、会員カード４を所有する会員遊技者が遊技の結果として獲得したパチンコ玉を貯蓄した数である。
【０４５４】
また第２実施形態に係る玉貸ユニット２０は、第１実施形態と比較して、図３２（ａ）に示すように、その前面に貯玉数表示器２７と貯玉再プレイボタン２８とを備えている点と、図３３に示すように、制御部２１が貯玉再プレイ処理を行う点が異なる。
【０４５５】
ここで貯玉数表示器２７は、会員管理装置８０から取得して制御部２１のＲＡＭに記憶されている貯玉数を表示するための表示器であって、ここでは５桁の７セグメント表示器である。また貯玉再プレイボタン２８は、貯玉再プレイ操作を受け付けるためのボタンである。これら貯玉数表示器２７及び貯玉再プレイボタン２８は、図３２（ｂ）に示すように、制御部２１に接続されている。
【０４５６】
次に図３３を参照して、制御部２１が行う貯玉再プレイ処理について説明する。この貯玉再プレイ処理は、会員管理装置８０で管理されている前記有価価値である貯玉数のうち、前記単位貸与価値（ここでは１２５個の貯玉数＝使用玉数）に相当するパチンコ玉を貸与するための前記単位貸与処理として、使用玉数分の玉貸処理を行う処理である。ここで制御部２１のＥＥＰＲＯＭは、遊技場の営業開始前に会員管理装置８０から送信されてくる、該会員管理装置８０で予め設定された使用玉数及び手数料玉数を受信して、記憶する。ここで単位貸与価値である使用玉数は、例えば貯玉数１２５個であり、また該使用玉数分の玉貸処理を行うための手数料玉数は、例えば貯玉数２５個である。
【０４５７】
玉貸ユニット２０は、記録媒体受付を待機している状態で、会員カード４を受け付けると（Ｓ１００１）、該受け付けた会員カード４の記録情報を読み取り、前記図１１のＳ２０２の処理を行うと共に、該読み取ったカードＩＤを含む貯玉数取得要求を会員管理装置８０に対して送信する（Ｓ１００２）。この貯玉数取得要求を受信した会員管理装置８０は、該貯玉数取得要求に含まれるカードＩＤに対応付けて貯玉ＤＢで記憶している貯玉数を含む貯玉数通知を玉貸ユニット２０に対して送信する（Ｓ１００３）。この貯玉数通知を受信した玉貸ユニット２０は、該貯玉数通知に含まれる貯玉数を制御部２１のＲＡＭで記憶すると共に（Ｓ１００４）、該記憶している貯玉数を貯玉数表示器２７に表示して（Ｓ１００５）、貯玉再プレイ操作を待機する状態となる（Ｓ１００６）。
【０４５８】
次に玉貸ユニット２０は、貯玉再プレイ操作を待機している状態で、貯玉再プレイボタン２８が押下されて貯玉再プレイ操作）を受け付けると（Ｓ１０１１）、前記図８のＳ１２２ａと同様に、制御部２１のＲＡＭで未接続フラグを記憶しているか否か、即ち前記接続確認手段によりパチンコ機１０又は払出ユニット３０の少なくとも一方との接続が確認されていないと判定されているか否かを判定する（Ｓ１０１２ａ）。
【０４５９】
このＳ１０１２ａで未接続フラグを記憶している（ＹＥＳ）、即ちパチンコ機１０又は払出ユニット３０の少なくとも一方との接続が確認されていないと判定された場合には、使用玉数分の玉貸処理（Ｓ１０１７）である第１貸与処理及び第２貸与処理（図１０）のいずれも行わずに、貯玉再プレイ操作を無効とする。
【０４６０】
一方、Ｓ１０１２ａで未接続フラグを記憶していない（ＮＯ）、即ちパチンコ機１０及び払出ユニット３０との接続が確認されていると判定された場合には、前記図８のＳ１２２ｂと同様に、制御部２１のＲＡＭで玉貸不可フラグを記憶しているか否か、即ち前記払出判定手段によりパチンコ機１０又は玉払出装置３１の少なくとも一方がパチンコ玉を払い出せる状態でないと判定されているか否かを判定する（Ｓ１０１２ｂ）。
【０４６１】
このＳ１０１２ｂで玉貸不可フラグを記憶している（ＹＥＳ）、即ちパチンコ機１０又は玉払出装置３１の少なくとも一方がパチンコ玉を払い出せる状態でないと判定された場合には、使用玉数分の玉貸処理（Ｓ１０１７）である第１貸与処理及び第２貸与処理（図１０）のいずれも行わずに、貯玉再プレイ操作を無効とする。
【０４６２】
一方、Ｓ１０１２ｂで玉貸不可フラグを記憶していない（ＮＯ）、即ちパチンコ機１０及び玉払出装置３１の両方がパチンコ玉を払い出せる状態であると判定された場合には、制御部２１のＲＡＭで記憶している貯玉数が制御部２１のＥＥＰＲＯＭで記憶している使用玉数＋手数料玉数（ここでは１５０個）以上であるか否かを判定する（Ｓ１０１３）。このＳ１０１３で貯玉数が使用玉数＋手数料玉数未満である（ＮＯ）と判定された場合には、貯玉再プレイ操作を無効とする。
【０４６３】
一方、Ｓ１０１３で貯玉数が使用玉数＋手数料玉数以上である（ＹＥＳ）と判定された場合には、前記カードＩＤを含む貯玉数減算要求を会員管理装置８０に対して送信する（Ｓ１０１４）。即ち前記減算処理手段として機能する制御部２１は、使用玉数分の玉貸処理である第１貸与処理及び第２貸与処理の完了に拘わらず、会員管理装置８０で管理している貯玉数から使用玉数＋手数料玉数を減算するための減算処理として、貯玉数減算要求を会員管理装置８０に対して送信する。
【０４６４】
この貯玉数減算要求を送信した玉貸ユニット２０は、使用玉数＋手数料玉数をＲＡＭで記憶している貯玉数から減算し（Ｓ１０１５）、使用玉数２５玉毎（即ち使用額１００円毎）に１パルスの売上パルス（ここでは５パルスの売上パルス）を台端末装置（図示外）に対して出力して（Ｓ１０１６）、使用玉数分の玉貸処理を行う（Ｓ１０１７）。なおＳ１０１６の売上パルスが入力された台端末装置は、当該玉貸ユニット２０の装置ＩＤを付加した売上情報を、売上管理装置４０に対して送信する。
【０４６５】
このＳ１０１７における使用玉数分の玉貸処理は、前記図１０に示す玉貸処理と同様であり、前記Ｓ１０の処理を行った後に、前記Ｓ１１〜Ｓ１８の第１貸与処理を行い、該第１貸与処理が完了すると、引き続いて、前記Ｓ２１〜Ｓ２７の第２貸与処理を行い、該第２貸与処理が完了すると、前記Ｓ３１以下の処理に進む。ただしＳ１０では、ＥＥＰＲＯＭで記憶している貸与度数・玉数ＤＢの内容（図６（ｄ））に基づいて、使用玉数に対応する、パチンコ機１０に対して払出を指令する貸与度数（＊１欄）と、玉払出装置３１に対して払出を指令する貸与玉数（＊２欄）とを決定する。具体的には、ここでの使用玉数は１２５個であり、該使用玉数に対応する使用額は５００円であるので、パチンコ機１０に対して払出を指令する貸与度数として４度数を決定し、玉払出装置３１に対して払出を指令する貸与玉数として２０個を決定する。従って、１回の貯玉再プレイ処理では、使用玉数＋手数料玉数＝１５０個の貯玉数が使用されて、パチンコ機１０から１００個のパチンコ玉が払い出されると共に、玉払出装置３１から２０個のパチンコ玉が払い出される。
【０４６６】
なおＳ１０１７における使用玉数分の玉貸処理は、図１０に示すような、第１貸与処理に引き続いて第２貸与処理を行うものには限られず、前記図３０に示すような、第２貸与処理に引き続いて第１貸与処理を行うものであっても良く、また前記図３１に示すように、第１貸与処理を行っている途中に第２貸与処理を行うものであっても良い。
【０４６７】
前記Ｓ１０１４の貯玉数減算要求を受信した会員管理装置８０は、使用玉数＋手数料玉数を該受信した貯玉数減算要求に含まれるカードＩＤに対応付けて記憶している貯玉数から減算して（Ｓ１０１８）、貯玉数の減算が完了した旨を示す貯玉数減算完了通知を玉貸ユニット２０に対して送信する（Ｓ１０１９）。この貯玉数減算完了通知を受信した玉貸ユニット２０は、制御部２１のＲＡＭで記憶している貯玉数（即ちＳ１０１５における減算後の貯玉数）を貯玉数表示器２７に表示して（Ｓ１００５）、貯玉再プレイ操作を待機する状態となる（Ｓ１００６）。
【０４６８】
［３．第３実施形態に係る玉貸ユニット２０を含む遊技用システム１］
次に、第３実施形態に係る玉貸ユニット２０を含む遊技用システム１について説明する。この第３実施形態に係る遊技用システム１は、第１実施形態と比較して、図３４（ａ）に示すように、携帯電話６が使用される点が異なる。この携帯電話６は電子マネー媒体の一例であって、該携帯電話６を個々に識別可能な携帯電話ＩＤと、前記有価価値である電子マネー額とを記憶しているＩＣチップを備えている。
【０４６９】
また第３実施形態に係る遊技用システム１は、第１実施形態と比較して、図１に示すように、玉貸ユニット２０と残額管理装置５０及びインターネットを介して通信可能な電子マネー管理サーバ９０を遊技場外（ここでは前記カード会社）に備えている点が異なる。ここで電子マネー管理サーバ９０は、電子マネーＤＢを記憶している。この電子マネーＤＢでは、各携帯電話６の携帯電話ＩＤに対応付けて、前記電子マネー額を管理している。
【０４７０】
また第３実施形態に係る玉貸ユニット２０は、第１実施形態と比較して、図３４（ａ）に示すように、その前面に携帯電話近接部２９ａを備えている点，及びその内部に携帯電話Ｒ／Ｗ２９を備えている点と、図３５に示すように、制御部２１が電子マネー玉貸処理を行う点が異なる。
【０４７１】
ここで携帯電話Ｒ／Ｗ２９は電子マネー媒体受付手段の一例であって、携帯電話６を受け付けて、該受け付けた携帯電話６のＩＣチップから携帯電話ＩＤと電子マネー額とを読み取ると共に、電子マネー玉貸処理に使用される使用額を含む電子マネー額減算要求を該携帯電話６のＩＣチップに対して送信するものである。
【０４７２】
具体的には、携帯電話Ｒ／Ｗ２９は、「ケイタイ  ＴＯＵＣＨ」と表示されている携帯電話近接部２９ａを中心とした半球型の空間に向けて、携帯電話６のＩＣチップにアクセスするための電磁波を発信しており、携帯電話６が携帯電話近接部２９ａに近接される（かざされる）ことにより当該空間に入ってくると、該携帯電話６のＩＣチップから携帯電話ＩＤと電子マネー額とを読み取ると共に、電子マネー玉貸処理に使用される使用額を含む電子マネー額減算要求を該携帯電話６のＩＣチップに対して送信する。この携帯電話Ｒ／Ｗ２９は、図３４（ｂ）に示すように、制御部２１に接続されている。
【０４７３】
次に図３５を参照して、制御部２１が行う電子マネー玉貸処理について説明する。この電子マネー玉貸処理は、携帯電話６のＩＣチップで記憶されている前記有価価値である電子マネー額のうち、前記単位貸与価値（１００円の整数倍＝使用額）に相当するパチンコ玉を貸与するための前記単位貸与処理として、使用額分の玉貸処理を行う処理である。ここで制御部２１のＥＥＰＲＯＭは、基準となる使用額として、１０００円を記憶している。また制御部２１のＥＥＰＲＯＭは、携帯電話６から読み取った携帯電話ＩＤに対応付けて、玉貸処理に使用された該使用額を累積した累積使用額を記憶している。
【０４７４】
玉貸ユニット２０は、携帯電話受付を待機している状態で、携帯電話Ｒ／Ｗ２９により携帯電話６を受け付けると（Ｓ１１１１）、該携帯電話６のＩＣチップから携帯電話ＩＤと電子マネー額とを読み取って、前記図８のＳ１２２ａと同様に、制御部２１のＲＡＭで未接続フラグを記憶しているか否か、即ち前記接続確認手段によりパチンコ機１０又は払出ユニット３０の少なくとも一方との接続が確認されていないと判定されているか否かを判定する（Ｓ１１１２ａ）。
【０４７５】
このＳ１１１２ａで未接続フラグを記憶している（ＹＥＳ）、即ちパチンコ機１０又は払出ユニット３０の少なくとも一方との接続が確認されていないと判定された場合には、使用額分の玉貸処理（Ｓ１１２１）である第１貸与処理及び第２貸与処理（図１０）のいずれも行わずに、携帯電話受付を無効とする。
【０４７６】
一方、Ｓ１１１２ａで未接続フラグを記憶していない（ＮＯ）、即ちパチンコ機１０及び払出ユニット３０との接続が確認されていると判定された場合には、前記図８のＳ１２２ｂと同様に、制御部２１のＲＡＭで玉貸不可フラグを記憶しているか否か、即ち前記払出判定手段によりパチンコ機１０又は玉払出装置３１の少なくとも一方がパチンコ玉を払い出せる状態でないと判定されているか否かを判定する（Ｓ１１１２ｂ）。
【０４７７】
このＳ１１１２ｂで玉貸不可フラグを記憶している（ＹＥＳ）、即ちパチンコ機１０又は玉払出装置３１の少なくとも一方がパチンコ玉を払い出せる状態でないと判定された場合には、使用額分の玉貸処理（Ｓ１１２１）である第１貸与処理及び第２貸与処理（図１０）のいずれも行わずに、携帯電話受付を無効とする。
【０４７８】
一方、Ｓ１１１２ｂで玉貸不可フラグを記憶していない（ＮＯ）、即ちパチンコ機１０及び玉払出装置３１の両方がパチンコ玉を払い出せる状態であると判定された場合には、前記読み取った電子マネー額が前記最小単位価値である１００円以上であるか否かを判定する（Ｓ１１１３）。このＳ１１１３で電子マネー額が１００円未満である（ＮＯ）と判定された場合には、携帯電話受付を無効とする。
【０４７９】
一方、Ｓ１１１３で電子マネー額が１００円以上である（ＹＥＳ）と判定された場合には、該電子マネー額が基準となる使用額である１０００円以上であるか否かを判定する（Ｓ１１１４）。このＳ１１１４で電子マネー額が１０００円以上である（ＹＥＳ）と判定された場合には、該１０００円を使用額としてセットして、Ｓ１１１７に進む。一方、Ｓ１１１４で電子マネー額が１０００円未満である（ＮＯ）と判定された場合には、前記最小単位価値である１００円の整数倍であって電子マネー額を超えない最大額（例えば電子マネー額が７２３円であれば７００円）を使用額としてセットして、Ｓ１１１７に進む。
【０４８０】
Ｓ１１１７では、Ｓ１１１５又はＳ１１１６でセットされた使用額を含む電子マネー額減算要求を携帯電話６のＩＣチップに対して送信する。即ち前記減算処理手段として機能する制御部２１は、使用額分の玉貸処理である第１貸与処理及び第２貸与処理の完了に拘わらず、携帯電話６のＩＣチップで記憶している電子マネー額から使用額を減算するための減算処理として、該使用額を含む電子マネー額減算要求を携帯電話６のＩＣチップに対して送信する。
【０４８１】
この電子マネー額減算要求を送信した玉貸ユニット２０は、携帯電話６から送信されてくる、電子マネー額の減算が完了した旨を示す電子マネー額減算完了通知の受信を待機し（Ｓ１１１８）、該電子マネー額減算完了通知を受信すると（ＹＥＳ）、制御部２１のＥＥＰＲＯＭで前記読み取った携帯電話ＩＤに対応付けて記憶している累積使用額を前記使用額分加算し（Ｓ１１１９）、使用額１００円毎に１パルスの売上パルスを台端末装置（図示外）に対して出力して（Ｓ１１２０）、使用額分の玉貸処理を行い（Ｓ１１２１）、携帯電話６の受付を待機する状態となる（Ｓ１１２２）。なおＳ１１２０の売上パルスが入力された台端末装置は、当該玉貸ユニット２０の装置ＩＤを付加した売上情報を、売上管理装置４０に対して送信する。
【０４８２】
このＳ１１２１における使用額分の玉貸処理は、前記図１０に示す玉貸処理と同様であり、前記Ｓ１０の処理を行った後に、前記Ｓ１１〜Ｓ１８の第１貸与処理を行い、該第１貸与処理が完了すると、引き続いて、前記Ｓ２１〜Ｓ２７の第２貸与処理を行い、該第２貸与処理が完了すると、前記Ｓ３１以下の処理に進む。この使用額分の玉貸処理において、Ｓ１１１５又はＳ１１１６でセットされた使用額が１０００円ならば、パチンコ機１０から２２５個のパチンコ玉が払い出されると共に、玉払出装置３１から１５個のパチンコ玉が払い出される。
【０４８３】
なおＳ１１２１における使用玉数分の玉貸処理は、図１０に示すような、第１貸与処理に引き続いて第２貸与処理を行うものには限られず、前記図３０に示すような、第２貸与処理に引き続いて第１貸与処理を行うものであっても良く、また前記図３１に示すように、第１貸与処理を行っている途中に第２貸与処理を行うものであっても良い。
【０４８４】
そして玉貸ユニット２０は、所定時間毎（例えば３時間毎）に、制御部２１のＲＡＭで記憶している携帯電話ＩＤと累積使用額とを含む電子マネー使用情報を、残額管理装置５０及びインターネットを介して電子マネー管理サーバ９０に対して送信すると共に、該送信した累積使用額の記憶を消去する。この電子マネー使用情報を受信した電子マネー管理サーバ９０は、該電子マネー使用情報に含まれる携帯電話ＩＤに対応付けて電子マネーＤＢで記憶している電子マネー額から、該電子マネー使用情報に含まれる累積使用額を減算する。
【０４８５】
［４．第４実施形態に係る玉貸ユニット２０及び払出ユニット３０］
次に、第４実施形態に係る玉貸ユニット２０及び払出ユニット３０について説明する。この第４実施形態に係る玉貸ユニット２０は、第１実施形態と比較して、玉貸処理に関する制御部２１の機能のみが異なり、その他の構成，作用，及び効果は同様である。また第４実施形態に係る払出ユニット３０は、第１実施形態と比較して、その内部に、玉貸ユニット２０の制御部２１と通信可能であると共に、前記玉払出装置３１及び前記払出玉数センサ３１ｂが接続される制御部（図示しないが、説明の便宜上、「制御部３２」とする。）を備えている点のみが異なり、その他の構成，作用，及び効果は同様である。
【０４８６】
この制御部３２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、払出ユニット３０に備えられる各構成要素の動作を制御して各種の処理を行うものである。
【０４８７】
この制御部３２のＥＥＰＲＯＭは、遊技場の営業開始前にセンタ管理装置７０から残額管理装置５０を介して玉貸ユニット２０に対して送信されてくる、図６（ｄ）に示す貸与度数・玉数ＤＢの内容のうち、少なくとも玉払出装置３１に対して払出を指令する各使用額毎の貸与玉数（＊２欄）を、該玉貸ユニット２０から受信して、記憶するものである。なお、この第４実施形態に係る玉貸ユニット２０の制御部２１は、該＊２欄の貸与玉数を記憶していなくても良い。
【０４８８】
また制御部３２は払出数計数手段の一例であって、玉払出装置３１から払い出されるパチンコ玉を計数するものであり、具体的には、玉払出装置３１から払い出されたパチンコ玉が払出玉センサ３１ｂにより計数される毎に、該制御部３２に設けられた払出玉数カウンタの値を加算更新する。なお、この第４実施形態に係る玉貸ユニット２０の制御部２１は、払出数計数手段としては機能しない。
【０４８９】
ここで前記図１０を参照して、この第４実施形態に係る玉貸ユニット２０及び払出ユニット３０が行う玉貸処理について説明する。まず玉貸ユニット２０において、前記貸与処理手段として機能する制御部２１は、前記Ｓ１０の処理に代えて、ＥＥＰＲＯＭで記憶している貸与度数・玉数ＤＢの内容（図６（ｄ））に基づいて、前記Ｓ１２３の使用額決定処理で決定された使用額に対応する、パチンコ機１０に対して払出を指令する貸与度数（＊１欄）を決定する処理を行う（即ち玉払出装置３１に対して払出を指令する貸与玉数（＊２欄）は決定しない）。そして玉貸ユニット２０の制御部２１は、まず第１貸与処理を行い、該第１貸与処理が完了すると、引き続いて第２貸与処理を行う。
【０４９０】
この第２貸与処理では、前記Ｓ２１の処理に代えて、払出ユニット３０の制御部３２に対して、前記Ｓ１２３の使用額決定処理で決定された使用額を含む端数玉数貸与指令を送信する処理を行うことにより、端数玉数を玉払出装置３１から払い出して貸与するための指令を払出ユニット３０に対して行い、前記Ｓ２２〜Ｓ２７の処理を行うことなく、該払出ユニット３０から送信されてくる払出完了通知又は未払い玉数表示要求の受信を待機する。
【０４９１】
この端数玉数貸与指令を受信した払出ユニット３０の制御部３２は、ＥＥＰＲＯＭで記憶している各使用額毎の貸与玉数（図６（ｄ）の＊２欄）に基づいて、該受信した端数玉数貸与指令に含まれる使用額に対応する貸与玉数（即ち端数玉数）を決定し、玉払出装置３１に対して、該決定された貸与玉数の払出を指令し、前記Ｓ２２の処理と同様に、制御部３２に設けられたタイマＴによる計時を開始して、前記Ｓ２３及び前記Ｓ２４の処理と同様に、該タイマＴが所定時間（玉払出装置３１が最大で２４個のパチンコ玉を払い出すために十分な時間であり、例えば１５秒）を計時してタイムアウトするまでに、前記払出玉数カウンタの値が前記決定された貸与玉数に達したか否かを判定する。
【０４９２】
ここで制御部３２において、タイマＴがタイムアウトするまでに払出玉数カウンタの値が貸与玉数に達した（Ｓ２３でＹＥＳ）と判定された場合には、前記Ｓ２５の処理と同様に、タイマＴをリセットすると共に、図示しないが、端数玉数の払出が完了した旨を示す払出完了通知を玉貸ユニット２０の制御部２１に対して送信して、前記Ｓ２６の処理と同様に、払出玉数カウンタの値をリセットする。この払出完了通知を受信した玉貸ユニット２０は、第２貸与処理を完了して、Ｓ３１に進む。
【０４９３】
一方、制御部３２において、タイマＴがタイムアウトするまでに払出玉数カウンタの値が貸与玉数に達しなかった（Ｓ２４でＹＥＳ）と判定された場合には、前記Ｓ２７の処理に代えて、前記決定された貸与玉数から払出玉数カウンタの値を減じた未払い玉数を特定可能な未払い玉数表示要求を玉貸ユニット２０の制御部２１に対して送信して、前記Ｓ２６の処理と同様に、払出玉数カウンタの値をリセットする。この未払い玉数表示要求を受信した玉貸ユニット２０の制御部２１は、該受信した未払い玉数表示要求から特定される未払い玉数を未払い玉数表示器２５ｂに表示し、第２貸与処理を完了して、Ｓ３１に進む。
【０４９４】
なお、この第４実施形態において、未払い玉数表示器２５ｂは、玉貸ユニット２０ではなく、払出ユニット３０に設けられるようにしても良く、この場合には、制御部３２において、タイマＴがタイムアウトするまでに払出玉数カウンタの値が貸与玉数に達しなかった（Ｓ２４でＹＥＳ）と判定された場合には、前記Ｓ２７の処理に代えて、前記決定された貸与玉数から払出玉数カウンタの値を減じた未払い玉数を未払い玉数表示器２５ｂに表示する。
【０４９５】
以上に説明した第４実施形態は、第１実施形態，第２実施形態，及び第３実施形態のいずれにも適用可能である。
【０４９６】
［５．変形例］
最後に、本発明の変形例について説明する。
【０４９７】
上記の実施形態では、オフライン状態の玉貸ユニット２０で、記憶残額を使用した玉貸処理が行われた後に、返却操作が行われるか、又はオンライン状態に復帰すると、該玉貸処理に使用された記憶残額であるオフライン消費額と、残額管理装置５０から各玉貸ユニット２０に送信されて記憶されているオフライン時基準金額とに基づいて、オフライン消費情報が算出されて、該算出されたオフライン消費情報が記録媒体に記録され、該記録媒体がオンライン状態の玉貸ユニット２０で受け付けられるか、又はオフライン状態の玉貸ユニット２０がオンライン状態に復帰すると、該記録媒体に記録されている記録媒体ＩＤとオフライン消費情報とが残額管理装置５０に対して送信され、該残額管理装置５０において、受信した記録媒体ＩＤに対応付けて残額管理ＤＢで記憶されている装置ＩＤが特定され、該装置ＩＤに対応付けて設定値ＤＢで記憶されているオフライン時基準金額が特定され、該オフライン時基準金額と前記受信したオフライン消費情報とに基づいてオフライン消費額が特定されて、該オフライン消費額が前記受信した記録媒体ＩＤに対応付けて残額管理ＤＢで管理されている管理残額から減算されて、管理残額が補正されるようにした。
【０４９８】
ここで図３６〜図３９を参照して、オフライン状態の玉貸ユニット２０で記憶残額を使用した玉貸処理が行われたときに、オフライン消費額を管理残額から減算して管理残額を補正するための手法を説明する。なお、以下においては、玉貸処理や記録媒体挿入時処理における記録通番や管理通番の更新処理や通番判定に関する処理等は省略し、オフライン消費額を管理残額から減算いて管理残額を補正するための構成のみを詳細に説明する。また、上記の実施形態では、残額管理装置５０が、挿入通知，供給通知，オンライン復帰通知，及び精算要求ではなく、残額受信通知やオフライン情報消去通知を受信したことに基づいて、オフライン消費額を管理残額から減算する処理が行われるが、以下においては、説明を簡単にするために、残額管理装置５０が挿入通知を受信したことに基づいて、オフライン消費額を管理残額から減算する処理が行われる場合を例に採って説明する。なお、図３７〜図３９に示す変形例において、通番更新処理や通番判定処理等の実施形態で行っていた処理を併せて行っても良いし、挿入通知ではなく残額受信通知やオフライン情報消去通知の受信に基づいてオフライン消費額を管理残額から減算する処理を行うようにしても良いことはもちろんである。
【０４９９】
まず図３６を参照して、上記の実施形態で採用した手法を説明する。この図３６は、オフライン状態の玉貸ユニット２０で玉貸処理に使用されたオフライン消費額を残額管理装置５０で特定するための第１の方法を示す図である。
【０５００】
まず残額管理装置５０では、図６（ａ）に示す設定値ＤＢで、各玉貸ユニット２０の装置ＩＤと対応付けて、オフライン時基準金額が記憶されている。このオフライン時基準金額は、決まった時刻（例えば遊技場の営業開始前）に、各玉貸ユニット２０に対して送信される。例えば装置ＩＤが「Ｕ０００１」の玉貸ユニット２０に対しては、オフライン時基準金額「１５０００」円が送信される。ここで送信されたオフライン時基準金額は、制御部２１のＲＡＭで記憶される。
【０５０１】
そして図１１で説明したように、玉貸ユニット２０において、記録媒体ＩＤ「Ｖ０００４」のビジタコイン５が受け付けられると（Ｓ２０１）、該ビジタコイン５に記録されている記録媒体ＩＤ「Ｖ０００４」や当該玉貸ユニット２０の装置ＩＤ「Ｕ０００１」等を含む挿入通知が、残額管理装置５０に対して送信される（Ｓ２０２）。図１２で説明したように、該残額管理装置５０においては、受信した挿入通知に含まれる装置ＩＤ「Ｕ０００１」が図６（ａ）に示す残額管理ＤＢで記憶され（Ｓ２２０）、受信した挿入通知に含まれる記録媒体ＩＤ「Ｖ０００４」に対応付けて残額管理ＤＢで記憶されている管理残額「２５００」円を含む残額通知が、玉貸ユニット２０に対して送信される（Ｓ２２１）。該玉貸ユニット２０においては、受信した残額通知に含まれる管理残額「２５００」円が記憶残額として記録媒体ＩＤ「Ｖ０００４」と対応付けて記憶される（Ｓ２２２）。
【０５０２】
また図８で説明したように、玉貸ユニット２０において、玉貸操作が受け付けられると（Ｓ１２１）、使用額が記憶残額から減算されて（Ｓ１２６）、使用額分の玉貸処理が行われ（Ｓ１２７）、残額管理装置５０において、使用額が管理残額から減算される（Ｓ１２９）。ここでは玉貸設定金額が１０００円であるので、玉貸処理が行われることによって、該１０００円が使用額として、記憶残額及び管理残額である２５００円から減算されて、記憶残額及び管理残額が１５００円となる。
【０５０３】
この時点で、玉貸ユニット２０と残額管理装置５０とのオフライン状態が発生することとする。図１８で説明したように、オフライン状態の玉貸ユニット２０において、玉貸操作が受け付けられると（Ｓ５２１）、玉貸設定金額である１０００円が使用額として、記憶残額である１５００円から減算されて（Ｓ５２４）、該記憶残額が５００円になると共に、記録媒体ＩＤ「Ｖ０００４」に対応するオフライン消費額が使用額である１０００円分加算されて（Ｓ５２５）、使用額分の玉貸処理が行われる（Ｓ５２７）。なおオフライン状態であるので、残額管理装置５０で記憶されている管理残額は減算されず、１５００円のままとなる。また図１７で説明したように、オフライン状態の玉貸ユニット２０において、貨幣（１０００円）が受け付けられると（Ｓ５１０）、受付貨幣額分の玉貸処理が行われるが（Ｓ５１５）、記憶残額及びオフライン消費額は変更されない。
【０５０４】
そして図１９で説明したように、オフライン状態の玉貸ユニット２０において、返却操作が受け付けられると（Ｓ５４１）、図２０で説明したように、記憶しているオフライン時基準金額「１５０００」円−記憶しているオフライン消費額「１０００」円の式でオフライン消費情報「１４０００」が算出され（Ｓ５６７）、該オフライン消費情報「１４０００」が、投入コイン保持部１２０で保持されている記録媒体ＩＤ「Ｖ０００４」のビジタコイン５に記録されて（Ｓ５６８）、該ビジタコイン５が排出される（Ｓ５７０）。
【０５０５】
次に図１１で説明したように、残額管理装置５０とオンライン状態の玉貸ユニット２０において、記録媒体ＩＤ「Ｖ０００４」のビジタコイン５が受け付けられると（Ｓ２０１）、該ビジタコイン５に記録されている記録媒体ＩＤ「Ｖ０００４」とオフライン消費情報「１４０００」とを含む挿入通知が、残額管理装置５０に対して送信される（Ｓ２０２）。残額管理装置５０においては、受信した挿入通知に含まれる記録媒体ＩＤ「Ｖ０００４」に対応付けて図６（ａ）に示す残額管理ＤＢで記憶されている装置ＩＤ「Ｕ０００１」が特定され（Ｓ２１１）、該装置ＩＤ「Ｕ０００１」に対応付けて図６（ａ）に示す設定値ＤＢで記憶されているオフライン時基準金額「１５０００」円が特定され（Ｓ２１２）、該特定されたオフライン時基準金額「１５０００」円−前記受信したオフライン消費情報「１４０００」の式でオフライン消費額「１０００」円が算出されて（Ｓ２１３）、該オフライン消費額が記憶される（Ｓ２１４）。そして図１２で説明したように、記憶されたオフライン消費額「１０００」円が管理残額「１５００」円から減算されて管理残額が「５００」円とされて、記憶されたオフライン消費額「１０００」円が消去される（Ｓ２４７）。
【０５０６】
この図３６に示す例では、オフライン消費情報として、オフライン時基準金額からオフライン消費額を減算した値を用いたが、オフライン消費額自体をオフライン消費情報としても良く、この場合には、残額管理装置５０は、受信した挿入通知（供給通知，オンライン復帰通知，精算要求）に含まれるオフライン消費情報をオフライン消費額として特定し、該オフライン消費額を管理残額から減算補正する。
【０５０７】
次に図３７を参照して、上記の実施形態とは別の手法を説明する。この図３７は、オフライン状態の玉貸ユニット２０で玉貸処理に使用されたオフライン消費額を残額管理装置５０で特定するための第２の方法を示す図である。この第２の方法は、オフライン状態の玉貸ユニット２０において、記憶残額を使用した玉貸処理が行われた回数であるオフライン消費回数と、残額管理装置５０から各玉貸ユニット２０に送信されて記憶されているオフライン時基準回数とに基づいて、オフライン消費情報が算出されて、該算出されたオフライン消費情報が記録媒体に記録され、該記録媒体がオンライン状態の玉貸ユニット２０で受け付けられると、該記録媒体に記録されている記録媒体ＩＤとオフライン消費情報とが残額管理装置５０に対して送信され、該残額管理装置５０において、受信した記録媒体ＩＤに対応付けて残額管理ＤＢで記憶されている装置ＩＤが特定され、該装置ＩＤに対応付けて設定値ＤＢで記憶されているオフライン時基準回数と玉貸設定金額が特定され、該オフライン時基準回数と玉貸設定金額と前記受信したオフライン消費情報とに基づいてオフライン消費額が特定されて、該オフライン消費額が前記受信した記録媒体ＩＤに対応付けて残額管理ＤＢで管理されている管理残額から減算されて、管理残額が補正される方法である。
【０５０８】
なお、この第２の方法の場合には、オフライン状態において、玉貸設定金額分の玉貸処理を行い、記憶残額が玉貸設定金額未満である場合には、玉貸処理は行わないこととする。この第２の方法が前記図３６に示す第１の方法と比較して主に異なる点は、オフライン時基準金額に替えて、オフライン時基準回数を用い、オフライン消費額に替えて、オフライン消費回数を用いることである。
【０５０９】
まず残額管理装置５０では、図６（ａ）に示す設定値ＤＢで、各玉貸ユニット２０の装置ＩＤと対応付けて、前記オフライン時基準金額に替えて、オフライン時基準回数が記憶されている。このオフライン時基準回数は、決まった時刻（例えば遊技場の営業開始前）に、各玉貸ユニット２０に対して送信される。例えば装置ＩＤが「Ｕ０００１」の玉貸ユニット２０に対しては、オフライン時基準回数「３０」回が送信される。ここで送信されたオフライン時基準回数は、制御部２１のＲＡＭで記憶される。
【０５１０】
そして図１１で説明したように、玉貸ユニット２０において、記録媒体ＩＤ「Ｖ０００４」のビジタコイン５が受け付けられると（Ｓ２０１）、該ビジタコイン５に記録されている記録媒体ＩＤ「Ｖ０００４」や当該玉貸ユニット２０の装置ＩＤ「Ｕ０００１」等を含む挿入通知が、残額管理装置５０に対して送信される（Ｓ２０２）。図１２で説明したように、該残額管理装置５０においては、受信した挿入通知に含まれる装置ＩＤ「Ｕ０００１」が図６（ａ）に示す残額管理ＤＢで記憶され（Ｓ２２０）、受信した挿入通知に含まれる記録媒体ＩＤ「Ｖ０００４」に対応付けて残額管理ＤＢで記憶されている管理残額「１００００」円を含む残額通知が、玉貸ユニット２０に対して送信される（Ｓ２２１）。該玉貸ユニット２０においては、受信した残額通知に含まれる管理残額「１００００」円が記憶残額として記録媒体ＩＤ「Ｖ０００４」と対応付けて記憶される（Ｓ２２２）。
【０５１１】
また図８で説明したように、玉貸ユニット２０において、玉貸操作が受け付けられると（Ｓ１２１）、使用額が記憶残額から減算されて（Ｓ１２６）、使用額分の玉貸処理が行われ（Ｓ１２７）、残額管理装置５０において、使用額が管理残額から減算される（Ｓ１２９）。ここでは玉貸設定金額が１０００円であるので、玉貸処理が行われることによって、該１０００円が使用額として、記憶残額及び管理残額である１００００円から減算されて、記憶残額及び管理残額が９０００円となる。ここでは玉貸処理がもう一度行われて、記憶残額及び管理残額が８０００円となる。
【０５１２】
この時点で、玉貸ユニット２０と残額管理装置５０とのオフライン状態が発生することとする。図１８で説明したように、オフライン状態の玉貸ユニット２０において、玉貸操作が受け付けられると（Ｓ５２１）、玉貸設定金額である１０００円が使用額として、記憶残額である８０００円から減算されて（Ｓ５２４）、該記憶残額が７０００円になると共に、前記Ｓ５２５に替えて、記録媒体ＩＤ「Ｖ０００４」に対応するオフライン消費回数が１回分加算されて、使用額（ここでは玉貸設定金額）分の玉貸処理が行われる（Ｓ５２７）。なおオフライン状態であるので、残額管理装置５０で記憶されている管理残額は減算されず、８０００円のままとなる。ここでは玉貸処理がもう一度行われて、記憶残額が６０００円となり、オフライン消費回数が２回となる。
【０５１３】
そして図１９で説明したように、オフライン状態の玉貸ユニット２０において、返却操作が受け付けられると（Ｓ５４１）、図２０で説明したように、前記Ｓ５６７に替えて、記憶しているオフライン時基準回数「３０」回−記憶しているオフライン消費回数「２」回の式でオフライン消費情報「２８」が算出され、該オフライン消費情報「２８」が、投入コイン保持部１２０で保持されている記録媒体ＩＤ「Ｖ０００４」のビジタコイン５に記録されて（Ｓ５６８）、該ビジタコイン５が排出される（Ｓ５７０）。
【０５１４】
次に図１１で説明したように、残額管理装置５０とオンライン状態の玉貸ユニット２０において、記録媒体ＩＤ「Ｖ０００４」のビジタコイン５が受け付けられると（Ｓ２０１）、該ビジタコイン５に記録されている記録媒体ＩＤ「Ｖ０００４」とオフライン消費情報「２８」とを含む挿入通知が、残額管理装置５０に対して送信される（Ｓ２０２）。残額管理装置５０においては、受信した挿入通知に含まれる記録媒体ＩＤ「Ｖ０００４」に対応付けて図６（ａ）に示す残額管理ＤＢで記憶されている装置ＩＤ「Ｕ０００１」が特定され（Ｓ２１１）、前記Ｓ２１２に替えて、該装置ＩＤ「Ｕ０００１」に対応付けて図６（ａ）に示す設定値ＤＢで記憶されているオフライン時基準回数「３０」回と玉貸設定金額「１０００」円が特定され、前記Ｓ２１３に替えて、（該特定されたオフライン時基準回数「３０」回−前記受信したオフライン消費情報「２８」）×該特定された玉貸設定金額「１０００」円の式でオフライン消費額「２０００」円が算出されて、該オフライン消費額が記憶される（Ｓ２１４）。そして図１２で説明したように、記憶されたオフライン消費額「２０００」円が管理残額「８０００」円から減算されて管理残額が「６０００」円とされて、記憶されたオフライン消費額「２０００」円が消去される（Ｓ２４７）。
【０５１５】
この図３７に示す例では、オフライン消費情報として、オフライン時基準回数からオフライン消費回数を減算した値を用いたが、オフライン消費回数自体をオフライン消費情報としても良く、この場合には、残額管理装置５０は、受信した挿入通知（供給通知，オンライン復帰通知，精算要求）に含まれるオフライン消費情報に玉貸設定金額を乗算することでオフライン消費額を特定し、該オフライン消費額を管理残額から減算補正する。
【０５１６】
次に図３８を参照して、上記の実施形態とは別の手法を説明する。この図３８は、オフライン状態の玉貸ユニット２０で玉貸処理に使用されたオフライン消費額を残額管理装置５０で特定するための第３の方法を示す図である。この第３の方法は、オフライン状態の玉貸ユニット２０において、記憶残額を使用した玉貸処理に使用されたオフライン消費額と、残額管理装置５０から各玉貸ユニット２０に送信されて記憶されている、オフラインが発生した時間帯毎に異なる（各時刻に応じて異なる）オフライン時基準金額とに基づいて、オフライン消費情報が算出されて、該算出されたオフライン消費情報が記録媒体に記録され、該記録媒体がオンライン状態の玉貸ユニット２０で受け付けられると、該記録媒体に記録されている記録媒体ＩＤとオフライン消費情報とが残額管理装置５０に対して送信され、該残額管理装置５０において、受信した記録媒体ＩＤに対応付けて残額管理ＤＢで記憶されている装置ＩＤが特定され、該装置ＩＤの玉貸ユニット２０についてオフラインが発生した時刻が特定され、該オフライン発生時刻が属する時間帯に対応付けて設定値ＤＢで記憶されているオフライン時基準金額が特定され、該オフライン時基準金額と前記受信したオフライン消費情報とに基づいてオフライン消費額が特定されて、該オフライン消費額が前記受信した記録媒体ＩＤに対応付けて残額管理ＤＢで管理されている管理残額から減算されて、管理残額が補正される方法である。
【０５１７】
この第３の方法が前記図３６に示す第１の方法と比較して主に異なる点は、装置ＩＤに対応するオフライン時基準金額に替えて、オフラインが発生する時間帯に対応するオフライン時基準金額を用いることである。
【０５１８】
まず残額管理装置５０では、図６（ａ）に示す設定値ＤＢで、オフラインが発生する時間帯と対応付けて、オフライン時基準金額が記憶されている。この各時間帯毎のオフライン時基準金額は、決まった時刻（例えば遊技場の営業開始前）に、各玉貸ユニット２０に対して送信される。ここで送信された各時間帯毎のオフライン時基準金額は、制御部２１のＲＡＭで記憶される。
【０５１９】
この玉貸ユニット２０において、ビジタコイン５を受け付けた場合，及び玉貸操作を受け付けた場合の処理は、前記図３６と同様である。ここで玉貸ユニット２０と残額管理装置５０とのオフライン状態が発生すると、残額管理装置５０において、該玉貸ユニット２０の装置ＩＤ「Ｕ０００１」と対応付けて、オフラインが発生した時刻「１１：２２」が記憶される。このオフライン状態の玉貸ユニット２０において、玉貸操作を受け付けた場合，及び貨幣を受け付けた場合の処理は、前記図３６と同様である。
【０５２０】
そして図１９で説明したように、オフライン状態の玉貸ユニット２０において、返却操作が受け付けられると（Ｓ５４１）、前記記憶しているオフライン時基準金額のうちの、前記オフラインが発生した時刻「１１：２２」が属する時間帯に対応するオフライン時基準金額「１６５００」円が特定され、図２０で説明したように、該特定されたオフライン時基準金額「１６５００」円−記憶しているオフライン消費額「１０００」円の式でオフライン消費情報「１５５００」が算出され（Ｓ５６７）、該オフライン消費情報「１５５００」が、投入コイン保持部１２０で保持されている記録媒体ＩＤ「Ｖ０００４」のビジタコイン５に記録されて（Ｓ５６８）、該ビジタコイン５が排出される（Ｓ５７０）。
【０５２１】
次に図１１で説明したように、残額管理装置５０とオンライン状態の玉貸ユニット２０において、記録媒体ＩＤ「Ｖ０００４」のビジタコイン５が受け付けられると（Ｓ２０１）、該ビジタコイン５に記録されている記録媒体ＩＤ「Ｖ０００４」とオフライン消費情報「１５５００」とを含む挿入通知が、残額管理装置５０に対して送信される（Ｓ２０２）。残額管理装置５０においては、受信した挿入通知に含まれる記録媒体ＩＤ「Ｖ０００４」に対応付けて図６（ａ）に示す残額管理ＤＢで記憶されている装置ＩＤ「Ｕ０００１」が特定され（Ｓ２１１）、該装置ＩＤに対応付けて記憶されているオフライン発生時刻「１１：２２」が特定され、前記オフライン発生時刻「１１：２２」が属する時間帯に対応付けて図６（ａ）に示す設定値ＤＢで記憶されているオフライン時基準金額「１６５００」円が特定され（Ｓ２１２）、該特定されたオフライン時基準金額「１６５００」円−前記受信したオフライン消費情報「１５５００」の式でオフライン消費額「１０００」円が算出されて（Ｓ２１３）、該オフライン消費額が記憶される（Ｓ２１４）。そして図１２で説明したように、記憶されたオフライン消費額「１０００」円が管理残額「１５００」円から減算されて管理残額が「５００」円とされて、記憶されたオフライン消費額「１０００」円が消去される（Ｓ２４７）。
【０５２２】
つまり、前述した「第１実施形態に係る発明により得られる主な効果」の（１−３）において、残額管理装置５０及び玉貸ユニット２０は、各時刻に応じて異なるオフライン時基準金額を記憶し、管理している管理残額に対応する記録媒体ＩＤに対応付けて、該記録媒体ＩＤの記録媒体が受け付けられている玉貸ユニット２０の装置ＩＤを記憶する。玉貸ユニット２０は、オフライン状態であると検知された時刻に応じたオフライン時基準金額に基づいたオフライン消費情報を記録媒体に記録する。
【０５２３】
残額管理装置５０は、玉貸ユニット２０とのオフライン状態を検知し、オフライン状態であることが検知された時刻とオフライン状態の玉貸ユニット２０の装置ＩＤとを対応付けて記憶し、玉貸ユニット２０から受信した記録媒体ＩＤに対応して記憶されている装置ＩＤと対応付けて記憶された時刻を特定し、該特定した時刻に応じたオフライン時基準金額に基づいてオフライン消費額を特定する。
【０５２４】
これにより、オフライン消費額を直接、記録媒体に記録するのではなくて，オフライン時基準金額を用いて算出したオフライン消費情報が記録媒体に記録されるので、オフライン時基準金額を用いて算出したオフライン消費情報を零に書き替えたとしても、オフライン消費額を零とすることができない。また、オフライン時基準金額は、オフライン状態が検知された時刻に応じて異なるので、容易に知ることができない。その結果、オフライン状態において記憶残額を使用しているにも拘わらず、オフライン消費額が零となるようにオフライン消費情報を書き替えるような不正をさらに行い難くすることができる。なお、オフライン消費額及びオフライン時基準金額に替えて、オフライン消費回数及びオフライン時基準回数を用いるようにしても良い。
【０５２５】
次に図３９を参照して、上記の実施形態とは別の手法を説明する。この図３９は、オフライン状態の玉貸ユニット２０で玉貸処理に使用されたオフライン消費額を残額管理装置５０で特定するための第４の方法を示す図である。この第４の方法は、オフライン状態の玉貸ユニット２０において、記憶残額を使用した玉貸処理に使用されたオフライン消費額と、残額管理装置５０から各玉貸ユニット２０に送信されて記憶されている、オフラインが発生した時間帯毎に異なる（各時刻に応じて異なる）オフライン時基準金額とに基づいて、オフライン消費情報が算出されて、該算出されたオフライン消費情報とオフライン発生時刻とが記録媒体に記録され、該記録媒体がオンライン状態の玉貸ユニット２０で受け付けられると、該記録媒体に記録されている記録媒体ＩＤとオフライン消費情報とオフライン発生時刻が残額管理装置５０に対して送信され、該残額管理装置５０において、受信したオフライン発生時刻が属する時間帯に対応付けて設定値ＤＢで記憶されているオフライン時基準金額が特定され、該オフライン時基準金額と前記受信したオフライン消費情報とに基づいてオフライン消費額が特定されて、該オフライン消費額が前記受信した記録媒体ＩＤに対応付けて残額管理ＤＢで管理されている管理残額から減算されて、管理残額が補正される方法である。
【０５２６】
この第４の方法が前記図３８に示す第３の方法と比較して主に異なる点は、残額管理装置５０において、装置ＩＤに対応付けてオフライン発生時刻を記憶することなく、玉貸ユニット２０において、オフライン発生時刻を記録媒体に記録することである。
【０５２７】
この残額管理装置５０及び玉貸ユニット２０において、オフライン時基準金額の記憶方法は、前記図３８と同様である。また玉貸ユニット２０において、ビジタコイン５を受け付けた場合，及び玉貸操作を受け付けた場合の処理は、前記図３６と同様である。ここで玉貸ユニット２０と残額管理装置５０とのオフライン状態が発生すると、玉貸ユニット２０において、オフラインが発生した時刻「１１：２２」が記憶される。このオフライン状態の玉貸ユニット２０において、玉貸操作を受け付けた場合，及び貨幣を受け付けた場合の処理は、前記図３６と同様である。
【０５２８】
そして図１９で説明したように、オフライン状態の玉貸ユニット２０において、返却操作が受け付けられると（Ｓ５４１）、前記記憶しているオフライン時基準金額のうちの、前記オフラインが発生した時刻「１１：２２」が属する時間帯に対応するオフライン時基準金額「１６５００」円が特定され、図２０で説明したように、該特定されたオフライン時基準金額「１６５００」円−記憶しているオフライン消費額「１０００」円の式でオフライン消費情報「１５５００」が算出され（Ｓ５６７）、該オフライン消費情報「１５５００」と、前記オフライン発生時刻「１１：２２」とが、投入コイン保持部１２０で保持されている記録媒体ＩＤ「Ｖ０００４」のビジタコイン５に記録されて（Ｓ５６８）、該ビジタコイン５が排出される（Ｓ５７０）。
【０５２９】
次に図１１で説明したように、残額管理装置５０とオンライン状態の玉貸ユニット２０において、記録媒体ＩＤ「Ｖ０００４」のビジタコイン５が受け付けられると（Ｓ２０１）、該ビジタコイン５に記録されている記録媒体ＩＤ「Ｖ０００４」とオフライン消費情報「１５５００」とオフライン発生時刻「１１：２２」とを含む挿入通知が、残額管理装置５０に対して送信される（Ｓ２０２）。残額管理装置５０においては、受信した挿入通知に含まれるオフライン発生時刻「１１：２２」が属する時間帯に対応付けて図６（ａ）に示す設定値ＤＢで記憶されているオフライン時基準金額「１６５００」円が特定され（Ｓ２１２）、該特定されたオフライン時基準金額「１６５００」円−前記受信したオフライン消費情報「１５５００」の式でオフライン消費額「１０００」円が算出されて（Ｓ２１３）、該オフライン消費額が記憶される（Ｓ２１４）。そして図１２で説明したように、記憶されたオフライン消費額「１０００」円が管理残額「１５００」円から減算されて管理残額が「５００」円とされて、記憶されたオフライン消費額「１０００」円が消去される（Ｓ２４７）。
【０５３０】
なお、記録媒体に記録する時間を示す情報は、オフライン状態が発生した時刻やその時刻を示す情報に限定されず、オフライン状態が発生した時間帯であっても良いし、その時間帯を示す番号であっても良い。また、オフライン状態が発生した時刻に限定されず、オフライン状態が発生した時刻から記録媒体が排出されるまでの任意の時刻であっても良い。例えば、記録媒体の排出時刻を記録媒体に記録するようにしても良い。
【０５３１】
つまり、前述した「実施の形態により得られる主な効果」の（１−３）において、次のようにしても良い。残額管理装置５０及び玉貸ユニット２０は、各時刻に応じて異なるオフライン時基準金額を記憶する。玉貸ユニット２０は、時刻を特定可能な時刻特定情報と、当該時刻に応じたオフライン時基準金額に基づいたオフライン消費情報とを記録媒体に記録する。
【０５３２】
玉貸ユニット２０は、受け付けた記録媒体に記録された時刻特定情報を残額管理装置５０にさらに送信する。残額管理装置５０は、受信した時刻特定情報から特定される時刻に応じたオフライン時基準金額に基づいてオフライン消費額を特定する。
【０５３３】
これにより、オフライン消費額を直接、記録媒体に記録するのではなくて，オフライン時基準金額を用いて算出したオフライン消費情報が記録媒体に記録されるので、オフライン時基準金額を用いて算出したオフライン消費情報を零に書き替えたとしても、オフライン消費額を零とすることができない。また、オフライン時基準金額は、時刻に応じて異なるので、容易に知ることができない。その結果、オフライン状態において記憶残額を使用しているにも拘わらず、オフライン消費額が零になるようにオフライン消費情報を書替えるような不正をさらに行い難くすることができる。なお、オフライン消費額及びオフライン時基準金額に替えて、オフライン消費回数及びオフライン時基準回数を用いるようにしても良い。
【０５３４】
上記の実施形態では、図２４のＳ７０１、図２５のＳ２２１ｂ，Ｓ２４１ｂ、及び図２６のＳ７８１で説明したように、精算装置６０は、記録媒体を受け付けたときに、残額管理装置５０から管理残額を取得して、該管理残額を精算する例について説明したが、これに限らず、記録媒体に記憶残額を記録するようにして、精算装置６０は、記録媒体を受け付けたときに、該記録媒体に記録されている残額を読み取って、該読み取った残額を残額管理装置５０に送信し、残額管理装置５０において、当該記録媒体の記録媒体ＩＤに対応付けて残額管理ＤＢで管理されている管理残額と精算装置６０から送信されてきた残額とが一致すると判定されたことを条件として、前記読み取った残額を精算するようにしても良い。
【０５３５】
上記の実施形態では、会員カード４及びビジタコイン５には、記録媒体ＩＤが記録され、残額は記録されていなかったが、記録媒体ＩＤに加えて残額も記録するようにしても良い。
【０５３６】
上記の実施形態では、図１７に示すように、オフライン状態の玉貸ユニット２０が貨幣を受け付けたときに、遊技者の操作によることなく、受付貨幣額分の玉貸処理が行われる例について説明したが、これに限らず、受付貨幣額を記憶し、玉貸操作を受け付けたことに基づいて、該記憶している受付貨幣額の全部又は一部を使用した玉貸処理が行われるようにしても良い。
【０５３７】
上記の実施形態では、取引装置として、遊技場に設置され、受け付けた記録媒体の記録媒体ＩＤに対応付けて残額管理装置で管理されている残額（管理残額）を使用して遊技媒体（玉）を貸与する処理を行う玉貸ユニット２０を説明したが、これに限定されず、管理残額を使用して取引処理を行う装置であれば良い。例えば、遊技場に限らず、各店舗に設置され、受け付けた記録媒体の管理残額を使用して物品を払出す処理を行う自動販売機や、商品の購入代金を入力し、当該入力された購入代金を管理残額から減算することで決済する処理を行うＰＯＳ端末であっても良い。
【０５３８】
上記の実施形態では、管理残額を特定可能な管理残額特定情報として、演算方式と、元データとして、基準データ，乗算データ，除算データ，及び加算データとを記録しているが、演算方式は１種類に固定し、演算方式を記録しなくても良いし、基準データ，乗算データ，除算データ，及び加算データすべてではなく、いずれか１つ又は複数であっても良い。また上記の実施形態では、乗算データ，除算データ，及び加算データは玉貸ユニット２０に予め設定されており、これら各データと管理残額（記憶残額）とに基づいて基準データを算出するようにしていたが、基準データとして、例えば記録媒体ＩＤの特定の桁の数値（例えば下２桁）を使用し、該基準データと管理残額とに基づいて、乗算データ，除算データ，及び加算データを元データとして算出し記録するようにしても良い。
【０５３９】
また管理残額特定情報としては、管理残額自体、即ち記憶残額自体を記録するようにしても良い。また、記録媒体に総入金額を記録する領域と総消費金額を記録する領域とを設け、当該記録媒体について入金処理が行われる毎に、当該入金額を総入金領域に加算し、玉貸処理が行われる毎に玉貸使用金額を総消費領域に加算し、精算処理が行われる毎に精算額を総消費領域に加算する。例えばオンライン状態においては、図７のＳ１０７で残額がＲＡＭに記憶されるときに入金額（受付貨幣額）を記録媒体の総入金領域に加算し、図８のＳ１２６で使用額が記憶残額から減算されるときに玉貸使用金額を記録媒体の総消費領域に加算し、図２６のＳ７８１で貨幣が払出されるときに精算額を記録媒体の総消費領域に加算する。またオフライン状態においては、図１７のＳ５１３で受付貨幣額がＲＡＭに記憶されるときに受付貨幣額を記録媒体の総入金領域に加算し、図１７のＳ５１４で受付貨幣額分の玉貸処理が行われるときに受付貨幣額を記録媒体の総消費領域に加算し、図１８のＳ５２４で使用額が記憶残額から減算されるときに該使用額を記録媒体の総消費領域に加算し、図２８のＳ９１２で管理残額分の貨幣が払出されるときに該管理残額を記録媒体の総消費領域に加算する。つまり、管理残額特定情報として、当該記録媒体についての総入金額と総消費額とを記録し、総入金額から総消費額を減算することで管理残額が特定できるようにしても良い。
【０５４０】
なお総入金額を加算するタイミングは、上述したタイミングに限定されるものではなく、入金が確定した以降であれば、どのようなタイミングであっても良い。具体的には、オンライン状態においては、図７のＳ１０６で残額管理装置５０から予定残額通知を受信して以降に加算を行えば良いし、オフライン状態においては、図１７のＳ５１２でＮＯと判定されて以降に加算を行えば良い。
【０５４１】
また総消費金額を加算するタイミングについても同様に、上述したタイミングに限定されるものではなく、玉貸処理の実施や精算処理の実施が確定した以降であれば、どのようなタイミングであっても良い。具体的には、オンライン状態での玉貸処理においては、図８のＳ１２１で玉貸操作を受け付け、Ｓ１２３で使用額が特定されて以降に加算を行えば良いし、オフライン状態での玉貸処理においては、図１７のＳ５１２でＮＯと判定されて以降、あるいは図１８のＳ５２３で使用額が特定されて以降に加算を行えば良い。またオンライン状態での精算処理においては、図２６のＳ７８０で精算操作を受け付けて以降に加算を行えば良いし、オフライン状態での精算処理においては、図２８のＳ９１１で精算操作を受け付けて以降に加算を行えば良い。
【０５４２】
この場合、総入金額及び総消費額は、記録媒体が遊技場に納入されて以降のものを集計して記録するようにしても良いし、精算装置６０における精算毎にリセットし、精算以降のものを集計して記録するようにしても良いし、玉貸ユニット２０における玉貸処理により記憶残額が零になる毎にリセットし、記憶残額が零になって以降のものを集計して記録するようにしても良い。
【０５４３】
上記の実施形態では、オフライン消費情報や管理残額特定情報を、記録媒体を排出するタイミングで算出して記録しているが、これに限らず、玉貸処理や入金処理の都度、オフライン消費額や管理残額特定情報を算出して、記録媒体に記録するようにしても良い。
【０５４４】
上記の実施形態では、記録媒体の挿入処理時に、残額管理装置５０において記録媒体ＩＤに対応付けて装置ＩＤを記憶しておくことで、オフライン消費情報を記録して当該記録媒体を排出した玉貸ユニット２０の装置ＩＤを特定するようにしたが、これに限らず、オフライン消費情報を記録して返却するときに、当該返却を行う玉貸ユニット２０の装置ＩＤを記録媒体に記録しておき、該記録媒体に記録された装置ＩＤを挿入通知に含めて残額管理装置５０に送信することで、残額管理装置５０が当該記録媒体を排出した玉貸ユニットの装置ＩＤを特定するようにしても良い。また、この場合には、図３８に示した手法においても、当該装置ＩＤから直接オフライン発生時刻を特定すれば良い。
【０５４５】
上記の実施形態では、精算装置６０がオフライン状態からオンライン状態に復帰したときに、図６（ｂ）に示す精算ＤＢの内容をオフライン中精算通知として残額管理装置５０に送信するようにしたが、精算装置６０がオンライン復帰することなく閉店し、電源ＯＦＦ後に修理を行い、次営業日の営業開始時に電源ＯＮしたときにオンライン状態となったときには、その時点で精算ＤＢの内容を残額管理装置５０に送信するようにすれば良い。
【０５４６】
上記の実施形態では、精算装置６０において貨幣で精算を行うようにした。しかし、これに限定されず、電子マネーを記憶して用いることが可能な携帯電話やカードに対して電子マネーを加算することで精算を行うようにしても良い。
【０５４７】
上記の実施形態では、通番不一致時処理が、記憶している受付貨幣額の加算や消去，及び使用額の減算等、管理残額を対象とした処理である例について説明したが、これに限らず、該通番不一致時処理は、残額管理装置５０において、挿入通知の送信元である玉貸ユニット２０や精算要求の送信元である精算装置６０を特定可能に表示（報知）する処理であっても良い。これによれば、例えば遊技場の店員が、該報知された玉貸ユニット２０や精算装置６０からカードあるいはコインを一旦回収し、当該カード等の残額を特定して遊技者に保証を行うといった対処が可能となる。また通番不一致時処理は、残額管理装置５０から、挿入通知の送信元である玉貸ユニット２０や精算要求の送信元である精算装置６０に対して報知指令を送信する処理であっても良い。これによれば、玉貸ユニット２０や精算装置６０において報知が行われるので、上記と同様の対処が可能となる。このように、通番不一致時処理とは、管理残額を対象とした処理には限られない。
【０５４８】
上記の実施形態では、基準貸与額（玉貸設定金額）が、残額管理装置５０から各玉貸ユニット２０に配信されることで設定され、該設定額が設定値ＤＢで管理される例について説明したが、これに限らず、基準貸与額が各玉貸ユニット２０で設定されるようにしても良く、例えば、各玉貸ユニット２０が備える玉貸設定金額設定ボタンの操作によって当該玉貸ユニット２０の玉貸設定金額が設定されることで、該設定額が残額管理装置５０に対して送信され、設定値ＤＢで当該玉貸ユニット２０の装置ＩＤに対応付けて管理されるようにしても良い。
【０５４９】
上記の実施形態では、図７に示すように、残額管理装置５０において、入金要求の受信に応じて、まずステータスの記憶（Ｓ１０４）が行われ、次に受付貨幣額の記憶（Ｓ１０５）が行われ、最後に予定残額通知の送信（Ｓ１０６）が行われる例について説明したが、これら３つの処理が行われる順序は限定されない。また玉貸ユニット２０において、予定残額通知の受信に応じて、まず特定処理である受付貨幣の取込（Ｓ１０８）が行われ、次に第１の通番更新処理（Ｓ１０９）が行われ、最後に連携処理要求である貨幣取込通知の送信（Ｓ１１０）が行われる例について説明したが、これら３つの処理が行われる順序も限定されない。さらに残額管理装置５０において、連携処理要求である貨幣取込通知の受信に応じて、まず受付貨幣額の加算（Ｓ１１３）が行われ、次に該受付貨幣額の消去（Ｓ１１４）が行われ、次に第２の通番更新処理（Ｓ１１５）が行われ、最後にステータスの更新（Ｓ１０６）が行われる例について説明したが、これら４つの処理が行われる順序も限定されない。
【０５５０】
上記の実施形態では、図８に示すように、玉貸ユニット２０において、玉貸操作を受け付けると、まず第１の通番更新処理が行われ（Ｓ１２４）、次に減算要求の送信が行われ（Ｓ１２５）、次に記憶残額から使用額の減算が行われ（Ｓ１２６）、最後に使用額分の玉貸処理が行われる（Ｓ１２７）例について説明したが、これら４つの処理が行われる順序は限定されない。また残額管理装置５０において、減算要求の受信に応じて、まず管理残額から使用額の減算が行われ（Ｓ１２９）が行われ、次に第２の通番更新処理が行われ（Ｓ１３０）、次にステータスの記憶が行われ（Ｓ１３１）、最後に減算完了通知の送信が行われる（Ｓ１３２）例について説明したが、これら４つの処理が行われる順序も限定されない。
【０５５１】
上記の実施形態では、図１２に示すように、玉貸ユニット２０において、予定残額通知の受信に応じて、まずオフライン消費情報の消去が行われ（Ｓ２４３）、次にオフライン精算情報の消去が行われ（Ｓ２４４）、次に第１の通番更新処理が行われ（Ｓ２４５）、最後にオフライン情報消去通知の送信が行われる（Ｓ２４６）例について説明したが、これら４つの処理が行われる順序は限定されない。また残額管理装置５０において、オフライン情報消去通知の受信に応じて、まずオフライン消費額の減算・消去が行われ（Ｓ２４７）、次にオフライン精算額の減算・消去が行われ（Ｓ２４８）、次に第２の通番更新処理が行われ（Ｓ２２７）、最後にステータスの更新が行われる（Ｓ２２８）例について説明したが、これら４つの処理が行われる順序も限定されない。
【０５５２】
上記の実施形態では、図２５に示すように、精算装置６０において、精算許諾情報の受信に応じて、まずオフライン消費情報の消去が行われ（Ｓ２４３）、次にオフライン精算情報の消去が行われ（Ｓ２４４）、次に第１の通番更新処理が行われ（Ｓ２４５）、最後にオフライン情報消去通知の送信が行われる（Ｓ２４６）例について説明したが、これら４つの処理が行われる順序は限定されない。また残額管理装置５０において、オフライン情報消去通知の受信に応じて、まずオフライン消費額の減算・消去が行われ（Ｓ２４７）、次にオフライン精算額の減算・消去が行われ（Ｓ２４８）、次に第２の通番更新処理が行われ（Ｓ２２７）、最後にステータスの更新が行われる（Ｓ２２８）例について説明したが、これら４つの処理が行われる順序も限定されない。
【０５５３】
上記の実施形態では、図２６に示すように、精算装置６０において、精算操作を受け付けると、まず許諾額分の貨幣の払い出しが行われ（Ｓ７８１）、次に第３の通番更新処理が行われ（Ｓ７８２）、最後に精算完了通知の送信が行われる（Ｓ７８３）例について説明したが、これら３つの処理が行われる順序は限定されない。また残額管理装置５０において、精算完了通知の受信に応じて、まず管理残額の消去が行われ（Ｓ７８４）、次に第４の通番更新処理が行われ（Ｓ７８５）、次にステータスの更新が行われ（Ｓ７８６）、最後に残額消去完了通知の送信が行われる（Ｓ７８７）例について説明したが、これら４つの処理が行われる順序も限定されない。
【０５５４】
上記の実施形態では、玉貸ユニット２０において、記録媒体の通番が上限値（ここでは２５５）に達しているか否かを判定し、残額管理装置５０においても、管理している通番が上限値（ここでは２５５）に達しているか否かを判定する例について説明したが、これに限らず、玉貸ユニット２０のみが、通番が上限値に達しているか否かを判定するようにしても良い。例えば玉貸ユニット２０において、記録媒体の通番が上限値に達していると判定したときに、当該記録媒体の通番を初期値に更新し、当該記録媒体の記録媒体ＩＤ及び通番を初期値に更新する旨を含む情報を残額管理装置５０に対して送信し、該残額管理装置５０において受信した記録媒体ＩＤに対応付けられた通番を初期値に更新するようにしても良い。
【０５５５】
上記の実施形態では、残額管理装置５０は、返却操作に伴う返却通知（例えば図１４のＳ１８４）を受信したときにも、残額管理ＤＢで記録媒体ＩＤに対応付けて管理されている装置ＩＤを消去せずに、記憶したままにしておく例について説明したが、これに限らず、返却通知を受信したときに、受信した記録媒体ＩＤに対応付けられた装置ＩＤを消去するようにしても良い。この場合には、玉貸ユニット２０又は精算装置６０から残額管理装置５０に対して入金要求，挿入通知，又は精算要求が送信され、該情報を受信した残額管理装置５０が装置ＩＤを記憶した後、オフライン状態となって、記録媒体が返却されても、返却通知を残額管理装置５０が受信することがないので、装置ＩＤは消去されない。従って、オフライン状態となった場合に、当該記録媒体ＩＤの記録媒体が前回オンライン状態で受け付けられていた玉貸ユニット２０を特定することが可能である。
【０５５６】
上記の実施形態では、玉貸処理に応じて通番が１ずつ加算更新される例について説明したが、これに限らず、通番は２ずつ更新されても良く、その更新幅は任意である。即ち更新幅は遊技用装置と残額管理装置との間で予め定められた共通の更新幅であれば良く、例えばマイナスの値であっても良い。この場合には、玉貸ユニット２０で通番が更新され、残額管理装置５０で通番が更新されていないときに、［記録媒体に記録されている通番（即ち残額管理装置５０が受信する通番）＜残額管理装置５０で管理されている通番］となる。さらに通番は、整数に限らず、アルファベットや５０音などの、順序を特定可能なキャラクタ等であっても良い。なお「通番の一致」とは、必ずしも値が一致することに限られず、記録媒体の通番（記録通番）と残額管理装置５０の通番（管理通番）とが所定の関係にあることと特定される場合も含まれる。例えば、記録通番と管理通番が２つずれるという関係であれば、（記録通番）＝（管理通番＋２）の場合には通番が一致することに該当する。
【０５５７】
上記の実施形態では、図１に示すように、玉貸ユニット２０と残額管理装置５０とが直接的に通信可能に接続されている例について説明したが、これに限らず、両者の間に台端末や中継コンピュータを介在させ、両者が間接的に通信可能に接続されるようにしても良い。また両者は有線で通信可能とされるものには限られず、無線で通信可能とされるものであっても良い。
【０５５８】
上記の実施形態では、図２（ａ）に示すように、残度数表示器１４，玉貸ボタン１５，及び返却ボタン１６が遊技機（パチンコ機１０）に設けられ、玉貸ユニット２０と接続されている例について説明したが、これに限らず、これら残度数表示器１４，玉貸ボタン１５，及び返却ボタン１６の一部又は全部を玉貸ユニット２０に設けるようにしても良い。
【０５５９】
上記の実施形態では、図２（ｂ）に示すように、紙幣識別機２３にて受付可能な紙幣２の種類が１０００円紙幣，２０００円紙幣，５０００円紙幣，及び１００００円紙幣の４種類である例について説明したが、これに限らず、受付可能な紙幣２の種類は、該４種類のうちの任意の１種類又は２種類以上でも良い。なお玉貸ユニット２０は、貨幣として紙幣２のみを受け付けるものには限られず、紙幣及び硬貨を受け付けるものや、硬貨のみを受け付けるものであっても良い。
【０５６０】
上記の実施形態では、図２（ｂ）に示すように、貨幣受付手段（紙幣識別機２３）により受け付けられて回収された貨幣（紙幣２）が玉貸ユニット２０の外部に排出されて、紙幣搬送機構により搬送される例について説明したが、これに限らず、該受け付けられて回収された貨幣は、玉貸ユニット２０の内部に貯留されるようにしても良い。
【０５６１】
上記の実施形態では、図２（ｂ）に示すように、貨幣受付手段（紙幣識別機２３）において、有体物である貨幣（紙幣２）を受け付ける例について説明したが、これに限らず、無体物である貨幣（例えば電子マネー等の貨幣金額に相当する金額データや、クレジットカードから特定される与信金額や、デビットカードから特定される預金金額等）を接触又は非接触で受け付けるようにしても良く、この場合には、貨幣の回収は決済処理の実行に相当し、貨幣の返却は決済処理の中止に相当する。
【０５６２】
上記の実施形態では、図２（ａ）（ｂ）に示すように、コイン排出口１１２が遊技用装置（玉貸ユニット２０）の前面に突出して形成される例について説明したが、これに限らず、該コイン排出口は、遊技用装置の前面から陥没して形成されるようにしても良い。
【０５６３】
上記の実施形態では、例えば図７のＳ１０３に示すように、玉貸ユニット２０から送信される入金要求に受付貨幣額と記録媒体ＩＤとが含まれる例について説明したが、これに限らず、玉貸ユニット２０から送信される挿入通知に記録媒体ＩＤと装置ＩＤとを含めて送信し、該挿入通知を受信した残額管理装置５０において、該挿入通知に含まれる記録媒体ＩＤに対応付けて該挿入通知に含まれる装置ＩＤを管理するようにした場合には、前記入金要求に受付貨幣額と装置ＩＤとを含めて送信し、該入金要求を受信した残額管理装置５０において、該入金要求に含まれる装置ＩＤに対応付けて管理されている記録媒体ＩＤを特定し、前記入金要求に含まれる受付貨幣額を該特定された記録媒体ＩＤに対応付けて管理するようにしても良い。即ち入金要求は、受付貨幣額と記録媒体ＩＤとを特定可能な情報であれば良く、この場合には装置ＩＤが前記記録媒体ＩＤを特定可能な情報である。また入金可能な貨幣の金種が１種類である場合には、入金要求には受付貨幣額を含めなくても良い。
【０５６４】
上記の実施形態では、図７のＳ１０６に示すように、管理残額と受付貨幣額との合算額を特定可能な残額通知として、該合算額である予定残額を含む予定残額通知が残額管理装置５０から玉貸ユニット２０に対して送信される例について説明したが、これに限らず、玉貸ユニット２０は、管理残額を記憶残額として把握していると共に、受付貨幣額を把握しているので、前記合算額を含まない残額確認通知を前記残額通知として残額管理装置５０から玉貸ユニット２０に対して送信し、該玉貸ユニット２０において該残額確認通知を受信したことに基づいて、前記把握している管理残額と受付貨幣額との合算額を算出し、該算出した合算額を制御部２１のＲＡＭで記憶するようにしても良い。また管理残額又は受付貨幣額のいずれか一方のみを含む残額確認通知を前記残額通知として残額管理装置５０から玉貸ユニット２０に対して送信し、該玉貸ユニット２０において該残額確認通知を受信したことに基づいて、該残額確認通知に含まれる管理残額又は受付貨幣額と、前記把握している受付貨幣額又は管理残額との合算額を算出し、該算出した合算額を制御部２１のＲＡＭで記憶するようにしても良い。
【０５６５】
上記の実施形態では、図１２のＳ２４１に示すように、管理残額からオフライン消費額及びオフライン精算額を減算した補正額を特定可能な残額通知として、該補正額である予定残額を含む予定残額通知が残額管理装置５０から玉貸ユニット２０に対して送信される例について説明したが、これに限らず、玉貸ユニット２０は、記録媒体に記録されているオフライン消費額及びオフライン精算額を把握しているので、管理残額のみを含む残額通知を残額管理装置５０から玉貸ユニット２０に対して送信し、該玉貸ユニット２０において残額通知を受信したことに基づいて、該受信した残額通知に含まれる管理残額から前記把握しているオフライン消費額及びオフライン精算額を減算した補正額を算出し、該算出した補正額を制御部２１のＲＡＭで記憶するようにしても良い。
【０５６６】
上記の実施形態では、図２５のＳ２４１ｂに示すように、管理残額からオフライン消費額及びオフライン精算額を減算した補正額を特定可能な補正額精算許諾情報として、該補正額である予定残額を含む精算許諾情報が残額管理装置５０から精算装置６０に対して送信される例について説明したが、これに限らず、精算装置６０は、記録媒体に記録されているオフライン消費額及びオフライン精算額を把握しているので、管理残額のみを含む精算許諾情報を残額管理装置５０から精算装置６０に対して送信し、該精算装置６０において精算許諾情報を受信したことに基づいて、該受信した精算許諾情報に含まれる管理残額から前記把握しているオフライン消費額及びオフライン精算額を減算した補正額を算出し、該算出した補正額に相当する貨幣の払い出しを可能とするようにしても良い。
【０５６７】
上記の実施形態では、図６（ａ）に示すように、残額管理装置５０において、記録媒体ＩＤと対応付けて単に残額が記憶・管理されている例について説明したが、これに限らず、例えば入金金額，使用金額，精算金額等も併せて記憶・管理するようにしても良い。
【０５６８】
上記の実施形態では、図６（ａ）に示すように、記録媒体ＩＤが、会員カード４のカードＩＤ（Ｍで始まる４桁の番号）とビジタコイン５のコインＩＤ（Ｖで始まる４桁の番号）とで区別されている例について説明したが、これに限らず、会員カード４とビジタコイン５とで区別のないＩＤであっても良い。
【０５６９】
上記の実施形態では、例えば図７に示すように、Ｓ１０３の入金要求に記録媒体ＩＤが含まれ、残額が入金時から該記録媒体ＩＤと対応付けて管理される例について説明したが、これに限らず、Ｓ１０３の入金要求に装置ＩＤを含むようにして、残額を入金時には該装置ＩＤと対応付けて管理しておき、Ｓ１８４の返却通知に装置ＩＤと記録媒体ＩＤを含むようにして、該装置ＩＤに対応する残額を返却時から該記録媒体ＩＤと対応付けて管理するようにしても良い。この場合には、受付貨幣額から管理残額貸与処理に使用された使用額を減算した金額を、記録媒体の記録媒体ＩＤと対応付けて残額管理装置５０で管理するための処理（即ち記録媒体Ｒ／Ｗ１０２から読み取った記録媒体ＩＤから特定可能にするための残額特定処理）として、残額管理装置５０とオンライン状態で貨幣を受け付けたときに、装置ＩＤと受付貨幣額とを含む前記入金要求を残額管理装置５０に対して送信する処理と、前記使用額分の玉貸処理が行われたときに、装置ＩＤと使用額とを含む前記減算要求を残額管理装置５０に対して送信する処理と、排出操作（返却ボタン１６の操作）を受け付けたときに、装置ＩＤと記録媒体ＩＤとを含む前記返却通知を残額管理装置５０に対して送信する処理とを行う。
【０５７０】
上記の実施形態では、玉貸ユニット２０において、残額管理装置５０とオンライン状態で貨幣が受け付けられたときに、該残額管理装置５０に対して入金要求が送信されて入金処理が行われる例について説明したが、これに限らず、玉貸ユニット２０において、残額管理装置５０とオンライン状態で貨幣が受け付けられても、該残額管理装置５０に対して入金要求を送信せずに、受付貨幣額を残額として制御部２１のＲＡＭで記憶して玉貸処理に使用させ、記録媒体（会員カード４，ビジタコイン５）が排出されるときに、残額管理装置５０に対して記録媒体ＩＤと残額とが送信されて、残額管理装置５０において該記録媒体ＩＤに対応付けて該残額が管理されるようにしても良い。この場合には、前記残額特定手段は、受付貨幣額から管理残額貸与処理に使用された使用額を減算した金額（即ち制御部２１のＲＡＭで記憶している前記玉貸処理に使用されなかった残額）を、記録媒体の記録媒体ＩＤと対応付けて残額管理装置５０で管理するための処理（即ち記録媒体Ｒ／Ｗ１０２から読み取った記録媒体ＩＤから特定可能にするための残額特定処理）として、排出操作（返却ボタン１６の操作）を受け付けたときに、記録媒体ＩＤと制御部２１のＲＡＭで記憶している前記玉貸処理に使用されなかった残額とを含む通知を残額管理装置５０に対して送信する処理を行う。
【０５７１】
上記の実施形態では、会員カード４が非接触式のＩＣカードであり、ビジタコイン５が非接触式のＩＣコインである例について説明したが、これに限らず、各記録媒体は、接触式の集積回路，磁気，二次元コード（例えばバーコード），三次元コード，又は光干渉（例えばホログラム）等により情報を記録するものでも良い。また会員カード４の形状はカード型には限られず、コイン型であっても良い。さらにビジタコイン５の形状もコイン型には限られず、カード型であっても良い。
【０５７２】
上記の実施形態では、会員用の記録媒体として会員カード４が使用される例について説明したが、これに限らず、例えば記録媒体ＩＤを記録したＩＣチップが搭載された携帯電話端末が該会員用の記録媒体として使用されるようにしても良く、この場合には、玉貸ユニット２０や精算装置６０において、該携帯電話端末を近接させることにより受け付ける記録媒体受付手段が設けられる。なお上記の実施形態において、会員カード４を使用しないように構成しても良い。
【０５７３】
上記の実施形態において、ＩＣカードである会員カード４やＩＣコインであるビジタコイン５は、必ずしもＣＰＵを搭載している必要はないが、ＣＰＵを搭載しているものであっても良い。
【０５７４】
上記の実施形態では、遊技機がパチンコ機１０ある例について説明したが、これに限らず、該遊技機は、例えば遊技媒体としてメダルを使用するスロットマシン，遊技媒体としてパチンコ玉を使用するスロットマシンであるパロット（登録商標），遊技媒体であるパチンコ玉が指触不能に封入された封入式のパチンコ機，パチンコ玉やメダルを用いることなく得点データを使用して遊技可能なパチンコ機やスロットマシン，遊技領域やパチンコ玉が画像にて表示される画像式のパチンコ機，リールが画像にて表示される画像式のスロットマシン等であっても良い。
【０５７５】
上記の実施形態では、貸与処理が玉貸処理である例について説明したが、これに限らず、該貸与処理は、前記メダルを貸与するメダル貸出処理や、前記封入式や画像式のパチンコ機やスロットマシンにおいて残額を遊技媒体としての得点に変換して遊技に使用させる処理等でも良い。
【０５７６】
上記の実施形態では、例えば図１４のＳ１８７〜Ｓ１８８に示すように、収納コイン保持部１４０で保持しているビジタコイン５が排出されてから直ちに、収納通路１３１で収納されている最下位のビジタコイン５が排出されて収納コイン保持部１４０に保持される例について説明したが、これに限らず、収納コイン保持部１４０で保持しているビジタコイン５が排出された後、貨幣が受け付けられたときに、収納通路１３１で収納されている最下位のビジタコイン５が排出されて収納コイン保持部１４０に保持されるようにしても良い。
【０５７７】
上記の実施形態では、精算装置６０において、精算が許諾された金額の全額が精算される例について説明したが、これに限らず、遊技者が希望する精算金額の入力を受け付けて、精算が許諾された金額の範囲内で該希望する精算金額が精算されるようにしても良い。
【０５７８】
上記の実施形態では、図７のＳ１１４に示す加算済更新処理が、受付貨幣額を消去する処理である例について説明したが、これに限らず、該加算済更新処理は、受付貨幣額を零にする処理でも良い。また受付貨幣額が消去又は零にされずに累積的に記憶される場合には、該加算済更新処理は、当該受付貨幣額に対して加算済フラグを立てる処理でも良い。また図１２のＳ２４７，Ｓ２４８に示す加算済更新処理が、オフライン消費額やオフライン精算額を消去する処理である例について説明したが、これに限らず、該加算済更新処理は、オフライン消費額やオフライン精算額を零にする処理でも良い。またオフライン消費額やオフライン精算額が消去又は零にされずに累積的に記憶される場合には、該加算済更新処理は、当該オフライン消費額やオフライン精算額に対して減算済フラグを立てる処理でも良い。
【０５７９】
上記の実施形態では、例えば図８に示す減算完了通知には管理残額が含まれず、玉貸ユニット２０において記憶残額の減算が行われる例について説明したが、これに限らず、減算完了通知に管理残額が含まれるようにして、該管理残額が記憶残額として記憶されるようにしても良い。この場合において、オフライン状態が発生したときには、玉貸ユニット２０において記憶残額の減算を行う。
【０５８０】
上記の実施形態では、図２２に示すように、オンライン状態への復帰を検知した残額管理装置５０から玉貸ユニット２０に対して開始要求が送信され、該開始要求に応じた開始応答が玉貸ユニット２０から残額管理装置５０に対して送信された後に、玉貸ユニット２０から残額管理装置５０に対してオンライン復帰通知が送信される（即ち残額管理装置５０からの要求に応じて玉貸ユニット２０がオンライン復帰通知を送信する）例について説明したが、これに限らず、これら開始要求及び開始応答のやりとり無しに、オンライン状態への復帰を検知した玉貸ユニット２０から残額管理装置５０に対してオンライン復帰通知が送信される（即ち残額管理装置５０からの要求によらずに玉貸ユニット２０が自発的にオンライン復帰通知を送信する）ようにしても良い。即ち通信可否検知手段（制御部２１）によりオフライン状態を検知している状態からオンライン状態への復帰したことに基づいて、玉貸ユニット２０から残額管理装置５０に対してオンライン復帰通知が送信されれば良い。
【０５８１】
上記の実施形態では、前記残額を使用した玉貸処理を特別処理として行う玉貸ユニット２０に前記記録媒体処理機構が備えられる例について説明したが、該記録媒体処理機構が備えられる装置の種類は、これには限定されない。
【０５８２】
例えば特別処理を行うための情報として特別処理用価値の大きさ（残額や残度数等）を特定可能な情報が記録された円盤状記録媒体が使用され、商品やサービスの購入についての決済に伴って前記特定処理用価値の大きさを減算するための処理を特別処理として行う装置に、前記記録媒体処理機構が備えられるようにしても良い。この場合には、上記の実施形態と同様に、前記減算が行われた後の残額や残度数がでなければ、円盤状記録媒体が排出されて返却される。また前記減算が行われた後に残額や残度数が零になると、円盤状記録媒体が回収されて収納される。そして貨幣が受け付けられると、該収納されている円盤状記録媒体に新たな残額や残度数が付与されて排出される。
【０５８３】
また特別処理を行うための情報として有効期間を特定可能な情報が記録された円盤状記録媒体が使用され、該有効期間を照会する処理（例えば鉄道の一日乗車券が有効であるか否かを照会する処理）を特別処理として行う装置（例えば自動改札機等）に、前記記録媒体処理機構が備えられるようにしても良い。この場合には、前記照会が行われた結果として有効期間内と判定されると、円盤状記録媒体が排出されて返却される。また前記照会が行われた結果として有効期間切れと判定されると円盤状記録媒体が回収されて収納される。そして貨幣が受け付けられると、該収納されている円盤状記録媒体に新たな有効期間が付与されて排出される。
【０５８４】
また特別処理を行うための情報として所定のデータ（例えば診療データ，住民データ，銀行口座の預金額等）を引き出すための情報が記録された円盤状記録媒体が使用され、該データを引き出す処理を特別処理をして行う装置に、前記記録媒体処理機構が備えられるようにしても良い。この場合には、データを処理を行う際に暗証番号の入力を受け付け、該入力された暗証番号が前記データと対応付けて登録されている暗証番号と一致するか否かを判定し、一致すると判定されると、前記データの引き出しが行われて、円盤状記録媒体が排出されて返却される。一方、一致しないと判定されることが所定回数続くと、前記データの引き出しは行われずに、円盤状記録媒体が回収されて収納される。そして新たなデータが登録されると、該収納されている円盤状記録媒体に該データを引き出すための情報が記録されて排出される。
【０５８５】
上記の実施形態では、図１及び図２に示すように、玉貸ユニット２０の制御部２１と通路ユニット１００の制御部１０１とが別個に設けられている例について説明したが、これに限らず、制御部２１の機能と制御部１０１の機能とを併せ持つ１つの制御部を設けるようにしても良い。これは精算装置６０においても同様である。
【０５８６】
上記の実施形態では、図２（ａ）（ｂ）（ｃ）に示すように、カード挿入口１９０がコイン排出口１１２の側方に設けられ、下部アンテナ１０４（第２読取部）が収納コイン保持部１４０（第２保持部）とカード保持部１９１との間に配設される例について説明したが、これに限らず、カード挿入口１９０がコイン投入口１１１の側方に設けられ、上部アンテナ１０３（第１読取部）が投入コイン保持部１２０（第１保持部）とカード保持部１９１との間に配設されるようにしても良い。即ち第１読取部又は第２読取部は、第１保持部又は第２保持部とカード保持部１９１との間に配設されることにより、円盤状記録媒体（ビジタコイン５）及びカード状記録媒体（会員カード４）の両方の記録情報を読み取るものであれば良く、これによれば、第１読取部又は第２読取部が、第１保持部又は第２保持部とカード保持部との間に配設され、円盤状記録媒体及びカード状記録媒体の両方の記録情報を読み取るので、カード保持部に対応する読取部を第１読取部又は第２読取部とは別個に設ける場合と比べて、省スペース化を図ることができると共に、製造コストが削減される。
【０５８７】
上記の実施形態では、図４に示すように、投入コイン排出通路１６０の一部である連絡通路１６１に傾斜部１６２を設けて、該投入コイン排出通路１６０を収納排出通路１３０に対してビジタコイン５の厚み方向にずらす例について説明したが、これに限らず、収納排出通路１３０に傾斜部を設けて、該収納排出通路１３０を投入コイン排出通路１６０に対してビジタコイン５の厚み方向にずらすようにしても良く、また投入コイン排出通路１６０及び収納排出通路１３０の双方に傾斜部を設けて、該投入コイン排出通路１６０及び収納排出通路１３０の双方を中心から（例えば半分ずつ）ずらすようにしても良い。即ち投入コイン排出通路１６０の一部又は全部を、収納排出通路１３０に対してビジタコイン５の厚み方向に相対的にずらすことにより、第１誘導通路１６３と第２誘導通路１３３とが重畳してコイン排出口１１２に臨むように形成されていれば良い。
【０５８８】
上記の実施形態では、オフライン精算情報は、オフライン状態において精算処理が行われたか否かを示すフラグであることとした。しかし、これに限定されず、オフライン精算情報は、オフライン精算額自体であっても良いし、オフライン消費情報のように、所定の基準金額からオフライン精算額を減算した額であっても良い。
【０５８９】
上記の実施形態では、図１４のＳ１８８〜Ｓ１８９及び図１５で説明したように、ビジタコイン５が収納コイン保持部１４０に供給されたときに、供給されたビジタコイン５に記録されたオフライン消費情報及びオフライン精算情報が読み出されて、供給通知に含めて残額管理装置に送信され、残額管理装置５０で管理されている管理残額を減算補正するようにした。しかし、オフライン消費情報やオフライン精算情報を残額管理装置に送信して管理残額の補正を行うタイミングは、これに限定されず、ビジタコイン５が玉貸ユニット２０や精算装置６０において回収されてから、玉貸ユニット２０に補充され返却操作に応じて排出（発行）されるまでの間であれば、どのようなタイミングであっても良い。例えば、収納コイン保持部１４０に供給され、その後貨幣を受け付けたときや排出操作を受け付けたときであっても良いし、収納通路１３１に収納されているときに記録情報を読み出して行うようにしても良い。また、上記の実施形態では、玉貸ユニット２０がビジタコイン５を発行する発行手段を構成しているが、これに限定されるものではなく、玉貸ユニット２０とは別個に設けられ、貨幣を受け付けたことに基づいて、収納しているビジタコインのコインＩＤと受付貨幣額とを含む入金要求を残額管理装置に送信し、残額管理装置の残額管理ＤＢにおいて両者が対応付けて記憶されたことに基づいて、当該ビジタコイン５を排出（発行）する発行装置であっても良い。
【０５９０】
また、実施例の残額管理装置５０においては、図１１〜図１３、図２２〜図２５に示すように、玉貸ユニット２０から挿入通知、供給通知やオンライン復帰通知を受信した場合や精算装置６０から精算要求を受信した場合に（以下、挿入通知、供給通知、オンライン復帰通知及び精算要求をまとめて挿入通知等という）、挿入通知等に含まれるオフライン消費情報から特定されるオフライン消費額及びオフライン精算情報から特定されるオフライン精算額を管理残額から減算したりすることなく（以下、オフライン消費額及びオフライン精算額をまとめてオフライン消費額等という）、一旦記録媒体ＩＤに対応付けて記憶し、その後オフライン情報消去通知、オフライン情報消去通知及び精算許諾情報受信通知（以下、オフライン情報消去通知、オフライン情報消去通知及び精算許諾情報受信通知をまとめてオフライン情報消去通知等という）を受信したことに基づいて、オフライン消費額等の管理残額に対する減算を行うと共に、一旦記憶したオフライン消費額等の消去を行うこととされていた。しかし、これに限定されるものではなく、挿入通知等を受信した時点で、オフライン消費額等の管理残額に対する減算を行うと共に、オフライン消費額等を記録媒体ＩＤに対応付けて記憶し、その後オフライン情報消去通知等を受信したことに基づいて、記憶しているオフライン消費額等の消去のみを行うようにしても良い。この場合には、図１１のＳ２０７，２０８における通番一致時処理においては、記憶しているオフライン消費額等を消去する処理に加えて、管理残額にオフライン消費額及びオフライン精算額を加算する処理が行われる。また、図１３のＳ２６４，Ｓ２６５における通番不一致時処理においては、管理残額からのオフライン消費額やオフライン精算額の減算処理が行われることなく、記憶しているオフライン消費額等の消去のみが行われる。
【０５９１】
上記の実施形態では、図６（ｄ）に示す貸与度数・玉数ＤＢの内容が、センタ管理装置７０においてオペレータの手入力により最小単位価値である１００円に相当する貸与玉数が設定されることに基づいて、所定のプログラムにより各値が算出されて設定される例について説明したが、これに限らず、センタ管理装置７０においてオペレータの手入力により消費税率が設定されたことに基づいて、所定のプログラムにより１００円に相当する貸与玉数が算出されて設定され、該設定された貸与玉数に基づいて、各値が算出されて設定されるようにしても良い。
【０５９２】
上記の実施形態では、図６（ｄ）に示すように、貸与度数・玉数ＤＢが、センタ管理装置７０においてオペレータの手入力により最小単位価値である１００円に相当する貸与玉数が設定されることに基づいて作成される例について説明したが、これに限らず、図６（ｄ’）に示すように、該貸与度数・玉数ＤＢは、センタ管理装置７０においてオペレータの手入力により消費税率が設定されることに基づいて作成されるものであっても良い。
【０５９３】
具体的には、徴収する消費税率として５％がオペレータの手入力により設定された場合には、１００円〜１０００円まで１００円刻みの各税込み使用額について、各税込み使用額を１．０５で除した値の小数点以下を切り上げることにより、各税込み使用額に対応する税抜き使用額が算出されて設定され、各税抜き使用額を最小単位価値である１００円で除して、各税込み使用額に対応する税抜き貸与度数が算出されて設定され、各税抜き使用額を税抜き玉単価である４．０円で除した値の小数点以下を切り上げることにより、各税込み使用額に相当する貸与玉数が算出されて設定される。ここで税抜き使用額や貸与玉数の小数点以下を切り上げるのは、遊技者が損をしないように、１個未満の玉数については遊技場の負担で貸与するためである。これにより、図６（ｄ’）に示す貸与度数・玉数ＤＢの左から２〜５列目が設定される。
【０５９４】
そして図６（ｄ）で説明したのと同様の手順で、各税込み使用額について、パチンコ機１０からの貸与に係る税抜き貸与度数（＊１欄）と、パチンコ機１０からの貸与に係る貸与玉数と、玉払出装置３１からの貸与に係る税抜き貸与度数と、玉払出装置３１からの貸与に係る貸与玉数（＊２欄）とを算出して設定する。これにより、図６（ｄ’）に示す貸与度数・玉数ＤＢの右側４列が設定され、全体として同ＤＢが作成される。
【０５９５】
この場合における実質的な税込み玉単価は、使用額の多少に依って異なることになる。つまり、使用額が１００円の場合における実質的な税込み玉単価は、１００円÷２４個の式で算出される４．１６…円であり、使用額が１０００円の場合における実質的な税込み玉単価は、１０００円÷２３９個の式で算出される４．１８…円である。従って、図６（ｄ）の場合と同様に、徴収する消費税率が５％の場合における理想的な税込み玉単価である４．２円との差額は、遊技場が負担していることになるが、この図６（ｄ’）によれば、使用額に応じて一定の消費税額を徴収するのではなく、使用額の多少に応じて厳密に算出された消費税額を徴収することができる（換言すれば、理想的な税込み玉単価である４．２円により近い玉単価で玉貸を行うことができる）ので、遊技場の負担が少なくて済む。
【０５９６】
なお徴収する消費税率として１０％が設定された場合には、上述したのと同様の手順で、税込み使用額に相当する税抜き使用額，税抜き使用度数，及び貸与玉数（例えば使用額が１００円の場合には各々９６円，０．９６度数，及び２３個であり、使用額が１０００円の場合には各々９１０円，９．１０度数，及び２２８個）が設定されて、貸与度数・玉数ＤＢが作成される。この場合における実質的な税込み玉単価は、使用額が１００円の場合には１００円÷２３個の式で算出される４．３４…円であり、使用額が１０００円の場合には１０００円÷２２８個の式で算出される４．３８…円である。
【０５９７】
上記の実施形態では、図６（ｄ）に示す貸与度数・玉数ＤＢの内容が、センタ管理装置７０においてオペレータの手入力により最小単位価値である１００円に相当する貸与玉数が設定されることに基づいて、所定のプログラムにより各値が算出されて設定される例について説明したが、これに限らず、各値の全部又は一部がオペレータの手入力により設定されるものであっても良い。同様に、上記の変形例では、図６（ｄ’）に示す貸与度数・玉数ＤＢの内容が、センタ管理装置７０においてオペレータの手入力により消費税率が設定されることに基づいて、所定のプログラムにより各値が算出されて設定される例について説明したが、これに限らず、各値の全部又は一部がオペレータの手入力により手入力により設定されるものであっても良い。
【０５９８】
上記の実施形態では、図６（ｄ）（ｄ’）に示す貸与度数・玉数ＤＢの内容のすべてが、センタ管理装置７０から残額管理装置５０を介して売上管理装置４０及び各玉貸ユニット２０に対して送信される例について説明したが、これに限らず、各装置において必要な内容のみを送信するようにしても良い。具体的には、残額管理装置５０及び売上管理装置４０では、売上ＤＢの記録において、各税込み使用額に相当する税抜き使用額，及び貸与玉数のみが必要とされるため、センタ管理装置７０から残額管理装置５０及び売上管理装置４０に対して、これらのみを送信するようにしても良い。また玉貸ユニット２０では、玉貸処理において、各税込み使用額に相当するパチンコ機１０から貸与に係る税抜き貸与度数（＊１欄），及び玉払出装置３１からの貸与に係る貸与玉数（＊２欄）のみが必要とされるため、センタ管理装置７０から残額管理装置５０に対して、各税込み使用額に相当する税抜き使用額，及び貸与玉数に加えて、＊１欄の税抜き貸与度数，及び＊２欄の貸与玉数を送信し、該残額管理装置５０から各玉貸ユニット２０に対して、これら＊１欄の税抜き貸与度数，及び＊２欄の貸与玉数のみを送信するようにしても良い。
【０５９９】
上記の実施形態では、図６（ｄ）（ｄ’）に示す貸与度数・玉数ＤＢの内容のすべてが、センタ管理装置７０から残額管理装置５０を介して売上管理装置４０及び各玉貸ユニット２０に対して送信される例について説明したが、これに限らず、該図６（ｄ）（ｄ’）に示す貸与度数・玉数ＤＢの２〜５列目は、税込み使用額１００円相当の貸与玉数，税抜き使用額，及び貸与度数が整数倍されたものであるため、該貸与度数・玉数ＤＢの内容のすべてではなく、税込み使用額１００円相当の貸与玉数，税込み使用額，税抜き使用額，及び貸与度数のみを送信し、残額管理装置５０，売上管理装置４０，及び／又は各玉貸ユニット２０において、該送信されてきた税込み使用額１００円相当の貸与玉数，税込み使用額，税抜き使用額，及び貸与度数を整数倍することにより、１００円〜１０００円まで１００円刻みで、各税込み使用額に対応する貸与玉数，税抜き使用額，及び税抜き貸与度数が算出されて設定され、かつセンタ管理装置７０と同様の手順（プログラム）で、各税込み使用額について、パチンコ機１０からの貸与に係る税抜き貸与度数（＊１欄）と、パチンコ機１０からの貸与に係る貸与玉数と、玉払出装置３１からの貸与に係る税抜き貸与度数と、玉払出装置３１からの貸与に係る貸与玉数（＊２欄）とが算出されて設定されるようにしても良い。
【０６００】
上記の実施形態では、図６（ｄ）（ｄ’）に示す貸与度数・玉数ＤＢの内容が、センタ管理装置７０において作成されて設定される例について説明したが、これに限らず、該貸与度数・玉数ＤＢの内容は、残額管理装置５０，売上管理装置４０，又は玉貸ユニット２０で作成されて設定されるようにしても良い。
【０６０１】
例えばセンタ管理装置７０においてオペレータの手入力により１００円に相当する貸与玉数，又は消費税率が設定され、該設定された１００円に相当する貸与玉数，又は消費税率が残額管理装置５０に対して送信されたことに基づいて、該残額管理装置５０で貸与度数・玉数ＤＢの内容が作成されて設定されるようにしても良い。また残額管理装置５０においてオペレータの手入力により１００円に相当する貸与玉数，又は消費税率が設定されることに基づいて、該残額管理装置５０で貸与度数・玉数ＤＢの内容が作成されて設定されるようにしても良い。ここで作成されて設定される貸与度数・玉数ＤＢの内容は、当該残額管理装置５０でのみ、あるいは売上管理装置４０に送信されて使用される場合には、前述の如く、少なくとも売上ＤＢの記録において必要とされる、各税込み使用額に相当する税抜き使用額，及び貸与玉数であれば良く、玉貸ユニット２０に送信されて使用される場合には、それに加えて、玉貸処理において必要とされる、各税込み使用額に相当するパチンコ機１０から貸与に係る税抜き貸与度数（＊１欄），及び玉払出装置３１からの貸与に係る貸与玉数（＊２欄）であれば良い。
【０６０２】
またセンタ管理装置７０においてオペレータの手入力により１００円に相当する貸与玉数，又は消費税率が設定され、該設定された１００円に相当する貸与玉数，又は消費税率が売上管理装置４０に対して送信されたことに基づいて、該売上管理装置４０で貸与度数・玉数ＤＢの内容が作成されて設定されるようにしても良い。また売上管理装置４０においてオペレータの手入力により１００円に相当する貸与玉数，又は消費税率が設定されることに基づいて、該売上管理装置４０で貸与度数・玉数ＤＢの内容が作成されて設定されるようにしても良い。ここで作成されて設定される貸与度数・玉数ＤＢの内容は、当該売上管理装置４０でのみ、あるいは残額管理装置５０に送信されて使用される場合には、前述の如く、少なくとも売上ＤＢの記録において必要とされる、各税込み使用額に相当する税抜き使用額，及び貸与玉数であれば良く、玉貸ユニット２０に送信されて使用される場合には、それに加えて、玉貸処理において必要とされる、各税込み使用額に相当するパチンコ機１０から貸与に係る税抜き貸与度数（＊１欄），及び玉払出装置３１からの貸与に係る貸与玉数（＊２欄）であれば良い。
【０６０３】
さらにセンタ管理装置７０，残額管理装置５０，又は売上管理装置４０においてオペレータの手入力により１００円に相当する貸与玉数，又は消費税率が設定され、該設定された１００円に相当する貸与玉数，又は消費税率が各玉貸ユニット２０に対して送信されたことに基づいて、該各玉貸ユニット２０で、貸与度数・玉数ＤＢの内容が作成されて設定されるようにしても良い。また玉貸ユニット２０においてオペレータの手入力により１００円に相当する貸与玉数，又は消費税率が設定されたことに基づいて、該各玉貸ユニット２０で、貸与度数・玉数ＤＢの内容が作成されて設定されるようにしても良い。ここで玉貸ユニット２０においては、１００円に相当する貸与玉数，又は消費税率の受信又は設定時に、貸与度数・玉数ＤＢの内容が作成されて設定されるようにしても良く、この場合には、玉貸処理において必要とされる、各税込み使用額に相当するパチンコ機１０から貸与に係る税抜き貸与度数（＊１欄），及び玉払出装置３１からの貸与に係る貸与玉数（＊２欄）が少なくとも作成されて設定されるようにしても良い。また玉貸ユニット２０においては、１００円に相当する貸与玉数，又は消費税率を受信して記憶しておき、玉貸処理毎に、当該玉貸処理における税込み使用額に相当するパチンコ機１０から貸与に係る税抜き貸与度数，及び玉払出装置３１からの貸与に係る貸与玉数を算出して、玉貸処理を行うようにしても良い。
【０６０４】
上記の実施形態では、玉貸ユニット２０において、図６（ｄ）（ｄ’）に示す貸与度数・玉数ＤＢの内容のうち、１００円〜１０００円の範囲内における１００円刻みの使用額のすべてについて、貸与度数及び貸与玉数等が設定される例について説明したが、これに限らず、図６（ａ）に示すように、残額管理装置５０で玉貸設定金額が設定される場合には、該玉貸設定金額以下の各使用額についてのみ、貸与度数及び貸与玉数等が設定されるようにすれば良い。この場合において、残額管理装置５０で設定された玉貸設定金額以外の玉貸処理は行わない（例えば玉貸設定金額が５００円であり、管理残額が４００円である場合には、玉貸処理を行わない）ようにした場合には、該玉貸設定金額についてのみ貸与度数及び貸与玉数等が設定されるようにすれば良い。さらに当該玉貸ユニット２０において遊技者が玉貸設定金額を設定できるようにした場合には、該設定された玉貸設定金額以下の各使用額について、貸与度数及び貸与玉数等が設定されるようにすれば良い。
【０６０５】
上記の実施形態では、売上管理装置４０に対して送信される売上情報に、税込み使用額１００円毎に１パルスで示される売上パルスが含まれる例について説明したが、これに限らず、玉貸ユニット２０において、払出ユニット３０の玉払出装置３１に対して指令された貸与玉数をカウントしておき、前記売上情報に、パチンコ機１０に対して指令された貸与度数（税抜き）を１度数毎に１パルスで示す度数パルスと、カウントされた貸与玉数を１０個毎に１パルスで示す玉数パルスが含まれるようにしても良い。この場合において、売上管理装置４０が該売上情報を受信すると、該売上情報に含まれる度数パルスに１００円を乗じた額と該売上情報に含まれる玉数パルスに税抜き玉単価である４．０円を乗じた額とを足した税抜き売上額と、該税抜き売上額に消費税率を乗じた消費税額と、度数パルスに単位貸与玉数である２５個を乗じた玉数と玉数パルスが示す玉数とを足した貸与玉数とを算出して、該算出された税抜き売上額，消費税額，及び貸与玉数を、前記売上情報に含まれる装置ＩＤに対応付けて売上ＤＢで記憶している税抜き売上額，消費税額，及び貸与玉数に対して加算する。
【０６０６】
上記の実施形態では、払出判定手段（制御部２１）が、パチンコ機１０から継続的に送信されてくる払出可能信号の受信に基づいて、該払出可能信号を継続的に受信している間は、パチンコ機１０がパチンコ玉を払い出せる状態であると判定し、該払出可能信号を受信しなくなると、パチンコ機１０がパチンコ玉を払い出せる状態でないと判定する例について説明したが、これに限らず、パチンコ機１０がパチンコ玉を払い出せない状態となった場合（例えば玉払出装置１３が故障した場合や、玉払出装置１３が保持しているパチンコ玉が所定数未満になった場合）に、該パチンコ機１０から玉貸ユニット２０に対してエラー信号が送信されるように構成し、払出判定手段（制御部２１）が、該エラー信号を受信すると、パチンコ機１０がパチンコ玉を払い出せる状態でないと判定するようにしても良い。
【０６０７】
上記の実施形態では、図１０，図３０，又は図３１に示すように、所定時間以内に要求了解信号を受信したか否か（Ｓ１２），及び所定時間以内に玉貸完了信号を受信したか否か（Ｓ１４）を判定することにより、第１貸与処理が完了したか否かを判定し、該第１貸与処理が完了していないことを条件として、未払い度数が表示される（Ｓ１８）例について説明したが、これに限らず、払出開始時に貸与度数を表示すると共に、玉貸完了信号を受信する毎に該表示を減算することにより未払い度数を常に表示し、払出異常時にも該表示を継続するようにしても良い。また払出異常が無くても、玉貸処理とは無関係に、前回の玉貸処理における未払い度数（第１貸与処理が正常に行われていれば零）が常に表示されるようにしても良い。さらに遊技場の店員による操作（例えばリモコン操作）が行われたときに、前回の玉貸処理における未払い度数（第１貸与処理が正常に行われていれば零）が表示されるようにしても良い。
【０６０８】
上記の実施形態では、図１０，図３０，又は図３１に示すように、未払い度数が表示されると（Ｓ１８）、リセット操作が無い限り（Ｓ３７，Ｓ４０）、玉貸処理が終了しない例について説明したが、これに限らず、未払い度数が表示されても、払出度数カウンタをリセットせずに、パチンコ機１０に対する玉貸要求信号の送信（リトライ）を繰り返して行い、リセット操作が有る前に該リトライに応じた要求了解信号を受信したか否か，及び該要求了解信号を受信する前にリセット操作が有ったか否かを判定し、リセット操作が有る前に要求了解信号を受信したと判定された場合には、前記Ｓ１２〜Ｓ１６の処理を行い、払出度数カウンタの値＝貸与度数となった場合には、玉貸処理を終了して図８，図１７，又は図１８に示すメインルーチンに戻るようにしても良い。
【０６０９】
上記の実施形態では、図１０，図３０，又は図３１に示すように、払出数計数手段により所定時間以内に計数された計数遊技媒体数が端数遊技媒体数に達したか否かを判定することにより、第２貸与処理が完了したか否かを判定し（Ｓ２３，Ｓ２４）、該第２貸与処理が完了していないことを条件として、未払い玉数が表示される（Ｓ２７）例について説明したが、これに限らず、払出開始時に端数遊技媒体数を表示すると共に、払出数計数手段により遊技媒体が計数される毎に該表示を減算することにより未払い玉数を常に表示し、払出異常時にも該表示を継続するようにしても良い。また払出異常が無くても、玉貸処理とは無関係に、前回の玉貸処理における未払い玉数（第２貸与処理が正常に行われていれば零）が常に表示されるようにしても良い。さらに遊技場の店員による操作（例えばリモコン操作）が行われたときに、前回の玉貸処理における未払い玉数（第２貸与処理が正常に行われていれば零）が表示されるようにしても良い。
【０６１０】
上記の実施形態では、図１０，図３０，又は図３１に示すように、未払い玉数が表示されると（Ｓ２７）、リセット操作が無い限り（Ｓ３７）、玉貸処理が終了しない例について説明したが、これに限らず、未払い玉数が表示されても、払出玉数カウンタをリセットせずに、払出ユニット３０の玉払出装置３１に対する該未払い玉数の払出の指令（リトライ）を繰り返して行い、リセット操作が有る前に払出玉数カウンタによる計数が再開されたか否か（即ち該リトライに応じた払出が行われたか否か），及び払出玉数カウンタによる計数が再開される前にリセット操作が有ったか否かを判定し、リセット操作が有る前に払出玉数カウンタによる計数が再開されたと判定された場合には、前記Ｓ２２〜Ｓ２４の処理を行い、払出玉数カウンタの値＝貸与玉数となった場合には、玉貸処理を終了して図８，図１７，又は図１８に示すメインルーチンに戻るようにしても良い。
【０６１１】
上記の実施形態では、図１７及び図１８に示すように、オフライン状態の玉貸ユニット２０では記録媒体を受け付けない例について説明したが、これに限らず、オフライン状態の玉貸ユニット２０において記録媒体を受け付けるようにしても良い。ただしオフライン状態であり、該受け付けた記録媒体の管理残額を残額管理装置５０から取得することはできないため、該受け付けた記録媒体の管理残額を使用した玉貸処理を行うことはできない。また貨幣を受け付けてオフライン一発貸しが行われても、該受け付けた記録媒体にオフライン消費情報が記録されることはない。
【０６１２】
上記の実施形態では、図１９に示すように、オフライン状態の玉貸ユニット２０で返却操作を受け付けたことに基づいて（Ｓ５４１）、記録媒体を受付中でなく（Ｓ５４２でＮＯ）、記憶残額が零であり（Ｓ５４３でＹＥＳ）、オフライン消費額が零でない場合には（Ｓ５５５でＮＯ）、Ｓ５４９〜Ｓ５５１の処理が行われる（Ｓ５５７）例について説明したが、これに限らず、図１８に示すＳ５３０〜Ｓ５３２と同様に、当該記憶残額を使用したオフライン玉貸処理（Ｓ５２７）により記憶残額が零になったことに基づいて（Ｓ５２８でＹＥＳ）、Ｓ５４９〜Ｓ５５１の処理が行われるようにしても良い。
【０６１３】
上記の第２実施形態では、図３３に示す貯玉再プレイ処理において、図１０に示す玉貸処理と同様の第１貸与処理及び第２貸与処理が行われ、会員管理装置８０で管理されている貯玉数から、いわゆる内税の使用玉数（１２５個）と、前記手数料玉数（２５個）とが減算される例について説明したが、これに限らず、いわゆる外税で貸与を行い、使用玉数（１２５個）のパチンコ玉をパチンコ機１０又は払出ユニット３０の玉払出装置３１から払い出すと共に、会員管理装置８０で管理されている貯玉数から、該使用玉数と、該使用玉数に対応する消費税額分の玉数（２５円≒６個）と、前記手数料玉数とを減算するようにしても良い。
【０６１４】
上記の第３実施形態では、図３５に示す電子マネー玉貸処理において、図１０に示す玉貸処理と同様の第１貸与処理及び第２貸与処理が行われ、携帯電話６のＩＣチップで記憶されている電子マネー額から、いわゆる内税の使用額（１０００円）が減算される例について説明したが、これに限らず、いわゆる外税で貸与を行い、使用額分（２５０個）のパチンコ玉をパチンコ機１０又は払出ユニット３０の玉払出装置３１から払い出すと共に、携帯電話６のＩＣチップで記憶されている電子マネー額から、該使用額と、該使用額に対応する消費税額（５０円）とを減算するようにしても良い。
【０６１５】
上記の第３実施形態では、図３４（ａ）に示すように、電子マネー媒体が、携帯電話６である例について説明したがこれに限らず、該電子マネー媒体は、ＩＣチップを搭載したＩＣカードや、ＩＣチップを搭載したＰＤＡ等の携帯端末であっても良い。
【０６１６】
上記の第１〜第３実施形態では、図１０，図３０，図３１のＳ２３に示すように、玉貸ユニット２０の制御部２１において、払出玉数カウンタの値が貸与玉数に達したと判定されたことを条件として、第２貸与処理が完了したと判定する例について説明したが、これに限らず、指令された貸与玉数の払出が完了したか否かを監視している玉払出装置３１が、該払出が完了した旨を示す払出完了信号を玉貸ユニット２０の制御部２１に対して送信し、玉貸ユニット２０の制御部２１において、該払出完了信号を受信したことを条件として、第２貸与処理が完了したと判定するようにしても良く、これによれば、払出玉センサ３１ｂを設けなくても良くなる。また、この場合には、玉払出装置３１から玉貸ユニット２０の制御部２１に対して、該玉払出装置３１が記憶している貸与玉数（即ち未払い玉数）を特定可能な未払い玉数表示要求を送信し、玉貸ユニット２０において、該未払い玉数表示要求から特定される未払い玉数を未払い玉数表示器２５ｂに表示するようにしても良い。
【０６１７】
上記の第４実施形態では、払出ユニット３０の制御部３２において、払出玉数カウンタの値が貸与玉数に達したと判定されたことを条件として、玉貸ユニット２０の制御部２１に対して第２貸与処理完了通知を送信する例について説明したが、これに限らず、指令された貸与玉数の払出が完了したか否かを監視している玉払出装置３１が、該払出が完了した旨を示す払出完了信号を払出ユニット３０の制御部３２に対して送信し、払出ユニット３０の制御部３２において、該払出完了信号を受信したことを条件として、玉貸ユニット２０の制御部２１に対して第２貸与処理完了通知を送信するようにしても良く、これによれば、払出玉センサ３１ｂを設けなくても良くなる。また、この場合には、玉払出装置３１から制御部３２を介して、玉貸ユニット２０の制御部２１に対して、該玉払出装置３１が記憶している貸与玉数（即ち未払い玉数）を特定可能な未払い玉数表示要求を送信し、玉貸ユニット２０において、該未払い玉数表示要求から特定される未払い玉数を未払い玉数表示器２５ｂに表示するようにしても良い。
【０６１８】
上記の第４実施形態では、第２貸与処理において、玉貸ユニット２０の制御部２１から払出ユニット３０の制御部３２に対して、使用額を含む端数玉数貸与指令が送信され、該端数玉数貸与指令を受信した払出ユニット３０の制御部３２において、該受信した端数玉数貸与指令に含まれる使用額に対応する貸与玉数（端数玉数）が特定される例について説明したが、これに限らず、第１実施形態と同様に、第２貸与処理において、玉貸ユニット２０の制御部２１から払出ユニット３０の制御部３２に対して、該玉貸ユニット２０の制御部２１において特定された貸与玉数を含む端数玉数貸与指令が送信されるようにしても良い。また玉貸設定金額以外の玉貸処理は行わないようにした場合には、常に該玉貸設定金額＝使用額となるので、第２貸与処理において、玉貸ユニット２０の制御部２１から払出ユニット３０の制御部３２に対して、使用額や端数玉数を含まない端数玉数貸与指令が送信されるようにしても良く、この場合には、払出ユニット３０において、当該玉貸設定金額に対応する貸与玉数のみを設定しておき、玉貸ユニット２０の制御部２１から払出指令を受信したことに基づいて、該設定されている貸与玉数のパチンコ玉が玉払出装置３１から払い出されるようにしても良い。
【０６１９】
上記の第１〜第３実施形態では、未払い度数のカウントが玉貸ユニット２０の制御部２１により行われ、該玉貸ユニット２０に設けられた未払い度数表示器２５ａで未払い度数の表示が行われる例について説明したが、これに限らず、未払い度数のカウントが玉貸ユニット２０の制御部２１により行われ、払出ユニット３０に設けられた未払い度数表示器２５ａで未払い度数の表示が行われるようにしても良い。また上記の第４実施形態では、未払い度数のカウントが払出ユニット３０の制御部３２により行われ、玉貸ユニット２０に設けられた未払い度数表示器２５ａで未払い度数の表示が行われるようにしても良く、また未払い度数のカウントが払出ユニット３０の制御部３２により行われ、払出ユニット３０に設けられた未払い度数表示器２５ａで未払い度数の表示が行われるようにしても良い。即ち未払い度数表示器２５ａは、玉貸ユニット２０又は払出ユニット３０に設けられていれば良い。
【０６２０】
上記の第１〜第３実施形態では、未払い玉数のカウントが玉貸ユニット２０の制御部２１により行われ、該玉貸ユニット２０に設けられた未払い玉数表示器２５ｂで未払い玉数の表示が行われる例について説明したが、これに限らず、未払い玉数のカウントが玉貸ユニット２０の制御部２１により行われ、払出ユニット３０に設けられた未払い玉数表示器２５ｂで未払い玉数の表示が行われるようにしても良い。また上記の第４実施形態では、前述の如く、未払い玉数のカウントが払出ユニット３０の制御部３２により行われ、玉貸ユニット２０に設けられた未払い玉数表示器２５ｂで未払い玉数の表示が行われるようにしても良く、また未払い玉数のカウントが払出ユニット３０の制御部３２により行われ、払出ユニット３０に設けられた未払い玉数表示器２５ｂで未払い玉数の表示が行われるようにしても良い。即ち未払い玉数表示器２５ｂは、玉貸ユニット２０又は払出ユニット３０に設けられていれば良い。
【０６２１】
上記の実施形態において、玉貸ユニット２０の前面カバーと払出ユニット３０の前面カバーとを一体に構成し、外観からは玉貸ユニット２０と払出ユニット３０とが一体で区別できないようにしても良い。
【０６２２】
上記の実施形態において、払出ユニット３０の横幅は、少なくともパチンコ玉が通ることができる幅であれば良く、玉貸ユニット２０の横幅とは無関係に任意に構成することができる。
【０６２３】
上記に実施形態では、図８，図１７，図１８，図３３，図３５に示すように、玉貸ユニット２０の制御部２１において、未接続フラグと玉貸不可フラグとが別個に記憶される例について説明したが、これに限らず、前記接続確認手段によりパチンコ機１０又は払出ユニット３０の少なくとも一方との接続が確認されないと判定されるた場合にも、玉貸不可フラグを記憶し、未接続フラグが記憶されているか否かの判定は行わないようにしても良い。
【０６２４】
本発明に係る遊技用装置である玉貸ユニット２０は、第１実施形態で示す玉貸処理，第２実施形態で示す貯玉再プレイ処理，及び第３実施形態で示す電子マネー玉貸処理のうち、いずれか２つ又はすべてを行う機能を、単体の玉貸ユニット２０に備えるものであっても良い。
【０６２５】
最後に、上記の実施形態に記載された他の発明について説明する。
【０６２６】
（１）  まず、本発明は、次のような構成を含むようにしても良い。つまり、前記遊技用装置は、さらに、前記遊技用装置通信可否検知手段により通信可能状態が検知されているときに受け付けられた前記記録媒体の管理残額が零でないか否かを、少なくとも当該記録媒体の受付中において管理する管理残額有無管理手段を備え、前記記録媒体排出手段は、前記記録媒体の受付後に前記遊技用装置通信可否検知手段により通信不可能状態が検知されているときに、前記管理残額有無管理手段により前記記録媒体の管理残額が零でない旨が管理されていることを条件として、該記録媒体を排出する。
【０６２７】
具体的には、図２０のＳ５６１で説明したように、玉貸ユニット２０の制御部２１によって、オンライン状態が検知されているときに受け付けられた記録媒体の管理残額が零でないか否かが、少なくとも当該記録媒体の受付中において管理される。図２０のＳ５７０で説明したように、玉貸ユニット２０の通路ユニット１００及び制御部２１によって、記録媒体の受付後にオフライン状態が検知されているときに、記録媒体の管理残額が零でない旨が管理されていることを条件として、該記録媒体が返却される。
【０６２８】
このように、記録媒体の受付後に通信不可能状態が発生した場合であっても、該記録媒体の管理残額が零でない旨が管理されていることを条件として、当該記録媒体が排出されるので、管理残額が有る記録媒体を遊技者に確実に返却できる。
【０６２９】
（２）  従来、遊技媒体の貸与に使用される残度数（本願の残額に相当）を各カード（本願の記録媒体に相当）の識別符号（本願の記録媒体識別情報に相当）に対応付けて管理装置にて管理すると共に、カード処理ユニット（本願の遊技用装置に相当）において遊技媒体貸出処理（本願の貸与処理に相当）が行われると、前記残度数を遊技媒体の貸与に応じて減算する、いわゆる「ＩＤ管理」を行うシステムがあった（例えば、特開２００３−３０５１５号公報（以下「文献Ａ」という）（図１，図６，段落００７６））。
【０６３０】
また従来より、複数のコンピュータ間でのデータ転送を行うシステムであって、送信側コンピュータから処理要求を送信するにあたり情報格納域の通番に１を加算して、該通番を含む処理要求を受信側コンピュータに送信し、受信側コンピュータは処理要求に応じた処理を実行した後に該処理要求に含まれる通番を登録し、処理結果を送信側コンピュータに返信するものがあった（特開２０００−１４８６８３号公報（以下「文献Ｂ」という）（図５，段落００４５，００４６））。ここで送信側コンピュータは、通信エラー等によって処理結果を受信しなかった場合に、通番を含む確認要求を受信側コンピュータに送信し、受信側コンピュータは、確認要求に含まれる通番が登録されている通番よりも大きければ処理完了前に異常が発生したものと判断する。
【０６３１】
文献Ａに示すようなシステムでは、遊技用装置での特定処理（例えば玉貸処理）に連携して行われる残額管理装置側での処理（例えば残度数の減算）を行うための処理要求（例えば減算要求）を遊技用装置から受信する前に、遊技用装置と残額管理装置とがオフライン状態となった場合、遊技用装置側では特定処理（ここでは玉貸処理）が行われたにも拘わらず、残額管理装置側での連携する処理（ここでは残度数の減算）が行われないことで処理の不一致が生ずる。ここで文献Ａのシステムに文献Ｂの手法を適用した場合、記録媒体が使用された遊技用装置と残額管理装置とがオンライン状態に復帰することで、遊技用装置から残額管理装置に対して確認要求が送信され、残額管理装置側での連携する処理（ここでは残度数の減算）が行われていない場合にはその旨を特定して対処することができるが、前記記録媒体が使用された遊技用装置がオンライン状態に復帰するまでは、残額管理装置は、前記オフライン状態が発生したときに該遊技用装置で特定処理（ここでは玉貸処理）が行われたにも拘わらず、該特定処理に連携する処理（ここでは残度数の減算）が行われていない事を特定できなかったため、オンライン状態に復帰するまでの間は、連携する処理が行われていない事に対する対処ができないという問題があった。
【０６３２】
しかし、本発明は、次のような構成を含む。つまり、少なくとも通番が記録される記録媒体を個々に識別するための記録媒体識別情報に対応付けて遊技媒体の貸与に使用される残額及び通番を管理する残額管理装置と、前記記録媒体の記録媒体識別情報に対応付けて前記残額管理装置にて管理されている残額である管理残額を用いて前記遊技媒体を貸与するための貸与処理を含む各種処理を前記残額管理装置と連携して行い遊技機に対応して設けられる遊技用装置とを備える遊技用システムであって、前記遊技用装置は、前記各種処理のうちの予め定められた特定処理に伴って前記記録媒体の通番を更新する第１の通番更新処理を行うと共に、該特定処理に対応する連携処理を要求する連携処理要求を前記残額管理装置に対して送信する特定処理手段とを含み、前記残額管理装置は、さらに、前記連携処理要求の受信に応じて前記連携処理を行い、該連携処理に伴って前記記録媒体の記録媒体識別情報に対応付けられた通番を更新する第２の通番更新処理を行う連携処理手段と、前記遊技用装置から前記記録媒体の記録媒体識別情報と通番とを受信し、受信した該通番が受信した該記録媒体識別情報に対応付けられた通番と一致するか否かを判定する通番判定手段と、該通番判定手段により通番が一致しないと判定されたときに、予め定められた通番不一致時処理を行う通番不一致時処理手段とを備える。このように構成しているため、遊技用装置と残額管理装置が通信不可能状態になったときにも、当該遊技用装置が通信可能状態に復帰するのを待つことなく、残額管理装置側で特定処理に連携する処理が行われていないことを特定し、連携する処理が行われていない事に対する対処が可能である。
【０６３３】
具体的には、図１で説明したように、遊技用システム１は、残額管理装置５０と玉貸ユニット２０とを備える。図６（ａ）で説明したように、残額管理装置５０は、少なくとも通番が記録される記録媒体（例えば、会員カード４、ビジタコイン５）を個々に識別可能な記録媒体ＩＤに対応付けてパチンコ玉の貸与に使用される残額及び通番を管理する。図８、図１７及び図１８で説明したように、玉貸ユニット２０は、パチンコ機１０に対応して設けられ、記録媒体の記録媒体ＩＤに対応付けて残額管理装置５０にて管理されている管理残額を用いてパチンコ玉を貸与するための玉貸処理を含む各種処理を残額管理装置５０と連携して行う。
【０６３４】
図７のＳ１０９、図８のＳ１２４、図１２のＳ２２３、及び図１２，図１５，図２３のＳ２４５で説明したように、玉貸ユニット２０の制御部２１によって、各種処理のうちの予め定められた特定処理（例えば、受付貨幣の取込、使用額分の玉貸処理、及びオフライン消費情報やオフライン精算情報の消去処理）に伴って記録媒体の通番を更新する第１の通番更新処理が行われる。図７のＳ１１０、図８のＳ１２５、図１２のＳ２２４、及び図１２，図１５，図２３のＳ２４６で説明したように、玉貸ユニット２０の制御部２１によって、特定処理に対応する連携処理（例えば、受付貨幣額の加算・消去処理、使用額を管理残額から減算する第１の減算処理、オフライン消費額やオフライン精算額の減算・消去処理）を要求する連携処理要求（例えば、貨幣取込通知、減算要求、残額受信通知、オフライン情報消去通知、オフライン情報消去通知）が残額管理装置５０に対して送信される。
【０６３５】
図７のＳ１１５、図８のＳ１２９，Ｓ１３０、及び図１２，図１５，図２３のＳ２２７，Ｓ２４７，Ｓ２４８で説明したように、残額管理装置５０の制御部５２によって、連携処理要求の受信に応じて連携処理が行われ、該連携処理に伴って記録媒体の記録媒体ＩＤに対応付けられた通番を更新する第２の通番更新処理が行われる。図１１のＳ２０２，Ｓ２０３で説明したように、残額管理装置５０の制御部５２によって、玉貸ユニット２０から記録媒体の記録媒体ＩＤと通番とが受信され、受信された該通番が受信された該記録媒体ＩＤに対応付けられた通番と一致するか否かが判定される。図１３のＳ２６０〜Ｓ２８４で説明したように、残額管理装置５０の制御部５２によって、通番が一致しないと判定されたときに、予め定められた通番不一致時処理が行われる。
【０６３６】
このように、遊技用装置での特定処理に伴って更新される通番が記録媒体に記録されるので、通信不可能状態が発生した遊技用装置から排出された記録媒体を通信可能状態の遊技用装置に挿入することで、該記録媒体に記録されている通番と残額管理装置において該記録媒体の記録媒体識別情報に対応付けられた通番から、通信不可能状態の発生により遊技用装置で特定処理が行われたにも拘わらず、残額管理装置で該特定処理に連携する処理が行われていない事を特定して、対処することができる。
【０６３７】
（３）  また、本発明は、次のような構成を含むようにしても良い。つまり、前記遊技用装置は、さらに、遊技者の操作により、前記管理残額の範囲内で、予め定められた基準貸与額分の遊技媒体を貸与するための貸与処理を前記特定処理として行う貸与処理手段を備え、前記特定処理手段は、該貸与処理に使用される基準貸与額を前記管理残額から減算するための減算要求を前記連携処理要求として前記残額管理装置に対して送信し、前記残額管理装置は、さらに、前記基準貸与額を管理する基準貸与額管理手段と、前記減算要求の受信に基づいて、管理している該基準貸与額を前記管理残額から減算する減算処理を実行する減算処理手段と、該減算処理が完了した旨を示す減算完了通知を前記遊技用装置に対して返信する減算完了通知返信手段とを備え、前記貸与処理手段は、前記減算完了通知を受信したことを条件として、次の貸与処理を行い、前記不一致時処理手段は、前記通番判定手段により通番が一致しないと判定したときには、前記管理している基準貸与額を前記記録媒体の記録媒体識別情報と対応付けて管理している管理残額から減算する前記通番不一致時処理を行う。
【０６３８】
具体的には、図８のＳ１２１，Ｓ１２８で説明したように、玉貸ユニット２０の制御部２１によって、遊技者の操作により、管理残額の範囲内で、予め定められた玉貸設定金額分のパチンコ玉を貸与するための玉貸処理が特定処理として行われる。図８のＳ１２５で説明したように、玉貸ユニット２０の外部通信部２１ｂ及び制御部２１によって、該玉貸処理に使用される玉貸設定金額を管理残額から減算するための減算要求が連携処理要求として残額管理装置に対して送信される。
【０６３９】
図６（ａ）の設定値ＤＢで説明したように、残額管理装置５０の制御部５２によって、玉貸設定金額が管理される。図８のＳ１２９で説明したように、残額管理装置５０の制御部５２によって、減算要求の受信に基づいて、管理している該玉貸設定金額を管理残額から減算する減算処理が実行される。図８のＳ１３２で説明したように、残額管理装置５０の制御部５２によって、減算処理が完了した旨を示す減算完了通知が玉貸ユニット２０に対して返信される。
【０６４０】
図８のＳ１３２、及び図７のＳ１１１，Ｓ１１２で説明したように、玉貸ユニット２０の制御部２１によって、Ｓ１３２で減算完了通知を受信したことを条件として、Ｓ１１１で残額・残度数が表示され、Ｓ１１２で玉貸操作を待機する状態となり、次の玉貸処理が行われる。図１３のＳ２７２で説明したように、残額管理装置５０の制御部５２によって、通番が一致しないと判定したときには、管理している玉貸設定金額を記録媒体の記録媒体ＩＤと対応付けて管理している管理残額から減算する通番不一致時処理が行われる。
【０６４１】
このように、遊技用装置において貸与処理が行われたにも拘わらず、通信不可能状態の発生により残額管理装置側で残額の減算が実施されなかった場合に、他の通信可能状態の遊技用装置で記録媒体を使用することにより残額管理装置の残額が補正され確定されるので、通信不可能状態の発生した遊技用装置が通信可能状態に復帰するのを待つことなく、残額管理装置の残額を他の遊技用装置において使用することが可能となり、遊技者に迷惑がかかることがなく、また遊技場が損をすることもない。
【０６４２】
（４）  また、本発明は、次のような構成を含むようにしても良い。つまり、前記基準貸与額管理手段は、各遊技用装置について設定される前記基準貸与額を各遊技用装置に対応付けて管理し、前記残額管理装置は、さらに、前記記録媒体識別情報に対応付けて、該記録媒体識別情報の記録媒体を少なくとも前回受け付けていた遊技用装置であって、残額管理装置と通信できる通信可能状態で該記録媒体を受け付けた後に残額管理装置と通信できない通信不可能状態になった当該遊技用装置を特定可能な情報を記憶する遊技用装置特定情報記憶手段と、前記通番判定手段により通番が一致しないと判定したときに、前記記録媒体の記録媒体識別情報に対応付けて前記遊技用装置識別情報記憶手段で記憶している情報から当該記録媒体識別情報の記録媒体が前回受け付けられていた遊技用装置を特定する遊技用装置特定手段とを備え、前記不一致時処理手段は、該遊技用装置特定手段により特定された遊技用装置に対応付けて管理している基準貸与額を前記記録媒体の記録媒体識別情報に対応付けて管理している管理残額から減算する前記通番不一致時処理を行う。
【０６４３】
具体的には、図６（ａ）の設定値ＤＢで説明したように、残額管理装置５０の制御部５２によって、各玉貸ユニット２０について設定される玉貸設定金額が各玉貸ユニット２０に対応付けて管理される。図６（ａ）の残額管理ＤＢ、及び図１２のＳ２２０，Ｓ２４０で説明したように、残額管理装置５０の制御部５２によって、記録媒体ＩＤに対応付けて、該記録媒体ＩＤの記録媒体を少なくとも前回受け付けていた玉貸ユニット２０であって、オンライン状態で該記録媒体を受け付けた後にオフライン状態になった当該玉貸ユニット２０を特定可能な装置ＩＤが記憶される。
【０６４４】
図１３のＳ２６９で説明したように、残額管理装置５０の制御部５２によって、通番が一致しないと判定したときに、記録媒体の記録媒体ＩＤに対応付けて残額管理ＤＢで記憶している装置ＩＤから当該記録媒体ＩＤの記録媒体が前回受け付けられていた玉貸ユニット２０が特定される。図１３のＳ２７２で説明したように、残額管理装置５０の制御部５２によって、特定された玉貸ユニット２０に対応付けて管理している玉貸設定金額を記録媒体の記録媒体ＩＤに対応付けて管理している管理残額から減算する通番不一致時処理が行われる。
【０６４５】
このように、残額管理装置は、各遊技用装置について基準貸与額（玉貸設定金額）が設定される場合にも、記録媒体が前回受け付けられていた遊技用装置を特定して、対応する基準貸与額を管理残額から減算するので、正確な残額に補正することができる。
【０６４６】
（５）  また、本発明は、次のような構成を含むようにしても良い。つまり、前記遊技用装置は、貨幣を受け付けて該貨幣の金額を識別し、識別された受付貨幣額と前記記録媒体識別情報とを特定可能な入金要求を前記残額管理装置に対して送信し、前記残額管理装置は、前記入金要求の受信に応じて、該入金要求から特定される受付貨幣額を該入金要求から特定される記録媒体識別情報に対応付けて記憶する処理を行い、該記録媒体識別情報に対応付けて管理している管理残額と前記受付貨幣額との合算額を特定可能な残額通知を前記遊技用装置に対して送信し、前記遊技用装置は、前記残額通知の受信に応じて、該残額通知から特定される合算額の範囲内で遊技媒体の貸与を可能とするための貸与可能処理を第１の特定処理として行い、該貸与可能処理を行った旨を示す貸与可能情報を、前記特定処理に対応する連携処理を要求する連携処理要求として前記残額管理装置に対して送信し、前記残額管理装置は、前記貸与可能情報の受信に応じて、当該記録媒体の記録媒体識別情報に対応付けて記憶している受付貨幣額を当該記録媒体の管理残額に対して加算する受付貨幣額加算処理と、該受付貨幣額が加算済であることを特定可能な状態に更新する加算済更新処理とを第１の連携処理として行い、前記通番判定手段により通番が一致しないと判定され、かつ前記受付貨幣額が未加算の状態で記憶されていることを条件として、前記受付貨幣額加算処理と前記加算済更新処理とを行い、前記通番判定手段により通番が一致すると判定され、かつ前記受付貨幣額が未加算の状態で記憶されていることを条件として、前記受付貨幣額加算処理を行うことなく、前記加算済更新処理を行う。
【０６４７】
具体的には、図７のＳ１０１で説明したように、玉貸ユニット２０の紙幣識別機２３及び制御部２１によって、貨幣が受け付けられて貨幣の金額が識別される。図７のＳ１０３で説明したように、玉貸ユニット２０の制御部２１によって、識別された受付貨幣額と記録媒体ＩＤとを含む入金要求が残額管理装置５０に対して送信される。図７のＳ１０５で説明したように、残額管理装置５０の制御部５２によって、入金要求の受信に応じて、該入金要求から特定される受付貨幣額を該入金要求から特定される記録媒体ＩＤに対応付けて記憶する処理が行われる。図７のＳ１０６で説明したように、残額管理装置５０の通信部５１及び制御部５２によって、該記録媒体ＩＤに対応付けて管理している管理残額と受付貨幣額との合算額を含む予定残額通知が玉貸ユニット２０に対して送信される。
【０６４８】
図７のＳ１０８で説明したように、玉貸ユニット２０の制御部２１によって、予定残額通知の受信に応じて、受付貨幣が取込まれることで、該予定残額通知から特定される合算額の範囲内で遊技媒体の貸与を可能とするための貸与可能処理が第１の特定処理として行われる。図７のＳ１１０で説明したように、玉貸ユニット２０の制御部２１によって、該貸与可能処理を行った旨を示す貨幣取込通知が、特定処理に対応する連携処理を要求する連携処理要求として残額管理装置５０に対して送信される。図７のＳ１１３，Ｓ１１４で説明したように、残額管理装置５０の制御部５２によって、貨幣取込通知の受信に応じて、当該記録媒体の記録媒体ＩＤに対応付けて記憶している受付貨幣額を当該記録媒体の管理残額に対して加算する受付貨幣額加算処理と、受付貨幣額を消去することで、該受付貨幣額が加算済であることを特定可能な状態に更新する加算済更新処理とが第１の連携処理として行われる。
【０６４９】
図１３のＳ２６１，Ｓ２６２で説明したように、残額管理装置５０の制御部５２によって、通番が一致しないと判定され、かつ受付貨幣額が未加算の状態で記憶されていることを条件として、受付貨幣額加算処理と加算済更新処理とが行われる。図１１のＳ２０４，Ｓ２０５で説明したように、残額管理装置５０の制御部５２によって、通番が一致すると判定され、かつ受付貨幣額が未加算の状態で記憶されていることを条件として、受付貨幣額加算処理が行われることなく、加算済更新処理が行われる。
【０６５０】
このように、残額管理装置において、通番が一致しないと判定され、かつ受付貨幣額が未加算の状態で記憶されていることを条件として、受付貨幣額加算処理と加算済更新処理とが行われるので、遊技用装置が残額通知（予定残額通知）を受信してから残額管理装置が貸与可能情報（貨幣取込通知）を受信する前に通信不可能状態となった場合にも、正確な残額を確定することができる。また、残額管理装置において、通番が一致すると判定され、かつ受付貨幣額が未加算の状態で記憶されていることを条件として、受付貨幣額加算処理が行われることなく、加算済更新処理が行われるので、残額管理装置が入金要求を受信してから遊技用装置が残額通知を受信する前に通信不可能状態となった場合にも、正確な残額を確定することができる。
【０６５１】
（６）  また、本発明は、次のような構成を含むようにしても良い。つまり、遊技用システムは、さらに、前記記録媒体の記録媒体識別情報に対応する前記管理残額の精算処理を含む各種処理を前記残額管理装置と連携して行う精算装置を備え、前記精算装置は、前記各種処理のうちの予め定められた特定処理に伴って前記記録媒体の通番を更新する第１の通番更新処理を行うと共に、該特定処理に対応する連携処理を要求する連携処理要求を前記残額管理装置に対して送信する特定処理手段を備え、前記連携処理手段は、前記連携処理要求の受信に応じて前記連携処理を行い、該連携処理に伴って前記記録媒体の記録媒体識別情報に対応付けられた通番を更新する第２の通番更新処理を行い、前記通番判定手段は、前記遊技用装置又は前記精算装置から前記記録媒体の記録媒体識別情報と通番とを受信し、受信した該通番が受信した該記録媒体識別情報に対応付けられた通番と一致するか否かを判定し、前記通番不一致時処理手段は、該通番判定手段により通番が一致しないと判定されたときには、予め定められた通番不一致時処理を行う。
【０６５２】
具体的には、図１及び図２４から図２９までで説明したように、遊技用システム１は、さらに、記録媒体の記録媒体ＩＤに対応する管理残額の精算処理を含む各種処理を残額管理装置と連携して行う精算装置６０を備える。図２５のＳ２２３，Ｓ２４５、及び図２６のＳ７８２で説明したように、精算装置６０の制御部６２によって、各種処理のうちの予め定められた特定処理（例えば、図２５のＳ２２６ａの精算可能処理、図２５のＳ２４３，Ｓ２４４のオフライン消費情報，オフライン精算情報の消去処理、図２６のＳ７８１の精算処理）に伴って記録媒体の通番を更新する第１の通番更新処理が行われる。図２５のＳ２２４ｂ，Ｓ２４６、及び図２６のＳ７８３で説明したように、精算装置６０の通信部６１及び制御部６２によって、特定処理に対応する連携処理（例えば、図２５のＳ２４７，Ｓ２４８のオフライン消費額やオフライン精算額の減算・消去処理、図２６のＳ７８４の管理残額の消去処理）を要求する連携処理要求が残額管理装置５０に対して送信される。
【０６５３】
図２５のＳ２２７，Ｓ２４７，Ｓ２４８、及び図２６のＳ７８４，Ｓ７８５で説明したように、残額管理装置５０の制御部５２によって、連携処理要求の受信に応じて連携処理が行われ、該連携処理に伴って前記記録媒体の記録媒体ＩＤに対応付けられた通番を更新する第２の通番更新処理が行われる。図１１のＳ２０２，Ｓ２０３、図１４のＳ１９３、図２２のＳ６０７、及び図２４のＳ７０２で説明したように、玉貸ユニット２０又は精算装置６０から記録媒体の記録媒体ＩＤと通番とを含む挿入通知、供給通知、オンライン復帰通知、又は精算要求を受信し、受信された該通番が受信された該記録媒体ＩＤに対応付けられた通番と一致するか否かが判定される。図１３のＳ２６０〜Ｓ２７２で説明したように、残額管理装置５０の制御部５２によって、通番が一致しないと判定されたときに、予め定められた通番不一致時処理が行われる。
【０６５４】
このように、精算装置での特定処理に伴って更新される通番が記録媒体に記録されるので、通信不可能状態が発生した精算装置から排出された記録媒体を通信可能状態の遊技用装置又は精算装置に挿入することで、該記録媒体に記録されている通番と残額管理装置において該記録媒体の記録媒体識別情報に対応付けられた通番から、通信不可能状態の発生により精算装置で特定処理が行われたにも拘わらず、残額管理装置で該特定処理に連携する処理が行われていない事を特定して対処することができる。
【０６５５】
（７）  従来、残額管理装置においてカードＩＤに対応付けて残額を管理し、当該管理残額を使用して遊技用装置にて玉貸を行うシステムがあった（例えば、文献Ａ（第００２７段落、第００７６段落））。このようなシステムによれば、カードに記録された情報を改ざんすることによって残額を増加させるような不正行為を防止することができる。
【０６５６】
しかし、文献Ａに開示されたシステムのように、残額管理装置に記憶された残額を使用して玉貸を行うシステムにおいては、残額管理装置と遊技用装置とが通信できないオフライン状態になると、管理残額が玉貸に使用できなくなり、遊技者にとって不便であると共に、遊技場にとっては売上低下を招くこととなるといった問題があった。
【０６５７】
しかし、本発明は、次のような構成を含む。つまり、記録媒体を個々に識別するための記録媒体識別情報に対応付けて遊技媒体の貸与に使用される残額を管理する残額管理装置と、記録媒体の記録媒体識別情報に対応付けて前記残額管理装置にて管理されている残額である管理残額を用いて前記遊技媒体を貸与するための貸与処理を行う貸与処理手段を有し遊技機に対応して設けられる遊技用装置とを備える遊技用システムであって、前記遊技用装置は、さらに、前記記録媒体の記録媒体識別情報に対応する管理残額を前記残額管理装置から取得する管理残額取得手段と、該管理残額取得手段によって取得された前記管理残額を記憶する残額記憶手段と、該残額記憶手段に記憶された残額を、前記貸与処理手段による前記貸与処理に用いられる貸与使用額分減算された残額に更新する残額更新手段と、前記残額管理装置と通信できる通信可能状態であるか通信できない通信不可能状態であるかを検知する遊技用装置通信可否検知手段とを備え、前記貸与処理手段は、該遊技用装置通信可否検知手段によって前記通信不可能状態が検知されたときに前記残額記憶手段に記憶された残額が零でないことを条件として、該残額を使用して前記貸与処理を行う。このように構成しているため、遊技者の利便性を向上させると共に、遊技場の売上低下を防止することが可能である。
【０６５８】
具体的には、図１で説明したように、遊技用システム１は、残額管理装置５０と玉貸ユニット２０とを備える。図６（ａ）で説明したように、残額管理装置５０は、記録媒体（例えば、会員カード４，ビジタコイン５）を個々に識別するための記録媒体ＩＤに対応付けてパチンコ玉の貸与に使用される残額を管理する。図８、図１７、及び図１８で説明したように、玉貸ユニット２０は、パチンコ機１０に対応して設けられる。図８のＳ１２１〜Ｓ１２８で説明したように、玉貸ユニット２０の制御部２１によって、記録媒体の記録媒体ＩＤに対応付けて残額管理装置５０にて管理されている残額である管理残額を用いてパチンコ玉を貸与するための玉貸処理が行われる。
【０６５９】
図１１のＳ２０１，Ｓ２０２、及び図１２のＳ２２１，Ｓ２４１で説明したように、玉貸ユニット２０の制御部２１によって、記録媒体の記録媒体ＩＤに対応する管理残額が残額管理装置５０から取得される。図１２のＳ２２２，Ｓ２４２で説明したように、玉貸ユニット２０の制御部２１によって、取得された管理残額が記憶される。図８のＳ１２６で説明したように、玉貸ユニット２０の制御部２１によって、記憶された残額が、玉貸処理に用いられる使用額分減算された残額に更新される。図１６のＳ３００で説明したように、玉貸ユニット２０の制御部２１によって、残額管理装置５０と通信できるオンライン状態であるか通信できないオフライン状態であるかが検知される。図１８のＳ５２７で説明したように、玉貸ユニット２０の制御部２１によって、オフライン状態が検知されたときに、記憶残額が零でないことを条件として、該記憶残額を使用して玉貸処理が行われる。
【０６６０】
このように、通信不可能状態が発生しても、管理残額が遊技用装置に残額として記憶済であれば、当該残額が遊技媒体の貸与に使用される。その結果、遊技者の利便性を向上させると共に、遊技場の売上低下を防止することができる。
【０６６１】
（８）  また、本発明は、次のような構成を含むようにしても良い。つまり、前記遊技用装置は、さらに、前記通信不可能状態において前記残額記憶手段に記憶された残額から前記貸与処理に使用された額であるオフライン消費額を特定可能なオフライン消費情報を特定する消費情報特定手段と、該消費情報特定手段によって特定されたオフライン消費情報を前記記録媒体に記録する消費情報記録手段と、前記遊技用装置通信可否検知手段によって通信可能状態が検知されているときに前記オフライン消費情報が記録された前記記録媒体が受け付けられたことに基づいて、該記録媒体の前記記録媒体識別情報と前記オフライン消費情報とを前記残額管理装置に送信する消費情報送信手段とを備え、前記残額管理装置は、前記消費情報送信手段から受信した記録媒体識別情報に対応付けて管理している前記管理残額を、前記消費情報送信手段から受信したオフライン消費情報から特定される前記オフライン消費額分減算された残額に更新する。
【０６６２】
具体的には、図１８のＳ５２５、図１９のＳ５４９、図２０のＳ５６７、及び図２１のＳ５８７で説明したように、玉貸ユニット２０の制御部２１によって、オフライン状態において記憶残額から玉貸処理に使用された額であるオフライン消費額を特定可能なオフライン消費情報が特定される。図１９のＳ５５０、図２０のＳ５６８、及び図２１のＳ５８８で説明したように、玉貸ユニット２０の制御部２１によって、特定されたオフライン消費情報が記録媒体に記録される。
【０６６３】
図１１のＳ２０２及び図２２のＳ６０７で説明したように、玉貸ユニット２０の制御部２１によって、オンライン状態が検知されているときにオフライン消費情報が記録された記録媒体が受け付けられたことに基づいて、該記録媒体の記録媒体ＩＤとオフライン消費情報とが残額管理装置５０に送信される。図１１のＳ２０２，Ｓ２１１〜Ｓ２１４、及び図１２のＳ２４７で説明したように、残額管理装置５０の通信部５１及び制御部５２によって、玉貸ユニット２０から受信した記録媒体ＩＤに対応付けて管理している管理残額が、玉貸ユニット２０から受信したオフライン消費情報から特定されるオフライン消費額分減算された残額に更新される。
【０６６４】
このように、記録媒体が通信可能状態の遊技用装置に受け付けられることで、通信不可能状態で貸与処理に使用された額を管理残額から減算更新し、管理残額を補正することができる。
【０６６５】
（９）  また、本発明は、次のような構成を含むようにしても良い。つまり、前記遊技用装置は、さらに、前記通信不可能状態において前記残額記憶手段に記憶された残額から前記貸与処理に使用された額であるオフライン消費額を特定可能なオフライン消費情報を特定する消費情報特定手段と、該消費情報特定手段によって特定されたオフライン消費情報を前記記録媒体に記録する消費情報記録手段と、前記残額記憶手段に記憶された残額が零であることを条件として、前記消費情報記録手段によって前記オフライン消費情報が記録された前記記録媒体を回収する記録媒体回収手段とを備え、前記遊技用システムは、さらに、前記遊技媒体を発行する発行手段を備え、該発行手段は、前記記録媒体回収手段によって回収された記録媒体に記録された前記記録媒体識別情報及び前記オフライン消費情報を、前記残額管理装置に送信するオフライン消費情報送信手段と、該オフライン消費情報送信手段による前記オフライン消費情報の送信を条件として、前記記録媒体に記録された前記オフライン消費情報を消去するオフライン消費情報消去手段とを含み、該オフライン消費情報消去手段によって前記オフライン消費情報が消去された前記記録媒体を発行し、前記残額管理装置は、前記オフライン消費情報送信手段から受信した前記記録媒体識別情報に対応付けて管理している前記管理残額を、前記オフライン消費情報から特定される前記オフライン消費額分減算された額に更新する。
【０６６６】
具体的には、図１８のＳ５２５、図１９のＳ５４９、図２０のＳ５６７、及び図２１のＳ５８７で説明したように、玉貸ユニット２０の制御部２１によって、オフライン状態において記憶残額から玉貸処理に使用された額であるオフライン消費額を特定可能なオフライン消費情報が特定される。図１９のＳ５５０、図２０のＳ５６８、及び図２１のＳ５８８で説明したように、玉貸ユニット２０の制御部２１によって、特定されたオフライン消費情報が記録媒体に記録される。図１８のＳ５３１，Ｓ５３３で説明したように、玉貸ユニット２０の通路ユニット１００及び制御部２１によって、記憶残額が零であることを条件として、オフライン消費情報が記録された記録媒体であるビジタコイン５が回収される。
【０６６７】
図１４のＳ１９３で説明したように、玉貸ユニット２０の外部通信部２１ｂ及び制御部２１によって、回収されたビジタコイン５に記録された記録媒体ＩＤ及びオフライン消費情報が、残額管理装置５０に送信される。図１５のＳ２４３で説明したように、玉貸ユニット２０の制御部２１によって、オフライン消費情報の送信を条件として、記録媒体に記録されたオフライン消費情報が消去される。図１４のＳ１９１及び図１９のＳ５５２で説明したように、玉貸ユニット２０の通路ユニット１００及び制御部２１によって、オフライン消費情報が消去されたビジタコイン５が発行される。図１５のＳ２４７で説明したように、残額管理装置５０の制御部５２によって、玉貸ユニット２０から受信した記録媒体ＩＤに対応付けて管理している管理残額が、オフライン消費情報から特定されるオフライン消費額分減算された額に更新される。
【０６６８】
このように、記憶残額が零になったときに、店員や遊技者の手間を要することなく、当該記録媒体の次回発行までに管理残額を確実に補正することができる。
【０６６９】
（１０）  また、本発明は、次のような構成を含むようにしても良い。つまり、前記記録媒体回収手段は、さらに、前記通信可否検知手段によって前記通信可能状態が検知されているときに、前記管理残額が０の記録媒体を回収し、前記発行手段は、さらに、前記記録媒体回収手段によって回収された記録媒体に前記オフライン消費情報が記録されているか否かを判定するオフライン消費情報判定手段を備え、前記オフライン消費情報送信手段は、該オフライン消費情報判定手段によって前記オフライン消費情報が記録されていると判定されたことを条件として、前記記録媒体識別情報及び前記オフライン消費情報を送信する。
【０６７０】
具体的には、図８のＳ１３３，Ｓ１３４，Ｓ１３６，Ｓ１３７で説明したように、玉貸ユニット２０の通路ユニット１００及び制御部２１によって、オンライン状態が検知されているときに、管理残額が０のビジタコイン５が回収される。図１４のＳ１９０で説明したように、玉貸ユニット２０の制御部２１によって、回収されたビジタコイン５にオフライン消費情報が記録されているか否かが判定される。図１４のＳ１９３で説明したように、玉貸ユニット２０の外部通信部２１ｂ及び制御部２１によって、オフライン消費情報が記録されていると判定されたことを条件として、記録媒体ＩＤ及びオフライン消費情報が送信される。
【０６７１】
このように、オフライン消費情報が記録されているときのみ、残額管理装置に情報が送信されるので、遊技用装置と残額管理装置との間における無駄な通信処理を防止することができる。
【０６７２】
（１１）  また、本発明は、次のような構成を含むようにしても良い。つまり前記発行手段は、前記記録媒体の発行に応じて、前記記録媒体の記録情報を読出す読取部に次の記録媒体を供給し、前記次の記録媒体が前記読取部に供給されたときに、供給された該記録媒体に記録された前記記録媒体識別情報及び前記オフライン消費情報を読出し前記オフライン消費情報送信手段により送信する。
【０６７３】
具体的には、図１４のＳ１８８で説明したように、玉貸ユニット２０の制御部２１によって、ビジタコイン５の発行に応じて、ビジタコイン５の記録情報を読出す記録媒体Ｒ／Ｗ１０２に次のビジタコイン５が供給される。図１４のＳ１９３で説明したように、玉貸ユニット２０の外部通信部２１ｂ及び制御部２１によって、次のビジタコイン５が記録媒体Ｒ／Ｗ１０２に供給されたときに、供給された該ビジタコイン５に記録された記録媒体ＩＤ及びオフライン消費情報が読出され送信される。
【０６７４】
このように、記録媒体の発行時にオフライン消費情報を送信し管理残額を更新する場合と比較して、迅速に記録媒体を発行することができる。
【０６７５】
（１２）  また、本発明は、次のような構成を含むようにしても良い。つまり、前記残額管理装置及び前記遊技用装置は、前記通信不可能状態において前記残額記憶手段に記憶された残額を使用して貸与処理が行われた回数であるオフライン貸与回数、又は、前記オフライン消費額に関する基準値を記憶し、前記消費情報記録手段は、前記オフライン貸与回数又は前記オフライン消費額を、前記基準値から減算した数値を前記オフライン消費情報として記録し、前記残額管理装置は、前記消費情報送信手段から受信した前記オフライン消費情報を前記基準値から減算した減算値に基づいて前記オフライン消費額を特定し、前記管理残額を更新する。
【０６７６】
具体的には、図６（ａ）の設定値ＤＢ及び図３６から図３９で説明したように、残額管理装置５０及び玉貸ユニット２０によって、オフライン状態において記憶残額を使用して玉貸処理が行われた回数であるオフライン消費回数に関するオフライン時基準回数又はオフライン消費額に関するオフライン時基準金額が記憶される。図１９のＳ５４９，Ｓ５５０、図２０のＳ５６７，Ｓ５６８、及び図２１のＳ５８７，Ｓ５８８で説明したように、玉貸ユニット２０の制御部２１によって、オフライン貸与回数又はオフライン消費額を、オフライン時基準回数又はオフライン時基準金額から減算した数値がオフライン消費情報として記録される。図１１のＳ２１１〜Ｓ２１４及び、図１２のＳ２４７で説明したように、残額管理装置５０の制御部５２によって、玉貸ユニット２０から受信したオフライン消費情報をオフライン時基準回数又はオフライン時基準金額から減算した減算値に基づいてオフライン消費額が特定され、管理残額が更新される。
【０６７７】
このように、オフライン消費額を直接記録媒体に記録するのではなくて、基準値を用いて算出したオフライン消費情報が記録媒体に記録されるので、オフライン消費情報を０に書替えたとしても、オフライン消費額を零とすることができない。その結果、通信不可能状態において残額を使用しているにも拘わらず、オフライン消費額が零となるようにオフライン消費情報を書替えるような不正を行い難くすることができる。
【０６７８】
（１３）  また、本発明は、次のような構成を含むようにしても良い。つまり、前記基準値は、前記遊技用装置毎に異なる値とされ、前記残額管理装置は、前記遊技用装置を個々に識別するための遊技用装置識別情報に対応付けて前記基準値を記憶し前記消費情報送信手段から受信した前記記録媒体識別情報の記録媒体を排出した遊技用装置の遊技用装置識別情報に対応付けて記憶された前記基準値に基づいてオフライン消費額を特定する。
【０６７９】
具体的には、図６（ａ）の設定値ＤＢ、図３６及び図３７で説明したように、オフライン時基準金額及びオフライン時基準回数は、玉貸ユニット２０毎に異なる値とされ、残額管理装置５０によって、玉貸ユニット２０を個々に識別するための装置ＩＤに対応付けてオフライン時基準金額又はオフライン時基準回数が記憶される。図１１のＳ２１１〜Ｓ２１４で説明したように、残額管理装置５０の制御部５２によって、玉貸ユニット２０から受信された記録媒体ＩＤの記録媒体を排出した玉貸ユニット２０の装置ＩＤに対応付けて記憶されたオフライン時基準金額又はオフライン時基準回数に基づいてオフライン消費額が特定される。
【０６８０】
このように、オフライン消費額を直接記録媒体に記録するのではなくて、基準値を用いて算出したオフライン消費情報が記録媒体に記録されるので、オフライン消費情報を０に書替えたとしても、オフライン消費額を零とすることができない。また、基準値は、遊技用装置毎に異なるので、容易に知ることができない。その結果、通信不可能状態において残額を使用しているにも拘わらず、オフライン消費額が零となるようにオフライン消費情報を書替えるような不正をさらに行い難くすることができる。
【０６８１】
（１４）  また、本発明は、次のような構成を含むようにしても良い。つまり、残額管理装置及び遊技用装置は、各時刻に応じて異なる基準値を記憶し、前記消費情報記録手段は、時刻を特定可能な時刻特定情報と、当該時刻に応じた基準値に基づいた前記オフライン消費情報とを記録し、前記消費情報送信手段は、前記記録媒体に記録された前記時刻特定情報をさらに送信し、前記残額管理装置は、前記消費情報送信手段から受信した前記時刻特定情報から特定される時刻に応じた前記基準値に基づいてオフライン消費額を特定する。
【０６８２】
具体的には、図３９で説明したように、残額管理装置５０及び玉貸ユニット２０によって、各時刻に応じて異なるオフライン時基準金額が記憶される。オフライン状態の玉貸ユニット２０の記録媒体Ｒ／Ｗ１０２及び制御部２１によって、オフラインが発生した時刻を特定可能なオフライン発生時刻と、当該時刻に応じたオフライン時基準金額に基づいたオフライン消費情報とが記録媒体に記録される。オンライン状態の玉貸ユニット２０の外部通信部２１ｂ及び制御部２１によって、オフライン消費情報に加えて、記録媒体に記録されたオフライン発生時刻が残額管理装置５０にさらに送信される。残額管理装置５０の制御部５２によって、玉貸ユニット２０から受信したオフライン発生時刻から特定される時刻に応じたオフライン時基準金額に基づいてオフライン消費額が特定される。
【０６８３】
このように、オフライン消費額を直接記録媒体に記録するのではなくて、基準値を用いて算出したオフライン消費情報が記録媒体に記録されるので、オフライン消費情報を零に書替えたとしても、オフライン消費額を零とすることができない。また、基準値は、時刻に応じて異なるので、容易に知ることができない。その結果、通信不可能状態において残額を使用しているにも拘わらず、オフライン消費額が零となるようにオフライン消費情報を書替えるような不正をさらに行い難くすることができる。
【０６８４】
（１５）  また、本発明は、次のような構成を含むようにしても良い。つまり、前記残額管理装置及び前記遊技用装置は、各時刻に応じて異なる基準値を記憶し、前記消費情報記録手段は、前記通信可否検知手段によって前記通信不可能状態であると検知された時刻に応じた基準値に基づいた前記オフライン消費情報を記録し、前記残額管理装置は、さらに、前記遊技用装置と通信できない状態を検知する通信不能検知手段と、該通信不能検知手段によって通信できない状態であることが検知された時刻と通信できない状態である遊技用装置の遊技用装置識別情報とを対応させて記憶する通信不能装置記憶手段とを備え、前記残額管理装置は、前記消費情報送信手段から受信した前記記録媒体識別情報の記録媒体を排出した遊技用装置の遊技用装置識別情報と対応して前記通信不能装置記憶手段に記憶された時刻を特定し、特定した該時刻に応じた前記基準値に基づいてオフライン消費額を特定する。
【０６８５】
具体的には、図３８で説明したように、残額管理装置５０及び玉貸ユニット２０によって、各時刻に応じて異なるオフライン時基準金額が記憶される。玉貸ユニットの制御部２１によって、オフライン状態であると検知された時刻に応じたオフライン時基準金額に基づいたオフライン消費情報が記録媒体に記録される。残額管理装置５０の制御部５２によって、玉貸ユニット２０と通信できない状態が検知され、通信できない状態であることが検知されたオフライン発生時刻と通信できない状態である玉貸ユニット２０の装置ＩＤとが対応されて記憶される。残額管理装置５０の制御部５２によって、玉貸ユニット２０から受信した記録媒体ＩＤの記録媒体を排出した玉貸ユニット２０の装置ＩＤと対応して記憶されたオフライン発生時刻が特定され、特定された該時刻に応じたオフライン時基準金額に基づいてオフライン消費額が特定される。
【０６８６】
このように、オフライン消費額を直接記録媒体に記録するのではなくて、基準値を用いて算出したオフライン消費情報が記録媒体に記録されるので、オフライン消費情報を０に書替えたとしても、オフライン消費額を零とすることができない。また、基準値は、遊技用装置と残額管理装置とが通信不可能状態であると検知されたオフライン発生時刻に応じて異なるので、容易に知ることができない。その結果、通信不可能状態において残額を使用しているにも拘わらず、オフライン消費額が零となるようにオフライン消費情報を書替えるような不正をさらに行い難くすることができる。
【０６８７】
（１６）  従来、残額管理装置においてカードＩＤに対応付けて残額を管理し、当該管理残額を使用して精算装置にて精算を行うシステムがあった（例えば、文献Ａ（第００２７段落、第００３５段落、第００８２段落））。このようなシステムによれば、カードに記録された情報を改ざんすることによって残額を増加させるような不正行為を防止することができる。
【０６８８】
しかし、文献Ａに開示されたシステムのように、残額管理装置に記憶された残額を使用して精算を行うシステムにおいては、残額管理装置と精算装置とが通信できないオフライン状態になると、管理残額の精算ができなくなり、遊技者にとって不便であるといった問題があった。
【０６８９】
しかし、本発明は、次のような構成を含む。つまり、記録媒体を個々に識別するための記録媒体識別情報に対応付けて遊技媒体の貸与に使用される残額を管理する残額管理装置と、記録媒体の記録媒体識別情報に対応付けて前記残額管理装置にて管理されている残額である管理残額を用いて前記遊技媒体を貸与するための貸与処理を行う貸与処理手段を有し遊技機に対応して設けられる遊技用装置と、前記記録媒体の記録媒体識別情報に対応する前記管理残額の精算を行う精算装置とを備える遊技用システムであって、前記遊技用装置は、さらに、前記記録媒体の記録媒体識別情報に対応する管理残額を特定可能な管理残額特定情報を該記録媒体に記録する管理残額特定情報記録手段と、前記記録媒体を排出する記録媒体排出手段とを備え、前記精算装置は、さらに、前記残額管理装置と通信できる通信可能状態であるか通信できない通信不可能状態であるかを検知する精算装置通信可否検知手段と、該精算装置通信可否検知手段によって前記通信可能状態が検知されているときは、前記記録媒体の記録媒体識別情報に対応付けて前記残額管理装置にて管理されている前記管理残額に基づいて、精算を行うオンライン精算処理を行う一方、前記精算装置通信可否検知手段によって前記通信不可能状態が検知されているときは、前記記録媒体に記録されている前記管理残額特定情報から前記管理残額を特定し、特定した該管理残額の精算を行うオフライン精算処理を行う精算手段とを備える。このように構成しているため、遊技者の利便性を向上させることが可能である。
【０６９０】
具体的には、図１で説明したように、遊技用システム１は、残額管理装置５０と玉貸ユニット２０と精算装置６０とを備える。図６（ａ）で説明したように、残額管理装置５０は、記録媒体（例えば、会員カード４，ビジタコイン５）を個々に識別するための記録媒体ＩＤに対応付けてパチンコ玉の貸与に使用される残額を管理する。図８、図１７、及び図１８で説明したように、玉貸ユニット２０は、パチンコ機１０に対応して設けられる。図８のＳ１２１〜Ｓ１２８で説明したように、玉貸ユニット２０の制御部２１によって、記録媒体の記録媒体ＩＤに対応付けて残額管理装置５０にて管理されている残額である管理残額を用いてパチンコ玉を貸与するための玉貸処理が行われる。図２４から図２９までで説明したように、精算装置６０は、記録媒体の記録媒体ＩＤに対応する管理残額の精算を行う。
【０６９１】
図１９のＳ５４４〜Ｓ５４６、図２０のＳ５６２〜Ｓ５６４、及び図２１のＳ５８２〜Ｓ５８４で説明したように、玉貸ユニット２０の制御部２１によって、記録媒体の記録媒体ＩＤに対応する管理残額を特定可能な元データ及び演算方式特定情報が該記録媒体に記録される。図１９のＳ５５２、図２０のＳ５７０、及び図２１のＳ５９０で説明したように、玉貸ユニット２０の通路ユニット１００及び制御部２１によって、記録媒体が排出される。
【０６９２】
図２７のＳ８００で説明したように、精算装置６０の制御部６２によって、残額管理装置５０と通信できるオンライン状態であるか通信できないオフライン状態であるかが検知される。図２５のＳ２２１ｂ，Ｓ２４１ｂ、及び図２６のＳ７８１で説明したように、精算装置６０の制御部６２によって、オンライン状態が検知されているときは、記録媒体の記録媒体ＩＤに対応付けて残額管理装置にて管理されている管理残額に基づいて精算を行うオンライン精算処理が行われる。一方、図２８のＳ９０４，Ｓ９０５，Ｓ９１２で説明したように、精算装置６０の制御部６２によって、オフライン状態が検知されているときは、記録媒体に記録されている元データ及び演算方式特定情報から管理残額が特定され、特定された該管理残額の精算を行うオフライン精算処理が行われる。
【０６９３】
このように、通信不可能状態においても、管理残額を精算することができるため、遊技者の利便性を向上させることができる。
【０６９４】
（１７）  また、本発明は、次のような構成を含むようにしても良い。つまり、前記精算装置は、さらに、前記オフライン精算処理で精算されたオフライン精算額を特定可能なオフライン精算情報を、該オフライン精算処理に供された記録媒体に記録するオフライン精算情報記録手段と、該オフライン精算情報記録手段によって前記オフライン精算情報が記録された前記記録媒体を排出する精算装置記録媒体排出手段とを備え、前記取引装置は、さらに、受け付けた記録媒体に記録された前記記録媒体識別情報及び前記オフライン精算情報を、前記残額管理装置に送信するオフライン精算情報送信手段を備え、前記残額管理装置は、前記オフライン精算情報送信手段から受信した前記記録媒体識別情報に対応付けて管理している前記管理残額を、前記オフライン精算情報送信手段から受信した前記オフライン精算情報で特定される前記オフライン精算額分減算された額に更新する管理残額更新手段を備える。
【０６９５】
具体的には、図２８のＳ９１４で説明したように、精算装置６０の制御部６２によって、オフライン精算処理で精算されたオフライン精算額を特定可能なオフライン精算情報が、該オフライン精算処理に供された記録媒体に記録される。図２８のＳ９１７で説明したように、精算装置６０の制御部６２によって、オフライン精算情報が記録された記録媒体が排出される。
【０６９６】
図１１のＳ２０２で説明したように、玉貸ユニット２０の制御部２１によって、受け付けられた記録媒体に記録された記録媒体ＩＤ及びオフライン精算情報が残額管理装置５０に送信される。図１２のＳ２４８で説明したように、残額管理装置５０の制御部５２によって、玉貸ユニット２０から受信した記録媒体ＩＤに対応付けて管理されている管理残額が、玉貸ユニット２０から受信したオフライン精算情報で特定されるオフライン精算額分減算された額に更新される。
【０６９７】
このように、精算後に記録媒体を排出する必要がある場合にも、当該排出された記録媒体が通信可能状態にある遊技用装置で受け付けられることにより、管理残額がオフライン精算額分減算された額に更新されるので、精算装置が通信可能状態に復帰するのを待つことなく当該記録媒体を使用可能とすることができる。
【０６９８】
（１８）  また、本発明は、次のような構成を含むようにしても良い。つまり、前記精算装置は、さらに、前記オフライン精算処理で精算されたオフライン精算額を特定可能なオフライン精算情報を、該オフライン精算処理に供された記録媒体に記録するオフライン精算情報記録手段と、該オフライン精算情報記録手段によって前記オフライン精算情報が記録された前記記録媒体を回収する記録媒体回収手段とを備え、前記遊技用システムは、さらに、前記記録媒体を発行する発行手段を備え、該発行手段は、前記記録媒体回収手段によって回収された記録媒体に記録された前記記録媒体識別情報及び前記オフライン精算情報を、前記残額管理装置に送信するオフライン精算情報送信手段と、該オフライン精算情報送信手段による前記オフライン精算情報の送信を条件として、前記記録媒体に記録された前記オフライン精算情報を消去するオフライン精算情報消去手段とを備え、該オフライン精算情報消去手段によって前記オフライン精算情報が消去された前記記録媒体を発行し、前記残額管理装置は、前記オフライン精算情報送信手段から受信した前記記録媒体識別情報に対応付けて管理している前記管理残額を、前記オフライン精算情報送信手段から受信した前記オフライン精算情報で特定される前記オフライン精算額分減算された額に更新する管理残額更新手段を備える。
【０６９９】
具体的には、図２８のＳ９１４で説明したように、精算装置６０の制御部６２によって、オフライン精算処理で精算されたオフライン精算額を特定可能なオフライン精算情報が、該オフライン精算処理に供された記録媒体に記録される。図２８のＳ９１６で説明したように、精算装置６０の通路ユニット１００及び制御部６２によって、オフライン精算情報が記録された記録媒体が回収される。
【０７００】
図１４のＳ１９３で説明したように、玉貸ユニット２０の外部通信部２１ｂ及び制御部２１によって、回収された記録媒体に記録された記録媒体ＩＤ及びオフライン精算情報が残額管理装置５０に送信される。図１５のＳ２４４で説明したように、玉貸ユニット２０の制御部２１によって、オフライン精算情報の送信を条件として、記録媒体に記録されたオフライン精算情報が消去される。図１４のＳ１８７、及び図１９のＳ５５２で説明したように、玉貸ユニット２０の制御部２１によって、オフライン精算情報が消去された記録媒体が発行される。図１５のＳ２４８で説明したように、残額管理装置５０の制御部５２によって、玉貸ユニット２０から受信した記録媒体ＩＤに対応付けて管理されている管理残額が、玉貸ユニット２０から受信したオフライン精算情報で特定されるオフライン精算額分減算された額に更新される。
【０７０１】
このように、精算後に記録媒体が回収される場合にも、当該回収された記録媒体が発行される前に、管理残額がオフライン精算額分減算された額に更新されるので、精算装置が通信可能状態に復帰するのを待つことなく当該記録媒体を使用可能とすることができる。
【０７０２】
（１９）  また、本発明は、次のような構成を含むようにしても良い。つまり、前記精算装置は、さらに、前記オフライン精算処理を許容するためのオフライン精算許容操作を係員から受け付ける許容操作受付手段を備え、前記精算手段は、前記精算装置通信可否検知手段によって前記通信不可能状態が検知されているときは、前記許容操作受付手段によって前記オフライン精算許容操作が受け付けられたことを条件として、前記オフライン精算処理を行う。
【０７０３】
具体的には、図２７のＳ８７３で説明したように、精算装置６０の制御部６２によって、オフライン精算処理を許容するためのオフライン移行操作が係員から受け付けられる。図２７のＳ８７４で説明したように、精算装置６０の制御部６２によって、オフライン状態が検知されているときは、オフライン移行操作が受け付けられたことを条件として、オフライン精算処理が行われる。
【０７０４】
このように、係員が状況を確認した上でオフライン精算処理を許容することができるので、故意に通信不可能状態を発生させて不正な記録媒体による精算が行われるおそれを低減させることができる。
【０７０５】
（２０）  また、本発明は、次のような構成を含むようにしても良い。つまり、前記精算装置は、さらに、前記オフライン精算処理に供された精算済の記録媒体の記録媒体識別情報である精算済記録媒体識別情報を記憶する精算済情報記憶手段と、前記通信可否検知手段によって前記通信不可能状態が検知されているときに、受け付けた記録媒体の前記記録媒体識別情報が、前記精算済情報記憶手段に記憶されている前記精算済記録媒体識別情報と一致するか否かを判定する記録媒体判定手段とを備え、前記精算手段は、該記録媒体判定手段によって一致しないと判定されたことを条件として前記オフライン精算処理を行う。
【０７０６】
具体的には、図６（ｂ）の精算ＤＢで説明したように、精算装置６０の制御部６２によって、オフライン精算処理に供された精算済の記録媒体の記録媒体ＩＤが記憶される。図２８のＳ９０２で説明したように、精算装置６０の制御部６２によって、オフライン状態が検知されているときに、受け付けた記録媒体の記録媒体ＩＤが、精算ＤＢに記憶されている記録媒体ＩＤと一致するか否かが判定され、一致しないと判定されたことを条件としてオフライン精算処理が行われる。
【０７０７】
このように、受け付けられた記録媒体がオフライン精算処理済の記録媒体でない場合は、オフライン精算処理を行うようにすることができる。その結果、不正のおそれのある記録媒体によるオフライン精算処理を防止することができる。
【０７０８】
（２１）  また、本発明は、次のような構成を含むようにしても良い。つまり、前記精算装置は、さらに、前記オフライン精算処理を許容する時間帯であるオフライン精算許容時間帯の設定入力を受け付ける精算許容時間帯受付手段を備え、前記精算手段は、現在の時刻が前記精算許容時間帯受付手段によって受け付けられた前記オフライン精算許容時間帯に含まれることを条件として前記オフライン精算処理を行う。
【０７０９】
具体的には、精算装置６０の通信部６１及び制御部６２によって、オフライン精算処理を許容する時間帯である精算可能時間の設定入力が受け付けられる。図２８のＳ９０３で説明したように、現在の時刻が精算可能時間に含まれることを条件としてオフライン精算処理が行われる。
【０７１０】
このように、オフライン精算処理が行われる時間帯を本来精算が行われるべき時間帯である営業時間中などに限定することができる。その結果、不正の行われる可能性を低減させることができる。
【０７１１】
（２２）  また、本発明は、次のような構成を含むようにしても良い。つまり、前記精算装置は、さらに、前記オフライン精算処理に供された記録媒体の記録媒体識別情報と精算額とを対応付けて記憶する精算額記憶手段と、前記通信可否検知手段によって前記通信不可能状態が検知されている状態から前記通信可能状態への復帰が検知されたことに基づいて、前記精算額記憶手段に記憶されている前記記録媒体識別情報と前記精算額とを前記残額管理装置に送信する精算額送信手段とを備え、前記残額管理装置は、前記精算額送信手段から受信した前記記録媒体識別情報に対応して前記残額管理装置にて管理されている前記管理残額と前記精算額送信手段から受信した前記精算額とが一致するか否かを判定する精算額判定手段と、該精算額判定手段によって一致しないと判定されたことを条件として、前記管理残額と前記精算額とが一致しない旨を報知する不一致報知手段とを備える。
【０７１２】
具体的には、図２８のＳ９１３で説明したように、精算装置６０の制御部６２によって、オフライン精算処理に供された記録媒体の記録媒体ＩＤと精算管理残額とが対応付けて精算ＤＢに記憶される。図２９のＳ９３４で説明したように、精算装置６０の通信部６１及び制御部６２によって、オフライン状態が検知されている状態からオンライン状態への復帰が検知されたことに基づいて、精算ＤＢに記憶されている記録媒体ＩＤと精算管理残額とが残額管理装置５０に送信される。図２９のＳ９３６で説明したように、残額管理装置５０の制御部５２によって、精算装置６０から受信された記録媒体ＩＤに対応して残額管理装置５０にて管理されている管理残額と、精算装置６０から受信した精算管理残額とが一致するか否かが判定される。図２９のＳ９３７で説明したように、残額管理装置５０の制御部５２によって、一致しないと判定されたことを条件として、管理残額と精算管理残額とが一致しない旨がセンタ管理装置に送信されることによって報知される。
【０７１３】
このように、オフライン精算処理において不正が行われた場合に、通信可能状態への復帰後迅速にその事実を把握して対処することができる。
【０７１４】
（２３）  また、本発明は、次のような構成を含むようにしても良い。つまり、前記管理残額特定情報記録手段は、演算方式を特定可能な情報と当該演算方式による演算により前記管理残額を算出するための元データとを、前記管理残額特定情報として記録し、前記精算手段は、前記管理残額特定情報から前記演算方式と前記元データとを特定すると共に、特定した該演算方式により、特定した該元データを演算して、前記管理残額を特定する。
【０７１５】
具体的には、図１９のＳ５４４〜Ｓ５４６、図２０のＳ５６２〜Ｓ５６４、及び図２１のＳ５８２〜Ｓ５８４で説明したように、玉貸ユニット２０の制御部２１によって、演算方式を特定可能な演算方式特定情報と当該演算方式による演算により管理残額を算出するための元データとが管理残額特定情報として記録される。図２８のＳ９０４，Ｓ９０５で説明したように、管理残額特定情報から演算方式と元データとが特定されると共に、特定された該演算方式により、特定された該元データが演算されて、管理残額が算出される。
【０７１６】
このように、管理残額がそのまま記録媒体に記録される場合と比較して、記録媒体のデータを書替えて、管理残額を改ざんするような不正を行い難くすることができる。
【０７１７】
今回開示された実施の形態はすべての点で例示であって制限的なものではないと考えられるべきである。本発明の範囲は、上記した説明ではなく、特許請求の範囲によって示され、特許請求の範囲と均等の意味及び範囲内でのすべての変更が含まれることが意図される。
【符号の説明】
【０７１８】
１…遊技用システム
４…会員カード
５…ビジタコイン
１０…パチンコ機
２０…玉貸ユニット
２１…制御部
２１ａ…玉貸通信部
２５ａ…未払い度数表示器
２５ｂ…未払い玉数表示器
３０…払出ユニット
３１…玉払出装置
３１ａ…ノズル
３１ｂ…払出玉センサ
５０…残額管理装置
【図１】
0005439569.tif 000002
【図２】
0005439569.tif 000003
【図３】
0005439569.tif 000004
【図４】
0005439569.tif 000005
【図５】
0005439569.tif 000006
【図６】
0005439569.tif 000007
【図７】
0005439569.tif 000008
【図８】
0005439569.tif 000009
【図９】
0005439569.tif 000010
【図１０】
0005439569.tif 000011
【図１１】
0005439569.tif 000012
【図１２】
0005439569.tif 000013
【図１３】
0005439569.tif 000014
【図１４】
0005439569.tif 000015
【図１５】
0005439569.tif 000016
【図１６】
0005439569.tif 000017
【図１７】
0005439569.tif 000018
【図１８】
0005439569.tif 000019
【図１９】
0005439569.tif 000020
【図２０】
0005439569.tif 000021
【図２１】
0005439569.tif 000022
【図２２】
0005439569.tif 000023
【図２３】
0005439569.tif 000024
【図２４】
0005439569.tif 000025
【図２５】
0005439569.tif 000026
【図２６】
0005439569.tif 000027
【図２７】
0005439569.tif 000028
【図２８】
0005439569.tif 000029
【図２９】
0005439569.tif 000030
【図３０】
0005439569.tif 000031
【図３１】
0005439569.tif 000032
【図３２】
0005439569.tif 000033
【図３３】
0005439569.tif 000034
【図３４】
0005439569.tif 000035
【図３５】
0005439569.tif 000036
【図３６】
0005439569.tif 000037
【図３７】
0005439569.tif 000038
【図３８】
0005439569.tif 000039
【図３９】
0005439569.tif 000040